(57)【特許請求の範囲】
【請求項１】
遊技領域を流下する遊技球を受け入れ可能な受入口と、
前記受入口への遊技球の受け入れに基づいて所定の進入抽選を行う進入抽選手段と、
前記進入抽選手段にて特定の結果がえられたことに基づいて、常には閉鎖されている所定の進入口を開放することによって、当該所定の進入口への遊技球の進入を許容する進入許容制御手段と、
前記所定の進入口から進入した遊技球を用いて、所定の態様で作動して行われる役物抽選を、その抽選過程を視認できるかたちで行う役物抽選手段と、
前記役物抽選に当選したことに基づいて、大当り遊技を実行する大当り遊技実行手段と、
を備え、通常状態では、当選確率が所定の確率でしかないように前記役物抽選が行われる遊技機であって、
さらに、
前記通常状態よりも高い頻度で前記役物抽選手段による前記役物抽選が行われうる高頻度抽選状態、及び、該高頻度抽選状態よりも低い頻度でしか前記役物抽選手段による前記役物抽選が行われえない低頻度抽選状態、を含む遊技状態のうちいずれかに制御する抽選状態制御手段と、
前記役物抽選がその抽選過程を視認できるかたちで行われるにもかかわらず、前記低頻度抽選状態においては、当該役物抽選の当選確率を把握することが困難なかたちで、前記通常状態における前記所定の確率よりも高い確率で当選されるように前記役物抽選手段を作動させる秘密裡低頻度高期待制御手段と
を備えることを特徴とする遊技機。
【発明の詳細な説明】
【技術分野】
【０００１】
本発明は、ぱちんこ遊技機（一般的に「パチンコ機」とも称する）等の遊技機に関するものである。
【背景技術】
【０００２】
従来、始動口に入賞すると、遊技領域の中央部に配置された役物の開閉片が開閉動作し、この役物内に進入した遊技球を用いた役物抽選が行われる遊技機が知られている。この役物抽選の過程は、遊技者に視認できるかたちで行われ、開閉片が開閉動作して特定のタイミングで役物内に遊技球が進入すると、Ｖ入賞口に受け入れられて特別遊技状態が発生する。
【０００３】
この種の遊技機は、特別遊技状態が発生するまでの過程に面白みはあるものの、始動口への入賞及び開閉片が開閉動作したタイミングでの役物内への進入といった一連の過程を経てようやく役物抽選の機会がえられるので、このような一連の過程を経なければ役物抽選さえ行われないことから、一旦特別遊技状態が終了したのちの通常状態では遊技意欲が低下しかねない。そこで、例えば特別遊技状態が終了したのちの所定期間内に役物抽選の機会をえられやすくすることで、特別遊技状態が終了したのちであっても遊技意欲の低下を軽減できるようにした遊技機が開示されている（例えば特許文献１参照）。
【先行技術文献】
【特許文献】
【０００４】
【特許文献１】特開２００７−０９７９６１号公報
【発明の概要】
【発明が解決しようとする課題】
【０００５】
しかしながら、特別遊技状態が終了したのちに役物抽選の機会がえられやすい期間を設けたとしても、当該期間内に特別遊技状態が発生することなく役物抽選の機会がえられやすい期間が終了すると興趣が低下し、依然として遊技意欲が低下してしまうおそれがある。例えば、特別遊技状態及び役物抽選の機会がえられやすい期間のいずれもが終了したのちに、役物の作動態様を変えて役物抽選の当選確率を高めることも可能ではあるが、役物抽選は視認できるかたちで行われるので、当選確率が高められなければ依然として興趣が低下することとなり、根本的な解決とはならない。
【０００６】
この発明は、こうした実情に鑑みてなされたものであり、役物抽選の過程を視認できる遊技機において、興趣の低下を抑制することを目的とする。
【課題を解決するための手段】
【０００７】
こうした目的を達成するため、請求項１に記載の発明は、遊技領域を流下する遊技球を受け入れ可能な受入口と、前記受入口への遊技球の受け入れに基づいて所定の進入抽選を行う進入抽選手段と、前記進入抽選手段にて特定の結果がえられたことに基づいて、常には閉鎖されている所定の進入口を開放することによって、当該所定の進入口への遊技球の進入を許容する進入許容制御手段と、前記所定の進入口から進入した遊技球を用いて、所定の態様で作動して行われる役物抽選を、その抽選過程を視認できるかたちで行う役物抽選手段と、前記役物抽選に当選したことに基づいて、大当り遊技を実行する大当り遊技実行手段と、を備え、通常状態では、当選確率が所定の確率でしかないように前記役物抽選が行われる遊技機であって、さらに、前記通常状態よりも高い頻度で前記役物抽選手段による前記役物抽選が行われうる高頻度抽選状態、及び、該高頻度抽選状態よりも低い頻度でしか前記役物抽選手段による前記役物抽選が行われえない低頻度抽選状態、を含む遊技状態のうちいずれかに制御する抽選状態制御手段と、前記役物抽選がその抽選過程を視認できるかたちで行われるにもかかわらず、前記低頻度抽選状態においては、当該役物抽選の当選確率を把握することが困難なかたちで、前記通常状態における前記所定の確率よりも高い確率で当選されるように前記役物抽選手段を作動させる秘密裡低頻度高期待制御手段とを備えることを要旨とする。
【０００８】
上記の遊技機では、ソフトウェア制御により内部的に行われる抽選処理とは違って、役物抽選の抽選過程を視認できるので、抽選処理に対して遊技者に与える不信感を軽減できるだけでなく、大当り遊技が行われるまでの過程に面白みを持たせることができる。しかし、通常状態における所定の頻度よりも高い頻度で役物抽選手段による役物抽選が行われうる高頻度抽選状態が終了したのちは、遊技者の遊技意欲が低下してしまうおそれがある。
【０００９】
そこで、上記遊技機では、低頻度抽選状態において、役物抽選の抽選過程を遊技者が視認できるにもかかわらず、遊技者に把握困難なかたちで当選しやすくなるので、遊技者は、高頻度抽選状態が終了したとしても、遊技意欲の低下を抑制することができる。
【発明の効果】
【００１０】
この発明によれば、役物抽選の過程を視認できる遊技機において、興趣の低下を抑制することができる。
【図面の簡単な説明】
【００１１】
【図１】実施形態に係るパチンコ機の外枠に対して本体枠を開放し、本体枠に対して扉枠を開放した状態を示す斜視図である。
【図２】パチンコ遊技機の正面から見た斜視図である。
【図３】パチンコ機の正面図である。
【図４】パチンコ機の側面図である。
【図５】パチンコ機の平面図である。
【図６】パチンコ機の背面図である。
【図７】パチンコ機を構成する外枠、本体枠、遊技盤、扉枠の後方から見た分解斜視図である。
【図８】パチンコ機を構成する外枠、本体枠、遊技盤、扉枠の前方から見た分解斜視図である。
【図９】外枠の正面斜視図である。
【図１０】外枠の正面から見た分解斜視図である。
【図１１】外枠の正面図である。
【図１２】外枠の背面図である。
【図１３】（Ａ）は図１１のＢ−Ｂ断面図、（Ｂ）は（Ａ）のＣ−Ｃ断面図、（Ｃ）はＤ−Ｄ断面図、（Ｄ）はＥ−Ｅ断面図である。
【図１４】扉枠の正面図である。
【図１５】扉枠の背面図である。
【図１６】図１４に表示されるＡ−Ａ断面図である。
【図１７】図１４に表示されるＢ−Ｂ断面図である。
【図１８】扉枠の正面から見た分解斜視図である。
【図１９】扉枠の背面から見た分解斜視図である。
【図２０】ハンドル装置と本体枠に設けられる打球発射装置との関係を示す斜視図である。
【図２１】部品を取り付ける前の本体枠主体の正面図である。
【図２２】部品を取り付ける前の本体枠主体の背面図である。
【図２３】部品を取り付ける前の本体枠主体の側面図である。
【図２４】部品を取り付ける前の本体枠主体の背面から見た斜視図である。
【図２５】部品を取り付けた本体枠の前方から見た斜視図である。
【図２６】部品を取り付けた本体枠を外枠に軸支した状態を前方から見た斜視図である。
【図２７】部品を取り付けた本体枠の背面図である。
【図２８】部品を取り付けた本体枠の背面から見た斜視図である。
【図２９】パチンコ機の中程（主制御基板ボックス部分）の水平線で切断したパチンコ遊技機の断面平面図である。
【図３０】遊技盤の正面から見た斜視図である。
【図３１】遊技盤の正面図である。
【図３２】遊技盤の背面図である。
【図３３】遊技盤の平面図である。
【図３４】遊技盤に形成される取り外し防止機構部分の拡大斜視図である。
【図３５】遊技盤の取り外し防止機構に対する本体枠側の構造を示す本体枠の部分斜視図である。
【図３６】（Ａ）は打球発射装置６５０の全体の斜視図、（Ｂ）は発射モータ部分を取り外した状態の斜視図である。
【図３７】打球発射装置の分解斜視図である。
【図３８】（Ａ）は打球発射装置と発射レールとの関係を示す正面図、（Ｂ）は発射モータ部分の斜視図である。
【図３９】操作ハンドル部を操作していない状態における打球発射装置と発射レールとの関係を示す背面図である。
【図４０】操作ハンドル部を操作している状態における打球発射装置と発射レールとの関係を示す背面図である。
【図４１】（Ａ）打球発射装置に設けられるスライド部材の平面図，（Ｂ）正面図，（Ｃ）正面から見た斜視図，（Ｄ）は（Ｂ）正面図のＡ−Ａ断面図である。
【図４２】（Ａ）賞球タンクの斜視図、（Ｂ）平面図、（Ｃ）側面図である。
【図４３】（Ａ）及び（Ｂ）は従来の賞球タンク、（Ｃ）は本実施形態に係る賞球タンクとの排出口部分における球の圧力状態を示す平面図である。
【図４４】賞球タンク、タンクレール部材、球通路ユニット、賞球ユニット、及び満タンユニットの関係を示すパチンコ機の背面側から見た斜視図である。
【図４５】賞球タンク、タンクレール部材、球通路ユニット、賞球ユニット、及び満タンユニットの関係を示すパチンコ機の正面側から見た斜視図である。
【図４６】（Ａ）タンクレール部材の下流部と球通路ユニットの上流部との関係を示す断面図、（Ｂ）タンクレール部材の下流部と球通路ユニットの上流部との関係を示す平面図である。
【図４７】本体枠と球通路ユニット及び賞球ユニットとの関係を示す分解斜視図である。
【図４８】球通路ユニット及び賞球ユニットとの関係を示す背面図である。
【図４９】球通路ユニットの背面から見た斜視図である。
【図５０】球通路ユニットの正面図である。
【図５１】球通路ユニットと賞球ユニットとの連結構造を説明するための側面図である。
【図５２】賞球ユニットの背面側から見た分解斜視図である。
【図５３】払出モータと払出部材としてのスプロケットとの関係を説明するための背面図である。
【図５４】賞球ユニットの通路と駆動関係を説明するための背面図である。
【図５５】図５４のＡ−Ａ断面図である。
【図５６】賞球ユニットと満タンユニットとの関係を示す斜視図である。
【図５７】満タンユニットの斜視図である。
【図５８】満タンユニットの正面から見た分解斜視図である。
【図５９】満タンユニットの背面から見た分解斜視図である。
【図６０】満タンユニットとファール口との関係を示す一部破断斜視図である。
【図６１】満タンユニットに設けられる底面揺動板部分で切断した横断面図である。
【図６２】満タンユニットとファール口との関係を示す断面図である。
【図６３】錠装置と本体枠との関係を示す背面斜視図である。
【図６４】錠装置の本体枠への掛け止め構造を示す拡大側方断面図である。
【図６５】パチンコ機の縦方向中央よりやや下方の位置で水平方向に切断した一部断面図である。
【図６６】錠装置と本体枠の側壁との詳細な関係を示す拡大断面図である。
【図６７】（Ａ）錠装置の側面図、（Ｂ）前面側から見た斜視図である。
【図６８】（Ａ）錠装置の背面側から見た斜視図、（Ｂ）及び（Ｃ）錠装置のコ字状基体の内部に摺動自在に設けられる扉枠用摺動杆と本体枠用摺動杆の斜視図である。
【図６９】錠装置の分解斜視図である。
【図７０】扉枠用摺動杆と本体枠用摺動杆の作用を説明するための正面図である。
【図７１】不正防止部材の作用を説明するための正面図である。
【図７２】基板ユニットを背面側から見た斜視図である。
【図７３】基板ユニットを前面側から見た斜視図である。
【図７４】遊技盤の正面図である。
【図７５】遊技盤を斜め前から見た斜視図である。
【図７６】遊技盤を斜め後から見た斜視図である。
【図７７】図７４におけるＡ−Ａ断面図である。
【図７８】図７４におけるＢ−Ｂ断面図である。
【図７９】遊技盤を構成する主な部材ごとに分解して斜め前から見た分解斜視図である。
【図８０】図７９の分解図を斜め後から見た分解斜視図である。
【図８１】遊技盤を主に構成する前構成部材、及び遊技パネルを分解して斜め前から見た分解斜視図である。
【図８２】図８１を斜め後から見た分解斜視図である。
【図８３】センタ役物ユニットの正面図である。
【図８４】センタ役物ユニットを斜め前から見た斜視図である。
【図８５】センタ役物ユニットを斜め前から見た斜視図である。
【図８６】センタ役物ユニットを斜め後ろから見た斜視図である。
【図８７】図８３のＡ−Ａ断面図である。
【図８８】図８３のＢ−Ｂ断面図である。
【図８９】図８３のＣ−Ｃ断面図である。
【図９０】センタ役物ユニットをユニット単位で分解し斜め前から見た分解斜視図である。
【図９１】図９０を斜め後から見た分解斜視図である。
【図９２】本体ユニットを分解し斜め前から見た斜視図である。
【図９３】本体ユニットから入賞口カバー及び内周レンズを取り除いた状態を斜め前から見た斜視図である。
【図９４】開閉入賞ユニットを斜め前から見た斜視図である。
【図９５】左側誘導経路の主要部を構成する左側経路形成部材を斜め前から見た斜視図である。
【図９６】（ａ）右側誘導経路を構成する右側経路形成部材及び右側経路カバーを斜め前から見た斜視図、（ｂ）右側経路形成部材及び右側経路カバーを分解して斜め後から見た分解斜視図である。
【図９７】上部遊技領域における主要部の正面図である。
【図９８】図９７に示す主要部を斜め前から見た斜視図である。
【図９９】振分装置及び遅延装置を斜め前から見た斜視図である。
【図１００】振分装置及び遅延装置の右側面図である。
【図１０１】入賞口カバーを含む上部遊技領域の要部を上面から見た平面図である。
【図１０２】図１０１のＡ−Ａ断面図である。
【図１０３】特定遊技領域を斜め前から見た斜視図である。
【図１０４】特定遊技領域を上方から見た平面図である。
【図１０５】特定遊技領域のステージ部材を斜め前から見た斜視図である。
【図１０６】可動役物を斜め前から見た斜視図である。
【図１０７】可動役物の背面図である。
【図１０８】可動役物の右側面図である。
【図１０９】図１０８のＡ−Ａ断面図である。
【図１１０】回転式振分装置を斜め前から見た斜視図である。
【図１１１】回転式振分装置を分解し斜め前から見た分解斜視図である。
【図１１２】案内通路形成部材の平面図である。
【図１１３】図１１２のＡ−Ａ断面図である。
【図１１４】図１１２のＢ−Ｂの断面図である。
【図１１５】案内通路形成部材及び開閉部材駆動機構を分解し斜め前から見た斜視図である。
【図１１６】特定遊技領域から案内通路形成部材等を取り除いた状態を斜め前から見た斜視図である。
【図１１７】遊技媒体復活手段を斜め前から見た斜視図である。
【図１１８】遊技媒体復活手段の縦断面図である。
【図１１９】遊技媒体復活手段の球搬送部と案内通路形成部材との関係を示す斜視図である。
【図１２０】進入防止機構の正面図である。
【図１２１】進入防止機構を分解し斜め前から見た斜視図である。
【図１２２】装飾役物を斜め前から見た斜視図である。
【図１２３】装飾役物の背面図である。
【図１２４】センタ役物ユニットの内部に向って可動装飾体が突出し遊技者側から視認可能となった状態を示す正面図である。
【図１２５】可動装飾体及びその駆動機構を斜め前から見た斜視図である。
【図１２６】パチンコ機における主基板周辺の制御構成を概略的に示すブロック図である。
【図１２７】パチンコ機における周辺制御基板周辺の制御構成を概略的に示すブロック図である。
【図１２８】主制御基板での機能的な構成を示すブロック図である。
【図１２９】周辺制御基板での機能的な構成を示すブロック図である。
【図１３０】主制御基板における不正行為警告表示器の表示に係る機能的な構成を示すブロック図である。
【図１３１】インターバルパターンが決定される際に参照されるインターバルパターンテーブルである。
【発明を実施するための形態】
【００１２】
〔パチンコ遊技機の全体構造〕
以下、図面を参照して本発明の好適な実施形態について、図面を参照して説明する。まず、図１乃至図８を参照して実施形態に係るパチンコ遊技機の全体について説明する。図１は、実施形態に係るパチンコ機１の外枠２に対して本体枠３を開放し、本体枠３に対して扉枠５を開放した状態を示す斜視図であり、図２は、パチンコ遊技機の正面から見た斜視図であり、図３は、パチンコ機１の正面図であり、図４は、パチンコ機１の側面図であり、図５は、パチンコ機１の平面図であり、図６は、パチンコ機１の背面図であり、図７は、パチンコ機１を構成する外枠２、本体枠３、遊技盤４、扉枠５の後方から見た分解斜視図であり、図８は、パチンコ機１を構成する外枠２、本体枠３、遊技盤４、扉枠５の前方から見た分解斜視図である。
【００１３】
図１乃至図８において、本実施形態に係るパチンコ機１は、島（図示しない）に設置される外枠２と、該外枠２に開閉自在に軸支され且つ遊技盤４を装着し得る本体枠３と、該本体枠３に開閉自在に軸支され且つ前記遊技盤４に形成されて球が打ち込まれる遊技領域６０５を遊技者が視認し得る遊技窓１０１と該遊技窓１０１の下方に配置され且つ遊技の結果によって払出される球を貯留する貯留皿としての皿ユニット３００とを備えた扉枠５と、を備えて構成されている。
【００１４】
外枠２には、その下方前方に表面が装飾カバー板１５によって被覆されている下部前面板１４が固着されている。また、本体枠３には、上記したように遊技盤４が着脱自在に装着し得る他に、その裏面下部に打球発射装置６５０（本発明の発射装置に相当）と、遊技盤４を除く扉枠５や本体枠３に設けられる電気的部品を制御するための各種の制御基板や電源基板等が一纏めに設けられている基板ユニット１１００が取り付けられ、本体枠３の後面開口５８０（図７参照）を覆うカバー体１２５０が着脱自在に設けられている。更に、扉枠５には、上記した皿ユニット３００の他に、遊技窓１０１を閉塞するようにガラスユニット２５０と、ハンドル装置４６０とが設けられている。そして、本実施形態の特徴は、扉枠５に設けられる皿ユニット３００が１つであり、しかも、従来は本体枠３に設けられていたハンドル装置４６０が扉枠５に設けられ、また、扉枠５と本体枠３とが正面から見てほぼ同じ方形の大きさであるため、正面から本体枠３が視認できなくした点である。以下、パチンコ機１を構成する部材について詳細に説明する。
【００１５】
〔外枠〕
外枠２について、主として図９乃至図１３を参照して説明する。図９は、外枠２の正面斜視図であり、図１０は、同外枠２の正面から見た分解斜視図であり、図１１は、同外枠２の正面図であり、図１２は、同外枠２の背面図であり、図１３は、図１１のＢ−Ｂ断面図（Ａ）と図１３（Ａ）のＣ−Ｃ断面図（Ｂ）、Ｄ−Ｄ断面図（Ｃ）、Ｅ−Ｅ断面図（Ｄ）である。
【００１６】
図９及び図１０において、本実施形態に係る外枠２は、上下の上枠板１０及び下枠板１１と左右の側枠板１２，１３とを、それぞれの端部を連結するための連結部材１９で連結することによって方形状に組み付けられるものである。具体的には、連結部材１９は、中央と左右とに段差のある表彰台状に形成され、突出した中央の部分が上枠板１０及び下枠板１１の両端部中央に形成された係合切欠部２０に嵌合され、一段下がった左右の部分の平面に上枠板１０の裏面と下枠板１１の上面とが当接し且つ一段下がった左右の部分の一側面に側枠板１２，１３の内側面が当接するようになっている。
【００１７】
そして、その状態で、上枠板１０の係合切欠部２０の両側方及び下枠板１１の係合切欠部２０の両側方にそれぞれ形成される挿通穴２１と連結部材１９の一段下がった左右の部分の平面に形成される複数（図示の場合２個）の連結穴２２（図１０の上枠板１０と側枠板１２とを連結する連結部材１９に表示するが、他の連結部材１９にも存在する）とを一致させて上方又は下方から複数（図示の場合２本）の連結ビス２３で止着し、更に、側枠板１２，１３の上下端部分に穿設される複数（図示の場合２個）の取付穴２４と連結部材１９の一段下がった左右の部分の側面に形成される複数（図示の場合３個）の連結穴２５とを一致させて側方外側から複数（図示の場合３本）の連結ビス２６，２７で止着することにより、上下の上枠板１０及び下枠板１１と左右の側枠板１２，１３とが強固に連結固定される。ただし、３本の連結ビス２６，２７のうち、１本の連結ビス２７は、側枠板１２，１３と連結部材１９とを連結するものではなく、上枠板１０及び下枠板１１と連結部材１９とを側方から直接連結するものである。
【００１８】
外枠２を構成する上枠板１０と下枠板１１、及び側枠板１２，１３のうち、上枠板１０と下枠板１１とは従来と同じ木製であり、側枠板１２，１３は、軽量金属、例えば、アルミニュウム合金の押出し成型板により構成されている。上枠板１０及び下枠板１１を従来と同じ木製で構成した理由は、パチンコ機１を遊技場に列設される島に設置する場合に、島の垂直面に対し所定の角度をつけて固定する作業を行う必要があるが、そのような作業は上枠板１０及び下枠板１１と島とに釘を打ち付けて行われるため、釘を打ち易くするためである。一方、側枠板１２，１３をアルミニュウム合金の押出し成型板により構成した理由は、従来の木製に比べ強度を維持しつつ肉厚を薄く形成することができるため、側枠板１２，１３の内側に隣接する本体枠３の側面壁５４０〜５４３（図２３参照）の正面から見たときの左右幅を広くすることができる。このため左右方向の寸法の大きな遊技盤４を本体枠３に装着することができることになり、結果的に遊技盤４の遊技領域６０５を大きく形成することができるからである。
【００１９】
なお、側枠板１２，１３をアルミニュウム合金の平板で構成すると、充分な剛性が確保できないため、図１３（Ｃ）に示すように、側枠板１２（側枠板１３も全く同じ構造である。）の後方部分内側にリブによって後方が開放した空間部２８（側枠板１３の空間部２８は図１２に表示）を形成して後方部分の肉厚ｈ１が厚くなるように引き抜き成型されている。もちろん、この肉厚ｈ１は、従来の木製の肉厚と同等若しくは若干薄い寸法となっている。
【００２０】
また、図１３（Ｂ），（Ｄ）に示すように、側枠板１２の空間部２８の前方には、連結部材１９の一段下がった左右の部分の一方の部分が嵌め込まれる溝部２９（側枠板１３の溝部２９は図９に表示）が形成されている。側枠板１２の溝部２９から前端部までは、図１３（Ｂ）〜（Ｄ）に示すように、その内側面が連結部材１９の一段下がった左右の部分の他方の部分が当接する平板状をなすものであるが、その平板部に材料軽減のための浅い凹部が形成されている。更に、前記溝部２９が形成される反対側の面（外側面）には、図９及び図１３（Ｂ）に示すように、上支持金具４５の垂下片部５３が挿入される凹部３０（側枠板１３の凹部３０は図１０に表示）が形成されている。
【００２１】
そして、上記のように形成される軸支側の側枠板１２には、連結部材１９を取り付けるための構成以外に、その上部に上支持金具４５の垂下片部５３を側枠板１２の外側に止着ビス３２で止着するための取付穴３１が穿設されると共に、その下部に下支持金具６６の垂直当接片７２に形成される取付穴６９と一致させて止着ビス３４で止着するための取付穴３３が穿設されている。また、取付穴３３の下部であって側枠板１２の前方部分に側枠板１２と下部前面板１４とを止着ビス３６で止着するための取付穴３５が形成されている。
【００２２】
一方、開放側の側枠部１３には、連結部材１９を取り付けるための構成以外に、その上部に閉鎖用突起３８を取付ネジ３９で取り付けるための取付穴３７が穿設され、その下部に閉鎖用突起４１を取付ネジ４２で取り付けるための取付穴４０が穿設されると共に、さらに最下方に側枠板１３と下部前面板１４とを止着ビス４４で止着するための取付穴４３が形成されている。
【００２３】
なお、この閉鎖用突起３８，４１は、外枠２に対して本体枠３を閉じる際に、本体枠３の開放側辺に沿って取り付けられる錠装置１０００のフック部１０５４，１０６５（図６７参照）と係合するものであり、後に詳述するように錠装置１０００のシリンダー錠１０１０に鍵を差し込んで一方に回動することにより、フック部１０５４，１０６５と閉鎖用突起３８，４１との係合が外れて本体枠３を外枠２に対して開放することができるものである。
【００２４】
また、下枠板１１と左右の側枠板１２，１３の下部前面に固定される下部前面板１４は、閉止時においてその上面に本体枠３が載置されるものであり、下部前面板１４の表面及び側面は、装飾カバー板１５によって被覆されているが、装飾カバー板１５の裏面に、その後端に弾性爪が形成される止着突起１６（図１２参照）が突設され、その止着突起１６が下部前面板１４に貫通される止着穴１７に貫通させられることにより下部前面板１４に取り付けられている。なお、外枠２の装飾カバー板１５の開放側の上面には、本体枠３の閉止時に該本体枠３をスムーズに案内するための案内板１８が交換可能に装着されている。
【００２５】
ところで、本体枠３を開閉自在に軸支する構造として、上枠板１０と側枠板１２とを連結する機能も兼用する上支持金具４５と下部前面板１４の一側上面に沿って取り付けられる下支持金具６６とが設けられている。上支持金具４５には、前方に突出している支持突出片４６に該支持突出片４６の側方から先端中央部に向かって屈曲して形成された支持鉤穴４７が形成されており、この支持鉤穴４７に本体枠３の後述する上軸支金具５０３の軸支ピン５０４（図２５参照）が着脱自在に係合されるようになっている。
【００２６】
また、下支持金具６６も前方に突出した形状に形成されているが、この突出した部分に上向きに支持突起６８が突設され、この支持突起６８に本体枠３の後述する枠支持板５０６（図２６参照）に形成される支持穴が挿入される。したがって、外枠２に本体枠３を支持するためには、下支持金具６６の支持突起６８に本体枠３の枠支持板５０６に形成される支持穴を係合させた後、本体枠３の上軸支金具５０３の軸支ピン５０４を支持鉤穴４７に掛け止めることにより簡単に開閉自在に軸支することができる。
【００２７】
また、上支持金具４５は、上枠板１０の軸支側の上面及び前面に凹状に形成される取付段部４９に装着されるものであるが、その装着に際し、上支持金具４５に形成される複数（図示の場合２個）の取付穴４８と取付段部４９に穿設される複数（図示の場合２個）の取付穴５０とを一致させて取付ビス５１を上方から差し込み、上枠板１０の裏面から押し当てられる挟持板５２に止着することにより上支持金具４５が上枠板１０に堅固に固定される。
【００２８】
また、上支持金具４５の外側側方には、側枠板１２の外側に当接する垂下片部５３があり、その垂下片部５３にも取付穴が穿設され、この取付穴と前記取付穴３１とを止着ビス３２で止着することにより、上支持金具４５と側枠板１２とを固定すると共に、上枠板１０と側枠板１２とを上支持金具４５を介して連結している。
【００２９】
一方、下支持金具６６は、前述したように側枠板１２の取付穴３３と垂直当接片７２の取付穴６９とを一致させた状態で止着ビス３４で止着し、さらに、下支持金具６６の水平面の中程に穿設される取付穴７０に取付ネジ７１を差し込むことにより、前記装飾カバー板１５を介して前記下部前面板１４の上面に止着されるものである。
【００３０】
上記のように構成される外枠２において、その構成部材である上枠板１０と下枠板１１と側枠板１２，１３とを連結部材１９で連結することにより、連結部材１９が側枠板１２，１３の内面に密着して止着されると共に連結部材１９と上枠板１０及び下枠板１１が係合した状態で止着されるので、その組み付け強度が高く頑丈な方形状の枠組みとすることができる。上記した連結部材１９と上枠板１０及び下枠板１１との係合状態に加え、連結部材１９の側枠板１２，１３への取り付けに際し、溝部２９に連結部材１９の一段下がった左右の部分の一方の部分が嵌め込まれる構造であるため、連結部材１９の側枠板１２，１３への取り付けが強固となり、これによっても方形状の枠組みの強度を向上することができると共にその位置決めを正確に行うことができる。
【００３１】
また、連結部材１９によって上枠板１０、下枠板１１、側枠板１２，１３を連結した後、上支持金具４５を所定の位置に取り付けたときに、図１１及び図１２に示すように、各枠板１０，１１，１２，１３の外側面（外周面）から外側に突出する部材は存在しないので、パチンコ機１を図示しないパチンコ島台に設置する際に、隣接する装置（例えば、隣接する玉貸器）と密着して取り付けることができる。また、下支持金具６６を取り付けたときにも、下部前面板１４の上面と下支持金具６６の上面とがほぼ同一平面となるようになっている。
【００３２】
〔扉枠〕
次に、上記した本体枠３の前面側に開閉自在に設けられる扉枠５について、図１４乃至図１９を参照して説明する。図１４は、扉枠５の正面図であり、図１５は、扉枠５の背面図であり、図１６は、図１４に表示されるＡ−Ａ断面図であり、図１７は、図１４に表示されるＢ−Ｂ断面図であり、図１８は、扉枠５の正面から見た分解斜視図であり、図１９は、扉枠５の背面から見た分解斜視図である。
【００３３】
図１４、図１５、図１８及び図１９に示すように、扉枠５は、方形状に形成される扉枠本体１００の上部に縦長六角形状の遊技窓１０１が形成され、該遊技窓１０１の前面周囲に扉レンズユニット１２０が取り付けられ、また、遊技窓１０１の下方の板状部の前面に扉枠本体１００に皿ユニット３００が設けられ、その皿ユニット３００の一側（開放側）にハンドル装置４６０の操作ハンドル部４６１が突設固定されている。また、扉枠本体１００の裏面には、遊技窓１０１の周囲に補強板金２１０が固定され、遊技窓１０１を閉塞するようにガラスユニット２５０が取り付けられると共に、前記遊技窓１０１の下方の板状部の裏面に、前記操作ハンドル部４６１に対応するジョイントユニット４８０、装着台２８０、及び枠装飾中継基板２９０がそれぞれ取り付けられている。なお、ガラスユニット２５０の裏面下部には、防犯機能を有する防犯カバー２７０も装着されている。以下、扉枠５を構成する上記の各構成部材のより詳細な構造について説明する。
【００３４】
＜扉枠本体＞
図１８及び図１９に示すように、扉枠本体１００は、合成樹脂によって額縁状に形成され、前述したように上方部に縦長六角形状の遊技窓１０１が形成され、その遊技窓１０１の下方が板状部となっている。遊技窓１０１の上部左右には、後述するスピーカ１６３を貫通させる円形状のスピーカ用開口１０２が形成され、そのスピーカ用開口１０２の下方に後述するガラスユニット２５０の止め片２５４を係止するための止めレバー１０８（図１５参照）が回動自在に設けられている。なお、本実施形態に係る遊技窓１０１は、従来に比べて上下方向及び左右方向の寸法が大きくなった遊技盤４が取り付けられるため、遊技窓１０１の上下方向及び左右方向の寸法も大きくなっている。このため、後述する扉枠レンズユニット１２０の形状が従来一般的に知られているものと大きく相違する。
【００３５】
一方、遊技窓１０１の下方の板状部には、軸支側上部に皿ユニット３００の賞球連絡樋４５１が貫通する賞球通過口１０３が開設され、その斜め中央寄りに後述する側面開口蓋４０６を脱着するための蓋用開口１０５が開設され、その蓋用開口１０５の開放側の隣接する位置に球送りユニット２８７を装着するための球送り開口１０４が開設され、さらに球送り開口１０４のさらに開放側寄りにシリンダー錠１０１０が貫通するための錠穴１０６が開設されている。
【００３６】
また、球送り開口１０４の下方の板状部の裏面側にジョイントユニット４８０を取り付けるためのジョイントユニット装着凹部１０７が形成され、同じく下方の板状部の裏面側の遊技窓１０１の下部左右にガラスユニット２５０の掛止突片２５５を掛け止めるための係合受片（図示せず）が形成され、その係合受片の側方に防犯カバー２７０の後述する装着弾性片２７３が装着される装着開口部１１０が形成されている。また、板状部の前面中央には、前方に向って後述する皿ユニット３００の案内穴４５６（図１６参照）に挿入される係合突起１１１が形成されている。更に、扉枠本体１００の下辺は、後方に突出した扉枠突片１１２となっており、後述するように、この扉枠突片１１２と本体枠３に形成される係合溝５８４，５８５とが扉枠５と本体枠３との下側辺部における外側の突条及び係合部を構成するものである。
【００３７】
＜扉レンズユニット＞
次に、上記した扉枠本体１００の前面側の上部に取り付けられる扉レンズユニット１２０の構成について説明する。扉レンズユニット１２０は、前面側を反射面とするリフレクタと、リフレクタの前面及び内側に取り付けられる冷陰極管及びＬＥＤ基板と、リフレクタの前方を覆う光透過性のあるレンズカバー１５０と、レンズカバー１５０に取り付けられるスピーカ１６３と、レンズカバー１５０のベースとなるレンズベース体１２１と、から構成されている。
【００３８】
レンズカバー１５０は、レンズベース体１２１における上レンズカバー部１５１と、側方レンズカバー部１５６，１５７とが透過性の樹脂によって形成されている。そして、前述したように扉枠本体１００に形成される遊技窓１０１の開口寸法が従来よりも大きく形成されているため、扉枠本体１００の外周辺と遊技窓１０１の内周辺との間の寸法、換言するならば、レンズカバー１５０が取り付けられるための寸法（特に、左右両側部の寸法）が狭くなっているため、本実施形態におけるレンズカバー１５０は、上レンズカバー部１５１と側方レンズカバー部１５６，１５７のすべての最大前方突出部において、その基部寸法（扉枠本体１００に当接する部分の幅寸法）に対して前方に向って突出する突出寸法が大きくなるような断面楔形状となっている。より詳細に説明すると、上レンズカバー部１５１及び側方レンズカバー部１５６，１５７は、共に白色レンズ部として断面楔状の前方膨出部が合成樹脂で成形され、その白色レンズ部の下部後端の遊技窓１０１を縁取る内側に着色の異なる合成樹脂で成形された赤色レンズ部を連結して構成されるものである。
【００３９】
ところで、上レンズカバー部１５１は、内部が空洞で後方が開放した断面楔状に形成されると共に平面視においてブーメラン形状に構成されるものであり、前述した「く」字状に形成される上冷陰極管とその楔状の先端部内面との距離が近くなるように形成されている。そして、上レンズカバー部１５１の楔状先端部外側には、銀色に着色された不透明な先頭モール部材１５４が固着されており、上レンズカバー部１５１のほぼ全体に相当する断面楔状の前方膨出面を上冷陰極管で照明している。また、側方レンズカバー部１５６，１５７は、内部が空洞で後方が開放して断面楔状に形成される点で上レンズカバー部１５１と同様であるが、側方視において楔状の突出量が上レンズカバー部１５１に比べて少なく、また全体としてなだらかな曲線を有するブーメラン形状に構成されるものであり、前述した直線状に形成される側方冷陰極管とその楔状の先端部内面との距離が近くなるように形成されている。
【００４０】
また、本実施形態において、扉枠５の前面周囲を装飾する照明手段として冷陰極管を使用している理由は、以下の通りである。扉枠５の前面周囲を装飾する際に、発光源とその発光源の前面に配置されるレンズカバーの距離をあまり大きく取ることができないという制約がある。この制約は、扉枠５は常に開閉されるため、あまり突出量を大きくすると、開放時における作業等に支障を来たすおそれがあるからである。しかして、発光源とレンズカバーとの間の距離があまりとれない状況において、従来のように、発光源として、ランプやＬＥＤを点在させた場合に、レンズカバーを通して視認できる光装飾は、連続した状態の光装飾が視認できるものではなく光が強い部分と弱い部分との斑模様に視認できるに過ぎない。これに対し、本実施形態のように、発光源として連続した冷陰極管を使用した場合に、冷陰極管とレンズカバー１５０との距離が短くても、レンズカバー１５０を通して視認できる光装飾は、連続した状態の美しい光装飾が視認できるものである。このため、正に遊技盤４を囲む領域が連続した美しい光装飾により縁取られた状態となるので、従来のパチンコ遊技機にはない装飾効果を奏することができる。なお、発光源とレンズカバーとの距離をある程度とることができる場合には、ＬＥＤ等の点在する発光源を使用しても光が拡散してレンズカバーの全域をあまり強弱がなく照明することができる。
【００４１】
更に、レンズカバー１５０の側方レンズカバー部１５６，１５７の下方に装飾部材取付領域１８４が形成され、その装飾部材取付領域１８４に装飾部材１８５が取り付けられている。この装飾部材１８５は、上記したスピーカカバー１６５と類似した形状にして、レンズカバー１５０を扉枠本体１００の表面に取り付けたときに、レンズカバー１５０の上部左右と下部左右とがバランスのとれた印象を与えるために取り付けられるものである。なお、上記したスピーカカバー１６５及び装飾部材１８５は、上記したように単にスピーカ１６３の前方を覆ったり、あるいはレンズカバー１５０の下部を装飾したりするだけではなく、その周囲がＬＥＤで光装飾される構造となっている。
【００４２】
以上、詳述したように、本実施形態に係るスピーカカバー１６５及び装飾部材１８５は、扉枠５の遊技窓１０１を囲む領域において、前述した冷陰極管及びＬＥＤ基板による光装飾とは別に四隅を重点的に光装飾するように構成されているので、遊技窓１０１の下辺を除く全周が漫然と光によって装飾されるのではなく、強弱のある光装飾とすることができる。特に、扉枠５の左右上部における光装飾は、従来、スピーカだけが配置される傾向が強く、そのスピーカ周りの光装飾が行われないため遊技窓１０１の外周周りの光装飾に斑がある印象を与えていたが、本実施形態のように構成することにより、遊技窓１０１の下辺を除く全周を効果的に光装飾を行うことができるものである。
【００４３】
＜補強板金＞
扉枠本体１００の前面側には、上記した扉レンズユニット１２０が取り付けられると共にその下方に皿ユニット３００が取り付けられる。ここで、皿ユニット３００の構造を説明する前に、扉枠本体１００の裏面側に取り付けられる補強板金２１０、ガラスユニット２５０、防犯カバー２７０、装着台２８０、枠装飾中継基板２９０、ハンドル装置４６０について順次説明する。まず、補強板金２１０について主として図１８、図１９、及び図１５乃至図１７を参照して説明する。
【００４４】
補強板金２１０は、図１８及び図１９に示すように、扉枠本体１００の上辺部裏面に沿って取り付けられる上側補強板金２１１と、扉枠本体１００の軸支側辺部裏面に沿って取り付けられる軸支側補強板金２１２と、扉枠本体１００の開放側辺部裏面に沿って取り付けられる開放側補強板金２１３と、扉枠本体１００の遊技窓１０１の下辺裏面に沿って取り付けられる下側補強板金２１４と、が相互にビス等で締着されて方形状に構成されるものである。
【００４５】
図１８に示すように、軸支側補強板金２１２の上下端部には、その上面に上下方向に摺動自在に設けられる軸ピン２１９を有する上軸支部２１８と、その下面に軸ピン２２１（図１５参照）を有する下軸支部２２０と、が一体的に形成されている。そして、上下の軸ピン２１９，２２１が本体枠３の軸支側上下に形成される上軸支金具５０３及び下軸支金具５０９に軸支されることにより、扉枠５が本体枠３に対して開閉自在に設けられるものである。
【００４６】
下側補強板金２１４は、所定幅を有して扉枠本体１００の横幅寸法とほぼ同じ長さに形成され、その長辺の両端縁のうち下方長辺端縁が後方に向って折曲した下折曲突片２２９となっており、上方長辺端縁の両側部が後方に向って折曲した上折曲突片２３０となっているものの、その両側部の上折曲突片２３０に挟まれる部分が垂直方向に延設される垂直折曲突片２３１となっている。下折曲突片２２９の突出量はあまり大きくなく、この下折曲突片２２９が溝部や凹部と係合して凹凸係合をなすものではなく、強度を高めるために形成されているのに対し、両側部の上折曲突片２３０の突出量は下折曲突片２２９の突出量よりもやや大きく下方からの不正具の侵入を多少防止するが、むしろ、本実施形態における下側補強板金２１４の構成で最も特徴的な構成は、垂直折曲突片２３１である。
【００４７】
この垂直折曲突片２３１は、その上端縁形状が後述するガラスユニット２５０のユニット枠２５１の下端形状に合致するように凹状に形成され、ガラスユニット２５０を扉枠５の裏面側に固定したときに、垂直折曲突片２３１の上端片がガラスユニット２５０のユニット枠２５１の幅方向のほぼ中央の外周に沿って形成される係合溝２６１に係合するようになっている（図１７参照）。なお、下側補強板金２１４には、扉枠本体１００に形成される賞球通過口１０３の底面を除く外周を保護する賞球通過口被覆部２２８が形成されている。
【００４８】
＜ガラスユニット（透明板ユニット）＞
次に、扉枠５の裏面に取り付けられる透明板ユニットとしてのガラスユニット２５０について説明する。ガラスユニット２５０は、図１８及び図１９に示すように、遊技窓１０１よりも大きな開口を有する合成樹脂で成型した環状の縦長八角形状のユニット枠２５１と、ユニット枠２５１の開口の外周前後面に２枚の透明板としてのガラス板２６２（ガラス板でなくても透明な合成樹脂板でもよい。）を（ホットメルト系接着剤で）接着することにより構成されるものである。なお、図示は省略するが、ユニット枠２５１には、内部に乾燥剤を封入する乾燥剤封入空間部が形成されている。
【００４９】
＜防犯カバー＞
次に、上記したガラスユニット２５０の下部裏面を被覆して遊技盤４への不正具の侵入を防ぐ防犯機能が付与された防犯カバー２７０について、主として図１５、図１７、図１８、及び図１９を参照して説明する。防犯カバー２７０は、図示するように、透明な合成樹脂によって左右の補強板金２１２，２１３の間のガラスユニット２５０の下方部を覆うような平板状に形成され、その上辺部が遊技盤４の内レール６０３の下方円弧面に沿った円弧状の当接凹部２７１として形成されていると共に、その当接凹部２７１に沿って後方に向って防犯後突片２７４が突設されている。また、防犯カバー２７０を取り付けた状態で軸支側裏面には、防犯後端部突片２７５が斜め状に突設形成されている。一方、防犯カバー２７０の前面には、防犯カバー２７０を取り付けた状態で前記ガラスユニット２５０のユニット枠２５１の下方形状に沿った防犯前突片２７２が突設されると共に、下部両端にＵ字状に形成される装着弾性片２７３が前方に向けて突設形成されている。
【００５０】
上記のように構成される防犯カバー２７０は、装着弾性片２７３を扉枠本体１００に形成される装着開口部１１０に装着することにより、扉枠５の裏面側に着脱自在に取り付けられる。そして、取り付けた状態では、図１７に示すように、防犯前突片２７２がガラスユニット２５０のユニット枠２５１の後方下片面と対面するようになっている。また、防犯前突片２７２の前端は、垂直折曲突片２３１と当接している。また、防犯後突片２７４及び防犯後端部突片２７５は、後方へ突出した状態となっているが、扉枠５を閉じたときに、防犯後突片２７４の軸支側の半分は、遊技盤４に固定される内レール６０３の下側面に侵入して対面した状態となるが、防犯後突片２７４の開放側の半分は、前構成部材６０１の内レール６０３に形成されたレール防犯溝６０７に挿入された状態となり、また、防犯後端部突片２７５は、本体枠３の軸支側に形成される前記防犯突起６０８の上面に沿って重合状の位置となる（図３０参照）。
【００５１】
而して、防犯カバー２７０を取り付けて扉枠５を閉じた状態においては、前述した扉枠突片１１２と係合溝５８４，５８５とによる防犯構造、及び後述する防犯突片２８５と防犯空間５８６とによる防犯構造に加えて、ガラスユニット２５０の下方から不正具を侵入させようとしても、防犯前突片２７２とユニット枠２５１との重合により、防犯カバー２７０の前面下方方向からの不正具の侵入が防止され、防犯後突片２７４と前構成部材６０１を構成する内レール６０３との重合により、防犯カバー２７０の後面下方方向からの不正具の侵入が防止される。特に、扉枠５の軸支側の斜め下方からの不正具の侵入に対しては、防犯突起６０８と防犯後端部突片２７５との重合構造によって外レール６０２への不正具の侵入が阻止され、さらに内レール６０３と防犯後突片２７４との重合構造によって遊技盤４の遊技領域６０５への不正具の侵入を阻止することができる。
【００５２】
また、同様に、扉枠５の開放側の斜め下方からの不正具の侵入に対しては、前述した開放側補強板金２１３の二重の折曲突片２２３，２２５による防犯構造に加えて、レール防犯溝６０７と防犯後突片２７４との凹凸係合によりさらに遊技盤４の遊技領域６０５への不正具の侵入を阻止することができる。なお、防犯カバー２７０の裏面側の防犯後突片２７４と防犯後端部突片２７５との間の垂直面は、扉枠５を閉じた状態で外レール６０２と内レール６０３とで形成される打球の誘導通路の前面下方部分を覆うものであるため、当該誘導通路部分を飛送若しくは逆送する打球のガラス板２６２への衝突を防止する機能も有している。
【００５３】
＜装着台＞
装着台２８０は、図１５、図１８、及び図１９に示すように、扉枠本体１００の板部裏面の上半分を覆うように取り付けられるものであり、防犯カバー２７０と同様に透明な合成樹脂によって前方が開放した横長直方体状に形成されるものである。この装着台２８０は、発射レール５１５から発射された球をスムーズに遊技盤４に導くために、扉枠５を閉めたときに装着台２８０の後面と本体枠３の板部５１１とによって発射レール５１５を挟持するように形成されるものであり、このため、装着台２８０の後面に球飛送誘導面２８６が形成されている。ところで、本実施形態に係る装着台２８０には、その軸支側上部に下側補強板金２１４に形成される賞球通過口被覆部２２８の後方突出部を貫通させる賞球通過口用開口２８１が形成され、その開放側下部に球送りユニット２８７を取り付ける球送りユニット取付凹部２８２が形成されている。この球送りユニット取付凹部２８２から斜め方向の領域が球飛送誘導面２８６となっている。
【００５４】
また、球送りユニット取付凹部２８２に取り付けられる球送りユニット２８７は、後述する打球発射装置６５０の打球槌６８７の往復動差に対応して揺動する球送り部材が設けられ、この球送り部材の揺動動作によって皿ユニット３００の誘導通路部の流下端にある球を発射レール５１５の発射位置に１個ずつ供給するものである。また、装着台２８０の中程下部に後述する側面開口蓋４０６を取り外す際に指を入れることができる蓋用開口２８３が形成されている。更に、装着台２８０の上辺の一部に垂直に立設される立壁２８４が形成されている。この立壁２８４は、図１５に示すように、前記防犯カバー２７０を取り付けたときに、該防犯カバー２７０の前面と当接して防犯カバー２７０の下部が前方に移動しないように規制するためのものである。
【００５５】
更に、本実施形態に係る装着台２８０の特徴は、上述した球飛送誘導面２８６の下方から賞球通過口用開口２８１にかけて斜め状に防犯突片２８５が後方に向って突設される構造である。この防犯突片２８５は、前述したように、本体枠３の板部５１１に形成される防犯空間５８６との間で、扉枠５と本体枠３との下側辺部における内側の突条及び係合部を構成するものである。
【００５６】
＜枠装飾中継基板＞
上記した装着台２８０の下部の軸支側には、図１５及び図１８に示すように、枠装飾中継基板２９０が取り付けられ、その枠装飾中継基板２９０の後面を覆う中継基板カバー２９１が取り付けられている。この枠装飾中継基板２９０は、扉枠５に設けられる電飾部品や電気部品（冷陰極管、ＬＥＤ基板、スピーカ１６３、操作ハンドル部４６１内に設けられるスイッチ、貸球ユニット３２７、操作ボタンユニット３２９等）からの配線が集約して接続され、その枠装飾中継基板２９０からの配線が本体枠３の裏面に取り付けられる基板ユニット１１００に組み込まれる扉中継基板１１０２等を介しての賞球払出制御基板１１８６や遊技盤４に取り付けられる主制御基板ボックス６２４の主制御基板１３５０（図７８及び図１１０を参照）に接続されている。
【００５７】
＜皿ユニット＞
次に、主として図１４、図１８及び図１９を参照して皿ユニット３００の構成について説明する。皿ユニット３００は、大きく分けて外観を構成するユニット枠３０１と、ユニット枠３０１の内部に取り付けられる下部スピーカユニット３４０と、下部スピーカユニット３４０の上部に配置され且つ前記ユニット枠３０１の上面に臨むように設けられる皿体３８０と、皿体３８０に設けられる第二球抜弁の球抜き動作をするための第二球抜きリンクユニット（図示せず）と、ユニット枠３０１の後面を閉塞する皿蓋板４５０と、から構成されている。
【００５８】
ユニット枠３０１には、貸球ユニット３２７が備えられている。この貸球ユニット３２７は、パチンコ機１に隣接して球貸し機が設けられている場合に、貸出指令を導出するスイッチや貸出残表示器等が設けられるものである。また、ユニット枠３０１には、上面の前方中央に操作ボタンユニット３２９が備えられている。なお、操作ボタンユニット３２９は、複数（図示の場合は３個）の押ボタン３３０ａ，３３０ｂ，３３０ｃを有して構成されているが、この複数の操作ボタン３３０は、遊技盤４に設けられる液晶表示装置６４０等で行われる遊技内容に遊技者が参加する際に操作されるものである。
【００５９】
更に、皿ユニット３００には、ユニット枠３０１の上面右側に、第一球抜ボタン３１６が配置されていると共に、ユニット枠３０１の中央下部に、第二球抜リンクユニットの一部を構成する第二球抜ボタン４２１が配置されている。なお、本実施形態において、第一球抜ボタン３１６と第二球抜ボタン４２１の２つの球抜ボタン３１６，４２１を設けたのは、第一球抜ボタン３１６の操作によって、皿体３８０の貯留部３８１及び誘導通路部に貯留されているすべての球を球抜きすることができるものの、その球抜動作は、誘導通路部３８２で一列状に整列された球を球抜するために多少時間がかかるのに対し、第二球抜ボタン４２１の操作によって、皿体３８０の貯留部３８１から上流側の球を径の大きな第二球抜開口から素早く球抜することができるため、球抜時間を短くすることができる。このため、遊技者が球抜きにかける時間の長短を選択することができるものである。
【００６０】
また、遊技中に大当りとなった場合に皿ユニット３００に大量の球が払出されることになり、これを放置して遊技を継続すると皿ユニット３００の上流側に設けられる満タンスイッチ９１６（図５７参照）が機能して払出動作が停止されたり弾発動作が停止されて大当り中であるにもかかわらず遊技が継続できなくなるおそれがあり、このような場合に、第二球抜ボタン４２１の操作を行うことにより、皿ユニット３００に貯留されつつある球を球抜すると同時に発射位置への球の供給を維持して大当り中の遊技を継続することができるようになっている。
【００６１】
＜ハンドル装置＞
次に、扉枠５の開放側下部に取り付けられるハンドル装置４６０について、主に図１８、図１９、及び図２０を参照して説明する。図２０は、ハンドル装置４６０と本体枠３に設けられる打球発射装置６５０との関係を示す斜視図である。ハンドル装置４６０は、扉枠５の開放側下部前面に設けられる操作ハンドル部４６１と、操作ハンドル部４６１に対応する扉枠５の裏面に組み付けられて操作ハンドル部４６１の回動操作に応じて回転する回転軸４６５と連携され且つ回転軸４６５の回転運動をスライド運動に変化させるジョイントユニット４８０と、から構成されている。
【００６２】
このハンドル装置４６０には、図示は省略するが、操作ハンドル部４６１を回転操作するとＯＮとなるマイクロスイッチと、マイクロスイッチがＯＮとなっている状態で押圧操作するとマイクロスイッチがＯＦＦ状態となる単発ボタンと、操作ハンドル部４６１の外周表面に施された導電性のメッキを介して遊技者の操作ハンドル部４６１への接触を検知するタッチセンサとを備えている。そして、遊技者が操作ハンドル部４６１を回動してマイクロスイッチがＯＮとなり且つタッチセンサが接触を検出しているときに打球発射装置６５０の後述する発射モータ６９５（図３７参照）が回転駆動されるようになっている。また、回転軸４６５の先端には、勾玉状に形成されたカムが固定されており、このカムが回転することで、ジョイントユニット４８０のスライド突片４９２が左右方向に移動するようになっている。
【００６３】
このジョイントユニット４８０のスライド突片４９２のスライド移動が、図２０に示すように、打球発射装置６５０のスライド部材７１０に伝達されて打球発射装置６５０の付勢バネ６８４（図３７参照）の張力を調節し、もって打球槌６８７の付勢力の強弱を調整して遊技者の望む打球の弾発力を得ることができる。なお、ハンドル装置４６０と打球発射装置６５０との関係については、打球発射装置６５０についての説明の後で詳細に説明する。
【００６４】
〔本体枠〕
次に、遊技盤４が前面側から着脱自在に装着し得ると共に、打球発射装置６５０と、賞球を払い出すための賞球タンク７２０とタンクレール部材７４０と球通路ユニット７７０と賞球ユニット８００（本発明の払出装置に相当）と満タンユニット９００と、外枠２に対する本体枠３の施錠及び本体枠３に対する扉枠５の施錠を行う錠装置１０００と、遊技盤４を除く扉枠５や本体枠３に設けられる電気的部品を制御するための各種の制御基板や電源基板等が一纏めに設けられている基板ユニット１１００と、後面開口５８０を覆うカバー体１２５０と、等の各種の部品が本体枠主体５００に装着されることにより構成される本体枠３について、図面を参照して説明する。
【００６５】
まず、図２１〜図２９を参照して、上記した各種の部品が装着される本体枠主体５００及び各種の部品が装着された本体枠３について説明する。図２１は、部品を取り付ける前の本体枠主体５００の正面図であり、図２２は、部品を取り付ける前の本体枠主体５００の背面図であり、図２３は、部品を取り付ける前の本体枠主体５００の側面図であり、図２４は、部品を取り付ける前の本体枠主体５００の背面から見た斜視図であり、図２５は、部品を取り付けた本体枠３の前方から見た斜視図であり、図２６は、部品を取り付けた本体枠３を外枠２に軸支した状態を前方から見た斜視図であり、図２７は、部品を取り付けた本体枠３の背面図であり、図２８は、部品を取り付けた本体枠３の背面から見た斜視図であり、図２９は、パチンコ機１の中程（主制御基板ボックス６２４部分）の水平線で切断したパチンコ遊技機の断面平面図である。
【００６６】
図２１において、本体枠主体５００の一側上下には、本体枠３を外枠２に開閉軸支するための上軸支金具５０３及び下軸支金具５０９（共に図２５参照）を取り付けるための軸支金具取付段部５０１，５０２が形成され、この軸支金具取付段部５０１，５０２に上軸支金具５０３及び下軸支金具５０９を取り付けた状態では、本体枠主体５００の上辺及び側辺が上軸支金具５０３の上辺及び側辺とほぼ同一平面状となり、本体枠主体５００の下辺及び側辺が下軸支金具５０９の下辺及び側辺とほぼ同一平面状となっている（図２７参照）。ここで、上軸支金具５０３と下軸支金具５０９について図２５と図２７を参照して説明する。上軸支金具５０３は、本体枠主体５００の裏面に取付部を有すると共にその上端辺が前方に突出し、その前方に突出した上面に軸支ピン５０４が立設固定され、その軸支ピン５０４の側方に扉軸支穴５０５が穿設されている。
【００６７】
一方、下軸支金具５０９は、本体枠主体５００の裏面に取付部を有すると共にその下端辺及びやや上部に２つの支持板５０６，５０７が一体的に突設されている。下方に位置する支持板５０６は、本体枠３を外枠２の下支持金具６６に支持するための枠支持板５０６を構成するものであり、上方に位置する支持板５０７は、扉枠５の下軸支部２２０を本体枠３に支持するための扉支持板５０７を構成するものである。このため、枠支持板５０６に外枠２の下支持金具６６の支持突起６８を挿入するための軸支穴（図示しない）が形成され、扉支持板５０７に扉枠５の下軸支部２２０に突設される軸ピン２２１を挿入するための軸支穴５０８が穿設されている。
【００６８】
ところで、本体枠主体５００は、正面から見た場合に、長方形状に形成され、その上部の約３／４が遊技盤４を設置するための遊技盤設置凹部５１０（図２５参照）となっており、その遊技盤設置凹部５１０の下方のやや奥まった領域が板部５１１となっている。また、遊技盤設置凹部５１０を囲む前面側の前面上辺部及び前面開放側辺部は、扉枠５の裏面と対面するように所定幅を有して形成されており、前面上辺部には、横方向に平行状に突設される突起によって上部防犯二重溝５８１が形成され、正面から見て右側の前面開放側辺部には、外側に側部防犯溝５８２が形成されると共に内側に後端が第一側面壁５４０に接続される傾斜面となっている内壁によって形成される防犯凹部５８３が形成され、正面から見て左側の前面軸支側辺部は、前面上辺部や前面開放側辺部と異なり扉枠５の裏面と対面する所定幅を有するように形成されていないが、本体枠主体５００の前面軸支側辺部が前面上辺部や前面開放側面部に比べて前方への突出量が多い軸支辺部５８７となっている。
【００６９】
より詳細に説明すると、前面上辺部に形成される上部防犯二重溝５８１は、扉枠５の上辺部裏面に取付固定される上側補強板金２１１の両長辺端を後方に向って折曲される折曲突片２１５，２１６がそれぞれ挿入されるようになっているものである。また、前面開放側辺部に形成される側部防犯溝５８２及び防犯凹部５８３は、扉枠５の開放部裏面に取付固定される開放側補強板金２１３の両長辺端を後方に向って折曲される開放側外折曲突片２２３及び開放側内折曲突片２２５がそれぞれ挿入されるようになっているものである。更に、前面軸支側辺部の軸支辺部５８７には、扉枠５の軸支側裏面に取付固定される軸支側補強板金２１２の軸支側Ｌ字状折曲突片２１７の先端部が当接するようになっている。
【００７０】
そして、上記した構造によって扉枠５と本体枠３との当接面の隙間からピアノ線等の不正具を挿入する不正行為を防止することができ、特に、最も不正行為が行われやすい開放側辺部や次いで不正行為が行われやすい上辺部における不正行為の防止をはかることができる構造となっている。もちろん、軸支側における軸支側補強板金２１２と軸支側Ｌ字状折曲突片２１７との当接による不正行為の防止も充分に機能するが、多くの場合、軸支側は、頑丈な支持金具４５，６６と軸支金具５０３，５０９とで本体枠３と扉枠５とが連結されているため、上辺部及び開放側辺部に比べて本体枠３と扉枠５との間に隙間が作り難い。このため、本実施形態においては、二重の防犯構造ではなく、一重の防犯構造としている。これらの点については、後に詳述する。
【００７１】
また、遊技盤設置凹部５１０を囲む前面側の前面上辺部、前面開放側辺部、及び前面軸支側辺部には、上記した構成以外に前面開放側辺部の上部、中間部、下部に本体枠３の開放側裏面に取り付けられる後述する錠装置１０００に設けられる扉用フック部１０４１（図６７参照）を貫通させて前方に飛び出させるための扉用フック穴５４９が開設されており、また、前面軸支側辺部の内側面に遊技盤４に形成される位置決め凹部６１１と係合するための盤位置決め突起５７６が設けられている。更に、前面軸支側辺部の盤位置決め突起５７６のやや下方位置の内側前方面に、扉枠５を閉じた状態で軸支側補強板金２１２の軸支側Ｌ字状折曲突片２１７の先端が挿入される上下２つの規制突起５７７が突設されている。この規制突起５７７の作用については前述した通りである。また、図２１に示すように、開放側の平面部分と遊技盤設置凹部５１０との境目の上下に遊技盤４に設けられる遊技盤止め具６１４の端部が係合される盤止め具挿入穴５７８が形成されている。
【００７２】
次に、板部５１１の構成について図２１乃至図２６を参照して説明する。板部５１１の上面は、遊技盤４を載置するための遊技盤載置部５１２となっており、その遊技盤載置部５１２のほぼ中央に、当該載置部５１２に遊技盤４を載置したときに遊技盤４に形成されるアウト口６０６（図３０参照）の下面を支持する通路支持突起５１３が突設されている。また、図２１に示すように、板部５１１の前面の中央部から開放側の端部に向かってレール取付ボス５１４が所定間隔を置いて突設され、このレール取付ボス５１４に発射レール５１５（図２５参照）がビス止め固定されている。また、発射レール５１５の先端位置に対応する板部５１１の前面には、レール接続部材５１６が突設され、遊技盤設置凹部５１０に遊技盤４が設置されたときに、遊技盤４の内レール６０３の下流端である接続通路部６０９（図３０参照）と隣接するようになっている。
【００７３】
また、レール接続部材５１６の側方位置（発射レール５１５と反対側の位置）には、遊技盤４の下部を固定するための楕円形状の遊技盤固定具５１９（図２５参照）の上端部を取り付けるための固定具取付ボス５１７が突設され、その斜め下方にストッパー５１８が突設されている。即ち、遊技盤固定具５１９は、固定具取付ボス５１７を中心にして回転自在に設けられ、前記遊技盤載置部５１２に遊技盤４が載置された状態で時計方向に回動して遊技盤固定具５１９を遊技盤４の前面に押圧して遊技盤４を固定するものである。また、遊技盤を取り外す場合には、遊技盤固定具５１９を反時計方向に回して取り外すことにより、簡単に行うことができる。この場合、遊技盤固定具５１９はストッパー５１８により反時計方向の余分な回転ができないようになっている。
【００７４】
また、板部５１１の開放側下部は、手前側に膨出状に突設された（裏面から見れば凹状となっている）直方体状の発射装置取付部５２０が形成されており、この発射装置取付部５２０に本体枠主体５００の裏面から打球発射装置６５０が固定されている。この点については、後に詳述する。上記した発射装置取付部５２０の前面壁部分には、前述したジョイントユニット４８０のスライド突片４９２と連携されるスライド部材７１０（図４１参照）が収納されるハンドル連結窓５２２が形成され、該ハンドル連結窓５２２の隣接する位置に打球槌６８７の軸受６８９（図３７参照）の端面が臨む軸用穴５２３が開設されている。また、発射装置取付部５２０の上壁部分には、打球発射装置６５０の打球槌６８７が上方に突出するための槌貫通開口５２１が切欠形成され、その槌貫通開口５２１の斜め上方の板部５１１の前面に錠装置１０００のシリンダー錠１０１０が貫通するシリンダー錠貫通穴５２６が開設されている。
【００７５】
一方、板部５１１の裏面には、図２２に示すように、軸支側の上部から板部５１１の中央部分に向けて延設された後下方に向かう球抜排出通路５２４が形成されている。この球抜排出通路５２４は、後述する球抜接続通路８８０（図２５参照）から排出される球をパチンコ機１の下方から島の内部に排出するためのものである。また、上述した発射装置取付部５２０の上方には、円柱状の案内突起５２５が後方に向かって突設され、この案内突起５２５に後述する基板ユニット１１００の案内孔１２１２（図７３参照）が差し込まれて基板ユニット１１００の取付けを容易にしている。また、基板ユニット１１００をビスで取り付けるための取付穴部５２７が板部５１１の左右上下に形成され、この取付穴部５２７に基板ユニット１１００の取付片１１２２を対応させてビスで止着する。また、発射装置取付部５２０の凹状の内部には、打球発射装置６５０を取り付けるための発射装置取付ボス５２９が後方に向かって突設され、更に、開放側の最下端部には、図２４に示すように、本体枠３を外枠２に対して閉じる際に、装飾カバー板１５の上面に当接しながら本体枠３の閉止動作を案内するために先端が先細状で縦長形状の案内突片５２８が後方に向かって突設されている。
【００７６】
板部５１１には、以上説明した構成以外に、図２４に示すように、軸支側の端部上面に前記球抜排出通路５２４の上流端の開口である球抜接続開口５３０が形成されている。この球抜接続開口５３０に球抜接続通路８８０の下流端が接続されるようになっている。また、球抜接続開口５３０に隣接する部分は、後に詳述する満タンユニット９００（図２５参照）を載置するための満タンユニット載置部５３１が板部５１１と直交するように水平状に形成され、その満タンユニット載置部５３１の前方部分に満タンユニット９００の係合片９２４（図５７参照）と係合するユニット係合溝５３２が形成されている。更に、図２５に示すように、満タンユニット載置部５３１の前方の板部５１１の前面には、扉枠５の開放時に満タンユニット９００の出口９２１から排出される賞球を堰き止める出口開閉装置５７９が設けられている。
【００７７】
この出口開閉装置５７９については、詳細に説明しないが、扉枠５が閉じているときには、扉枠５の裏面に当接するレバーによって開閉板が下降した状態となっているが、扉枠５が開放されるとレバーへの当接がなくなるため開閉板が上昇して出口９２１を閉塞するものである。このため、扉枠５の開放時においても満タンユニット９００内に貯留された賞球が出口９２１から零れ落ちることがない。また、図２５に示すように、板部５１１の上端辺にそって形成される遊技盤載置部５１２であって発射レール５１５の発射部の上方に対応する位置に上下方向に貫通する締結穴５３３を形成し、その締結穴５３３の前方部分に締結バンド６１９を掛け止めるための締結連杆５３４が差し渡されている。この締結連杆５３４は、本体枠３からの遊技盤４の取り外しを防止するための機構である。
【００７８】
次に、遊技盤設置凹部５１０の構成について説明する。遊技盤設置凹部５１０は、軸支側の内側面及び上記した上辺部及び開放側の鍔面部から後方へ周設される第一側面壁５４０と、該第一側面壁５４０から後方に周設される第二側面壁５４１と、該第二側面壁５４１から後方に周設される第三側面壁５４２と、該第三側面壁５４２から後方に周設される第四側面壁５４３、とにより、本体枠３の左右側辺及び上辺の後方部分が囲まれた凹状に形成されているものである。
【００７９】
なお、第一側面壁５４０〜第四側面壁５４３は、背面から見て上辺及び右辺（軸支側の辺）が段差をもって後方に真っ直ぐに延長されるように形成されるのに対し、左辺（開放側の辺）が第一側面壁５４０から第四側面壁５４３に向かうにしたがって内側に傾斜する段差状（図２９参照）に形成される。これは、左辺（開放側の辺）の第一側面壁５４０から第四側面壁５４３までを後方に真っ直ぐ形成したときに、本体枠３を開放する際に、第四側面壁５４３の最後端部が外枠２の側枠板１３の内面と当接してスムーズに開放できない場合があるため、開放側の第一側壁面５４０から第四側面壁５４３までが内側傾斜状とすることによりスムーズに開放することができるようにしたものである。
【００８０】
また、それと同時に開放側の第一側面壁５４０に沿って錠装置１０００が取り付けられるが、その取付けを第一側面壁５４０の後端辺に設けられる錠取付穴５４７（図６３参照）を利用して行うため、その錠取付穴５４７を形成するためにも開放側の第一側面壁５４０から第四側面壁５４３を傾斜段差状に形成したものである。更に、第一側面壁５４０〜第四側面壁５４３の段差の寸法も、第一側面壁５４０と第二側面壁５４１との段差は、後述する遊技盤４の裏面の周辺と当接する必要があるため、ある程度大きな段差をもって形成されるが、それ以外の段差は、極めて小さな段差となっている。もちろん、第二側面壁５４１〜第四側面壁５４３までは段差を形成することなく連続的に形成してもよい。
【００８１】
そして、上記した側面壁５４０〜５４３は、図２３に示すように、それぞれ奥行き幅寸法ｄ１，ｄ２，ｄ３，ｄ４を有するように形成され、本実施形態の場合、ｄ１＋ｄ２＋ｄ３＋ｄ４＝約１３５ｍｍとなっている。特に、第一側面壁５４０の幅寸法ｄ１は、遊技盤４の厚みに相当し、残りの第二側面壁５４１と第三側面壁５４２と第四側面壁５４３とによって形成される空間に遊技盤４に設けられる各種の遊技装置の後方突出部分が収納されるようになっている。
【００８２】
つまり、第一側面壁５４０は、遊技盤４の厚さとほぼ同じ奥行寸法を有する前側面壁を構成し、第二側面壁５４１〜第四側面壁５４３は、遊技盤４の周辺部裏面と当接する段差部を有して第一側面壁５４０から後方に向かってほぼ当該第一側面壁５４０と平行状に延設され且つ遊技盤４に設けられる遊技装置の後方突出部を収納する後側面壁を構成するものである。特に、本実施形態の場合には、図５に示すように、第二側面壁５４１〜第四側面壁５４３のすべての部位の後方への突出量が、本体枠３の裏面側上部に固定される賞球タンク７２０の球を貯留する貯留部７２８の後面壁７２２とほぼ同じ位置となるように形成されている。
【００８３】
これにより、遊技盤４の周辺部に対応する位置まで第二側面壁５４１と第三側面壁５４２と第四側面壁５４３とによって形成される空間の大きさが確保されているので、例えば、遊技盤４のほぼ全域を液晶表示画面が占めるような遊技装置が取り付けられている場合においても、そのような遊技装置の後方突出部分を楽に収納することができるものである。
【００８４】
また、図２２及び図２４に示すように、第四側面壁５４３の後端辺からは背面から見てその左辺（開放側）、上辺及び右辺（軸支側）に、開放側後面壁５４４、上後面壁５４５及び後面壁としての軸支側後面壁５４６がそれぞれパチンコ機の正面と平行となるように内側に向かって突設されている。軸支側後面壁５４６は、その前面が平板状（図２１参照）となっており、その後面に球払出機構を構成する後述の球通路ユニット７７０と賞球ユニット８００とが着脱自在に取り付けられるようになっている。従って、軸支側後面壁５４６の内側への突出幅寸法は、球通路ユニット７７０と賞球ユニット８００とを取り付ける幅があれば充分である。
【００８５】
また、上後面壁５４５は、その前面が平板状（図２１参照）となっており、その後面に後述するタンクレール部材７４０が取り付けられるため、その下端辺が傾斜状に形成されている。従って、上後面壁５４５の内側への突出幅は、傾斜状に取り付けられるタンクレール部材７４０の高さ幅寸法があれば充分である。更に、開放側後面壁５４４には、その前面が平板状（図２１参照）となっており、その後面に後述するカバー体１２５０を軸支するカバー体支持筒部５７５が形成されている。したがって、開放側後面壁５４４の内側への突出幅寸法は、カバー体支持筒部５７５を形成する幅寸法があれば充分である。
【００８６】
上述したように、第四側面壁５４３の後端辺から内側に向かって突設される開放側後面壁５４４、上後面壁５４５及び軸支側後面壁５４６の前面が平板状に形成され、この平板状部分が遊技盤４の周辺部に対応するものであるため、上記したように、遊技盤４の周辺部に対応する位置まで第二側面壁５４１と第三側面壁５４２と第四側面壁５４３とによって形成される空間の大きさが確保されているので、例えば、遊技盤４のほぼ全域を液晶表示画面が占めるような遊技装置が取り付けられている場合においても、そのような遊技装置の後方突出部分を楽に収納することができるものである。なお、開放側後面壁５４４、上後面壁５４５及び軸支側後面壁５４６の内側は、後面開口５８０となっており、この後面開口５８０が後述するカバー体１２５０によって開閉自在に閉塞されるようになっている。
【００８７】
次に、遊技盤設置凹部５１０の更に詳細な構成について説明すると、前述したように、開放側の平面部分には、錠装置１０００の扉枠用フック部１０４１が貫通する扉用フック穴５４９が上中下の３箇所開設されているが、その上下の扉用フック穴５４９のさらに上中下に錠装置１０００の後述する係止突起１００４が係合される錠係止穴５４８（図２２参照）が形成されている。また、開放側の第一側面壁５４０に沿って錠装置１０００が取り付けられるが、その取付けをビスで行うための錠取付穴５４７（図２２参照）が第一側面壁５４０の後端部の上部と中程に形成されている。なお、錠装置１０００のビスによる取付けは、上部と中程だけではなく、後述する錠取付片１００８に形成されるビス止め部１００３と前記シリンダー錠貫通穴５２６の上方近傍に形成される錠取付穴５４７とを対応させてビスで止着することにより、錠装置１０００の下方も取り付けられるようになっている。
【００８８】
また、図２４に示すように、第一側面壁５４０の上辺前方の左右には、本体枠３を外枠２に対して閉止する際に、外枠２の上枠板１０の内周面と当接する案内円弧突起５５２が突設され、第一側面壁５４０の後端辺中央に後述する賞球タンク７２０の切欠部７２９と連通する逃げ凹部５５１が形成され、第一側面壁５４０と第二側面壁５４１と接続する垂直面にタンク取付溝５５０が形成されている。そして、このタンク取付溝５５０に賞球タンク７２０の取付鍔部７３３を取り付けたときには、図２８に示すように、賞球タンク７２０の切欠部７２９が逃げ凹部５５１と連通して賞球タンク７２０内に貯留された球の球圧が増加したときに圧抜きして球詰まりが発生しないように機能する。また、賞球タンク７２０を本体枠３に取り付けたときには、平面視で賞球タンク７２０の正面側から見て奥側の後面壁７２２と第四側面壁５４３の後端辺がほぼ一致（図５参照）するようになっている。なお、上記した案内円弧突起５５２は、本体枠３の上辺を外枠２の上枠板１０の内周面と当接させることにより、本体枠３を持ち上げて本体枠３の下辺と装飾カバー板１５との間に隙間を形成し、その隙間から不正器具を挿入するような不正行為を防止するためのものである。
【００８９】
また、前述した上後面壁５４５には、タンクレール部材７４０を取り付けるためのレール係止溝５５３が後面開口５８０の開口縁に沿って形成されており、また、第四側面壁５４３と上後面壁５４５の屈曲部にレール係止溝５５４が形成されている。そして、これらレール係止溝５５３，５５４にタンクレール部材７４０の係止突片７４９，７５０（図４５参照）を係止させることにより、タンクレール部材７４０を本体枠３に取り付けることができる。また、タンクレール部材７４０を取り付けたときの下流側に対応する上後面壁５４５の上部には、レール掛止弾性片５５５が形成され、レール係止溝５５３，５５４にタンクレール部材７４０の係止突片７４９，７５０を係止させて、タンクレール部材７４０を本体枠３に取り付けたときに、その係止状態が外れないようにレール掛止弾性片５５５がタンクレール部材７４０の下流側上端の上から当接するようになっている。
【００９０】
このタンクレール部材７４０を取り外すときには、レール掛止弾性片５５５を後方へ押圧しておいてからレール係止溝５５３，５５４と係止突片７４９，７５０との係止状態を解除すべくタンクレール部材７４０を上方に持ち上げればよい。また、レール掛止弾性片５５５の側方に逃げ穴５５６が穿設され、レール掛止弾性片５５５の下方にアース線接続具５５７形成されている。逃げ穴５５６は、タンクレール部材７４０に設けられる整列歯車７４７の軸ピン７４８の端部を逃がすために穿設されるものであり、また、アース接続具２０７は、タンクレール部材７４０の内部に貼着される金属製の導電板（図示しない）に接触していると共に、電源基板に設けられるアース用コネクタに接続される配線が接続されるものである。
【００９１】
また、軸支側後面壁５４６には、図２２及び図２４に示すように、軸支側後面壁５４６の左右両端に垂直状の立壁５６０を立設し、その立壁５６０の間に球通路ユニット７７０と賞球ユニット８００とが取り付けられる。また、左右の立壁５６０の間の最上流部から中流部よりやや上方まで賞球案内突起５６１が屈曲状に突設されている。この賞球案内突起５６１は、軸支側後面壁５４６にその突出高さが下流側に向かって徐々に低くなるように後方に向かって突設され、後述する球通路ユニット７７０を取り付けたときに、該球通路ユニット７７０の球落下通路７７２（図５０参照）に対応するもので、賞球を一列状に誘導するものである。また、賞球案内突起５６１の左右には、球通路ユニット７７０をビスで止着するための通路ユニット取付ボス５６２、及び位置決めするための位置決めピン５７４が突設されると共に、後述する球切れスイッチ７７８（図５０参照）に対面するスイッチ対応突起５６３が突設されている。通路ユニット取付ボス５６２及び位置決めピン５７４については、後に詳述する。
【００９２】
更に、左右の立壁５６０の中流部から下流部にかけて賞球ユニット８００の係合部としての鉤状係合部８２４（図５２参照）と係合する係止部としての係合突片５６５と、賞球ユニット８００のボタン挿通係合穴８２１（図５２参照）と係合するロック用弾性爪５６４と、が形成されると共に、賞球ユニット８００のスプロケット８０７の回転軸８０８（図５２参照）の端部が受け入れられる逃げ穴５６６が形成されている。また、軸支側後面壁５４６の下方には、払出モータ用逃げ開口部５７２が形成されており、この払出モータ用逃げ開口部５７２に賞球ユニット８００の駆動モータとしての払出モータ８１５が臨むようになっている（図２５参照）。そして、賞球ユニット８００は、軸支側後面壁５４６の裏面最下端に形成される係止溝５７３のその下端を係止して前記係合突片５６５及びロック用弾性爪５６４によって軸支側後面壁５４６に着脱自在に取り付けられるようになっている。この着脱自在の構成については、後に詳述する。
【００９３】
また、軸支側後面壁５４６の開放側の端部には、そのカバー体１２５０の開放側の端辺が入り込むカバー体当接溝５６７が形成されていると共に、該カバー体当接溝５６７の下方に施錠壁５６９が突設されている。カバー体当接溝５６７には、カバー体１２５０の止め穴１２５３（図２８参照）に対応する止め穴５６８が形成されており、これら止め穴１２５３，５６８とを一致させて図示しないビスで止着することにより、カバー体１２５０によって本体枠３の後面開口５８０を閉塞固定することができるようになっている。また、施錠壁５６９には、平面視Ｕ字状の施錠用突出鉤片５７０が突設され、本体枠３に対してカバー体１２５０を閉じた状態で施錠用突出鉤片５７０をカバー体１２５０に形成される貫通穴１２５４（図２８参照）を貫通させ、例えば、南京錠等の錠を施錠用突出鉤片５７０に掛け止めることにより、南京錠の鍵を有する責任者しかカバー体１２５０を開放することができないようにすることができる。
【００９４】
以上、遊技盤設置凹部５１０及び板部５１１とからなる本体枠主体５００の構成について説明してきたが、上記に説明した以外に、板部５１１の最下端辺部に、扉枠５を閉じたときに、扉枠本体１００の下辺を後方に向けて折曲した扉枠突片１１２，１１３（図１９参照）が挿入される係合溝５８４，５８５（図２１参照）が形成されている。係合溝５８４は、前述した発射装置取付部５２０の下方に形成される溝であり、係合溝５８５は、前記係合溝５８４の一端から軸支側に向って形成される溝である。なお、係合溝５８５に対応する扉枠突片１１２は、係合溝５８４に対応する扉枠突片１１３の突出量よりも大きくなるように後方に向って突設されている。ただし、開放端下部には、突出量の多い扉枠突片１１２が僅かに形成されている。そして、上記した扉枠突片１１２，１１３と係合溝５８４，５８５とが扉枠５と本体枠３との下側辺部における外側の突条及び係合部を構成するものである。
【００９５】
上記のように板部５１１には、発射レール５１５や出口開閉装置５７９が設けられ且つレール接続部材５１６や発射装置取付部５２０が突設形成されているが、発射装置取付部５２０及び発射レール５１５の板部５１１における配置位置が開放側に偏り、しかもそれらが板部５１１の表面よりも突出して形成されている。このため、扉枠５を閉じた状態において、発射装置取付部５２０及び発射レール５１５が配置される板部５１１のほぼ中央部から開放側にいたる領域は、扉枠５の裏面と発射装置取付部５２０及び発射レール５１５の前面とが密着した状態となるため、前述した扉枠突片１１２と係合溝５８５との隙間を上手にすり抜けてきたピアノ線等の不正具を扉枠５の裏面と発射装置取付部５２０及び発射レール５１５の前面との間をさらに上手にすり抜けさせて遊技盤４の表面側若しくは遊技盤４の裏面側に到達させることは極めて困難である。
【００９６】
一方、発射装置取付部５２０及び発射レール５１５が配置されない板部５１１のほぼ中央部から軸支側にいたる領域は、板部５１１の表面に突出した部分がないため、扉枠５を閉じた状態において、扉枠５の裏面と板部５１１の前面との間に空間５８６が生じてしまう。このため、前述した扉枠突片１１２と係合溝５８４との隙間を上手にすり抜けてきたピアノ線等の不正具が扉枠５の裏面と板部５１１の前面との間の空間５８６を簡単にすり抜けてしまうことができるため、この空間５８６を不正具が上方に向ってすり抜けないように、扉枠５の裏面下部に取り付けられる装着台２８０には、扉枠５を閉じた状態で該空間５８６に侵入する防犯突片２８５が形成されている。この防犯突片２８５は、板部５１１のほぼ中程から軸支側端部までいたるように装着台２８０に形成されている。したがって、発射レール５１５及び遊技盤４に取り付けられる外レール６０２の下方空間は、装着台２８０に突設される防犯突片２８５を受け入れる防犯空間５８６を構成している。そして、この防犯突片２８５と防犯空間５８６とが扉枠５と本体枠３との下側辺部における内側の突条及び係合部を構成するものである。
【００９７】
本体枠３は、上記したように、遊技盤４、打球発射装置６５０、賞球タンク７２０、タンクレール部材７４０、球通路ユニット７７０、賞球ユニット８００、満タンユニット９００、錠装置１０００、基板ユニット１１００及びカバー体１２５０が取り付けられるが、以下、これらを順次説明する。
【００９８】
＜遊技盤の概略構成＞
遊技盤４の概略構成について図３０乃至図３５を参照して説明する。図３０は、遊技盤４の正面から見た斜視図であり、図３１は、遊技盤４の正面図であり、図３２は、遊技盤４の背面図であり、図３３は、遊技盤４の平面図であり、図３４は、遊技盤４に形成される取り外し防止機構部分の拡大斜視図であり、図３５は、遊技盤４の取り外し防止機構に対する本体枠側の構造を示す本体枠３の部分斜視図である。
【００９９】
図３０において、遊技盤４は、透明板状の遊技パネル５９９を保持したほぼ正方形状のパネルホルダ６００と、パネルホルダ６００の前面に遊技領域６０５を囲むように取り付けられる前構成部材６０１と、から構成されている。遊技パネル５９９の表面には、遊技領域６０５に各種の遊技装置や多数の障害釘（いずれも図示省略）が植立されている。そして、それらの遊技装置や障害釘が設けられた後に前構成部材６０１がパネルホルダ６００の前面に取り付けられるが、その前構成部材６０１は、遊技パネル５９９の周囲を囲むように内部が円形の空洞状に形成され且つ外形がパネルホルダ６００の外形に沿った形状に形成されており、その下辺中程から上辺の中心を過ぎた斜め上方までの円弧面が外レール６０２として形成され、その外レール６０２の終端に設けられる衝止部６２０の下部位置から上辺の前記衝止部６２０の対称の逆流防止部材６０４が設けられる位置までが内レール６０３として形成されている。外レール６０２は、その始端部に前記発射レール５１５の延長状に設けられたレール接続部材５１６に連接する接続通路部６０９が斜め状に形成されており、その接続通路部６０９に隣接してファール口６１０が形成されている。また、ファール口６１０の上流端から衝止部６２０までの外レール６０２には、金属製のレールが密着して取り付けられている。
【０１００】
なお、衝止部６２０は、勢いよく外レール６０２を滑走してきた打球が衝突したときに、その衝突した打球を遊技領域６０５の内側に反発させるようにゴムや合成樹脂の弾性体が設けられるものであり、逆流防止部材６０４は、一端発射されて遊技領域６０５の内側に取り入れられた打球が再度外レール６０２に逆流しないように防止するものである。更に、外レール６０２の下部一側には、金属製のレールの一部に沿うように防犯突起６０８が突設されている。この防犯突起６０８は、扉枠５が閉じられた状態で前述したように防犯カバー２７０に突設される防犯後端部突片２７５と上下方向に重複して本体枠３と扉枠５の軸支側の隙間の中程よりやや下方から挿入されるピアノ線等の不正具の侵入を防止するものである。
【０１０１】
また、内レール６０３の下部中央には、アウト口６０６が設けられ、そのアウト口６０６から逆流防止部材６０４までの内レール６０３と外レール６０２との間は、発射された打球が遊技領域６０５まで誘導される誘導通路を構成するものであるが、遊技領域６０５に到達せずに外レール６０２を逆流した打球はファール口６１０に取り込まれて後述する満タンユニット９００のファール球入口９２３に導かれて再度皿ユニット３００に排出されるようになっている。なお、遊技領域６０５は、実質的に内レール６０３によって囲まれる領域である。また、内レール６０３のアウト口６０６から衝止部６２０に向かう途中の前構成部材６０１には、レール防犯溝６０７が形成されている。このレール防犯溝６０７は、扉枠５が閉じられた状態で前述したように防犯カバー２７０に突設される防犯後突片２７４の一部が侵入するように溝状に形成されており、このレール防犯溝６０７と防犯後突片２７４との凹凸係合により、上下方向に重複して本体枠３と扉枠５の開放側の隙間の中程よりやや下方から挿入されるピアノ線等の不正具の侵入を最終的に防止するものである。
【０１０２】
ところで、遊技盤４の一側には、本体枠３に形成される前記盤位置決め突起５７６に嵌合する位置決め凹部６１１が形成され、遊技盤４の他側には、本体枠３に形成される前記盤止め具挿入穴５７８に挿入される遊技盤止め具６１４が設けられている。遊技盤止め具６１４は、押し込み固定したときにその端部が盤止め具挿入穴５７８に挿入されるようになっている。しかして、遊技盤４を本体枠３に固定するためには、本体枠３の前面側から位置決め凹部６１１が盤位置決め突起５７６に嵌合するように斜め方向から差し込んだ後、遊技盤４の全体を本体枠３の第一側面壁５４０に押し込み、その状態でフリーな状態となっている遊技盤止め具６１４を押し込み固定してその端部を盤止め具挿入穴５７８に挿入して固定する。その後、遊技盤固定具５１９を回動して遊技盤４の下部前面を固定する。これによって遊技盤４を本体枠３に簡単に装着することができる。遊技盤４を取り外すには、上記の手順と逆の手順で取り外せばよい。
【０１０３】
また、本実施形態における遊技盤４は、遊技盤４の本体枠３からの不正な取り外しを極めて簡単に防止する構成を有している。即ち、図３０及び図３４に示すように、遊技盤４の下方の前記通路用切欠部６１３と反対側の下端部に遊技盤４の前後に貫通する取付用切欠部６１６を形成し（正確には、前構成部材６０１に取付用切欠部６１６が形成されている。）、その取付用切欠部６１６の下部に水平方向に締結バー６１７を掛け渡し固定する。締結バー６１７には、そのほぼ中央に締結バンド６１９を掛け止めるための帯溝状の締結部６１８が形成されている。一方、本体枠３に設けられる取り外し防止機構としては、前述したように、本体枠３下方の板部５１１の上端辺にそって形成される遊技盤載置部５１２であって発射レール５１５の発射部の上方に対応する位置に上下方向に貫通する締結穴５３３を形成し、その締結穴５３３の前方部分に締結バンド６１９を掛け止めるための締結連杆５３４が差し渡されている（図３５参照）。
【０１０４】
上記のように構成される遊技盤４を本体枠３の遊技盤設置凹部５１０に収納配置したときには、図３４に示すように、締結バー６１７が遊技盤載置部５１２に当接して載置した状態になると共に、締結部６１８と締結連杆５３４とが一致した状態となる。そして、その状態で締結部６１８と締結連杆５３４との一致している部分に対して、締結バー６１７の上方から一般的に市販されている締結バンド６１９の先端を取付用切欠部６１６に差し込んで下方に向けて締結穴５３３に差し込み前方に導き、その先端を締結バンド６１９の締結具部分に係合させる。そして、締結バンド６１９の締結具より前方に飛び出した不必要な先端部分を切断しておく。このようにすれば、締結バンド６１９を切断しない限り、遊技盤止め具６１４と遊技盤固定具５１９等の固定を解除しても、遊技盤４を本体枠３から取り外すことができない。締結バンド６１９を切断すれば、遊技盤４を本体枠３から取り外すことはできるものの、例えば、締結バンド６１９をパチンコ店独特のものを使用することにより、異なる締結バンドが締結されていれば、遊技盤４を取り外して何らかの不正行為を行われたことが容易に理解することができるものである。このように極めて簡単な取り外し防止機構により遊技盤４の本体枠３からの不正な取り外しを防止することができる。
【０１０５】
また、遊技盤４の外形形状は、その上部左右に前記扉枠５の裏面に設けられるスピーカ１６３の後方突出部分を受け入れるようにスピーカ用切欠部６１２が形成され、また、ファール口６１０の側方斜め下に後述する満タンユニット９００の前方誘導通路９２０部分の一部が挿入される通路用切欠部６１３が形成されている。また、前構成部材６０１の下方左右には、証明確認用の証紙を貼付する証紙貼付部６１５が設けられている。
【０１０６】
一方、遊技盤４の裏面には、遊技領域６０５に設けられる各種の遊技装置（例えば、Ｖ入口を有した役物や一般入賞口等の入賞口）に入賞した球を下流側に整列して誘導することができる裏箱６２１が取り付けられており、その裏箱６２１の裏面に遊技領域６０５のほぼ中央に配置される表示装置としての液晶表示装置６４０（図７４等参照）の表示を制御する表示装置制御基板が収納される表示制御基板ボックスとしての液晶表示制御基板ボックス６２２が取り付けられている。
【０１０７】
更に、遊技盤４の裏面には、裏箱６２１の下方に盤用基板ホルダ６２３が固定されている。この盤用基板ホルダ６２３は、その前方に裏箱６２１によって整列誘導された入賞球を集めるように空間部（この空間部は、前後方向の幅が裏箱６２１の幅よりも比較的広いものとして形成されている。）が形成され、その空間部の底面に落下口６２９（図２９参照）が形成されている。この落下口６２９は、前記アウト口６０６の後面部分で合流して後述する基板ユニット１１００に形成されるアウト球通路１１１９（図７３参照）に連通するものである。
【０１０８】
また、盤用基板ホルダ６２３には、その裏面に遊技動作を制御する主制御基板１３５０を収納する主制御基板ボックス６２４と、後述する基板ユニット１１００に設けられる払出制御基板１１８６や電源基板等と接続するための中継端子板６２５と、が取付けられている。中継端子板６２５には、遊技盤４を本体枠３に装着するだけで自動的に前記基板ユニット１１００に設けられるドロワコネクタ１２００，１２０２と接続されるドロワコネクタ６２６，６２７が設けられている。
【０１０９】
更に、盤用基板ホルダ６２３には、ドロワコネクタ６２６，６２７の間から中継端子板６２５を貫通するように後方に向かって突出する接合案内突起６２８が形成されている。この接合案内突起６２８は、後に詳述するように遊技盤４を本体枠３に装着する作業を行ったときに、基板ユニット１１００側に設けられるドロワコネクタ１２００，１２０２と遊技盤４側に設けられるドロワコネクタ６２６，６２７とが自然に接続されるように基板ユニット１１００の枠用基板ホルダ１１０１に形成される接合案内孔１２１３に挿入される（図７３参照）ものである。なお、これらドロワコネクタの接続については、後に詳述する。
【０１１０】
＜打球発射装置＞
打球発射装置６５０について図３６乃至図４１を参照して説明する。図３６は、打球発射装置６５０の全体の斜視図（Ａ），発射モータ部分を取り外した状態の斜視図（Ｂ）であり、図３７は、打球発射装置６５０の分解斜視図であり、図３８は、打球発射装置６５０と発射レール５１５との関係を示す正面図（Ａ），発射モータ部分の斜視図（Ｂ）であり、図３９は、操作ハンドル部４６１を操作していない状態における打球発射装置６５０と発射レール５１５との関係を示す背面図であり、図４０は、操作ハンドル部４６１を操作している状態における打球発射装置６５０と発射レール５１５との関係を示す背面図であり、図４１は、打球発射装置６５０に設けられるスライド部材７１０の平面図（Ａ），正面図（Ｂ），正面から見た斜視図（Ｃ），正面図（Ｂ）のＡ−Ａ断面図（Ｄ）である。
【０１１１】
打球発射装置６５０は、発射ベース枠６５１に打球槌６８７を回動自在に軸支すると共に、その打球槌６８７に往復回動を付与する発射モータ６９５を発射ベース枠６５１に取り付け、さらに打球槌６８７に復帰する付勢力を付与する付勢バネ６８４の付勢力を調節するスライド杆６７７及びスライド部材７１０が発射ベース枠６５１に設けられることにより構成される。
【０１１２】
より詳細に説明すると、図３７に示すように、発射ベース枠６５１は、合成樹脂によって横長な長方形状に成型されるものであり、そのほぼ中心に打球槌６８７の軸受６８９が嵌合される軸受筒６５２が形成され、その上部及び側方に打球槌６８７の発射原点位置を規制するゴムストッパー部材６５３，６５４が取り付け固定されている。即ち、ゴムストッパー部材６５３，６５４は、打球槌６８７が付勢バネ６８４の付勢力により発射原点位置に戻ったときに打球槌６８７の衝撃を受け止めるものである。また、発射ベース枠６５１の後方（発射レール５１５の下方に対応する部位の反対側）の上方に横長細溝状のスライド案内孔６５５が形成され、そのスライド案内孔６５５の下方にスライド部材収納空間６５６が形成されている。
【０１１３】
このスライド案内孔６５５は、後述するスライド杆６７７の後端上部に突設される案内係止片６７８が挿入されてスライド杆６７７のスライド移動を案内するものであり、スライド部材収納空間６５６には、スライド部材７１０が左右方向に移動可能に収納されるものである。なお、スライド杆６７７の前方部分のスライド案内は、スライド杆６７７の前方に形成される案内長孔６８０に止めネジ６８２によって発射ベース枠６５１に形成される止め穴６６２に止着される案内ブッシュ６８１を貫通させることにより行われる。また、スライド部材収納空間６５６の底面には、図３８に示すように、長方形状の連結開口６６４が形成されている。
【０１１４】
また、発射ベース枠６５１の上辺の前方部分には、発射ベース枠６５１の本体に対して庇部が形成されており、前記軸受筒６５２の上方の庇部に作動片用開口６５７が穿設されている。この作動片用開口６５７には、前記扉枠５の皿ユニット３００の下流側の打球供給口２８８（図１５参照）に臨んで設けられている供給揺動片２８９（図１５参照）と当接する作動片６５８が作動片用開口６５７の開口縁の後方上部に突設されている取付部６６０に止めピン６５９によって揺動自在に設けられるものである。作動片６５８は、「て」字状に形成され、その上辺の後端部が止めピン６５９によって軸支され、その軸支部から下方の円弧部に打球槌６８７と一体的に回動するベース板６９０に突設される作動片当接部６９３と当接し、打球槌６８７の往復動作に連動して上辺部が供給揺動片２８９を揺動させ、供給揺動片２８９の揺動動作により打球供給口２８８から流出する打球を１個ずつ発射レール５１５の発射位置に供給するようになっている。
【０１１５】
更に、発射ベース枠６５１には、発射モータ６９５を内蔵するモータカバー６９４を止着するためのモータ取付ボス６６１が後方下部に２箇所と前方上部に１箇所の合計３箇所に突設されていると共に、前記スライド部材収納空間６５６の下部後方にスライド杆６７７をスライドさせるためにスライド部材７１０と連結される揺動片６７２の下端の軸穴６７３が挿入される揺動片用ボス６６３が突設されている。
【０１１６】
上記した発射ベース枠６５１には、打球発射装置６５０の剛性を高めるために金属プレート６６５がほぼ密着するように取り付けられている。このため、金属プレート６６５には、軸受筒６５２、下方のゴムストッパー部材６５３、スライド案内孔６５５、案内ブッシュ６８１、及び揺動片用ボス６６３にそれぞれ対応する貫通孔６６６，６６７，６６８，６６９，６７１が形成されていると共に、スライド部材７１０の連結凸部７１２が貫通する横長楕円状の貫通孔６７０も貫通されている。上記のように構成される金属プレート６６５は、スライド部材７１０をスライド部材収納空間６５６に収納した後、それぞれの貫通孔６６６〜６７１がそれに対応する部材６５２，６５３，６５５，６８１，７１２，６６３を貫通あるいは一致させるように発射ベース枠６５１に密着させてビス止めすることにより発射ベース枠６５１に固定されるものである。
【０１１７】
金属プレート６６５が取り付けられた発射ベース枠６５１の揺動片用ボス６６３の先端部分が貫通孔６７１から頭を出しているが、その頭の部分に揺動片６７２の軸穴６７３が挿通されて、揺動片６７２が下端を中心にして揺動自在に軸支される。揺動片６７２は、図３７に示すように、縦長杆状に形成され、その下端に前記軸穴６７３が形成され、その中程にスライド部材７１０の連結凸部７１２が挿入されるやや縦長穴形状の連結穴６７４が形成されている。そして、その連結穴６７４より上方の前方面がスライド杆６７７の一端（後端）と当接する当接部６７５となっている。しかして、揺動片６７２を揺動片用ボス６６３に挿通し、且つ貫通孔６７０から頭を出しているスライド部材７１０の連結凸部７１２に連結穴６７４を挿入してワッシャ付きピン６７６を連結凸部７１２に止着することにより、揺動片６７２が発射ベース枠６５１に取り付けられる。そして、取り付けられた揺動片６７２は、スライド部材７１０のスライドに伴って下端を中心にしてその上方部分が揺動するようになっている。
【０１１８】
また、金属プレート６６５の上部前面には、横長杆状のスライド杆６７７が左右方向にスライド可能に取り付けられる。即ち、スライド杆６７７の後方上部に突設されるＬ字状の案内係止片６７８を金属プレート６６５の貫通孔６６８に貫通係合させ、スライド杆６７７の前方に形成される案内長孔６８０に止めネジ６８２を有する案内ブッシュ６８１を貫通させて止めネジ６８２を止め穴６６２に止着する。上記した案内係止片６７８と貫通孔６６８、及び案内長孔６８０と案内ブッシュ６８１とにより、スライド杆６７７が金属プレート６６５を介して発射ベース枠６５１にスライド可能に装着される。また、スライド杆６７７には、その一端（後端）に上述した揺動片６７２の当接部６７５と当接する被当接部６７９が形成され、その他端（前端）に付勢バネ６８４の一端の係止輪６８５を掛け止めるためのバネ係止部６８３が突設されている。
【０１１９】
金属プレート６６５が取り付けられた発射ベース枠６５１の軸受筒６５２が貫通孔６６６から突出しているが、その軸受筒６５２には、打球槌６８７の軸受６８９が抜け落ちないように嵌合されている。軸受６８９の軸には、打球槌６８７の下端部が固着されると共に同時にベース板６９０が固着される。ベース板６９０には、その前方裏面側に前記作動片６５８と当接する作動片当接部６９３が突設され、その前方前面に付勢バネ６８４の他端の係止輪６８６を掛け止めるためのバネ係止部６９２が突設され、さらにその後方前面に発射モータ６９５のモータカム６９７と係脱するモータ当接突片６９１が突設されている。打球槌６８７の上端には、合成樹脂製の槌先６８８が固着されており、この槌先６８８が発射レール５１５の下端部とその上方に固着される発射位置ストッパー７０２とによって形成される発射位置に突入するように臨んでいる。
【０１２０】
一方、発射ベース枠６５１の前述したモータ取付ボス６６１には、モータカバー６９４に収納された発射モータ６９５が取り付けられる。より具体的には、図３８（Ｂ）に示すように、モータカバー６９４は、内部に発射モータ６９５を収納するように形成された円筒部と、該円筒部の前方に拡大して前記モータ取付ボス６６１に取り付けるための取付固定穴６９９が形成される取付部と、が一体的に形成され、円筒部の内部に収納される発射モータ６９５のモータ軸６９６の先端に逆回転防止カム６９８とモータカム６９７とが固定されている。
【０１２１】
この逆回転防止カム６９８の外周には、多数の逆歯が形成されており、ストッパー片取付ボス７０１に揺動自在に固定されるストッパー片７００（図３９参照）と係合して発射モータ６９５の逆方向の回転を防止している。これは、モータカム６９７が逆方向に回転してモータカム６９７とモータ当接突片６９１とが噛み合って打球発射装置６５０が駆動できなくなる故障が発生しないように防止するためである。また、モータカム６９７は、勾玉状に形成されており、発射モータ６９５の回転に伴いモータ当接突片６９１と係脱しながら打球槌６８７を往復動作させる。なお、モータカバー６９４をモータ取付ボス６６１に取り付けたときには、図３６（Ａ）に示すように、打球発射装置６５０の主たる構成が後面から見て被覆されたような状態となっている。
【０１２２】
ところで、前述したスライド部材収納空間６５６に収納されてスライド移動するスライド部材７１０は、図４１に示すように、後方が開放した直方体状に形成され、その前面に楕円形状の楕円凸部７１１が突設され、さらに該楕円凸部７１１の後方位置に円形状の連結凸部７１２が突設されている。また、上面及び下面には、スライド部材収納空間６５６内をスライドし易いように断面円弧状のスライド用当接突部７１３がその両端に突設されている。一方、直方体状に形成されるスライド部材７１０の空間は、前記扉枠５の裏面下部に設けられるジョイントユニット４８０のスライド突片４９２が挿入される挿入空間７１４となっている。
【０１２３】
そして、この挿入空間７１４は、スライド方向前方の側壁手前側に第一傾斜面７１５が形成されると共に、その第一傾斜面７１５のやや後方寄りに上面及び下面の内側から内部に向かって突設され且つ相互の先端間に所定の間隔が形成される挟持片７１６が形成されている。挟持片７１６の手前側にも奥に向かって側方視でハ字状に傾斜する第二傾斜面７１７も形成されている。しかして、スライド突片４９２が挿入空間７１４に挿入された状態では、図４１（Ｂ）に示すように、スライド突片４９２の傾斜辺４９３側の一端辺がスライド方向前方の側壁に当接した状態で且つ上下の挟持片７１６の間に挿入された状態となっている。なお、スライド部材７１０の挿入空間７１４の側方に空間部７１８が形成されているが、この空間部７１８は、特に機能を奏しているわけではない。
【０１２４】
而して、上記のように構成されるスライド部材７１０は、スライド部材収納空間６５６に収納された状態で、図３８（Ａ）に示すように、スライド部材収納空間６５６の底面に形成される楕円形状の連結開口６６４に挿入空間７１４が臨むように形成されていると共に、スライド部材７１０がスライド部材収納空間６５６の一方の空間内壁に当接した状態（図３８（Ａ）では左の空間内壁に当接しているように図示されているが、通常の状態では右の空間内壁に当接した状態となっている。）となっている。
【０１２５】
そこで、まず、スライド部材７１０と打球発射装置６５０の付勢バネ６８４の強弱を調整する関係について説明すると、スライド部材７１０がスライド部材収納空間６５６の内部の初期位置（図３８（Ａ）において右の空間内壁に当接した位置）にあるときには、図３９に示すように、該スライド部材７１０の連結凸部７１２に連結された揺動片６７２がほぼ垂直状態となっている。このため、揺動片６７２と当接しているスライド杆６７７も付勢バネ６８４の付勢力により一方向（図３９において左側方向）に付勢された状態で揺動片６７２の当接部６７５とスライド杆６７７の被当接部６７９とが当接した状態となっている。この状態では、付勢バネ６８４が張力されていないので、打球槌６８７が発射モータ６９５の回転に従動して往復回動しても、打球槌６８７の復帰力も弱く、発射位置にある打球が弾発されても遊技盤４の遊技領域６０５に到達することはない。
【０１２６】
一方、スライド部材収納空間６５６の内部をスライド部材７１０が初期位置から他方方向に移動したとき（図３８（Ａ）において左の空間内壁方向に向かって移動したとき）、図４０に示すように、揺動片６７２が下端の軸穴６７３を軸として揺動して傾動するため、当接部６７５と被当接部６７９との当接によりスライド杆６７７が他方向（図４０において右側方向）に向かってスライド移動する。すると、スライド杆６７７のバネ係止部６８３に係止されている付勢バネ６８４も張力されて伸びた状態となる。この状態では、付勢バネ６８４が張力されているので、打球槌６８７が発射モータ６９５の回転に従動して往復回動したときの打球槌６８７の復帰力が強くなり、発射位置にある打球が強く弾発されて遊技盤４の遊技領域６０５に到達する。そして、この打球の弾発力の強弱は、スライド部材７１０のスライド部材収納空間６５６内でのスライド量に応じて調整することができる。
【０１２７】
上記したように、スライド部材７１０を移動させることにより、打球発射装置６５０による弾発力を調整することができるが、このスライド部材７１０の移動は、前述したハンドル装置４６０の操作ハンドル部４６１の回動操作部材４６４の回動操作に応じて移動するジョイントユニット４８０のスライド体４８３の移動と連動するようになっている。この点について図２０、を参照して説明する。
【０１２８】
前述したように、ハンドル装置４６０の操作ハンドル部４６１の回動操作部材４６４を回転させることにより、回転軸４６５の先端に固着される勾玉状のカム４６６も回転するため、ジョイントユニット４８０のスライド体４８３が収納体４８１の内部を一方向に向かってスライド移動する。このため、スライド体４８３の前面に突設されるスライド突片４９２も同じ方向にスライド移動することになる。スライド体４８３のスライド突片４９２は、扉枠５を本体枠３に対して閉じた状態では、本体枠５の発射装置取付部５２０に形成される連結開口６６４を貫通してスライド部材７１０の挿入空間７１４に挿入されるようになっている。この場合の挿入状態は、前述したようにスライド突片４９２の傾斜辺４９３側の一端辺がスライド方向前方の側壁に当接した状態で且つ上下の挟持片７１６の間に挿入された状態である。したがって、スライド突片４９２が一方向に向かってスライド移動すると、スライド部材７１０も同一方向に向かってスライド移動することになる。このとき、前述したように、スライド部材７１０のスライド移動に伴ってスライド杆６７７もスライド移動するので、付勢バネ６８４の付勢力を調整することができる。つまり、ハンドル装置４６０の回動操作部材４６４を回動操作することにより、打球発射装置６５０の打球の弾発力を調整することができるものである。
【０１２９】
ところで、本実施形態においては、ハンドル装置４６０が扉枠５に設けられ、打球発射装置６５０が本体枠３に設けられているので、扉枠５を開閉する毎にハンドル装置４６０のスライド突片４９２と打球発射装置６５０のスライド部材７１０とが連携したり離れたりすることになる。しかし、本実施形態においては、上述したように、本体枠３に対して扉枠５を閉じることにより、スライド突片４９２がスライド部材７１０の挿入空間７１４に自動的に挿入されてハンドル装置４６０と打球発射装置６５０とが連携され、逆に、本体枠３に対して扉枠５を開放することにより、スライド突片４９２が挿入空間７１４から離れてハンドル装置４６０と打球発射装置６５０とを分離することができるので、極めて簡単に扉枠５の開閉に伴ってハンドル装置４６０と打球発射装置６５０との連携・分離を行うことができる。特に、スライド突片４９２が挿入空間７１４に挿入される際には、スライド突片４９２の位置が上下方向に多少ずれていても、挿入空間７１４内に突設される挟持片７１６の第二傾斜面７１７によってスライド突片４９２がスムーズに挟持位置に挿入されるようになっている。
【０１３０】
また、時として、操作ハンドル部４６１の回動操作部材４６４に遊技者が詰め物を詰めてある程度回動した位置で固定している場合があるが、遊技場の店員がその詰め物を知らずに扉枠５を開閉する場合がある。このような場合でも、扉枠５を開放する場合には、単にスライド突片４９２が挿入空間７１４から離れるだけであるので問題はないが、扉枠５を閉める場合に、スライド突片４９２の位置が多少一方向にずれた状態となっているものの、スライド突片４９２の傾斜辺４９３とスライド部材７１０の第一傾斜面７１５との協働作用により、扉枠５の閉止動作に伴ってスライド部材７１０を一方向に移動させながら最終的にスライド突片４９２とスライド部材７１０とが係合するようになっている。つまり、本実施形態においては、操作ハンドル部４６１の回動操作部材４６４がどのような回動位置で固定されていても、操作ハンドル装置４６０と打球発射装置６５０との連携を行うことができるものである。
【０１３１】
＜賞球タンク＞
次に、本体枠３の裏面上部に取り付けられる賞球タンク７２０について、主として図４２を参照して説明する。図４２は、賞球タンク７２０の斜視図（Ａ）、平面図（Ｂ）、側面図（Ｃ）である。賞球タンク７２０は、前述したように、本体枠３の裏面上部に形成されるタンク取付溝５５０（図２４参照）に着脱自在に取り付けられるものである。しかして、賞球タンク７２０は、長方形状の箱状に形成され、パチンコ機１の正面側から見て、その前面壁７２１に切欠部７２９が形成され、その底面が上流側壁７２４から下流側壁７２３に向かって傾斜する第一傾斜底面７２６と前面壁７２１から次に説明する排出口７３０に向かって傾斜する第二傾斜底面７２７とによって貯留部７２８が形成されている。
【０１３２】
また、その第二傾斜底面７２７の傾斜下端に排出口７３０が形成されるが、この排出口７３０は、パチンコ機１の正面側から見て賞球タンク７２０の後面壁７２２よりも外側に突出するように下流側壁７２３と後面壁７２２とをコ字状に連結する排出口突出壁７２５に囲まれるように形成されている。また、賞球タンク７２０の前面壁７２１の両端外側には、前記タンク取付溝５５０と係合する取付鍔部７３３が形成されていると共に、賞球タンク７２０の底面の裏面側に本体枠３の前記第四側面壁５４３に載置当接する載置当接片７３１，７３２が突設され、さらに、賞球タンク７２０の上流側の後面壁７２２の下部に後述する球ならし部材７４４を取り付けるための球ならし取付軸７３５が突設されている。また、排出口７３０を除く賞球タンク７２０の後面壁７２２及び上流側壁７２４には、球の跳ね飛びを防止するための溢れ防止部材７３４が着脱自在に取り付けられるようになっている。
【０１３３】
上記のように構成される賞球タンク７２０においては、本体枠３のタンク取付溝５５０に対して取付鍔部７３３を上方から差し込むように取り付け、載置当接片７３１，７３２を本体枠３の第四側面壁５４３に当接させる。これによって、賞球タンク７２０が本体枠３の裏面側上部に載置して取り付けられるが、この取り付けられた状態においては、図２８に示すように、前面壁７２１の切欠部７２９を介して貯留部７２８と本体枠３の裏面に形成された逃げ凹部５５１とが連通し、また、図５に示すように、排出口７３０が次に説明するタンクレール部材７４０の上流端部に臨むようになっている。したがって、賞球タンク７２０において、球を貯留する貯留部７２８（第一傾斜底面７２６及び第二傾斜底面７２７に対応する貯留空間部分）の前後方向の幅は、本体枠３の第二側面壁５４１〜第四側面壁５４３までの前後方向の幅とほぼ同じとなるように形成されると共に、それらの側面壁５４１〜５４３までの上部に載置されるようになっている。
【０１３４】
また、前述したように、本体枠３の第一側面壁５４０〜第四側面壁５４３は、遊技盤４の周辺部の後方突出空間を覆うように深く形成されているので、その側面壁５４１〜５４３の上部に載置される賞球タンク７２０の貯留部の深さは、従来の貯留タンクにくらべて浅く形成されているものの、賞球が貯留されて重量が増加しても賞球タンク７２０の全体を本体枠３の側面壁５４２〜５４３で支持しているので、傾斜底面７２６，７２７が変形することなく貯留された球をスムーズに排出口７３０に導くことができる。また、排出口７３０が賞球タンク７２０の後面壁７２２から外側に外れた位置に設けられているため、貯留部７２８に貯留された球の流れが第二傾斜底面７２７から外側に向かって流れるように構成されている。このため、従来のように傾斜底面の一部に開口を設けて排出口としていた賞球タンクに比べて、排出口近傍の貯留部に球詰まり解消のための球崩し突部を突出形成することなく球詰まりが発生し難い構造とすることができる。
【０１３５】
そして、本実施形態においては、前述したように、遊技装置の後方突出部を収納する後側面壁５４１〜５４３の上部外側に賞球タンク７２０の貯留部が載置された状態で、しかも、賞球タンク７２０の排出口７３０が貯留部の後面壁７２２よりも外側に突出して設けられているため、タンクレール部材７４０が賞球タンク７２０の貯留部の外側（パチンコ機１の正面から見て奥側）に位置して、タンクレール部材７４０と賞球タンク７２０の貯留部７２８とが上下方向に重複しない位置となっているので、遊技盤４の裏面に設けられる遊技装置の後方突出部を収納する後側面壁５４１〜５４３の上辺を本体枠３の上辺に近い位置で後方に向って突出させることができ、これにより、遊技装置の後方突出部が遊技盤４の上辺部で突出していても後側面壁５４１〜５４３の内部に楽に収納することができる。
【０１３６】
更に、賞球タンク７２０の貯留部７２８が遊技装置の後方突出部を収納する後側面壁５４１〜５４３の上部外側に載置されているか否かに関係なく、排出口７３０が賞球タンク７２０の後面壁７２２から外側に外れた位置に設けられているという構成だけで従来の賞球タンクにはない独特の効果を奏するものである。これについて図４３を参考にして説明する。図４３は、従来の賞球タンク（Ａ），（Ｂ）と本実施形態に係る賞球タンク（Ｃ）との排出口部分における球の圧力状態を示す平面図である。図において、通常時、賞球タンク７２０に貯留される球は、賞球タンク７２０の貯留部に貯留されて滞留した状態となっている。この場合、従来の賞球タンクのように貯留部の傾斜底面の一部を開口して排出口７３０Ａを形成している場合、例えば、図４３（Ａ）に示すように、球崩し突部７３６Ａと反対側に排出口７３０Ａが形成された賞球タンクや、図４３（Ｂ）に示すように、球崩し突部７３６Ｂに隣接して排出口７３０Ｂが形成されている場合には、排出口７３０Ａ，７３０Ｂの部分では、貯留された球の圧力とその圧力に基づく賞球タンクの側壁からの反作用により、常に排出口７３０Ａ，７３０Ｂ部分に四方から球圧がかかった状態となっている。
【０１３７】
このため、たまたま球の重合具合によって球同士の圧力が釣り合い、下流側の球が流れ出ても、排出口７３０Ａ，７３０Ｂ部分で球噛み状態が発生し球詰まりが発生することがあった。これに対し、本実施形態に係る賞球タンク７２０では、排出口７３０が賞球タンク７２０の後面壁７２２から外側に外れた位置に設けられているので、図４３（Ｃ）に示すように、排出口７３０部分における貯留された球の圧力は、貯留部から排出口７３０方向に向かう作用力とその反作用だけの二方向からの圧力であり、従来のように四方から圧力を受けるわけではない。このため、下流側の球が流れ出ても、排出口７３０部分における球噛み状態が発生し難く、球詰まりが発生しないという優れた効果を奏することができる。
【０１３８】
＜タンクレール部材＞
上記した賞球タンク７２０の下方に配置されるタンクレール部材７４０について主として図４４乃至図４６を参照して説明する。図４４は、賞球タンク７２０、タンクレール部材７４０、球通路ユニット７７０、賞球ユニット８００、及び満タンユニット９００の関係を示すパチンコ機１の背面側から見た斜視図であり、図４５は、賞球タンク７２０、タンクレール部材７４０、球通路ユニット７７０、賞球ユニット８００、及び満タンユニット９００の関係を示すパチンコ機１の正面側から見た斜視図であり、図４６は、タンクレール部材７４０の下流部と球通路ユニット７７０の上流部との関係を示す断面図（Ａ）と平面図（Ｂ）である。
【０１３９】
タンクレール部材７４０は、前述したように、本体枠３の上後面壁５４５のレール係止溝５５３，５５４（図２４参照）に着脱自在に取り付けられるものである。そのため、タンクレール部材７４０には、その後面側の側面の左右辺及び下辺にレール係止溝５５３に上から差し込まれる複数の係止突片７４９が突設されると共に、その後面側側面の上辺中央にレール係止溝５５４に上から掛け止められる鉤状の係止突片７５０が突設されている。しかして、タンクレール部材７４０は、上面が開放した傾斜樋状に形成され、その上流端上面が賞球タンク７２０の排出口７３０に臨み、その下流端下面が後に詳述する球通路ユニット７７０に臨んでいる。また、タンクレール部材７４０の内部は、図５に示すように仕切壁７４１によって球が２列に整列して流下する通路７４２となっている。
【０１４０】
なお、通路７４２の底面は、細溝が切り欠けられており、通路７４２を球と一緒に転動する異物がその細溝から下方に落下するようになっている。また、通路７４２の側壁には、静電気を除去するための金属板（図示しない）が貼付されており、この金属板の下流端が前述したアース線接続具５５７（図２２参照）に接続されている。このため、タンクレール部材７４０を流下する球に帯電していた静電気が金属板からアース線接続具５５７を介して電源基板のアース用コネクタを経て外部にアースされるようになっている。
【０１４１】
また、タンクレール部材７４０の中流域のやや下流側に重錘を有する卵形状の球ならし部材７４４が揺動自在に設けられている。この球ならし部材７４４は、前述した賞球タンク７２０の球ならし取付軸７３５に揺動自在に軸支されるものであり、タンクレール部材７４０の２列のそれぞれの通路７４２内に向かって垂下され、各通路７４２を流下する球が上下方向に複数段で流下してきたときに１段となるように整流するものである。また、球ならし部材７４４の設置位置より下流側のタンクレール部材７４０の上面が球押え板７４５によって被覆されている。この球押え板７４５は、球ならし部材７４４によって１段とならなかった球を強制的に１段とするように傾斜円弧状に形成されるものである。
【０１４２】
更に、タンクレール部材７４０の下流端部には、それぞれの通路７４２に臨んで一対の整列歯車７４７が軸ピン７４８によって回転自在に軸支されている。この整列歯車７４７は、外周に複数の歯が形成され、一対の整列歯車７４７の歯のピッチが半ピッチずつずれるようにして軸ピン７４８に固定されている。このため、タンクレール部材７４０の各通路７４２を流下してきた球の上部が整列歯車７４７の歯と噛み合いながら下流側に流下するときに２列の通路７４２の球が交互に１つずつ送られることになる。この場合、図４６に示すように、各通路７４２を流れてきた球は、整列歯車７４７と噛み合いながら２列の通路７４２の下部に形成される傾斜面７４３に沿って中央方向に誘導され、その誘導中に次に説明する球通路ユニット７７０の球落下通路７７２の上端入口７７３に２列の通路７４２からの球を交互に一列状にして落下するようになっている。なお、整列歯車７４７は、その上面を円弧状の歯車カバー７４６によって被覆されている。
【０１４３】
＜球通路ユニット＞
上記したタンクレール部材７４０から一列状に落下される球を賞球ユニット８００に導くための球通路ユニット７７０について、主として図４７乃至図５１を参照して説明する。図４７は、本体枠３と球通路ユニット７７０及び賞球ユニット８００との関係を示す分解斜視図であり、図４８は、球通路ユニット７７０及び賞球ユニット８００との関係を示す背面図であり、図４９は、球通路ユニット７７０の背面から見た斜視図であり、図５０は、球通路ユニット７７０の正面図であり、図５１は、球通路ユニット７７０と賞球ユニット８００との連結構造を説明するための側面図である。なお、図４８及び図４９において、賞球ユニット８００部分は、ギヤカバー８６６、アルミ放熱板８４１、ユニットサブ板８２５が削除され、ユニットベース体８０１に形成された球通路部分をわかりやすく描いたものである。ただし、ギヤ等については、球通路との関係を理解し易くするため、一点鎖線で示してある。
【０１４４】
球通路ユニット７７０は、ほぼ長方形状の板材の裏面（背面から見える面を表面という。）に屈曲した一対の屈曲通路壁７７１によって球落下通路７７２が形成されている。この球落下通路７７２は、図４６（Ａ）に示すように、その上流が前後方向（背面から見て奥行方向）に屈曲する前後屈曲通路部７７２ａと、該前後屈曲通路部７７２ａに連通して左右方向（背面から見て左右方向）に屈曲する左右屈曲通路部７７２ｂと、該左右屈曲通路部７７２ｂに連通してほぼ垂直状となっている垂直通路部７７２ｃとからなっている。
【０１４５】
この前後屈曲通路部７７２ａは、図４６（Ａ）に示すように、上述したタンクレール部材７４０から落下する上端入口７７３の位置が前述したように２列の通路７４２のほぼ中央であるため、本体枠３の上後面壁５４５及び軸支側後面壁５４６の表面から背面側に離れた位置となっているので、前後屈曲通路部７７２ａと軸支側後面壁５４６に突設される前記賞球案内突起５６１とによって球落下通路７７２を軸支側後面壁５４６の表面に近い位置とするように前後方向に屈曲するものである。また、左右屈曲通路部７７２ｂは、図５０に示すように、タンクレール部材７４０から前後屈曲通路部７７２ａを落下してきた球の勢いを弱めるために球通路ユニット７７０のほぼ横幅一杯にコ字状に屈曲して形成されるものである。
【０１４６】
更に、垂直通路部７７２ｃもほぼ垂直状に形成されているものの若干緩やかに湾曲して形成され、その垂直通路部７７２ｃを構成する一方の屈曲通路壁７７１に切欠部７７５が形成され、その切欠部７７５に上端が支軸７７７によって軸支される球切れ検出片７７６が揺動自在に取り付けられている。この球切れ検出片７７６の側方には、球切れスイッチ７７８が取り付けられ、球切れスイッチ７７８のアクチュエータ７７９が球切れ検出片７７６に当接している。球切れ検出片７７６及び球切れスイッチ７７８によって垂直通路部７７２ｃでの球切れを検出する球切れ検出機構が構成されている。
【０１４７】
しかして、垂直通路部７７２ｃに球が存在しているときには、垂直通路部７７２ｃに存在する球によって球切れ検出片７７６が押圧されてアクチュエータ７７９を押して球切れスイッチ７７８をＯＮとするが、垂直通路部７７２ｃに球詰まりや球欠乏により球が存在しなくなると球切れ検出片７７６が垂直通路部７７２ｃ内に向かって揺動するので、アクチュエータ７７９が球切れスイッチ７７８をＯＦＦとする。球切れスイッチ７７８がＯＦＦになると、後述する賞球ユニット８００の払出モータ８１５の回転が停止して賞球の払出が停止されるようになっている。
【０１４８】
なお、切欠部７７５の下端部には、球切れ検出片７７６の通路部と反対側への過剰な揺動を防止するためにストッパー突起７８０が形成されており、また、球通路ユニット７７０の球切れ検出片７７６に対応する垂直通路部７７２ｃに球詰まり用挿入溝７８１が形成されている。この球詰まり用挿入溝７８１は、球詰まり等で球切れ検出片７７６の揺動動作が行われ難い場合に、球通路ユニット７７０の後面側からピンを差し込んで球切れ検出片７７６部分の球詰まりの解消を図るために設けられるものである。更に、球切れ検出片７７６に対面する他方の屈曲通路壁７７１は、若干球切れ検出片７７６側に向かって膨出状に形成されている。これは、垂直通路部７７２ｃに球が存在しているときに確実に球切れ検出片７７６を押圧して球切れスイッチ７７８をＯＮにするためである。
【０１４９】
また、球通路ユニット７７０には、上記した球落下通路７７２を避けた位置に止め穴７８２と位置決めボス７８３とが形成されている。位置決めボス７８３は、本体枠３の軸支側後面壁５４６に形成される位置決めピン５７４に係合されるものであり、止め穴７８２は同じく軸支側後面壁５４６に形成される通路ユニット取付ボス５６２に対応するものである。しかして、球通路ユニット７７０を本体枠３に取り付けるには、図４７に示すように、位置決めボス７８３を位置決めピン５７４に係合させながら通路ユニット取付ボス５６２と止め穴７８２とを一致させ、その状態で止め穴７８２からビス７８４を螺着することにより行うことができる。更に、球通路ユニット７７０には、その一側中程にカバー体１２５０の係合片と係合するカバー体係合溝７８５が形成されていると共に、下部に賞球ユニット８００と連結するための連結蓋部材７８６が回動自在に設けられている。
【０１５０】
連結蓋部材７８６は、図４９に示すように、長方形状の板材の裏面に円弧状に突設される一対の通路壁７９０を突設することにより構成されており、球通路ユニット７７０の下部表面の左右両端部に突設される軸支部としての支持突片７８７に、連結蓋部材７８６の両端部から延びる支持片７８８の先端に突設される回転軸部としての突起軸７８９を嵌合することにより回動自在に軸支されるものである。また、連結蓋部材７８６は、閉じることにより球通路ユニット７７０の下方に延長されて通路壁７９０によって形成される通路と球落下通路７７２の下流端部とが連通した状態（図５１（Ｂ）に示す状態）と、開放することにより通路壁７９０によって形成される通路と球落下通路７７２の下流端部とが連通しない状態（図５１（Ａ）に示す状態）と、に回動し得るが、開放した状態から閉じた状態に移行する際に、連結蓋部材７８６の支持片７８８を案内する案内突起７９１が球通路ユニット７７０の後面下端部に突設されている。
【０１５１】
而して、球通路ユニット７７０を本体枠３の軸支側後面壁５４６に固定した状態で、しかも、後述するように賞球ユニット８００を同じく軸支側後面壁５４６に装着した状態（図５１（Ａ）に示す状態）で、連結蓋部材７８６を閉じて賞球ユニット８００に設けられる係止弾性爪８２０によってその後面を係止することにより、球通路ユニット７７０の球落下通路７７２と賞球ユニット８００の屈曲通路８０３とを通路壁７９０にて連通して、球通路ユニット７７０の球落下通路７７２を落下する球を賞球ユニット８００の屈曲通路８０３に導くことができるものである。このように球通路ユニット７７０に回動自在な連結蓋部材７８６を設けた理由は、後述するように賞球ユニット８００を本体枠３に対して着脱自在に装着し易くすることと、その着脱自在に装着したことに起因して球通路ユニット７７０と賞球ユニット８００との間に形成される空間が球のスムーズな落下を阻害しないようにするためである。
【０１５２】
また、球通路ユニット７７０に突設される一対の屈曲通路壁７７１の間に本体枠３の軸支側後面壁５４６にその突出高さが下流側に向かって徐々に低くなるように突設される賞球案内突起５６１を挿入することで、球落下通路７７２の上端入口７７３がタンクレール部材７４０の２列の通路７４２のほぼ中央下部に位置するように、球落下通路７７２の上流部を背面からみて前後方向に屈曲する前後屈曲通路部７７２ａとして形成する。これにより、一対の整列歯車７４７によって２列で流下する球を交互に１個ずつ賞球ユニット８００側に送り出す構成において、球落下通路７７２を通して球を１個ずつスムーズに賞球ユニット８００に送り出すことができる。また、この構成によれば、複数の部材の組立体から球落下通路７７２を構成する必要がないため、球落下通路７７２を構成する部品点数を削減することができると共に、球落下通路７７２の組み付け作業性を向上することができる。
【０１５３】
また、タンクレール部材７４０から前後屈曲通路部７７２ａを落下してきた球は、左右屈曲通路部７７２ｂを通過することでその勢いを弱め、その後、垂直通路部７７２ｃを通って賞球ユニット８００に送られる。また、勢いが弱められた状態で球が送り込まれる垂直通路部７７２ｃには、球切れを検出するための球切れ検出機構（球切れ検出片７７６及び球切れスイッチ７７８）が設けられる。これにより、球落下通路７７２での球切れ、言い換えれば賞球ユニット８００に供給する球が切れたこと（球切れ）を確実に検出することができる。
【０１５４】
＜賞球ユニット＞
次に、上記した球通路ユニット７７０の下流側に配置される賞球ユニット８００について、主として図５２乃至図５５を参照して説明する。図５２は、賞球ユニット８００の背面側から見た分解斜視図であり、図５３は、払出モータ８１５と払出部材としてのスプロケット８０７との関係を説明するための背面図であり、図５４は、賞球ユニット８００の通路と駆動関係を説明するための背面図であり、図５５は、図５４のＡ−Ａ断面図である。
【０１５５】
図５２において、賞球ユニット８００は、一対の屈曲通路壁８０２によって球通路を構成する屈曲通路８０３、賞球通路８１０、及び球抜通路８１１が形成されるユニットベース体８０１と、該ユニットベース体８０１の後面を覆うユニットサブ板８２５と、該ユニットサブ板８２５の上部表面（後面側）に取り付けられる中継基板８３０と、前記ユニットサブ板８２５のほぼ中央表面領域（後面側領域）に設けられるギヤ群８４３，８４４，８４７及び検出円盤８５０（回転伝達部材）を被覆するギヤカバー８６６とから構成されている。以下、これらの構成を順次説明する。
【０１５６】
ユニットベース体８０１は、ほぼ長方形状の板状（この板部分を「底面」という場合がある。）に形成され、その板状のユニットサブ板８２５側に向かって突設される一対の屈曲通路壁８０２によって屈曲通路８０３が形成されている。屈曲通路壁８０２は、ユニットベース体８０１の上部中央から下流側のほぼ中程まで球の直径よりもやや大きな間隔で突設されるが、その中程から下流側に大きく左右に分かれて中程から下流端までユニットベース体８０１の両端辺の側壁を兼ねている。また、中程の屈曲通路壁８０２が大きく左右に分かれた部分は、球送り回転体としてのスプロケット８０７が配置される振分空間８０５を構成し、その振分空間８０５の下部からユニットベース体８０１の下流端までに左右に分かれた前記屈曲通路壁８０２の対をなすように通路区画壁８０９が突設形成されている。
【０１５７】
つまり、中程から下流側の左右の屈曲通路壁８０２と通路区画壁８０９とによって振分空間８０５から左右に２つの通路が構成されることなり、一方の通路が賞球通路８１０を構成し、他方の通路が球抜通路８１１を構成している。なお、通路区画壁８０９も左右に大きく分かれており、その分かれた通路区画壁８０９の内側に払出モータ８１５を収納するモータ収納空間８１４が形成されている。即ち、払出モータ８１５は、球通路（屈曲通路８０３、賞球通路８１０、球抜通路８１１）を避けた位置であって当該球通路の奥行き幅寸法内に形成されるモータ収納空間８１４に収納固定される。なお、屈曲通路８０３は、該通路８０３内に停留する球のスプロケット８０７への圧力を弱めるために蛇行状に形成されて振分空間８０５に到達しているが、その振分空間８０５の上流側の底面に楕円形状の開口８０４が形成されている。この開口８０４は、屈曲通路８０３内に入った小さなゴミ等を貯留するもので、賞球ユニット８００を本体枠３から取り外したときに溜まったゴミ等を取り出すことができるようになっている。
【０１５８】
また、上記した振分空間８０５には、外周に球が嵌り合う複数（図示の場合は、３つ）の凹部が形成された払出部材としてのスプロケット８０７が回転自在に配置されるが、このスプロケット８０７が固定される回転軸８０８の他端を軸支する軸受筒８０６が振分空間８０５の底面に形成されている。また、振分空間８０５の底部を構成する通路区画壁８０９の上端部は、スプロケット８０７の回転円弧に沿った凹円弧状に形成され、その一方に形成される賞球通路８１０の上流部には、払出球検出センサ８１２が着脱自在に装着されている。
【０１５９】
この払出球検出センサ８１２は、先端部に球が通過する円形状の通過穴が形成された直方体状の磁気センサからなり、その後端部の形状と合致するスイッチ嵌合凹部８６５を屈曲通路壁８０２で形成することにより、簡単に着脱自在に取り付けられるものである。なお、払出球検出センサ８１２からの配線（図示しない）は、後述する中継基板８３０に接続されるようになっている。更に、賞球通路８１０を構成する屈曲通路壁８０２の下流側には、ユニットサブ板８２５と一体的に形成される通路蓋板部８５９に形成される係止部８６０と係合する係止爪８１３が複数形成されている。ただし、複数の係止爪８１３のうち、通路蓋板部８５９の下端の一方の係止部８６０と係合する係止爪８１３は、通路区画壁８０９側に形成されている。
【０１６０】
また、ユニットベース体８０１の下方であって賞球通路８１０と球抜通路８１１との間には、払出モータ８１５を収納する円形状のモータ収納空間８１４が形成されるが、このモータ収納空間８１４の内部に払出モータ８１５の円筒状本体が収納されるようになっている。ただし、払出モータ８１５は、その前面に形成される一対の取付片８１６によってユニットサブ板８２５の下方に取り付けられるアルミ放熱板８４１の裏面側にビス８１７で固着されるようになっている。そして、払出モータ８１５がユニットサブ板８２５のアルミ放熱板８４１に取り付けられた状態で、払出モータ８１５のモータ軸８１８は、アルミ放熱板８４１に穿設された軸挿通穴８４２を貫通して第一ギヤ８４３が固着されるようになっている。
【０１６１】
また、ユニットサブ板８２５及びアルミ放熱板８４１でユニットベース体８０１の後面側を被覆することにより、上記した屈曲通路８０３、賞球通路８１０、及び球抜通路８１１が形成される奥行幅方向の空間内に払出モータ８１５の円筒状本体部分も収納配置されることになる。そして、払出モータ８１５を収納するモータ収納空間８１４と前述したスプロケット８０７が配置される振分空間８０５とが、上下方向の極めて近い位置関係に形成されているため、ユニットベース体８０１の上下方向の長さを短くすることができ、結果的に賞球ユニット８００のコンパクト化を図ることができる。
【０１６２】
更に、ユニットベース体８０１には、上記した球抜通路８１１の最下端に球抜きされた球を賞球ユニット８００の裏面側に誘導する誘導突片８１９が突設され、この誘導突片８１９に誘導された球が後述する球抜接続通路８８０に誘導されて最終的にパチンコ機１の外部（島台の下方に設けられる回収樋）に放出されるようになっている。また、ユニットベース体８０１の上部には、前述した球通路ユニット７７０の連結蓋部材７８６を係止する係止弾性爪８２０が突設されると共に、賞球ユニット８００を本体枠３の軸支側後面壁５４６に着脱自在に取り付けるためのボタン挿通係合穴８２１及び鉤状係合部８２４と、ユニットベース体８０１とユニットサブ板８２５を挟持した状態でギヤカバー８６６とを連結するための取付ボス８２３が設けられている。
【０１６３】
このボタン挿通係合穴８２１には、ユニットベース体８０１の上部一側に設けられて棒状の着脱ボタン８２２が奥行幅方向に摺動自在に取り付けられるものであり、後述するように、その前方先端が本体枠３の軸支側後面壁５４６に形成されるロック用弾性爪５６４に対応している。また、ボタン挿通係合穴８２１の後端面は、図４７に示すように、ロック用弾性爪５６４の先端部が入り込むように凹状となっている。また、鉤状係合部８２４は、本体枠３の軸支側後面壁５４６に形成される係合突片５６５と係合するもので、賞球ユニット８００を軸支側後面壁５４６に押し当てて下方に押下げることにより、鉤状係合部８２４と係合突片５６５とが係合するものである。そして、その係合状態においてロック用弾性爪５６４とボタン挿通係合穴８２１とが係合するので、賞球ユニット８００の上方向の移動ができないようになっている。
【０１６４】
なお、鉤状係合部８２４は、ユニットベース体８０１の上部左右に形成されている。また、ユニットサブ板８２５を挟持した状態でユニットベース体８０１とギヤカバー８６６とを連結するための取付ボス８２３は、後面側に向かって長く突設され、ユニットサブ板８２５に穿設される貫通穴８５８を貫通した後、ギヤカバー８６６の取付穴８６７に対応させ、そのギヤカバー８６６の表面からネジ８６８を螺着することにより、ユニットサブ板８２５を挟持した状態でユニットベース体８０１とギヤカバー８６６とを連結している。
【０１６５】
上記したユニットベース体８０１を被覆するユニットサブ板８２５の構成について説明すると、ユニットサブ板８２５は、ユニットベース体８０１の屈曲通路８０３部分と振分空間８０５部分と賞球通路８１０部分とを覆う合成樹脂製の板材に払出モータ８１５が取り付けられると共に球抜通路８１１の下流部分とを覆うアルミ放熱板８４１を取り付けることにより構成されている。そして、ユニットサブ板８２５の合成樹脂板部の表側（後面側）には、中継基板８３０を取り付けるための中継基板領域８２６が上部に形成され、その下方に複数のギヤ８４３，８４４，８４７や検出円盤８５０が取り付けられるギヤ領域８４０が形成されている。
【０１６６】
この中継基板領域８２６は、ほぼ正方形状に形成され、その正方形状に沿って中継基板８３０を載置する載置リブ８２７が突設され、その一側垂直辺の上下に後述する基板カバー８３５の係合突起８３６と係合する係合溝部８２８が形成され、その他側垂直辺の中央に基板カバー８３５の係止突部８３７と係合する係止爪部８２９が形成されている。また、中継基板領域８２６には、着脱ボタン８２２が挿通されるボタン挿通穴８３４と中継基板８３０をビス（図示しない）で止着するための取付ボス部８３２が形成されている。
【０１６７】
上記した中継基板領域８２６に取り付けられる中継基板８３０は、賞球ユニット８００に設けられる上述した払出球検出センサ８１２、払出モータ８１５、及び後述するセンサ８５５からの配線と、後述する払出制御基板１１８６（図２５及び図７２参照）からの配線とを中継するもので、そのために複数のコネクタが設けられると共に、着脱ボタン８２２が挿通されるボタン挿通穴８３３と前記取付ボス部８３２に対応する取付穴８３１とが穿設されている。しかして、中継基板８３０を中継基板領域８２６の載置リブ８２７に載置した状態で取付穴８３１と取付ボス部８３２とを合致させて図示しないビスで止着することにより中継基板８３０をユニットサブ板８２５の表面（後面）に止着することができる。
【０１６８】
また、上記のように取り付けられる中継基板８３０は、基板カバー８３５によって被覆される。基板カバー８３５は、ほぼ正方形状の前面側が開放したボックス状に形成され、その一側垂直辺の上下基部に係合突起８３６と他側垂直辺のほぼ中央側面に係止突部８３７が形成されている。また、基板カバー８３５の正方形状の垂直面には、ボタン開口８３８と接続開口部８３９とが形成されている。しかして、基板カバー８３５の係合突起８３６を中継基板領域８２６の係合溝部８２８に差し込んで係合した後、係止突部８３７と係止爪部８２９とを係合させることにより、簡単に基板カバー８３５で中継基板８３０を被覆することができる。逆に、取り外す場合には、係止爪部８２９を弾性変形させて係止突部８３７との係合を解除すると共に基板カバー８３５を斜め手前側に引いて係合突起８３６と係合溝部８２８との係合を解除することができる。なお、基板カバー８３５を被覆した状態では、ボタン挿通係合穴８２１に係合されている着脱ボタン８２２の頭部がボタン挿通穴８３３，８３４を挿通してボタン開口８３８から外部に僅かに臨んでいる。また、中継基板８３０に接続された配線は、接続開口部８３９から外部に引き出されるようになっている。
【０１６９】
次に、ユニットサブ板８２５に形成されるギヤ領域８４０に設けられるギヤ８４３，８４４，８４７、及び検出円盤８５０について説明する。前述したように、払出モータ８１５のモータ軸８１８の先端は、ユニットサブ板８２５のアルミ放熱板８４１に穿設される軸挿通穴８４２を貫通してユニットサブ板８２５の表面（後面側）に突出しており、その突出した部分に第一ギヤ８４３（駆動ギヤ）が固着されている。第一ギヤ８４３の上方には、該第一ギヤ８４３と噛合する第二ギヤ８４４（回転伝達ギヤ）がギヤカバー８６６の裏面（前面側）に一端が圧入され且つアルミ放熱板８４１に穿設される軸穴８４６に他端が支持される軸８４５に回転自在に設けられ、その第二ギヤ８４４の上方には、該第二ギヤ８４４と噛合する第三ギヤ８４７（回転伝達ギヤ）がユニットサブ板８２５に形成される軸穴８４９に圧入された軸８４８に回転自在に設けられている。更に、第三ギヤ８４７の上方には、該第三ギヤ８４７と噛合するギヤ部８５２（従動ギヤ）を有する検出円盤８５０が前記スプロケット８０７を軸支する回転軸８０８に回転自在に設けられている。
【０１７０】
なお、図５５に示すように、モータ軸８１８の先端部がギヤカバー８６６に形成される受穴に遊嵌されている。また、回転軸８０８は、その一端がユニットベース体８０１に形成される軸受筒８０６に圧入されて支持され、その他端がギヤカバー８６６に形成される軸受穴に支持されるものであるが、ギヤ領域８４０の中央よりやや下方に形成された軸貫通穴８６４を貫通して振分空間８０５においてスプロケット８０７を回転自在に軸支し、ユニットサブ板８２５とギヤカバー８６６とによって形成される空間において検出円盤８５０を回転自在に軸支している。ただし、図５５に示すように、スプロケット８０７の後端部が検出円盤８５０の中心前面部と係合した状態となっているので、スプロケット８０７と検出円盤８５０とは、回転軸８０８を中心として一体的に回転するようになっている。したがって、払出モータ８１５が回転駆動すると、その回転が第一ギヤ８４３、第二ギヤ８４４、第三ギヤ８４７、検出円盤８５０のギヤ部８５２を介してスプロケット８０７を回転するように伝達される。
【０１７１】
この検出円盤８５０の外周は、ギヤ部８５２の円よりも一回り大きく形成されており、そのギヤ部８５２よりも外側に突出している外周部分には、スプロケット８０７の凹部と同じ数（図示の場合には、３個）の検出切欠８５１が形成されている。この検出切欠８５１は、ユニットサブ板８２５の表面に形成される基板取付部８５７に挟持支持されるセンサ基板８５４に設けられる投受光方式のセンサ８５５（回転位置検出手段）によって検出されるものである。そして、センサ８５５は、払出動作時において所定のインターバル時間内に検出切欠８５１の検出個数を検出することにより、スプロケット８０７が正常に回転しているか否かを監視するためのものである。仮に、センサ８５５により、異常回転が検出されたとき（多くは、スプロケット８０７による球噛み状態）には、スプロケット８０７を所定回数正逆回転させて異常状態（例えば、球噛み状態）を解消するものである。なお、実際に払いだされた球の個数は、前述した賞球通路８１０に設けられる払出球検出センサ８１２によって検出して計数のために使用している。なお、図５５に示すように、センサ基板８５４の他端辺もギヤカバー８６６に形成される基板取付部に挟持されるようになっている。
【０１７２】
上述したように、ギヤ領域８４０に設けられる複数のギヤのうち、第二ギヤ８４４だけがギヤカバー８６６側に圧入される回転軸８４５に回転自在に設けられているところ、ギヤ領域８４０を覆うギヤカバー８６６には、前記ユニットベース体８０１に突設されてユニットサブ板８２５の貫通穴８５８を貫通する取付ボス８２３の先端部に対応する位置に穿設される取付穴８６７が形成されている。そして、ギヤカバー８６６側に設けられる第二ギヤ８４４の歯とユニットサブ板８２５側に設けられる第一ギヤ８４３及び第三ギヤ８４７の歯とを噛み合わせながら、取付穴８６７と取付ボス８２３とを一致させた状態でギヤカバー８６６の後面からネジ８６８で螺着することにより、ユニットサブ板８２５を挟持する状態でベースユニット体４５１とギヤカバー８６６とが一体的に固定される。また、ギヤカバー８６６の一側側面には、前記中継基板８３０に接続される配線（例えば、中継基板８３０と後述する払出制御基板１１８６とを接続する配線等）を掛け留めて纏める配線処理片８６９が突設されている。
【０１７３】
以上、賞球ユニット８００の構成について説明してきたが、ユニットベース体８０１とユニットサブ板８２５と中継基板８３０と基板カバー８３５とギヤカバー８６６とを組み付けた状態においては、図５５に示すように、払い出すべき球が導かれる屈曲通路８０３の下方位置に払出モータ８１５の円筒状の本体部分が収納されるように位置する。また、ユニットベース体８０１には、球通路（屈曲通路８０３、賞球通路８１０、球抜通路８１１）内に配置されたスプロケット８０７と、球通路を避けた位置であって球通路の奥行き幅寸法内に形成されるモータ収納空間８１４に収納された払出モータ８１５と、を設け、ユニットサブ板８２５には、その非閉塞面側に沿って払出モータ８１５のモータ軸８１８の回転をスプロケット８０７の回転軸８０８に伝達する回転伝達部材（第一ギヤ８４３、第二，３ギヤ８４４，８４７、及び検出円盤８５０のギヤ部８５２）を設け、しかも、払出モータ８１５と屈曲通路８０３の振分空間８０５に配置される払出部材としてのスプロケット８０７とをユニットサブ板８２５の後面のギヤ領域８４０に設けられる複数のギヤ８４３，８４４，８４７，８５０（８５２）によって回転駆動するように連結した構造となっている。即ち、ユニットベース体８０１とユニットサブ板８２５との間に形成される球通路（屈曲通路８０３、賞球通路８１０、球抜通路８１１）の奥行き幅内にスプロケット８０７と払出モータ８１５とを収納し、しかも、スプロケット８０７と払出モータ８１５とを連結する回転伝達部材（第一ギヤ８４３、第二，３ギヤ８４４，８４７、及び検出円盤８５０のギヤ部８５２）をユニットサブ板８２５の非閉塞面側の所定幅内に沿って設けたので、球通路の外側に払出モータやスプロケットの一部を配置したものに比べて、賞球ユニット８００を薄型化することができる。
【０１７４】
また、このような賞球ユニット８００は、当該賞球ユニット８００内の球通路（屈曲通路８０３、賞球通路８１０、球抜通路８１１）が一条の通路形状で形成されることにより、より一層の薄型化が図られている。即ち、従来のように、払出モータ８１５を賞球ユニットの前面側又は後面側又は側方側に突出させるものと異なり、本体枠３の軸支側後面壁５４６の後面側に取り付けたときに、賞球ユニット８００のいずれの部分もさらに後方に向かって突出することがない構造とすることができる。なお、図５５において、払出モータ８１５の前端部分がユニットベース体８０１の後面よりも僅かに突出して構成されているが、この突出部分は、図２５に示すように、軸支側後面壁５４６の下方の払出モータ用逃げ開口部５７２から本体枠３の前方部分に臨むようになっているため、結果的にその突出寸法から軸支側後面壁５４６の板厚寸法を差し引いた寸法だけ突出する程度となり、軸支側後面壁５４６よりも前方に向かう突出量は僅かなものとなっている。また、このような構成をとることにより、本実施形態では、賞球ユニット８００が取り付けられる本体枠３の軸支側後面壁５４６と遊技盤４の裏面との間に、遊技盤４に設けられる遊技装置の後方突出部分を収納する収納空間を奥行き幅方向で大きくとることができる。
【０１７５】
更に、上記のように構成される賞球ユニット８００を本体枠３の軸支側後面壁５４６に取り付けるためには、図４７に示すように、鉤状係合部８２４と係合突片５６５とを対応させて位置合わせした後、賞球ユニット８００の下端を係止溝５７３に掛け止め且つ鉤状係合部８２４と係合突片５６５とを係合させるために賞球ユニット８００を軸支側後面壁５４６に密着させたまま下方に押下げる。このとき、賞球ユニット８００の下端部と係止溝５７３とが係合し且つ鉤状係合部８２４と係合突片５６５とが係合しているので、取付自体は完了しているが、賞球ユニット８００を上方に移動させることにより簡単に上記のそれぞれの係合状態が解除されてしまうため、これを防止するために、ロック用弾性爪５６４がボタン挿通係合穴８２１に係合するようになっている。
【０１７６】
つまり、ロック用弾性爪５６４とボタン挿通係合穴８２１とが係合することにより、取付状態で賞球ユニット８００の上方への移動を防止している。このように、賞球ユニット８００を取り付けた後に、球通路ユニット７７０の連結蓋部材７８６を前述したように回動して係止弾性爪８２０で係止することにより、球通路ユニット７７０の球落下通路７７２下流端と賞球ユニット８００の屈曲通路８０３の上流端とを一対の通路壁７９０によって構成される通路を介して連通化することができる。また、賞球ユニット８００を取り付けた状態では、賞球通路８１０の下流端と後に詳述する満タンユニット９００の賞球入口９２７とが接続され、球抜通路８１１の下流端が球抜接続通路８８０の上流端と接続される。
【０１７７】
一方、賞球ユニット８００を取り外すときは、係止弾性爪８２０による係合を解除して連結蓋部材７８６を手前側に回動し、その後、着脱ボタン８２２を押圧してロック用弾性爪５６４を前面側に移動させてロック用弾性爪５６４とボタン挿通係合穴８２１との係合を解除させ、その後着脱ボタン８２２を押圧したままの状態で賞球ユニット８００を上方に引き上げて賞球ユニット８００の下端部と係止溝５７３との係合及び鉤状係合部８２４と係合突片５６５との係合を解除して賞球ユニット８００を手前側に引き出すことにより、賞球ユニット８００を簡単に取り外すことができる。
【０１７８】
＜満タンユニット＞
上記した賞球ユニット８００の下流側に配置される満タンユニット９００について、主として図５６乃至図６２を参照して説明する。図５６は、賞球ユニット８００と満タンユニット９００との関係を示す斜視図であり、図５７は、満タンユニット９００の斜視図であり、図５８は、満タンユニット９００の正面から見た分解斜視図であり、図５９は、満タンユニット９００の背面から見た分解斜視図であり、図６０は、満タンユニット９００とファール口６１０との関係を示す一部破断斜視図であり、図６１は、満タンユニット９００に設けられる底面揺動板９０７部分で切断した横断面図であり、図６２は、満タンユニット９００とファール口６１０との関係を示す断面図である。
【０１７９】
満タンユニット９００は、前述したように本体枠３の満タンユニット載置部５３１に載置固定されるものであり、図５８に示すように、上面が開放したボックス状に形成されるボックス主体９０１と、該ボックス主体９０１の上面を覆う蓋体９２６とから構成されている。ボックス主体９０１は、賞球通路８１０の下流端から流入した球が内部をジグザグ状に誘導されて出口９２１から排出されるようになっている。このため、その上流部に蓋体９２６に形成される賞球入口９２７から流入した球を一端から他端に向かって側方に誘導する側方誘導通路９０２が形成されている。側方誘導通路９０２の賞球入口９２７の直下の一端部には、球を側方に向かって誘導するように凹円弧状に形成される側方誘導受部９０３が設けられ、側方誘導通路９０２の他端内面に側方誘導通路９０２を流れてきた球の衝撃を受け止めて該球を下流側に誘導する緩衝部材９０４が設けられている。
【０１８０】
また、側方誘導通路９０２の他端内面に設けられる緩衝部材９０４に衝突した球は、向きを下流側に変えた後、側方誘導通路９０２の球の流れと逆方向に流れるように誘導される逆側方誘導通路９０５が形成されている。逆側方誘導通路９０５を流れた球は、その後、前方に向かって形成される前方誘導通路９２０に導かれて該前方誘導通路９２０の流下端に形成される出口９２１から前述した皿ユニット３００の賞球連絡樋４５１に導かれる。
【０１８１】
ところで、前記逆側方誘導通路９０５の上流側の底面には、その底面の全域に亘って開口する底面開口９０６が形成され、その底面開口９０６を底面揺動板９０７が揺動自在に閉塞している。底面開口９０６は、上面が開放されたほぼ正方形の凹状に形成され、その内部の正面から見て前後方向の側壁に一対の軸支突起９１１が突設されている。また、底面開口９０６の凹状の底面にバネ９１３の下端を位置決めするための円形状のバネ載置凹部９１２が形成されている。一方、底面開口９０６を閉塞する底面揺動板９０７は、ほぼ正方形状に形成され、その裏面下流側に正面から見て前記軸支突起９１１に嵌合することにより軸支される半円形状の軸受部９０８が突設形成されている。
【０１８２】
また、底面揺動板９０７の裏面中央には、図６１に示すように、バネ９１３の上端が係止されるバネ係止突起９１０が下方に向かって突設されている。したがって、底面揺動板９０７は、バネ９１３の付勢力によりその上流側が常に上方へ揺動された方向に付勢されている。そして、バネ９１３は、通常の賞球の払出個数（例えば、１５個）が一度に底面揺動板９０７上に載置したときでも底面揺動板９０７が下方に揺動せず、賞球の払出個数以上の所定個数の球が底面揺動板９０７上に載置したときに下方に揺動するようなバネ係数を有するバネ部材によって形成されている。更に、底面揺動板９０７の上流側に検出突片９０９が前方に向かって突出されている。この検出突片９０９は、底面揺動板９０７の軸受部９０８を軸支突起９１１に嵌合軸支したときに、連通孔９２９を貫通して次に説明するスイッチ収納空間９１４に位置するようになっている。
【０１８３】
また、逆側方誘導通路９０５の上流端部の側壁の外側には、満タンスイッチ９１６を収納するためのスイッチ収納空間９１４が一体的に形成されている。スイッチ収納空間９１４に満タンスイッチ９１６を取り付けるために、スイッチ収納空間９１４の上部であって逆側方誘導通路９０５の上流端部の側壁の外側面にスイッチ取付部９１８が形成され、そのスイッチ取付部９１８に満タンスイッチ９１６を保持するスイッチホルダ９１５の取付片９１７がネジ９１９によって止着されている。満タンスイッチ９１６は、投光器と受光器とからなるスイッチとして構成され、その受光器と投光器との間を検出突片９０９が上下に揺動することによりＯＮ・ＯＦＦを検出するものである。
【０１８４】
更に、逆側方誘導通路９０５の下流側の一側方にファール球通路９２２が形成されている。ファール球通路９２２は、その上流側のファール球入口９２３が図６０に示すように、前述したファール口６１０に連通し、その下流側が前方誘導通路９２０の上流側に連通するように屈曲して形成されている。このため、ファール口６１０に取り入れられたファール球は、ファール球入口９２３から屈曲したファール球通路９２２を通って前方誘導通路９２０に導かれ、さらに出口９２１及び賞球連絡樋４５１を通って皿ユニット３００に戻される。
【０１８５】
また、ボックス主体９０１には、前記出口９２１の両側方と前記ファール球入口９２３の一側方に前記満タンユニット載置部５３１に形成されるユニット係合溝５３２に係合される係合片９２４が突設されると共に、蓋体９２６に形成される掛止片９２８と係合する掛止突起９２５が形成されている。この掛止突起９２５は、ボックス主体９０１の左右後方の側壁上部に適宜形成されている。
【０１８６】
一方、蓋体９２６は、ボックス主体９０１の側方誘導通路９０２、逆側方誘導通路９０５、前方誘導通路９２０、及びファール球通路９２２の上面を覆うような板形状に形成され、前記側方誘導通路９０２に上流端に対応する位置に正方形状の賞球入口９２７が開口されている。また、蓋体９２６の周囲には、ボックス主体９０１の前記掛止突起９２５と係合するための掛止片９２８が下方に向かって突設されている。
【０１８７】
上記のように構成される満タンユニット９００においては、図５６に示すように、賞球ユニット８００の賞球通路８１０から払出された球が賞球入口９２７から側方誘導通路９０２の上流側に入って側方誘導受部９０３によって側方に向かって誘導されて緩衝部材９０４に衝突する。緩衝部材９０４に衝突した球は、そのまま下流側に向かって逆側方誘導通路９０５を前記側方誘導通路９０２の誘導方向と逆方向に誘導されて前方誘導通路９２０に導かれ、前方誘導通路９２０の出口９２１から賞球連絡樋４５１を通って皿ユニット３００に導かれる。また、ファール球入口９２３から入ったファール球も屈曲したファール球通路９２２によって球の勢いを弱められて前方誘導通路９２０に合流し、前方誘導通路９２０の出口９２１から賞球連絡樋４５１を通って皿ユニット３００に導かれる。
【０１８８】
そして、通常時、満タンユニット９００内を球が自然に流れているときには、側方誘導通路９０２から逆側方誘導通路９０５に球が移動する際に、底面揺動板９０７に落下するが、通常の賞球の払出個数程度では、バネ９１３の弾発力が強いので、底面揺動板９０７が揺動することがなく、図６１の実線で示すように、検出突片９０９が投受光方式の満タンスイッチ９１６の投光器と受光器との間に入ってスイッチが導通しない状態（ＯＦＦ）となっている。これに対し、皿ユニット３００に賞球が貯留されて満タンユニット９００内にも球が充満してきたときには、前方誘導通路９２０及び逆側方誘導通路９０５の上流側の全域に形成される底面揺動板９０７上に貯留された球の圧力により底面揺動板９０７がバネ９１３の付勢力に抗して下方に揺動し、図６１の二点鎖線で示すように、検出突片９０９が投受光方式の満タンスイッチ９１６の投光器と受光器との間から外れてスイッチが導通した状態（ＯＮ）となる。満タンスイッチ９１６がＯＮすると、賞球ユニット８００の払出モータ８１５の回転駆動が停止（所定個数の賞球を払出している最中にＯＮ信号が導出された場合には、その所定個数の賞球が払出されてから停止）するようになっている。
【０１８９】
上記したように、満タンユニット９００においては、球が流下する通路（図示の場合には、逆側方誘導通路９０５）の通路底面の幅とほぼ同じ幅の底面揺動板９０７によって満タンスイッチ９１６を作動させるようにすると共に、通常時の球の流れによって揺動せずある程度の球が載置したときに底面揺動板９０７揺動するように付勢部材（バネ９１３）で付勢したので、従来のように一部の通路の底面等に球が載置したことにより球詰まりを検出するものに比べて、その一部の通路部分における球の載置が球詰まりによって検出されない事態を確実に防止することができる。このことは、球の満タンを確実に検出することができるものである。
【０１９０】
また、本実施形態に係る満タンユニット９００においては、本体枠３の満タンユニット載置部５３１に着脱自在に取り付けるものであるため、従来のように、満タン装置を本体枠に形成された払出通路の内部に組み付けるものに比べて、本体枠に満タン構造のための通路を形成する必要がない。また、満タンユニット９００の内部をジグザグ状の通路とすることにより、賞球ユニット８００の賞球通路８１０から払出された球の勢いを弱めながら皿ユニット３００に誘導することができるので、払い出された賞球が皿ユニット３００から外に飛び出すこともない。更に、本実施形態に係る満タンユニット９００は、ファール球を導くファール球通路９２２が賞球を払い出す前方誘導通路９２０の途中に球の勢いを弱めて合流するようになっているので、賞球の流れを阻害することなくファール球を合流させることができる。
【０１９１】
＜錠装置＞
次に、本体枠３の開放側の裏側端辺に沿って垂直方向に取り付けられる錠装置１０００について主として図６３乃至図７１を参照して説明する。図６３は、錠装置１０００と本体枠３との関係を示す背面斜視図であり、図６４は、錠装置１０００の本体枠３への掛け止め構造を示す拡大側方断面図であり、図６５は、パチンコ機１の縦方向中央よりやや下方の位置で水平方向に切断した一部断面図であり、図６６は、錠装置１０００と本体枠３の側壁５４０，５４１との詳細な関係を示す拡大断面図であり、図６７は、錠装置１０００の側面図（Ａ）、前面側から見た斜視図（Ｂ）であり、図６８は、錠装置１０００の背面側から見た斜視図（Ａ）、錠装置１０００のコ字状基体１００１の内部に摺動自在に設けられる扉枠用摺動杆１０４０と本体枠用摺動杆１０５０の斜視図（Ｂ），（Ｃ）であり、図６９は、錠装置１０００の分解斜視図であり、図７０は、扉枠用摺動杆１０４０と本体枠用摺動杆１０５０の作用を説明するための正面図であり、図７１は、不正防止部材１０２３，１０３２の作用を説明するための正面図である。
【０１９２】
錠装置１０００は、本体枠３の開放側の第一側面壁５４０に沿って本体枠３のほぼ上端から下端にかけて取り付けられるものであり、図６３に示すように、本体枠３の外周側辺と第一側面壁５４０の立ち上がり部との間の上下端近い部分及び中程に形成される複数（図示の場合、３個）の錠係止穴５４８と、第一側面壁５４０の垂直面の上部と中程に切り欠けられて形成される錠取付穴５４７とシリンダー錠貫通穴５２６の上部近傍に形成される錠取付穴５４７と、によって次に説明する錠装置１０００のコ字状基体１００１が支持固定されるものである。そこで、以下、錠装置１０００の構造について詳細に説明する。
【０１９３】
図６７乃至図６９に示すように、錠装置１０００は、断面コ字状に形成される錠基体としてのコ字状基体１００１と、該コ字状基体１００１内に摺動自在に設けられる扉枠用摺動杆１０４０と、前記コ字状基体１００１内に摺動自在に設けられる本体枠用摺動杆１０５０と、該本体枠用摺動杆１０５０の摺動を不正に行うことができないようにコ字状基体１００１の下部に取り付けられる不正防止部材１０２３，１０３２と、からなる。
【０１９４】
コ字状基体１００１は、金属を断面コ字状となるように折り曲げ、その内部に扉枠用摺動杆１０４０と本体枠用摺動杆１０５０とを摺動可能に設けるものであるが、その横幅寸法は従来の断面Ｌ字状に成形された基体に集約される錠装置に比べて極めて薄いものとなっている。これは、前述したように遊技盤４の左右方向及び上下方向の大きさを極めて大きくすると共に、本体枠３の側面壁５４０〜５４３で囲まれる空間を大きくしたため、側面壁５４０と本体枠３の外周辺との間の寸法が極めて小さくなっていることにより、本実施形態に係る錠装置１０００の横幅寸法を小さく形成して錠装置１０００を本体枠３の裏側に取り付けることができるような取付構造として改良したためである。そして、コ字状基体１００１の断面コ字状の開放側が本体枠３の裏面に対面するように取り付けられるため、錠装置１０００が本体枠３に取り付けられた状態では、内部に設けられる扉枠用摺動杆１０４０と本体枠用摺動杆１０５０とが、それぞれのフック部１０４１、１０５４，１０６５を除いてコ字状基体１００１に完全に被覆された状態の不正防止構造となっている。
【０１９５】
まず、コ字状基体１００１の開放側と反対の閉塞側上下に本体枠用摺動杆１０５０のフック部１０５４，１０６５が貫通される長方形状のフック貫通開口１００２が開設されると共に、閉塞側であって第一側面壁５４０と密着する側面１００１ｂ（図６９参照）上部と中程に水平方向にビス止め部１００３が突設され、更に、開放側の第一側面壁５４０と密着しない側面１００１ａ（図６９参照）の上端部及び中間部と、開放側の両側面１００１ａ，１００１ｂの下端部に係止突起１００４が突設形成されている。
【０１９６】
このビス止め部１００３と係止突起１００４は、錠装置１０００を本体枠３の裏面に取り付けるためのものであり、係止突起１００４を本体枠３の錠係止穴５４８に差し込んで上方に移動させ（図６４参照）、その状態でビス止め部１００３と錠取付穴５４７とが一致するため、その一致した穴に図示しないビスを螺着することにより、錠装置１０００を本体枠３に強固に固定することができる。なお、錠装置１０００のビスによる取付けは、上部と中程のビス止め部１００３だけではなく、後述する錠取付片１００８に形成されるビス止め部１００３と前記シリンダー錠貫通穴５２６の上方近傍に形成される錠取付穴５４７とを対応させて図示しないビスで止着することにより、錠装置１０００の下方も取り付けられるようになっている。
【０１９７】
また、その取り付けに際し、コ字状基体１００１の開放側（前方部）の上中下の３箇所に形成される係止突起１００４を錠係止穴５４８に差し込んで位置決め係止し、コ字状基体１００１の閉塞側（後方部）の上中の２箇所に形成されたビス止め部１００３及びコ字状基体１００１の開放側（前方部）に形成されたビス止め部１００３を錠取付穴５４７にビスで固定する構造であるため、錠装置１０００の前方部を係止突起１００４と錠係止穴５４８で係止し、錠装置１０００の後方部をビス止め部１００３と錠取付穴５４７で固定し且つ錠装置１０００の下方部をビス止め部１００３と錠取付穴５４７で固定するので、極めて簡単な構造で錠装置１０００を本体枠３に強固に固定することができるものである。
【０１９８】
換言すると、錠装置１０００を極めて横幅寸法の薄いコ字状基体１００１に集約して構成した場合でも、錠装置１０００の前方部と後方部との係止及び固定により、錠装置１０００を本体枠３に強固に固定することができるものである。特に、本実施形態の場合には、前方部の係止構造（固定構造でもよい）を構成する係止突起１００４がコ字状基体１００１の第一側面壁５４０と密着しない側面１００１ａに突設形成される一方、後方部の固定構造を構成するビス止め部１００３及びビス止め部１００３がコ字状基体１００１の第一側面壁５４０と密着する側面１００１ｂから水平方向に突設形成される構造であるため、前方部の係止構造が第一側面壁５４０と密着する側面１００１ｂに形成される場合に比べて、ガタ付きが生じないように錠装置１０００を本体枠３に固定することができるものである。
【０１９９】
また、コ字状基体１００１の両側面１００１ａ，１００１ｂの上部、中程、下部に挿通穴１００５が形成され、コ字状基体１００１に扉枠用摺動杆１０４０及び本体枠用摺動杆１０５０を収納した状態で挿通穴１００５にリベット１００６を差込んでかしめることにより、コ字状基体１００１の内部に扉枠用摺動杆１０４０及び本体枠用摺動杆１０５０を摺動自在に取り付けることができる。即ち、扉枠用摺動杆１０４０の上中下の３箇所に形成されるリベット用長穴１０４２と本体枠用摺動杆１０５０の上フック部材１０５１及び下フック部材１０５２にそれぞれ１つずつ形成されるリベット用長穴１０５５，１０６１にリベット１００６を貫通させることにより、扉枠用摺動杆１０４０が上方に移動できるようにし、本体枠用摺動杆１０５０が下方に移動できるようになっている。したがって、図６８（Ｂ）に示すように本体枠用摺動杆１０５０のリベット用長穴１０５５，１０６１の下端部にリベット１００６が貫通しており、図６８（Ｃ）に示すように扉枠用摺動杆１０４０のリベット用長穴１０４２の上端部にリベット１００６が貫通している。
【０２００】
更に、コ字状基体１００１の下方部には、その閉塞側面に不正防止切欠部１００７が形成されると共に、その開放側の本体枠３の第一側面壁５４０と密着する側面１００１ｂの前端部にシリンダー錠１０１０を取り付けるための錠取付片１００８が側方に向かって突設され、更に、第一側面壁５４０と密着する側面１００１ｂに挿入縦開口１０２０、バネ係止片１０２１、及び逃げ横穴１０２２がそれぞれ形成されている。不正防止切欠部１００７は、後に説明する第一不正防止部材１０２３のストッパー片部１０２７が進退するようになっている。この点については、後に詳述する。また、錠取付片１００８は、錠装置１０００を本体枠３の裏面に取り付けた状態で、遊技盤設置凹部５１０の下端辺よりも下方の位置となるようにコ字状基体１００１の側面１００１ｂの前端部から側方に向かって突設されるが、この錠取付片１００８には、シリンダー錠１０１０が貫通する錠挿通穴１００９が形成されると共にシリンダー錠１０１０の錠取付基板１０１１に形成される取付穴１０１３をビス１０１２で取り付けるための取付穴１０１４が上下２箇所に穿設され、更に、錠装置１０００の下部を本体枠３の裏面に取り付けるためのビス止め部１００３が穿設されている。
【０２０１】
また、挿入縦開口１０２０は、シリンダー錠１０１０に固定される係合カム１０１６の第一係合突片１０１７及び第二係合突片１０１８がシリンダー錠１０１０の回動時に侵入するための開口であり、バネ係止片１０２１は、不正防止部材１０２３，１０３２に設けられるバネ１０３５が係止されるものであり、逃げ横穴１０２２は、連結ピン１０３４の移動の邪魔をしないように逃げ穴を構成するものである。この点については後に詳述する。
【０２０２】
上記した錠取付片１００８に取り付けられるシリンダー錠１０１０について説明すると、シリンダー錠１０１０は、錠取付基板１０１１の前方に円筒状のシリンダー錠本体が固定され、そのシリンダー錠本体の錠軸１０１５が錠取付基板１０１１より後面に出ており、その錠軸１０１５の後端に係合カム１０１６がビス１０１９によって固定されている。係合カム１０１６は、ブーメラン形状に形成され、その一端辺が回動時に本体枠用摺動杆１０５０の下降係合穴１０６２に係合する第一係合突片１０１７となっており、その他端辺が回動時に扉枠用摺動杆１０４０の上昇係合穴１０４５に係合する第二係合突片１０１８となっている。そして、上記のように構成されるシリンダー錠１０１０は、円筒状のシリンダー錠本体部分を錠挿通穴１００９に挿通して錠取付基板１０１１の上下２箇所に形成される取付穴１０１３と錠取付片１００８の取付穴１０１４とを一致させてビス１０１２で螺着することにより、シリンダー錠１０１０をコ字状基体１００１に固定することができる。
【０２０３】
次に、コ字状基体１００１に取り付けられる不正防止部材１０２３，１０３２，について図６９を参照して説明する。不正防止部材１０２３，１０３２は、シリンダー錠１０１０を正式な鍵で回動せずに、例えばピアノ線や針金等で不正に本体枠用摺動杆１０５０を下降させることを防止するためのものである。しかして、不正防止部材１０２３，１０３２は、第一不正防止部材１０２３と第二不正防止部材１０３２とを連結ピン１０３４で連結した構造となっている。第一不正防止部材１０２３は、上端の揺動軸穴１０２５を中心にして揺動自在に構成される縦長の板状に形成され、その揺動軸穴１０２５を前述したコ字状基体１００１の内部に扉枠用摺動杆１０４０及び本体枠用摺動杆１０５０を摺動自在に取り付けるための挿通穴１００５及びリベット１００６のうち、最下方の挿通穴１００５及びリベット１００６によって取り付けられる。
【０２０４】
また、第一不正防止部材１０２３には、その板状面に前記挿入縦開口１０２０と重複する縦長な突片挿入穴１０２６が開設され、この突片挿入穴１０２６に第二係合突片１０１８が挿入し得るようになっている。つまり、突片挿入穴１０２６と挿入縦開口１０２０を第二係合突片１０１８が貫通することにより、コ字状基体１００１の内部に設けられる扉枠用摺動杆１０４０の上昇係合穴１０４５と第二係合突片１０１８とが係合するようになっている。また、第一不正防止部材１０２３の突片挿入穴１０２６の開設位置の斜め上方の外形線が傾斜部１０２４となっている。この傾斜部１０２４は、係合カム１０１６の回動時に第一係合突片１０１７の後面側と当接するもので、係合カム１０１６の回動時に第一係合突片１０１７と傾斜部１０２４とが当接することにより第一不正防止部材１０２３が揺動軸穴１０２５を中心として揺動（図７１（Ｂ）において時計回転方向）するようになっている。
【０２０５】
更に、第一不正防止部材１０２３には、前記突片挿入穴１０２６の斜め下方の外形線上にストッパー片部１０２７が突設され、そのストッパー片部１０２７の下方に規制突片１０３１が突設され、該規制突片１０３１の前方部にピン穴１０２９と連結穴１０３０とが上下に形成されている。ストッパー片部１０２７は、本体枠用摺動杆１０５０の施錠時に前記不正防止切欠部１００７及び本体枠用摺動杆１０５０の係合切欠部１０６６に侵入係合して本体枠用摺動杆１０５０が不正に摺動しないようにするものである。また、規制突片１０３１は、第一不正防止部材１０２３と第二不正防止部材１０３２とはバネ１０３５によって連結されるが、そのバネ１０３５で連結されたときに第二不正防止部材１０３２の付勢方向への移動を規制するものである。ピン穴１０２９は、ガイドピン１０２８が固定されるものであり、ガイドピン１０２８が第一不正防止部材１０２３の裏面側からピン穴１０２９に固定された状態で、そのガイドピン１０２８を前記挿入縦開口１０２０の最下端部に形成される横長状開口部に係合させることにより、第一不正防止部材１０２３をコ字状基体１００１の側面１００１ｂに沿って案内するものである。更に、連結穴１０３０は、第一不正防止部材１０２３と第二不正防止部材１０３２とを連結ピン１０３４で連結するためのものである。
【０２０６】
上記した第一不正防止部材１０２３に連結される第二不正防止部材１０３２は、逆「て」字状の板材で形成され、その上部一端に連結穴１０３３が形成され、その上部他端にバネ係止穴１０３６が穿設され、下方端部に当接部１０３７が設けられている。連結穴１０３３は、第一不正防止部材１０２３の連結穴１０３０と一致させて連結ピン１０３４で連結するためのものであり、バネ係止穴１０３６は、一端がコ字状基体１００１のバネ係止片１０２１に係止されるバネ１０３５の他端を係止するものである。また、当接部１０３７は、本体枠３の閉鎖時に外枠２の内側下部に固定される閉鎖用突起４１と当接するものである。なお、上記した第一不正防止部材１０２３及び第二不正防止部材１０３２の作用については、後に詳述する。
【０２０７】
次に、コ字状基体１００１の内部に摺動自在に設けられる扉枠用摺動杆１０４０及び本体枠用摺動杆１０５０について説明する。まず、扉枠用摺動杆１０４０は、縦長の金属製の板状部材から構成され、その一側縦辺の上中下の３箇所に扉枠用フック部１０４１が前方に向かって一体的に突設されている。この扉枠用フック部１０４１は、コ字状基体１００１内に収納したときに、その開放側から前方に突出しているもので、錠装置１０００を本体枠３の裏面に固定したときに、本体枠３に形成される扉用フック穴５４９（図２１及び図２２参照）から前方に突出し、扉枠５の裏面に形成されるフックカバー２２７（図１５参照）に係止するものである。なお、扉枠用フック部１０４１は、下向きの係合爪形状となっているため、扉枠用摺動杆１０４０を上昇させることにより扉枠用フック部１０４１とフックカバー２２７との係止状態を解除することができる。
【０２０８】
また、扉枠用摺動杆１０４０の上中下の側面中央に、前記リベット１００６が挿通される縦長のリベット用長穴１０４２が形成され、該リベット用長穴１０４２のうちの最上部のリベット用長穴１０４２の下方及び扉枠用摺動杆１０４０の最下端にガイド突起１０４３が突設されている。リベット用長穴１０４２は、コ字状基体１００１の挿通穴１００５に挿通されるリベット１００６が貫通されるものであり、しかも、このリベット１００６が扉枠用摺動杆１０４０の上昇動作を邪魔しないように縦長に形成されている。そして、通常状態においては、リベット用長穴１０４２の上端部にリベット１００６が貫通当接した状態となっている。また、ガイド突起１０４３は、本体枠用摺動杆１０５０の上フック部材１０５１及び下フック部材１０５２に形成される突片移動穴１０５６，１０６４に挿通されるものであり、扉枠用摺動杆１０４０と本体枠用摺動杆１０５０との相互の摺動動作を案内するようになっている。
【０２０９】
また、扉枠用摺動杆１０４０の上端部にスプリングフック部１０４６が形成され、このスプリングフック部１０４６にスプリング１０４８の一端が係止され、そのスプリング１０４８の他端が本体枠用摺動杆１０５０の上フック部材１０５１に形成されるスプリングフック部１０５７に係止される。これにより、扉枠用摺動杆１０４０が下方向に、本体枠用摺動杆１０５０が上方向に、それぞれ相互に付勢されている。扉枠用摺動杆１０４０の中程には、当接弾性片１０４７が凸状に形成されている。この当接弾性片１０４７は、扉枠用摺動杆１０４０の一側側面からプレスで打ち出して凸状に形成したものであり、コ字状基体１００１の内側面に当接して内部で扉枠用摺動杆１０４０がガタつかないようにするものである。
【０２１０】
更に、扉枠用摺動杆１０４０の下方部分の側面には、共に縦長な遊び穴１０４４と上昇係合穴１０４５とが形成されている。遊び穴１０４４は、係合カム１０１６の第一係合突片１０１７が差し込まれて回動するときに、その回動動作の邪魔にならないように第一係合突片１０１７の先端部が移動しえる空間を構成するものである。また、上昇係合穴１０４５は、係合カム１０１６の第二係合突片１０１８が差し込まれて回動するときに、その回動動作によって扉枠用摺動杆１０４０が上昇するように係合するためのものである。なお、扉枠用摺動杆１０４０の縦辺下部後方には、前記不正防止切欠部１００７よりも上下方向に大きな切欠である逃げ切欠部１０４９が形成されている。この逃げ切欠部１０４９は、第一不正防止部材１０２３のストッパー片部１０２７を確実に不正防止切欠部１００７及び係合切欠部１０６６に係合させるために邪魔しないように形成されるものである。
【０２１１】
一方、本体枠用摺動杆１０５０は、金属板製の上フック部材１０５１と、金属板製の下フック部材１０５２と、上フック部材１０５１と下フック部材１０５２とを連結する連結線杆１０５３と、から構成されている。つまり、本体枠用摺動杆１０５０は、従来のように１つの金属製の縦長板で構成されているわけではなく、フック部１０５４，１０６５を有する上フック部材１０５１と下フック部材１０５２とを金属製の板材をプレスで形成し、その金属製の上フック部材１０５１と下フック部材１０５２とを細い金属製の連結線杆１０５３で連結したものである。このため、狭いコ字状基体１００１の空間に扉枠用摺動杆１０４０と本体枠用摺動杆１０５０とを効率よく収納することができる。
【０２１２】
ところで、上フック部材１０５１には、その上端部に後方に向かってフック部１０５４が突設され、その板面部にリベット用長穴１０５５と突片移動穴１０５６とが形成され、また、その前方の縦辺下端部にスプリングフック部１０５７と連結穴１０５８とが形成され、さらに、その上辺及び下辺に当接部１０５９が形成されている。フック部１０５４は、コ字状基体１００１の上方のフック貫通開口１００２を貫通して外枠２の開放側内側の上部に設けられる閉鎖用突起３８に係合するもので上向きに係止爪部が形成されている。
【０２１３】
このリベット用長穴１０５５は、扉枠用摺動杆１０４０の上部に形成されるリベット用長穴１０４２に対応するものであり、このリベット用長穴１０５５にリベット１００６が貫通された通常の状態では、リベット１００６がリベット用長穴１０５５の最下端部を貫通した状態となっている。これにより、上フック部材１０５１が下方に向かって移動することができるようになっている。突片移動穴１０５６は、前述したように扉枠用摺動杆１０４０の上方のガイド突片１０４３が挿入されて、扉枠用摺動杆１０４０と本体枠用摺動杆１０５０との相互の移動を案内するようになっている。スプリングフック部１０５７は、前述したようにスプリング１０４８の他端が係止されるものである。また、連結穴１０５８は、連結線杆１０５３の上端が折り曲げられて挿入されるものである。更に、当接部１０５９は、コ字状基体１００１に収納されたときに、該コ字状基体１００１の内部側壁に当接して上フック部材１０５１の摺動動作においてガタつきがなくスムーズに行われるようにするためのものである。
【０２１４】
一方、下フック部材１０５２には、その下端部に後方に向かってフック部１０６５が突設され、その板面部の上方から下方にかけてリベット用長穴１０６１と下降係合穴１０６２と遊び穴１０６３と突片移動穴１０６４とが順次形成され、また、その前方の縦辺上端部に連結穴１０６０が、その後方の縦辺下部に係合切欠部１０６６がそれぞれ形成され、さらに、その上辺及び下辺に当接部１０６７が形成されている。フック部１０６５は、コ字状基体１００１の下方のフック貫通開口１００２を貫通して外枠２の開放側内側の下部に設けられる閉鎖用突起４１に係合するもので上向きに係止爪部が形成されている。リベット用長穴１０６１は、扉枠用摺動杆１０４０の下部に形成されるリベット用長穴１０４２に対応するものであり、このリベット用長穴１０６１にリベット１００６が貫通された通常の状態では、リベット１００６がリベット用長穴１０６１の最下端部を貫通した状態となっている。
【０２１５】
これにより、下フック部材１０５２が下方に向かって移動することができるようになっている。下降係合穴１０６２は、係合カム１０１６の第一係合突片１０１７が差し込まれて回動するときに、その回動動作によって本体枠用摺動杆１０５０が下降するように係合するためのものである。また、遊び穴１０６３は、係合カム１０１６の第二係合突片１０１８が差し込まれて回動するときに、その回動動作の邪魔にならないように第二係合突片１０１８の先端部が移動し得る空間を構成するものである。突片移動穴１０６４は、前述したように扉枠用摺動杆１０４０の下方のガイド突片１０４３が挿入されて、扉枠用摺動杆１０４０と本体枠用摺動杆１０５０との相互の移動を案内するようになっている。また、連結穴１０６０は、連結線杆１０５３の下端が折り曲げられて挿入されるものである。更に当接部１０６７は、コ字状基体１００１に収納されたときに、該コ字状基体１００１の内部側壁に当接して下フック部材１０５２の摺動動作においてガタつきがなくスムーズに行われるようにするためのものである。
【０２１６】
以上、錠装置１０００を構成する各部材について説明してきたが、この錠装置１０００を組み付けるには、本体枠用摺動杆１０５０の上フック部材１０５１と下フック部材１０５２とを連結線杆１０５３で連結し、その状態で扉枠用摺動杆１０４０のガイド突片１０４３を上フック部材１０５１と下フック部材１０５２の突片移動穴１０５６，１０６４に挿入すると共に、相互のリベット長穴１０４２とリベット用長穴１０５５，１０６１を位置合わせして重ね合わせ、その重ね合わせた状態で上フック部材１０５１のフック部１０５４と下フック部材１０５２のフック部１０６５とをコ字状基体１００１のフック貫通開口１００２に貫通させながら扉枠用摺動杆１０４０及び本体枠用摺動杆１０５０をコ字状基体１００１のコ字状の空間に挿入する。その後、挿通穴１００５からリベット１００６を差し込む。
【０２１７】
この際、リベット１００６がリベット用長穴１０５５，１０６１、１０４２を貫通するように差し込む。ただし、最下端のリベット１００６を差し込むときには、第一不正防止部材１０２３の揺動軸穴１０２５にもリベット１００６を差し込んで第一不正防止部材１０２３をコ字状基体１００１に同時に取り付ける必要がある。なお、第一不正防止部材１０２３をコ字状基体１００１に取り付ける前に、第一不正防止部材１０２３と第二不正防止部材１０３２とを連結ピン１０３４で連結し且つガイドピン１０２８をピン穴１０２９に図示しないビスで止着しておき、さらにガイドピン１０２８を挿入縦開口１０２０の最下端の開口部に挿入しておく必要がある。
【０２１８】
更に、リベット１００６で扉枠用摺動杆１０４０及び本体枠用摺動杆１０５０をコ字状基体１００１内に収納固定した状態で、スプリング１０４８をスプリングフック部１０４６，１０５７相互間に掛け渡し、扉枠用摺動杆１０４０と本体枠用摺動杆１０５０とを相互に反対方向に付勢し、さらに、バネ１０３５をバネ係止片（穴）１０２１，１０３６に掛け渡して第二不正防止部材１０３２が規制突片１０３１に当接した状態とする。その後、錠取付片１００８の錠挿通穴１００９にシリンダー錠１０１０の円筒状本体部分を挿入してシリンダー錠１０１０をビス１０１２で取付穴１０１４に固定する。なお、このとき係合カム１０１６の第一係合突片１０１７の先端部が傾斜部１０２４の外側で且つ挿入縦開口１０２０に僅かに挿入し、係合カム１０１６の第二係合突片１０１８の先端部が第一不正防止部材１０２３の突片挿入穴１０２６及び挿入縦開口１０２０に僅かに挿入した状態となるようにシリンダー錠１０１０を錠取付片１００８に取り付ける。
【０２１９】
上記のようにして組み付けた錠装置１０００を本体枠３の裏面に取り付けるためには、前述したように、扉枠用摺動杆１０４０の扉枠用フック部１０４１を本体枠３に形成される扉用フック穴５４９に差し込みながら、鉤型に突出する係止突起１００４を本体枠３の錠係止穴５４８に差し込んで上方に移動させ、その状態で水平方向に突出したビス止め部１００３及びビス止め部１００３を錠取付穴５４７に一致させ、その一致した穴に図示しないビスを螺着することにより、図６３に示すように、錠装置１０００を本体枠３の裏面に強固に固定することができる。特に、本実施形態の場合には、前方部の係止構造を構成する係止突起１００４がコ字状基体１００１の第一側面壁５４０と密着しない側面１００１ａに突設形成される一方、後方部の固定構造を構成するビス止め部１００３及びビス止め部１００３がコ字状基体１００１の第一側面壁５４０と密着する側面１００１ｂから水平方向に突設形成される構造であるため、前方部の係止構造が第一側面壁５４０と密着する側面１００１ｂに形成される場合に比べて、ガタ付きが生じないように錠装置１０００を本体枠３に固定することができるものである。
【０２２０】
ところで、本体枠３の裏面に取り付けられた錠装置１０００の作用について図７０及び図７１を参照して説明する。まず、図７０を参照して本体枠３の開閉動作と扉枠５の開閉動作について説明する。本体枠３が外枠２に対して閉じ且つ扉枠５が本体枠３に対して閉じている状態においては、図７０（Ａ）に示すように、外枠２の閉鎖用突起３８，４１と本体枠用摺動杆１０５０のフック部１０５４，１０６５とが係止し且つ扉枠用摺動杆１０４０の扉枠用フック部１０４１と扉枠５のフックカバー２２７とが係止した状態となっている。その状態でシリンダー錠１０１０に図面示しない鍵を差し込んで係合カム１０１６の第一係合突片１０１７が挿入縦開口１０２０内に侵入する方向に回動すると、図７０（Ｂ）に示すように、第一係合突片１０１７の先端が本体枠用摺動杆１０５０の下降係合穴１０６２に係合してスプリング１０４８の付勢力に抗して下フック部材１０５２を下方に押下げ、これと連結されている連結線杆１０５３と上フック部材１０５１も押下げられて下降する。このため、外枠２の閉鎖用突起３８，４１と本体枠用摺動杆１０５０のフック部１０５４，１０６５とが係止状態が解除されるため、本体枠３を前面側に引くことにより本体枠３を外枠２に対して開放することができる。
【０２２１】
なお、本体枠３を閉じる場合には、フック部１０５４，１０６５がスプリング１０４８の付勢力により上昇した状態（図７０（Ａ）に示す状態と同じ上昇した位置）となっているが、フック部１０５４，１０６５の上辺が外側に向かって下り傾斜しているため、強制的に本体枠３を外枠２に対して押圧することにより、フック部１０５４，１０６５の上辺傾斜部が閉鎖用突起３８，４１の下端部と当接するので、本体枠用摺動杆１０５０が下方に下降し、遂には、フック部１０５４，１０６５の上向き爪部と閉鎖用突起３８，４１とが再度係止した状態となって本体枠用摺動杆１０５０が上昇して係止状態に戻る。
【０２２２】
一方、シリンダー錠１０１０に図示しない鍵を差し込んで係合カム１０１６の第二係合突片１０１８が挿入縦開口１０２０内に侵入する方向に回動すると、図７０（Ｃ）に示すように、第二係合突片１０１８の先端が扉枠用摺動杆１０４０の上昇係合穴１０４５に係合してスプリング１０４８の付勢力に抗して扉枠用摺動杆１０４０を上方に押し上げ上昇する。このため、扉枠５のフックカバー２２７と扉枠用摺動杆１０４０の扉枠用フック部１０４１とが係止状態が解除されるため、扉枠５を前面側に引くことにより扉枠５を本体枠３に対して開放することができる。
【０２２３】
なお、扉枠５を閉じる場合には、扉枠用フック部１０４１がスプリング１０４８の付勢力により下降した状態（図７０（Ａ）に示す状態と同じ下降した位置）となっているが、扉枠用フック部１０４１の下辺が外側に向かって上り傾斜しているため、強制的に扉枠５を本体枠３に対して押圧することにより、扉枠用フック部１０４１の下辺傾斜部がフックカバー２２７の上端部と当接するので、扉枠用摺動杆１０４０が上方に上昇し、遂には、扉枠用フック部１０４１の下向き爪部とフックカバー２２７とが再度係止した状態となって扉枠用摺動杆１０４０が下降して係止状態に戻る。なお、本実施形態における扉枠用摺動杆１０４０は、コ字状基体１００１の全長とほぼ同じ長さに形成されると共に、そのコ字状基体１００１が本体枠３の縦方向の側面のほぼ全長に亘って取り付けられ、しかも、扉枠５との係止部である扉枠用フック部１０４１が扉枠用摺動杆１０４０の上端部、中央部、下端部の３箇所に形成されているため、扉枠５と本体枠３の縦方向の全長における施錠が確実に行われ、扉枠５と本体枠３との間を無理やりこじ開けてその間からピアノ線等の不正具を挿入する不正行為を行うことができないという利点もある。
【０２２４】
上記したように、本実施形態に係る錠装置１０００は、シリンダー錠１０１０に差し込んだ鍵を一方向に回動することにより、外枠２に対する本体枠３の施錠を解除し、他方向に回動することにより、本体枠３に対する扉枠５の施錠を解除することができる。この場合、シリンダー錠１０１０に鍵を差し込むことなく本体枠用摺動杆１０５０のフック部１０５４，１０６５にピアノ線等を引っ掛けてこれを下降させる不正行為が行われることがあるが、本実施形態においては、このような不正行為を行うことができないようになっている。このような不正行為を防止する構造の第一番目が第一不正防止部材１０２３と第二不正防止部材１０３２とから構成されるロック機構であり、第二番目の不正防止構造がコ字状基体１００１の閉鎖空間に扉枠用摺動杆１０４０及び本体枠用摺動杆１０５０が収納される構造である。
【０２２５】
まず、第一番目の不正防止構造であるロック機構の作用について図７１を参照して説明する。まず、外枠２と本体枠３とが閉じている状態においては、図７１（Ａ）に示すように、外枠２の閉鎖用突起４１と第二不正防止部材１０３２の当接部１０３７とが当接した状態となっている。この状態においては、バネ１０３５の付勢力により第一不正防止部材１０２３が反時計方向に回動してストッパー片部１０２７が不正防止切欠部１００７内に侵入し、ストッパー片部１０２７が不正防止切欠部１００７に対応する位置にある本体枠用摺動杆１０５０の下フック部材１０５２に形成される係合切欠部１０６６と係合した状態となっている。このため、本体枠用摺動杆１０５０にピアノ線等を引っ掛けて引き降ろそうとしても、ストッパー片部１０２７と係合切欠部１０６６とが係合しているので、本体枠用摺動杆１０５０を不正に下方に引き降ろすこと（解錠すること）が不能となり、本体枠３を開放するという不正行為を行うことができない。
【０２２６】
一方、シリンダー錠１０１０に鍵を差し込んで正規に本体枠３を開錠する場合には、図７１（Ｂ）に示すように、鍵を回動させることにより係合カム１０１６の第一係合突片１０１７が挿入縦開口１０２０内に侵入するように回動される。この第一係合突片１０１７の回動時に、第一不正防止部材１０２３の傾斜部１０２４と第一係合突片１０１７の側面とが当接するため、第一不正防止部材１０２３が揺動軸穴１０２５を中心として図示の時計回転方向に回転を始め、ストッパー片部１０２７も不正防止切欠部１００７から退避するように移動する。このため、ストッパー片部１０２７と係合切欠部１０６６との係合が解除された状態となる。このとき、第二不正防止部材１０３２は、バネ１０３５を伸ばして当接部１０３７が後退した位置となっている。この状態でさらに係合カム１０１６を回動させて第一係合突片１０１７も回動させると、第一係合突片１０１７の先端が下フック部材１０５２の下降係合穴１０６２に係合して本体枠用摺動杆１０５０の全体を下降させるので、フック部１０５４，１０６５と外枠２の閉鎖用突起３８，４１との係止状態が解除されて本体枠３を外枠２に対して開放することができる。
【０２２７】
なお、本体枠３を外枠２に対して閉じるときには、第二不正防止部材１０３２は、規制突片１０３１に当接した状態となっているため、第一不正防止部材１０２３と第二不正防止部材１０３２との位置関係は、図７１（Ａ）に示す状態とほぼ同じ位置関係になっている。この状態で本体枠３を閉めると、外枠２の閉鎖用突起４１と第二不正防止部材１０３２の当接部１０３７とが正面から当接し、最終的に図７１（Ａ）に示す状態となる。このため、第一不正防止部材１０２３と第二不正防止部材１０３２とが本体枠３を閉じるときに邪魔になることはない。また、本実施形態においては、第一不正防止部材１０２３と第二不正防止部材１０３２とが本体枠用摺動杆１０５０の下降動作だけが不正に行われないように防止しているのは、本体枠用摺動杆１０５０を不正に開放すれば、解放後に扉枠用摺動杆１０４０を手動で簡単に開けることができることと、ピアノ線等で摺動杆を上昇させる不正行為は事実上行い難いという理由により、本体枠用摺動杆１０５０に対する不正操作ができないように工夫されている。
【０２２８】
また、上記した第一番目の不正防止構造であるロック機構であっても、第一不正防止部材１０２３をピアノ線等で揺動させることにより、ロック機構の機能を無力化することも不可能ではない。そこで、万一ロック機構のロック機能が不正な行為により無力化される場合を想定すると、本実施形態においては、錠装置１０００が本体枠３に取り付けられた状態では、内部に設けられる扉枠用摺動杆１０４０と本体枠用摺動杆１０５０とが、それぞれのフック部１０４１、１０５４，１０６５を除いてコ字状基体１００１の閉鎖空間に収納されて完全に被覆された状態となっているので、ピアノ線等を差し込んでコ字状基体１００１の閉鎖空間の内部に設けられる本体枠用摺動杆１０５０を引き下げようとしても、コ字状基体１００１の両側面１００１ａ，１００１ｂによって不正具の閉鎖空間への侵入が阻止されるため、不正行為を簡単に行うことができない構造となっている。
【０２２９】
以上、詳述したように、本実施形態に係る錠装置１０００は、その横幅寸法が従来のＬ字状基体に集約される錠装置に比べて極めて薄いコ字状基体１００１の内部に扉枠用摺動杆１０４０と本体枠用摺動杆１０５０とを摺動可能に設け且つ錠装置１０００を操作するためのシリンダー錠１０１０のコ字状基体１００１への取付位置を遊技盤の下端辺よりも下方となる位置としたので、遊技盤４の左右方向及び上下方向の大きさを極めて大きくすると共に、本体枠３の側面壁５４０〜５４３で囲まれる空間を大きくしても、錠装置１０００を本体枠３の裏側に強固に取り付けることができる。そして、断面コ字状の開放側が本体枠３の裏面に対面するように取り付けられるため、錠装置１０００が本体枠３に取り付けられた状態では、内部に設けられる扉枠用摺動杆１０４０と本体枠用摺動杆１０５０とが、それぞれのフック部１０４１、１０５４，１０６５を除いてコ字状基体１００１に完全に被覆された状態となっているので、ピアノ線等を差し込んで内部に設けられる本体枠用摺動杆１０５０を引き下げる等の不正行為を簡単に行うことができない。
【０２３０】
また、錠装置１０００の取り付けに際し、コ字状基体１００１の開放側（前方部）の上中下の３箇所に形成される係止突起１００４を錠係止穴５４８に差し込んで位置決め係止し、コ字状基体１００１の閉塞側（後方部）の上中下の３箇所に形成されたビス止め部１００３及びビス止め部１００３を錠取付穴５４７にビスで固定する構造であるため、錠装置１０００の前方部を係止突起１００４と錠係止穴５４８で係止し、錠装置１０００の後方部をビス止め部１００３及びビス止め部１００３と錠取付穴５４７で固定するので、極めて簡単な構造で錠装置１０００を本体枠３に強固に固定することができるものである。
【０２３１】
なお、上記した実施形態においては、コ字状基体１００１の下方部をビス止めする構造として錠取付片１００８に形成されたビス止め部１００３と本体枠３のシリンダー錠貫通穴５２６の上部近傍に形成した錠取付穴５４７とを螺着する構造としたが、これに代えて、シリンダー錠１０１０を錠取付片１００８に取り付けるビス１０１２を利用して、該ビス１０１２の先端が錠取付片１００８を貫通して螺着される錠取付穴をシリンダー錠貫通穴５２６の上下に形成する構造でも良い。また、コ字状基体１００１の下方部をビス止めしなくても、錠装置１０００の後方部のビス止め部１００３と錠取付穴５４７との固定だけでも、錠装置１０００を本体枠３の裏面に強固に固定されることを確認している。
【０２３２】
また、上記した実施形態においては、扉枠用摺動杆１０４０及び本体枠用摺動杆１０５０を左右の側面１００１ａ，１００１ｂを有するコ字状基体１００１で完全に被覆するものとしたが、例えば、扉枠用摺動杆１０４０及び本体枠用摺動杆１０５０を第一側面壁５４０に密着しない反対側の側面１００１ａに摺動自在にリベット等で装着し、第一側面壁５４０に密着する側面１００１ｂを省略したＬ字状基体（錠基体）とし、そのＬ字状基体（錠基体）の側面１００１ａと第一側面壁５４０とによって形成される閉鎖空間に扉枠用摺動杆１０４０及び本体枠用摺動杆１０５０を収納する構造としてもよい。この場合でも、実施形態と同じような取付構造及び不正防止構造とすることができる。
【０２３３】
＜基板ユニット＞
次に、本体枠３の裏面下部に取り付けられる基板ユニット１１００について、主として図７２及び図７３を参照して説明する。図７２は、基板ユニット１１００を背面側から見た斜視図であり、図７３は、基板ユニット１１００を前面側から見た斜視図である。
【０２３４】
基板ユニット１１００は、本体枠３の裏面下部に複数形成されるホルダ用の取付穴部５２７（図２２，図２４参照）に取り付けられるものであり、図示すように、合成樹脂成形された枠用基板ホルダ１１０１に、扉中継基板、電源基板ボックス１１０３、端子基板ボックス１１０４、払出制御基板ボックス１１０５、主ドロワ中継基板、及び副ドロワ中継基板の各種基板を取り付けることにより構成されている。上記の基板のうち、扉中継基板、電源基板ボックス１１０３、端子基板ボックス１１０４、及び払出制御基板ボックス１１０５は、枠用基板ホルダ１１０１の後面側に前後方向に重複して取り付けられ、主ドロワ中継基板及び副ドロワ中継基板は、枠用基板ホルダ１１０１の前面側に取り付けられるものである。なお、払出制御基板ボックス１１０５の裏面には、電源基板等からの電磁波の影響を防止するためにシールド板が取り付けられ、また、主ドロワ中継基板及び副ドロワ中継基板は、基板カバー１１０９に被覆されて取り付けられている。
【０２３５】
まず、枠用基板ホルダ１１０１は、横長状に合成樹脂で成形され、図示すように、その後面側一側部に配線用開口１１２４が形成され、図示は省略するが、配線用開口１１２４の内側に扉中継基板を取り付けるための中継基板用凹部が形成されている。この枠用基板ホルダ１１０１の左右両辺及び下辺には、基板ユニット１１００を本体枠３に取り付けるための取付片１１２２が外側に向かって突設され、該取付片１１２２を本体枠３の前記取付穴部５２７（図２２参照）に対応させて図示しないビスで止着することにより、基板ユニット１１００が本体枠３の背面下部に取り付けられる。なお、取付穴部５２７は、図２４に示すように、取付片１１２２の外形形状に合致する外周壁を有して形成されている。更に、枠用基板ホルダ１１０１の他端側（図７３の右側）側壁の外側に、配線を係止するための配線掛止片１１２３が突設形成されている。
【０２３６】
また、枠用基板ホルダ１１０１の前面側のほぼ中央には、アウト球通路１１１９が逆さＬ字状に形成されている。このアウト球通路１１１９は、前述したアウト口６０６（図３１参照）、球抜排出通路５２４（図２２参照）の下流側、及び落下口６２９（図２９参照）と対応するように上方が幅広く形成され、下流側が球を列状に排出するように幅狭く形成されている。したがって、基板ユニット１１００を本体枠３に取り付けたときには、図２５に示すように、アウト球通路１１１９の幅広上流部がアウト口６０６の下面を支持する通路支持突起５１３の後方に位置するようになっている。そして、アウト球通路１１１９の下流端からアウト球や入賞球、あるいは球抜き球がパチンコ遊技機の外部（一般的に、島の回収樋）に向かって放出されるものである。
【０２３７】
基板カバー１１０９には、主ドロワ中継基板に設けられる主ドロワ中継コネクタ１２００及び払出制御基板用コネクタ１２０１と、副ドロワ中継基板に設けられる副ドロワ中継コネクタ１２０２及び扉枠用コネクタ１２０３とが基板カバー１１０９の外側に突出するための長方形状のコネクタ用開口が開設されている。
【０２３８】
払出制御基板ボックス１１０５は、横長の長方形状の払出制御基板が固定されるボックス主体と、ボックス主体に取り付けられて払出制御基板の表面を覆うカバー体と、から構成されている。ボックス主体とカバー体とは、その一側辺を係合させ、その他側辺に分離切断部１１８３でカシメ固定している。これによってボックス主体とカバー体とを分離するためには、分離切断部１１８３を切断しないと分離できないようになっている。ただし、分離切断部１１８３におけるカシメ固定は、複数箇所（図示の場合は、１〜４の数字で示す４箇所）のうち、いずれかをカシメ部材でカシメれば良く、例えば、検査等で分離する必要がある場合には、３回まで行うことができる。もちろん、不正に分離した場合には、切断した痕跡が残ることになるので、不正行為があったか否かを直ちに知ることができるようになっている。
【０２３９】
＜カバー体＞
次に、カバー体１２５０について、図６、図２４及び図２８を参照して説明する。カバー体１２５０は、本体枠３の後面開口５８０を覆うものであり、その一側の上中下の３箇所に本体枠３の背面一側に形成されるカバー体支持筒部５７５に上方から挿入される軸支ピン１２５１が形成され、その他側のほぼ中央に球通路ユニット７７０に形成されるカバー体係合溝７８５と係合する係合片１２５２が形成されている。しかして、カバー体１２５０の軸支ピン１２５１をカバー体支持筒部５７５に差し込むことにより、カバー体１２５０を本体枠３に開閉自在に軸支し、係合片１２５２をカバー体係合溝７８５に係止することにより、カバー体１２５０を本体枠３に閉じた状態とすることができ、遊技盤４に設けられる各種部品の背面を保護することができる。なお、開放する場合には、係合片１２５２とカバー体係合溝７８５との係合を解除すればよい。
【０２４０】
また、図示の場合のカバー体１２５０においては、開放側の係合片１２５２の上下に止め穴１２５３が形成され、また、本体枠３の施錠壁５６９に突設される施錠用突出鉤片５７０を貫通させる貫通穴１２５４が形成され、更に詳細に図示しないが、次に説明する第二実施形態に係るカバー体１２７０と同じように、接続操作用開口１２５５、立壁、当接突起、補強リブが形成されている。これら接続操作用開口１２５５、立壁、当接突起、補強リブは、第二実施形態に係るカバー体１２７０の接続操作用開口１２８３、立壁１２８４、当接突起１２８５、補強リブ１２８６と同じ位置に設けられて同じ機能を奏するものである。そして、カバー体１２５０を閉じた状態で、カバー体１２５０の止め穴１２５３と本体枠３側の止め穴５６８とを一致させて図示しないビスで止着することにより、カバー体１２５０によって本体枠３の後面開口５８０を閉塞固定することができる。そして、本体枠３に対してカバー体１２５０を閉じた状態で施錠用突出鉤片５７０がカバー体１２５０の貫通穴１２５４を貫通しているので、例えば、南京錠等の錠を施錠用突出鉤片５７０に掛け止めることにより、南京錠の鍵を有する責任者しかカバー体１２５０を開放することができないようにすることができる。
【０２４１】
＜遊技盤の詳細構成＞
遊技盤４の詳細な構成について、主に図７４乃至図８２を参照して説明する。図７４は、遊技盤４の正面図であり、図７５は、遊技盤４を斜め前から見た斜視図であり、図７６は、遊技盤４を斜め後から見た斜視図であり、図７７は、図７４におけるＡ−Ａ断面図であり、図７８は、図７４におけるＢ−Ｂ断面図であり、図７９は、遊技盤４を構成する主な部材ごとに分解して斜め前から見た分解斜視図であり、図８０は、図７９の分解図を斜め後から見た分解斜視図であり、図８１は、遊技盤４を主に構成する前構成部材、及び遊技パネルを分解して斜め前から見た分解斜視図であり、図８２は、図８１を斜め後から見た分解斜視図である。
【０２４２】
図７４及び図７５に示すように、本実施形態のパチンコ機１における遊技盤４は、外レール６０２及び内レール６０３を有し、遊技者が操作ハンドル部４６１（図２参照）を操作することで遊技媒体としての遊技球が打ち込まれる遊技領域６０５の外周を区画形成する枠状の前構成部材６０１と、前構成部材６０１の後側で前構成部材６０１の枠内を閉鎖するように配置される板状の遊技パネル５９９と、遊技パネル５９９の後側に取付けられる裏箱６２１及び裏箱６２１の後面側に着脱可能に支持され所定の演出画像を表示可能な演出表示手段としての液晶表示装置６４０を少なくとも有した裏ユニット２０００と、遊技パネル５９９の後側に固定され裏ユニット２００の下部を覆い後側に主制御基板ボックス６２４（図７６参照）が固定される盤用基板ホルダ６２３とを備えている。
【０２４３】
遊技盤４における遊技領域６０５内には、その略中央に配置されるセンタ役物ユニット１７００と、遊技領域６０５内の左右両サイドに配置される表左サイド部材１５００Ｌ及び表右サイド部材１５００Ｒからなる表サイド部材１５００と、遊技領域６０５内の外周下部に略沿うように配置される円弧状の始動口ユニット１６００とが備えられている。また、遊技領域６０５内には、表左サイド部材１５００Ｌ及び表右サイド部材１５００Ｒよりも中央寄りに、遊技球が通過可能とされたチャッカー１５１０が配設されている。また、前構成部材６０１における遊技領域６０５の右斜め下には、遊技領域６０５の外周に沿って円弧状に配設され複数のＬＥＤ及び二つの７セグメントＬＥＤからなる特別図柄表示器１５３０が備えられている。
【０２４４】
なお、詳細は後述するが、センタ役物ユニット１７００は、特定入球口１８２３ｂに向って遊技球を転動させることが可能な特定遊技領域１７０３と、特定遊技領域１７０３内への遊技球の進入口となる入賞口１７０２とを備えている。
【０２４５】
始動口ユニット１６００は、遊技球を受入可能とされ、左右方向に所定間隔隔てて配置された二つの第一始動口１６０２と、二つの第一始動口１６０２の間でアウト口６０６の直上に配置された一つの第二始動口１６０４とを備えている。これら第一始動口１６０２及び第二始動口１６０４への遊技球の受入れを契機としてセンタ役物ユニット１７００の一対の可動片１７４０ａが拡開して入賞口１７０２への遊技球の受入れが可能となるようになっている。始動口ユニット１６００の第二始動口１６０４には一対の可動片１６０６が備えられており、チャッカー１５１０を遊技球が通過することで抽選される普通抽選結果に応じて所定時間一対の可動片１６０６が拡開して、第二始動口１６０４への遊技球の入賞確率を変化させることができるようになっている。また、始動口ユニット１６００には、左右の第一始動口１６０２と第二始動口１６０４との間に夫々配置され、遊技球を受入可能とする一般入賞口１５２０も備えられている。
【０２４６】
図７４に示すように、特別図柄表示器１５３０には、始動口ユニット１６００における第一始動口１６０２への遊技球の始動入賞を契機として抽選される第一特別抽選結果を表示する第一特別図柄表示器１５３２と、始動口ユニット１６００における第二始動口１６０４への遊技球の始動入賞を契機として抽選される第二特別抽選結果を表示する第二特別図柄表示器１５４０と、が設けられている。また、特別図柄表示器１５３０には、チャッカー１５１０を遊技球が通過することで抽選される普通抽選結果に応じた普通図柄を表示する普通図柄表示器１５３６、普通図柄表示器１５３６において遊技球がチャッカー１５１０を通過することで抽選される普通抽選結果に係る普通図柄を表示することができない場合にチャッカー１５１０の通過に係る普通抽選結果の普通図柄の表示を保留した保留数を表示する普通図柄保留表示器１５３８も設けられている。
【０２４７】
なお、第一特別図柄表示器１５３２において第一始動口１６０２への始動入賞に応じた第一特別抽選結果を示唆する第一特別図柄を表示することができない場合にその始動入賞に係る第一特別図柄の表示を保留した保留数を表示する第一特別図柄保留表示器、および、第二特別図柄表示器１５４０において第二始動口１６０４への始動入賞に応じた第二特別抽選結果を示唆する第二特別図柄を表示することができない場合にその始動入賞に係る第二特別図柄の表示を保留して保留数を表示する第二特別図柄保留表示器を備えた遊技機もある。
【０２４８】
しかし、本実施形態では、第一特別抽選結果を示唆する第一特別図柄を表示することができない場合に始動入賞したとしても、この始動入賞を無効化（すなわち、取得した乱数を破棄）する。同様に、第二特別抽選結果を示唆する第二特別図柄を表示することができない場合に始動入賞したとしても、この始動入賞を無効化（すなわち、取得した乱数を破棄）する。
【０２４９】
なお、第一特別抽選では、センタ役物ユニット１７００の可動片１７４０ａが一回のみ所定時間（本実施形態では２秒間）の間、打開状態となる「第一小当り」と、可動片１７４０ａが所定パターンで開閉する有利遊技状態としての「大当り」とのうちいずれかの第一特別抽選結果が抽選されるようになっており、可動片１７４０ａが開状態の時に、入賞口１７０２への遊技球の入賞が可能となるようになっている。
【０２５０】
また、第二特別抽選では、可動片１７４０ａが一回のみ所定時間（本実施形態では２秒間）の間、打開状態となる「第一小当り」と、可動片１７４０ａが二回、所定時間（本実施形態では２秒間）の間、打開状態となる「第二小当り」と、可動片１７４０ａが所定パターンで開閉する「大当り」とのうちいずれかの第二特別抽選結果が抽選されるようになっており、可動片１７４０ａが開状態の時に、入賞口１７０２への遊技球の入賞が可能となるようになっている。
【０２５１】
なお、本実施形態では、特別図柄が、第一特別図柄と第二特別図柄との２つであるが、これに限られず、例えば第一特別図柄のみの１つであってもよい。
【０２５２】
また、普通抽選では、その普通抽選結果が「当り」であれば、普通図柄表示器１５３６において「当り」を示唆する普通図柄が表示されてから所定時間（例えば、１５秒〜３０秒の間）経過後に、始動口ユニット１６００の可動片１６０６を所定時間（通常遊技状態または後述する微時短遊技常態であれば例えば０．３秒〜１秒の間、時短遊技状態であれば例えば３秒〜４秒の間）開状態として、第二始動口１６０４への遊技球の入賞確率を高くするようになっている。なお、普通抽選において「当り」となる抽選確率は、２５０／２５６とされている。なお、時短遊技状態のとき、始動口ユニット１６００の可動片１６０６が開状態とされる上記の所定時間（３秒〜４秒）は、１回だけ開放されるときの時間が上記所定時間であってもよいし、複数回にわたって通じて開放されるときの時間が上記所定時間であってもよい。
【０２５３】
また、特別図柄表示器１５３０には、第一特別抽選結果、及び第二特別抽選結果が「大当り」の時に、若しくは、第一特別抽選結果又は第二特別抽選結果を契機として入賞口１７０２に入賞した遊技球が特定入球口１８２３ｂに入球した時に、センタ役物ユニット１７００の可動片１７４０ａを所定パターンで開閉させる開閉回数（ラウンド回数）を表示するラウンド表示器１５４３も備えられている。なお、入賞口１７０２に入賞した遊技球（ただし、生き残り通路１７９７に送られた遊技球に限り）が流入口１７９８に至るまでの時間は、概ね２．５秒である。
【０２５４】
特別図柄表示器１５３０における第一特別図柄表示器１５３２及び第二特別図柄表示器１５４０は、夫々７セグメントＬＥＤを有しており、英数字を示す点灯パターンによって第一特別抽選結果及び第二特別抽選結果を示唆する第一特別図柄及び第二特別図柄を表示することができるようになっている。これら第一特別図柄表示器１５３２及び第二特別図柄表示器１５４０では、遊技球が第一始動口１６０２及び第二始動口１６０４へ始動入賞すると、各７セグメントＬＥＤが点滅することで第一特別図柄及び第二特別図柄が変動表示され、第一特別抽選結果及び第二特別抽選結果に応じた所定時間変動表示した後に、第一特別抽選結果及び第二特別抽選結果を示唆する第一特別図柄及び第二特別図柄に停止表示されるようになっている。
【０２５５】
また、特別図柄表示器１５３０における普通図柄表示器１５３６は、２色発光可能なＬＥＤを有しており、ＬＥＤの発光色によって普通図柄を表示することができるようになっている。また、普通図柄保留表示器１５３８は、二つのＬＥＤを有しており、この二つのＬＥＤの点灯・点滅・消灯の組合せによって保留された保留数（例えば、最大で四つ）を表示することができるようになっている。更に、ラウンド表示器１５４３は、２色発光可能なＬＥＤを有しており、ＬＥＤの発光色及び点灯パターンによって「３Ｒ大当り」、「８Ｒ大当り」、「１５Ｒ大当り」の何れかを表示することができるようになっている。
【０２５６】
なお、第一特別抽選において「第一小当り」となる抽選確率は、３９７．５／３９８．５とされ、「大当り」となる抽選確率は１／３９８．５とされている。一方、第二特別抽選において「第一小当り」または「第二小当り」となる抽選確率（第一小当りと第二小当りとの合成確率）は、３９７．５／３９８．５とされ、「大当り」となる抽選確率は１／３９８．５とされている。「第一小当り」の抽選確率は２２６／２５１、「第二小当り」の抽選確率は２５／２５１とされている。なお、「大当り」遊技の際のラウンド回数は、各始動入賞時に第一特別抽選結果や第二特別抽選結果に含まれるかたちで抽選されるようになっている。
【０２５７】
図示は省略するが、この遊技盤４には、遊技パネル５９９の前面に複数の障害釘が所定配列で植設されている。遊技パネル５９９には、前後方向に貫通し内周形状が所定形状とされた開口部５９９ｅ（図８１及び図８２等を参照）が複数形成されており、これら開口部５９９ｅに対応して、表左サイド部材１５００Ｌ、表右サイド部材１５００Ｒ、及び始動口ユニット１６００が夫々前側から遊技パネル５９９に固定されている。
【０２５８】
また、遊技パネル５９９の略中央には、所定形状に開口する開口窓５９９ｆ（図８１及び図８２等を参照）が形成されており、センタ役物ユニット１７００が開口窓５９９ｆの内周に前側から固定されている。
【０２５９】
更に、遊技盤４における遊技パネル５９９の後側に配置される裏ユニット２０００は、遊技パネル５９９の後側で開口窓５９９ｆを通して遊技者側から視認可能となるように配置される液晶表示装置６４０と、液晶表示装置６４０を遊技パネル５９９の後面から所定距離後側へ離れた位置に支持すると共に遊技パネル５９９の後側に取付固定される裏箱６２１とを備えている。
【０２６０】
なお、本実施形態のパチンコ機１における遊技盤４には、パチンコ機１を揺らしたり磁石を用いたりして不正行為が行われたことを検出する振動センサ２５３８（図７６参照）や磁気センサ２３０２（図１３０参照）、及びこれらセンサによって不正行為が検出されると点灯する不正行為警告表示器２００５（図１３０参照）が備えられている。この不正行為警告表示器２００５は、遊技者から視認し難いようになっていると共に、パチンコ機１の前側に遊技者が着座しても、遊技ホールの係員等が遊技者の後側から不正行為警告表示器を確実に視認することができるようになっている。
【０２６１】
前構成部材６０１は、図８１及び図８２に示すように、その後面側に、後方へ突出する複数の位置決めボス６０１ａ及び位置決め突起６０１ｂが備えられている。これら位置決めボス６０１ａ及び位置決め突起６０１ｂは、後側に配置される遊技パネル５９９と位置決めできるようになっている。
【０２６２】
遊技盤４における遊技パネル５９９は、その外形が前構成部材６０１の外形と略同じであり、ベニヤ板等により形成されている。なお、遊技パネル５９９の板厚は、前構成部材６０１の厚みと同じ厚さであり、障害釘を植設しても十分に保持可能な厚さ（約２０ｍｍ）とされている。
【０２６３】
また、遊技パネル５９９には、所定位置に内レール固定孔５９９ｄが複数備えられている。この内レール固定孔５９９ｄに内レール６０３の後側から突出する位置決め突起６０１ｂを嵌合固定させることで、内レール６０３を所定の位置に固定することができるようになっている。
【０２６４】
更に、遊技パネル５９９には、表左サイド部材１５００Ｌ、表右サイド部材１５００Ｒ、及び始動口ユニット１６００等が備えられるように内形が所定形状で前後方向に貫通する開口部５９９ｅが複数形成されていると共に、それらを固定するための固定孔が適宜位置に形成されている。また、遊技パネル５９９には、その略中央に、内形が所定形状で開口部５９９ｅよりも大きな開口窓５９９ｆが形成されており、開口窓５９９ｆの周縁に略沿って前側にセンタ役物ユニット１７００が固定されるようになっている。
【０２６５】
図７６に示すように、盤用基板ホルダ６２３は、主制御基板ボックス６２４を支持するとともに、遊技パネル５９９の後側に取付固定されるものであり、図７９に示すように、前方及び上方が開放された箱状とされ、その底部が左右方向の略中央で前側に向かって低くなるように傾斜しており、遊技パネル５９９の後側に排出された遊技球を受け取った上で、左右方向の略中央から下方へ排出することができるようになっている。
【０２６６】
主制御基板ボックス６２４は、盤用基板ホルダ６２３の後面に支持されると共に、主制御基板ボックス６２４の封止部６２４ａがカシメベース部材（図示しない）の被封止部へ封止されるようになっている。そして、この状態で主制御基板ボックス６２４を盤用基板ホルダ６２３から取り外す場合、カシメベース部材の被封止部に開封痕が残るようになっており、主制御基板ボックス６２４が不正に取り外されたか否かが目視で判るようになっている。
【０２６７】
また、主制御基板ボックス６２４を盤用基板ホルダ６２３に固定した状態では、カシメベース部材を盤用基板ホルダ６２３へ固定しているビスの頭が、カシメベース部材と主制御基板ボックス６２４との間に配置されるようになっており、カシメベース部材ごと主制御基板ボックス６２４が取り外されるのを防止することができるようになっている。また、カシメベース部材が金属板により形成されているので、被封止部によって主制御基板ボックス６２４の封止部６２４ａを強固に封止することができ、不正行為が行われ難い構造となっている。
【０２６８】
表サイド部材である、表左サイド部材１５００Ｌ及び表右サイド部材１５００Ｒは、図７９及び図８０に示すように、何れも遊技領域６０５の外周に沿った円弧状の外形となっている。表左サイド部材１５００Ｌ及び表右サイド部材１５００Ｒは、互いに異なる形状の装飾体１５０２，１５０３を備えており、各装飾体１５０２，１５０３は、光透過性のレンズ部や光を透過させない立体形状物を組合せて構成されている。なお、表左サイド部材１５００Ｌ及び表右サイド部材１５００Ｒの後方には、裏ユニット２０００に組み付けられたＬＥＤ基板（図示しない）が配置されており、レンズ部を通してＬＥＤ基板から光を放射することにより、遊技状態に応じた発光演出を行うことが可能になっている。
【０２６９】
始動口ユニット１６００の構造について、主に図７９及び図８０を参照して説明する。この始動口ユニット１６００は、遊技パネル５９９の前面に当接すると共に遊技パネル５９９における所定の開口部５９９ｅを前側から閉鎖し、遊技領域６０５の外周に略沿った円弧状の開口被覆部１６０８と、開口被覆部１６０８の左右両端付近に配置され上方に開口し遊技領域６０５内を流下する遊技球を受入可能とする第一始動口１６０２と、開口被覆部１６０８の左右方向略中央に配置され上方に開口し遊技領域６０５内の遊技球を受入可能とする第二始動口１６０４と、第一始動口１６０２及び第二始動口１６０４の間に配置され上方に開口し遊技領域６０５内の遊技球を受入可能とする一般入賞口１５２０とを備えている。また、始動口ユニット１６００は、第一始動口１６０２に受入れられた遊技球を後方へ案内する案内部１６１０と、第二始動口１６０４の左右両側に配され拡開可能に可動する一対の可動片１６０６と、一対の可動片１６０６を可動させ第二始動口１６０４の後側に支持される始動口ソレノイド１６１２と、始動口ソレノイド１６１２を支持すると共に第二始動口１６０４に受入れられた遊技球を後側へ誘導する誘導部１６１４と、誘導部１６１４により誘導された遊技球を検出して下方へ排出する第二始動口センサ１６１６と、一般入賞口１５２０に受入れられた遊技球を後側へ誘導する誘導部１６０９とを備えている。
【０２７０】
また、始動口ユニット１６００は、開口被覆部１６０８の後側に遊技パネル５９９の開口部５９９ｅの内周に略沿った形状のリブ１６１８を備えており、リブ１６１８によって板状の開口被覆部１６０８が補強された状態となっている。また、開口被覆部１６０８の後側からは、案内部１６１０、誘導部１６１４、誘導部１６０９、及びリブ１６１８が後方へ突出した状態となっており、それら案内部１６１０や誘導部１６１４等が遊技パネル５９９の開口部５９９ｅ内へ前側から挿入配置されるようになっている。なお、案内部１６１０及びリブ１６１８は、その後方への突出量が遊技パネル５９９の板厚と略同じとされている。
【０２７１】
この始動口ユニット１６００における一対の可動片１６０６は、上端側が自由端とされると共に下端側が遊技パネル５９９のパネル面に対して直角方向に延びる軸周りに回動可能とされ、始動口ソレノイド１６１２のプランジャ（図示しない）が前後方向へ移動することで図示しない所定のリンク機構を介して一対の可動片１６０６の下端が回動して、それらの上端が互いに接近したり離反したりするようになっている。この一対の可動片１６０６は、通常の状態では、略直立した状態で上端同志の間隔が第二始動口１６０４の開口幅（遊技球の直径よりも若干大きい幅）と略同じ間隔となっており、始動口ソレノイド１６１２の駆動により一対の可動片１６０６の上端が互いに離反する方向へ回動して逆ハの字状に開いた状態（拡開した状態）となるようになっている。これにより、第二始動口１６０４への遊技球の受入確率（入賞確率）が高くなるようになっている。
【０２７２】
遊技盤４における裏ユニット２０００は、遊技パネル５９９の後側に取付けられ前側が開放された箱状で後壁６２１ａの略中央に所定形状の開口（図示しない）が形成された裏箱６２１と、裏箱６２１の開口を横切るように配置され中央に横長略長方形の開口が形成された裏駆動ユニットベース（図示しない）と、裏駆動ユニットベースの開口を通して遊技者から視認可能な液晶表示装置６４０を有し、裏箱６２１の後側に着脱可能に取付けられる液晶表示ユニットと、を備えている。
【０２７３】
また、裏箱６２１内の左右両側には複数のＬＥＤ基板６２１Ｋが配設されており、前方に配置された表左サイド部材１５００Ｌ及び表右サイド部材１５００Ｒに向って光を照射することにより遊技状態に応じて種々な発光演出ができるようになっている。更に、裏箱６２１内には、遊技状態に応じて液晶表示装置６４０の前方に出現可能な可動装飾体１７３７（図１２４参照）が配設されるとともに、発光演出や可動演出などを制御する制御基板が収容された各種の基板ボックス（図示しない）や、各基板を接続・中継するための中継端子板（図示しない）等が固定されている。
【０２７４】
また、裏箱６２１の後側には、発光演出を制御するためのランプ駆動基板（図示しない）、及びそれを覆う基板カバー２０５２と、不正行為によるパチンコ機１の振動を検出する振動センサ２５３８と、可動装飾体１７３７との電気的な接続を中継する可動装飾体中継端子板１７３７ａ（図１２７参照）と、ランプ駆動基板２０５０、振動センサ２５３８、可動装飾体中継端子板１７３７ａ等と電気的に接続され裏ユニット２０００側と主制御基板１３５０との電気的な接続を中継するパネル中継端子板２０６６とが備えられている。
【０２７５】
また、裏駆動ユニットベースに着脱可能に装着される液晶表示ユニットは、液晶表示装置６４０と、その後側に配置され液晶表示装置６４０に表示される演出画像等の表示を制御するための液晶表示制御基板２６１２（図１２７参照）を装着した液晶制御基板セット部材６４０ａと、後述する周辺制御基板２６００（図１２７参照）を装着した周辺基板セット部材（図示しない）と、周辺制御基板２６００を覆う基板カバー２６１３とを備えて構成されている。
【０２７６】
また、裏ユニット２０００は、裏箱６２１における後壁６２１ａの後面側で開口の背面視左側に固定され、液晶制御基板セット部材の一方の側面側を支持する液晶支持部材２０３０と、液晶支持部材２０３０とは開口を挟んで反対側に配置され液晶制御基板セット部材の他方の側面側を着脱可能に支持する液晶ロック機構（図示しない）とを更に備えている。
【０２７７】
なお、本例の裏箱６２１には、前面側を遊技パネル５９９の後面側に当接させた上で、固定孔（図示しない）を介して所定のビスを、遊技パネル５９９の取付孔（図示しない）にねじ込むことで、裏箱６２１つまり裏ユニット２０００を遊技パネル５９９の後側に取付固定することができるようになっている。
【０２７８】
また、裏箱６２１には、始動口ユニット１６００の一般入賞口１５２０に受入れられて遊技パネル５９９の後側に配置された排出部（図示しない）から排出される遊技球を受取って裏箱６２１の後側へ誘導した後に下方へ誘導して遊技盤４外へ排出する入賞球誘導樋（図示しない）を備えている。この入賞球誘導樋の途中には一般入賞口センサ２５３２（図１２６を参照）が備えられており、一般入賞口１５２０に受入れられた遊技球が受入口部材（図示しない）を介して入賞球誘導樋内の一般入賞口センサ２５３２に検出されることで一般入賞口１５２０への入賞が確定するようになっている。
【０２７９】
更に、裏箱６２１には、始動口ユニット１６００における第一始動口１６０２に受入れられて案内部１６１０から遊技パネル５９９の後側に放出される遊技球を受取って裏箱６２１の下面から遊技盤４外へ誘導して排出する第一始動入賞球誘導樋（図示しない）を備えている。この第一始動入賞球誘導樋の途中に第一始動口センサ２５３４（図１２６参照）が備えられており、第一始動口１６０２に受入れられた遊技球が第一始動入賞球誘導樋内の第一始動口センサ２５３４に検出されることで第一始動口１６０２への入賞が確定し、始動入賞として所定の第一特別抽選結果が抽選されるようになっている。
【０２８０】
＜センタ役物ユニットの構成＞
次に、センタ役物ユニット１７００について説明する。まず、図８３乃至図８９を参照してセンタ役物ユニット１７００の概略構成について説明する。図８３は、センタ役物ユニット１７００の正面図であり、図８４及び図８５は、センタ役物ユニット１７００を斜め前から見た斜視図であり、図８６は、センタ役物ユニット１７００を斜め後ろから見た斜視図であり、図８７は、図８３のＡ−Ａ断面図であり、図８８は、図８３のＢ−Ｂ断面図であり、図８９は、図８３のＣ−Ｃ断面図である。
【０２８１】
遊技領域６０５（図７４参照）の略中央に配設されたセンタ役物ユニット１７００は、主に、枠状の装飾フレーム１７０１と、装飾フレーム１７０１の上部に形成され遊技領域６０５を流下する遊技球を入賞可能とする入賞口１７０２と、装飾フレーム１７０１の下部に配設され遊技球を用いた遊技処理が行われる特定遊技領域１７０３と、装飾フレーム１７０１の左側内周面に沿って配置され入賞口１７０２に入賞した遊技球を下部の特定遊技領域１７０３に誘導可能な左側誘導経路１７０４と、装飾フレーム１７０１の右側内周面に沿って配置され入賞口１７０２に入賞した遊技球を特定遊技領域１７０３に誘導可能な右側誘導経路１７０５と、入賞口１７０２に入賞した遊技球を左側誘導経路１７０４及び右側誘導経路１７０５に振分ける振分装置１７０７と、を具備して構成されている。また、センタ役物ユニット１７００は、振分装置１７０７と右側誘導経路１７０５との間に遅延装置１７０８を備えており、右側誘導経路１７０５側に振分けられる遊技球を所定時間停留させることにより、右側誘導経路１７０５を通って特定遊技領域１７０３に到達するまでの時間を、左側誘導経路１７０４を通って特定遊技領域１７０３に到達し且つ特定遊技領域１７０３で所定の遊技処理が終了するまでの時間よりも遅くなるようになっている。ここで、遅延装置１７０８が本発明の遅延手段に相当する。
【０２８２】
なお、詳細は後述するが、特定遊技領域１７０３には、入球させることにより遊技者に有利な遊技状態（所謂「大当り」）を発生させる特定入球口１８２３ｂ（図１１１参照）が設けられており、特定入球口１８２３ｂに入球するか否かが、回転式振分装置１７０９によって振分けられるようになっている。また、特定遊技領域１７０３には、回転式振分装置１７０９の他、遊技球を特定遊技領域１７０３から排出するための排出部１７１０や、排出部１７１０に排出された遊技球を特定遊技領域１７０３に復活させることが可能な遊技媒体復活手段１７１１が備えられている。
【０２８３】
センタ役物ユニット１７００の全体構成について、図９０及び図９１を参照してさらに詳細に説明する。図９０は、センタ役物ユニット１７００をユニット単位で分解し斜め前から見た分解斜視図であり、図９１は、図９０を斜め後から見た分解斜視図である。
【０２８４】
センタ役物ユニット１７００は、装飾フレーム１７０１、入賞口１７０２、左側誘導経路１７０４、右側誘導経路１７０５、振分装置１７０７、及び遅延装置１７０８等を具備する本体ユニット１７２０と、入賞口１７０２を閉鎖可能に設けられ開放時に遊技球を入賞可能とする開閉入賞ユニット１７２１と、特定遊技領域１７０３を形成するとともに回転式振分装置１７０９及び排出部１７１０等による遊技処理を可能とする遊技領域ユニット１７２２と、センタ役物ユニット１７００の後側に配置され各ユニットを駆動するための信号を中継する中継基板ユニット１７２３とを備えて構成されている。
【０２８５】
（装飾フレーム）
本体ユニット１７２０における装飾フレーム１７０１の構成について、図９２及び図９３を参照して説明する。図９２は、本体ユニット１７２０を分解し斜め前から見た斜視図であり、図９３は、本体ユニット１７２０から入賞口カバー１７３０及び内周レンズ１７３１を取り除いた状態を斜め前から見た斜視図である。
【０２８６】
装飾フレーム１７０１は、ベース部材である台板１７２５と、台板１７２５前面の左肩部１７２５ａに取付けられた左肩装飾部１７２６と、台板１７２５の右肩部１７２５ｂに取付けられた右肩装飾部１７２７と、台板１７２５の下部１７２５ｃに取付けられた下側装飾部１７２８と、台板１７２５の上部１７２５ｅに取付けられた逆Ｕ字形の上側装飾部１７２４と、を備えている。台板１７２５は、略円環状に形成されているが、その上部は上方に向って山状に突出するとともに、後述する上部遊技領域１７２９を視認可能とする大きさの開口１７２５ｇが設けられている。左肩装飾部１７２６は、光透過性を有する有色の左肩レンズ１７２６ａと、金色の不透明な金飾り１７２６ｂと、左肩レンズ１７２６ａ及び台板１７２５の間に配置され左肩レンズ１７２６ａを通して光を放射するＬＥＤ基板（図示しない）とを備えている。また、右肩装飾部１７２７は、光透過性を有する有色の右肩外側レンズ１７２７ａ及び右肩内側レンズ１７２７ｂと、金色の不透明な金飾り１７２７ｃと、右肩外側レンズ１７２７ａ及び右肩内側レンズ１７２７ｂと台板１７２５の間に配置されこれらのレンズ１７２７ａ，１７２７ｂを通して光を放射するＬＥＤ基板（図示しない）とを備えている。また、下側装飾部１７２８は、台板１７２５の下部１７２５ｃを前方から覆う前下カバー１７２８ａと、前下カバー１７２８ａに取付けられ光透過性を有する下レンズ１７２８ｂと、前下カバー１７２８ａに取付けられ「レレレ」という文字の輪郭を形成するとともに内部が光透過性を有する文字レンズ１７２８ｃと、前下カバー１７２８ａ及び台板１７２５の間に配置され下レンズ１７２８ｂ及び文字レンズ１７２８ｃを通して光を放射するＬＥＤ基板（図示しない）とを備えている。
【０２８７】
また、台板１７２５の上部の前側には、上部遊技領域１７２９の前側空間を閉鎖するとともに、側方に開口した一対の入賞口１７０２の前方を覆い、さらに入賞口１７０２に入賞した遊技球を誘導する無色透明の入賞口カバー１７３０が配設されている。また、入賞口カバー１７３０は、入賞口１７０２に遊技球が入賞したことを検出する入賞口センサ１７４１（図９３参照）を覆うように配置されており、入賞した遊技球を入賞口センサ１７４１に向って案内するようになっている。また、入賞口カバー１７３０の左下端部は台板１７２５の内周部１７２５ｄに沿うように円弧状に延出されており、後述する左側経路形成部材１７５３との組合せによって左側誘導経路１７０４を形成している。
【０２８８】
台板１７２５の中央前側には、台板１７２５の内周部１７２５ｄに略沿った外観を呈するとともに、内部を遊技球が通過するかのように断面が円環状に形成された無色透明の内周レンズ１７３１が配設されている。
【０２８９】
なお、上側装飾部１７２４、左肩装飾部１７２６、右肩装飾部１７２７、下側装飾部１７２８、及び内周レンズ１７３１は、何れも遊技領域６０５よりも前方に突出しており、これによりセンタ役物ユニット１７００の内部と外部の遊技領域６０５とを区画している。つまり、遊技領域６０５を流下する遊技球が、入賞口１７０２以外の部分からセンタ役物ユニット１７００内に飛び込まないようになっている。また、上側装飾部１７２４の下端と、左肩装飾部１７２６及び右肩装飾部１７２７の上端との間には、遊技球が入球可能な大きさの隙間が夫々形成されており、これにより側方に開口した一対の入賞口１７０２（図９３参照）が構成されている。そして、夫々の入賞口１７０２は開閉入賞ユニット１７２１の可動片１７４０ａによって閉鎖することが可能になっている。
【０２９０】
台板１７２５の内周部１７２５ｄには、左側誘導経路１７０４の主要部である左側経路形成部材１７５３と、右側誘導経路１７０５の主要部である右側経路形成部材１７５５が配置されており、入賞口１７０２に入賞した遊技球を台板１７２５の内周部１７２５ｄに沿って特定遊技領域１７０３に誘導させるようになっている。これらの左側経路形成部材１７５３及び右側経路形成部材１７５５の詳細については後述するが、いずれも無色透明の部材で形成されるとともに、内周レンズ１７３１の後側に配置されており、左側誘導経路１７０４及び右側誘導経路１７０５によって誘導される遊技球の挙動を、内周レンズ１７３１を通して視認させることが可能となっている。
【０２９１】
台板１７２５の後側には、前面が開放された箱状で後壁の略中央に長方形の開口部１７３４が形成された液晶枠１７３３が配設されている。液晶枠１７３３の開口部１７３４は液晶表示装置６４０（図７８参照）の画面が挿入可能な大きさであり、開口部１７３４を通して液晶表示装置６４０を視認させることが可能となっている。液晶枠１７３３の前面形状は台板１７２５の前面形状と略一致しているが、液晶枠１７３３の奥行寸法は台板１７２５の厚みよりもかなり大きく、内部下側に特定遊技領域１７０３を配置し、内部上側に各種機構ユニット１７３６を有する上部遊技領域１７２９を配置することが可能な大きさとなっている。なお、詳細は後述するが、液晶枠１７３３の右側周面には、後端から前後方向中央部分にわたって切欠かれた右側切欠部１７３５が形成されており、裏箱６２１に設けられた可動装飾体１７３７（図１２４参照）を液晶表示装置６４０の前方に出現させることが可能になっている。
【０２９２】
図９３に示すように、上部遊技領域１７２９は、後壁を形成する透明の後レンズカバー１７４３、及び左右両壁を形成する透明の側面レンズカバー１７４４等によって囲まれた空間に形成され、その内部に、入賞口１７０２に入賞した遊技球を左側誘導経路１７０４及び右側誘導経路１７０５に振分ける振分装置１７０７と、右側誘導経路１７０５に振分けられる遊技球を所定時間停留させることで特定遊技領域１７０３に誘導されるまでの時間を遅くする遅延装置１７０８と、遅延装置１７０８の上方に配置され赤色の光を放射する球状のランプ１７４２と、が備えられている。また、後レンズカバー１７４３の前面左側には、遅延装置１７０８の裏側の様子を反射させて映し出すことが可能な反射シール１７４５が貼着されている。なお、後レンズカバー１７４３の右半分は透明であり、その後方に出現可能な装飾役物１７４６（詳細は後述する）の動作を視認させることが可能となっている。
【０２９３】
（開閉入賞ユニットの構成）
開閉入賞ユニット１７２１の構成について、図９３及び図９４を参照して詳細に説明する。図９４は、開閉入賞ユニット１７２１を斜め前から見た斜視図である。開閉入賞ユニット１７２１は、入賞口１７０２を閉鎖する可動片１７４０ａと、可動片１７４０ａを駆動する駆動機構部１７４０ｂとから構成されており、駆動機構部１７４０ｂによって一対の可動片１７４０ａが垂直位置（閉鎖状態）から傾斜位置（開放位置）までの間で回動するようになっている。さらに詳しく説明すると、可動片１７４０ａは、左右の入賞口１７０２を夫々閉鎖可能な左側羽根本体１７５０ａ及び右側羽根本体１７５０ｃと、それら羽根本体１７５０ａ，１７５０ｃの前面に配置され装飾された板状の左側羽根前板１７５０ｂ及び右側羽根前板１７５０ｄとから構成されている。なお、左側羽根前板１７５０ｂ及び右側羽根前板１７５０ｄは、左側羽根本体１７５０ａ及び右側羽根本体１７５０ｃよりも大きく形成されており、羽根本体１７５０ａ，１７５０ｃを確実に遮蔽するとともに、可動片１７４０ａを遊技者に大きく見せることで入賞口１７０２への注目を高めている。
【０２９４】
駆動機構部１７４０ｂは、プランジャ（図示しない）を下方に突出した状態で配設された一対のソレノイド１７５０ｅと、プランジャに連結されソレノイド１７５０ｅによって上下方向に変位可能な棒状の羽根リンク１７５０ｆと、左側羽根本体１７５０ａから後方に延出され台板１７２５を貫通することで回転可能に支持された左側羽根ピン１７５０ｉと、右側羽根本体１７５０ｃから後方に延出され台板１７２５を貫通することで回転可能に支持された右側羽根ピン１７５０ｊと、左側羽根ピン１７５０ｉの後端及び羽根リンク１７５０ｆの左端を連結し連結羽根リンク１７５０ｆが上方に移動すると左側羽根本体１７５０ａが反時計方向に回動するように左側羽根ピン１７５０ｉを回転させる左側羽根アーム１７５０ｇと、右側羽根ピン１７５０ｊの後端及び羽根リンク１７５０ｆの右端を連結し連結羽根リンク１７５０ｆが上方に移動すると右側羽根本体１７５０ｃが時計方向に回動するように右側羽根ピン１７５０ｊを回転させる右側羽根アーム１７５０ｈと、を備えている。つまり、ソレノイド１７５０ｅを動作させ羽根リンク１７５０ｆを上昇させることにより、一対の可動片１７４０ａを垂直状態（閉鎖位置）から傾斜状態（開放位置）に回動させることが可能になっている。なお、可動片１７４０ａは開放位置で傾斜状態となることから、可動片１７４０ａの上に流下した遊技球は、可動片１７４０ａの傾斜に沿って転動し入賞口１７０２に向って円滑に誘導される。
【０２９５】
（左側誘導経路及び右側誘導経路の構成）
左側誘導経路１７０４及び右側誘導経路１７０５の構成について、図９５及び図９６を参照して詳細に説明する。図９５は、左側誘導経路１７０４の主要部を構成する左側経路形成部材１７５３を斜め前から見た斜視図であり、図９６（ａ）は、右側誘導経路１７０５を構成する右側経路形成部材１７５５及び右側経路カバー１７５６を斜め前から見た斜視図であり、図９６（ｂ）は、右側経路形成部材１７５５及び右側経路カバー１７５６を分解して斜め後から見た分解斜視図である。
【０２９６】
図９５に示すように、左側誘導経路１７０４における左側経路形成部材１７５３は、無色透明な樹脂で形成され、入賞口１７０２（図９３参照）に入賞した遊技球が入球される流入部１７５３ｄが上面右側に設けられ、特定遊技領域１７０３（図９０参照）に遊技球を流出する流出部１７５３ｅが下端に設けられ、流入部１７５３ｄから流出部１７５３ｅに向って遊技球を誘導するようになっている。左側経路形成部材１７５３は、流入部１７５３ｄから流入した遊技球を装飾フレーム１７０１（図９０参照）の内周面に向って比較的ゆっくりと転動させる緩傾斜の上部転動面１７５３ａ、及び装飾フレーム１７０１の内周面に沿って形成され遊技球を落下させる縦湾曲転動面１７５３ｂを、左側誘導経路１７０４における内周側の壁面として備えるとともに、上部転動面１７５３ａ及び縦湾曲転動面１７５３ｂに対して略垂直方向に形成された背面部１７５３ｃを、左側誘導経路１７０４における後側の壁面として備えている。なお、左側誘導経路１７０４における前面側の壁面は、入賞口カバー１７３０（図９２参照）の特に左下に延出された部分によって形成され、左側誘導経路１７０４における外周側の壁面は台板１７２５の内周部１７２５ｄによって形成されている。また、左側経路形成部材１７５３の背面部１７５３ｃにおける左寄りの部分には、上部転動面１７５３ａと略並行に形成された板状の誘導片１７５３ｇが前方に突出して形成されており、この誘導片１７５３ｇによって遊技球の転動方向を規制することで遊技球を一層滑らかに誘導することが可能となっている。
【０２９７】
ところで、左側誘導経路１７０４は、装飾フレーム１７０１の内周面に沿って遊技球を転動させることから、遊技球は略鉛直下方向に落下することになり、一瞬の間に特定遊技領域１７０３に到達する可能性がある。そしてこの場合、左側誘導経路１７０４における遊技球の挙動を明瞭に視認させることが困難になったり、特定遊技領域１７０３での遊技処理が困難となる虞がある。そこで、本例の左側誘導経路１７０４では、左側経路形成部材１７５３の背面部１７５３ｃから速度低減部１７５３ｈを前方に突設させ、遊技球の速度を低下させながら流下させるようにしている。この速度低減部１７５３ｈは、左側誘導経路１７０４を塞ぐように背面部１７５３ｃから突出しており、縦湾曲転動面１７５３ｂに沿って流下する遊技球を衝突させるとともに遊技球の転動方向を前方（遊技者側）に変化させるようになっている。なお、左側誘導経路１７０４の前壁を構成する入賞口カバー１７３０及びその前方に配置された内周レンズ１７３１には、速度低減部１７５３ｈと対向する箇所に開口（図示しない）が設けられ、速度低減部１７５３ｈによって方向転換した遊技球を内周レンズ１７３１の内部に送り込むことが可能となっている。また、内周レンズ１７３１における速度低減部１７５３ｈよりも下方の部位には、内周レンズ１７３１内を通過する遊技球を左側経路形成部材１７５３側に誘導するための案内部（図示しない）が形成されており、内周レンズ１７３１から左側経路形成部材１７５３に遊技球を戻すことが可能になっている。つまり、速度低減部１７５３ｈによって流下速度が低減された遊技球は、速度低減部１７５３ｈを迂回するように一旦内周レンズ１７３１内を通り、その後、左側誘導経路１７０４の流出部１７５３ｅから流出するようになっている。
【０２９８】
さらに、背面部１７５３ｃにおける流入部１７５３ｄ付近には、上部側を凹状に切欠かいた上部切欠１７５３ｆが形成されており、後述する球受部１７６０の挿脱を可能にしている。
【０２９９】
一方、図９６に示すように、右側誘導経路１７０５は、右側誘導経路１７０５の主要部を構成する右側経路形成部材１７５５と、右側経路形成部材１７５５の後側の開放部分を覆う右側経路カバー１７５６とから構成されており、右側経路カバー１７５６の上部に形成された流入通路部１７５６ａから流入された遊技球を、右側経路形成部材１７５５の下端に形成された流出部１７５５ｉまで誘導するように構成されている。右側経路形成部材１７５５は、流入通路部１７５６ａから流入された遊技球を装飾フレーム１７０１（図９０参照）の内周面に向って転動させる緩傾斜の上部転動面１７５５ａ、及び装飾フレーム１７０１の内周面に沿って形成され遊技球を落下させる縦湾曲転動面１７５５ｂを右側誘導経路１７０５における内周側の壁面として備えるとともに、右側誘導経路１７０５における外周側の壁面及び前側の壁面となる、外周面部１７５５ｄ及び前面部１７５５ｅを備えている。また、右側経路形成部材１７５５には、前面部１７５５ｅの下端から後方に向って延出された後方延出部１７５５ｇが設けられており、装飾フレーム１７０１の内周面に沿って誘導された遊技球を、特定遊技領域１７０３（図８５参照）の後側上方に配置された案内通路形成部材１７８９に誘導するようになっている。なお、後方延出部１７５５ｇは、遊技球を比較的ゆっくりと転動させるように後方に向って緩やかな下り傾斜となっており、上面（内周面）には、遊技球の転動を安定させるように二本の突条１７５５ｈが後方延出部１７５５ｇの長手方向（すなわち遊技球の転動方向）に沿って形成されている。
【０３００】
また、右側経路形成部材１７５５の前面部１７５５ｅには、左側経路形成部材１７５３における速度低減部１７５３ｈと同様の構成である速度低減部１７５５ｆが突設されており、縦湾曲転動面１７５５ｂに沿って流下する遊技球の速度を低下させている。なお、左側経路形成部材１７５３では、速度低減部１７５３ｈによって転動方向が変化した遊技球を一旦内周レンズ１７３１に通過させることで速度低減部１７５３ｈを迂回するように構成されているが、右側経路形成部材１７５５では、右側経路形成部材１７５５の内部で迂回するように構成している。具体的には、右側経路形成部材１７５５の後方を覆う右側経路カバー１７５６は、右側経路形成部材１７５５の上部転動面１７５５ａに対向する上部覆い部１７５６ｂと、縦湾曲転動面１７５５ｂに対向する縦覆い部１７５６ｃと、後方延出部１７５５ｇに対向する延出覆い部１７５６ｄとを備えているが、さらに、速度低減部１７５５ｆに対して迂回する通路を確保するように後方に膨出された迂回通路部１７５６ｅを備えている。
【０３０１】
（上部遊技領域の構成）
振分装置１７０７及び遅延装置１７０８を備えた上部遊技領域１７２９の構成について、図９７乃至図１０２を参照して詳細に説明する。図９７は、上部遊技領域１７２９における主要部の正面図であり、図９８は、図９７に示す主要部を斜め前から見た斜視図であり、図９９は、振分装置１７０７及び遅延装置１７０８を斜め前から見た斜視図であり、図１００は、振分装置１７０７及び遅延装置１７０８の右側面図であり、図１０１は、入賞口カバー１７３０を含む上部遊技領域１７２９の要部を上面から見た平面図であり、図１０２は、図１０１のＡ−Ａ断面図である。
【０３０２】
図９７及び図９８に示すように、上部遊技領域１７２９には、入賞口１７０２に入賞した遊技球を受け止めることが可能な球受部１７６０と、球受部１７６０の上方に配置され回転可能に支持された略円筒状の回転役物１７６１と、球受部１７６０及び回転役物１７６１を支持するとともに上部遊技領域１７２９の外壁を形成する支持部材１７６２とが備えられている。
【０３０３】
球受部１７６０は、長手方向を前後方向として配置されるとともに、先端上面には遊技球の直径よりも僅かに大きな径を有し遊技球を安定した状態で保持する半球状の皿状部１７６０ａと、皿状部１７６０ａの奥側周縁から上方に突出し皿状部１７６０ａに入球する遊技球の挙動を抑制する制動壁１７６０ｂとが設けられている。そして、球受部１７６０は皿状部１７６０ａが左側誘導経路１７０４内に突出するように、左側経路形成部材１７５３（図９５参照）の上部切欠１７５３ｆを貫通して配置されている。また、球受部１７６０は、軸心方向を左右水平方向とする回動支持ピン１７６８（図９９参照）によって回動可能に軸支されており、皿状部１７６０ａを、入賞口１７０２に入賞した遊技球を受け止めることが可能となる受止可能位置（下限位置）と、遊技球を受け止めることができない受止禁止位置（上限位置）との間で変位させることが可能になっている。つまり、遊技状態に応じた所定のタイミングで球受部１７６０を下方に回動させ受止可能位置に変位させることで遊技球を受け止めることを可能とし、その後、球受部１７６０を上方に回動させ受止禁止位置に変位させることで遊技球の受け止めを禁止するようになっている。
【０３０４】
球受部１７６０を上下方向に変動（回動）させる機構として、本例では、図９９及び図１００に示すように、プランジャ（図示しない）を下向きに突出させて配置されたソレノイド１７６６と、プランジャの先端及び球受部１７６０の後端を連結し上下方向に変位するリフトレバー１７６７とを備えている。なお、図示しないが、ソレノイド１７６６にはプランジャを突出側に付勢するスプリングが設けられている。つまり、ソレノイド１７６６を動作させていない状態では、スプリングの付勢力によってプランジャを突出させることで、回動支持ピン１７６８を回動軸として球受部１７６０の後端を下向きに変位させ、ひいては球受部１７６０の皿状部１７６０ａ側を受止禁止位置に保持させ、一方、ソレノイド１７６６を動作させると、スプリングの付勢力に抗してプランジャを後退させることで、支持ピン１７６８を回動軸として球受部１７６０の後端を上向きに回動させ、ひいては球受部１７６０の皿状部１７６０ａを受止可能位置に変位させるように構成されている。なお、リフトレバー１７６７には、突出片１７６７ａが設けられており、この突出片１７６７ａの高さをフォトセンサ１７６９によって検出することにより、球受部１７６０の状態、すなわち受止可能位置か受止禁止位置かを判別している。
【０３０５】
一方、回転役物１７６１は、軸心方向を左右水平方向とする回転支持軸１７７４（図９９参照）によって回転可能に支持されるとともに、周面の一部（具体的には左右方向の中央部分で且つ周方向の約１／８に相当する部分）に、永久磁石１７６１ａが埋設されている。このため、回転役物１７６１の回転によって永久磁石１７６１ａが受止禁止位置に変位した球受部１７６０に対向すると、球受部１７６０によって受け止められている遊技球（被磁性体からなる）を磁力によって吸引し吸着保持することが可能になる。特に、回転役物１７６１は球受部１７６０の上方に配置されているため、回転役物１７６１の回転によって永久磁石１７６１ａの位置が最下点になると、球受部１７６０に受け止められている遊技球に最も近づき、遊技球は、回転役物１７６１の下端位置に吸着保持される。また、回転役物１７６１は、右側方から見て時計方向に回転するようになっており、回転役物１７６１に吸着保持された遊技球を、回転役物１７６１の回転に伴って次第に上昇させるとともに、遊技球が上昇していく様子を遊技者に明瞭に視認させることが可能になっている。
【０３０６】
図９９及び図１００に示すように、回転役物１７６１を回転させる機構として、本例では、モータ１７７１と、回転役物１７６１の回転支持軸１７７４に外嵌されたギア１７７２と、モータ１７７１の回転軸に外嵌されるとともにギア１７７２に噛合された伝達ギア１７７３とを備えており、モータ１７７１に駆動用電力を供給することにより、伝達ギア１７７３及びギア１７７２を介して回転役物１７６１を低速で回転させることが可能になっている。なお、伝達ギア１７７３には突出片１７７３ａが設けられており、この突出片１７７３ａをフォトセンサ１７７５によって検出することにより、回転役物１７６１が回転基準位置に位置しているか否かを判別している。
【０３０７】
一方、支持部材１７６２は、図９７及び図９８に示すように、上部遊技領域１７２９の底面を形成する支持ベース１７６２ａと、支持ベース１７６２ａから立設され互いに対向するとともに回転役物１７６１の回転支持軸１７７４を支持する一対の側面壁１７６２ｂと、各側面壁１７６２ｂの上面を繋ぎ上部遊技領域１７２９を上方から覆う上面部１７６２ｃと、上部遊技領域１７２９の後壁を形成する無色透明の後レンズカバー１７４３とを備えて構成されており、前面が開放された箱状の形状を呈している。なお、球受部１７６０の皿状部１７６０ａ及び回転役物１７６１の前側略半分は、支持ベース１７６２ａの前面よりも前方に突出しており、回転役物１７６１の永久磁石１７６１ａに吸着保持された遊技球のみを支持部材１７６２で囲まれた上部遊技領域１７２９内に搬送することが可能になっている。また、支持ベース１７６２ａには、上部遊技領域１７２９内に搬送され永久磁石１７６１ａから離脱した遊技球を上部遊技領域１７２９の外部に流出させるとともに、右側誘導経路１７０５に連通した流出口（図示しない）が設けられている。また、左側の側面壁１７６２ｂには、内部に発光手段（図示しない）を有する側面レンズカバー１７４４が設けられており、上部遊技領域１７２９内を照らしている。さらに、後レンズカバー１７４３の前面左側には、回転役物１７６１の後側の状態を反射により遊技者に視認させる反射シール１７４５が貼着されており、これにより、遊技球が吸着保持されてから離脱するまでの挙動を全て視認させることが可能になり、回転役物１７６１による演出効果を高めることが可能になっている。
【０３０８】
なお、永久磁石１７６１ａが埋設された回転役物１７６１の周面（下端）と、支持ベース１７６２ａの上面との間隔は、遊技球の直径よりも狭くなっている。つまり、永久磁石１７６１ａに吸着保持された遊技球は、回転役物１７６１と支持ベース１７６２ａとの間を通過することができず、支持ベース１７６２ａに当接することで、永久磁石１７６１ａから離脱するようになっている。
【０３０９】
このように、球受部１７６０及び回転役物１７６１を組合せることにより、球受部１７６０によって受け止められた遊技球を右側誘導経路１７０５に送り、一方、球受部１７６０によって受け止められなかった遊技球を左側誘導経路１７０４に送ることが可能になる。しかも、右側誘導経路１７０５に送る場合には、回転役物１７６１を介することにより右側誘導経路１７０５に送られるまでの時間を遅延することが可能になる。すなわち、球受部１７６０及び回転役物１７６１を組合せることにより、振分装置１７０７及び遅延装置１７０８が構成されている。
【０３１０】
したがって、入賞口１７０２に複数の遊技球が同時に入賞し、その一つが右側誘導経路１７０５に送られることになっても、左側誘導経路１７０４及び右側誘導経路１７０５を通して同時に特定遊技領域１７０３に到達することを防止でき、特定遊技領域１７０３での遊技球の挙動を順に楽しませることができる。特に、遊技球の停留中も回転役物１７６１の動作及び回転役物１７６１による遊技球の回転を視認させることができるため、単に停留状態で停止しているものに比べ、遊技者に安心感を与えるとともに、視覚的な興趣を高めることができる。
【０３１１】
ところで、詳しくは後述するが、左側誘導経路１７０４及び右側誘導経路１７０５は、特定遊技領域１７０３における有利性が互いに異なっており、右側誘導経路１７０５で誘導された場合の方が有利になるようになっている。このため、球受部１７６０及び回転役物１７６１への関心を高めるとともに、右側誘導経路１７０５に送られた場合には、期待感を高め、その後の展開に対してワクワクさせることができる。また、球受部１７６０が上下に変動することで、遊技球の受け止めが可能な状態と不可能な状態とを視覚的に区別することができ、遊技にメリハリをつけることが可能になる。また、入賞口１７０２に入賞するタイミングと球受部１７６０の動作とが関連付けられているため、球受部１７６０の動作を一層注目させることができる。ここで、左側誘導経路１７０４が本発明の第一誘導経路に相当し、右側誘導経路１７０５及び後述する接続通路部１８３６の組合せが本発明の特別誘導経路に相当する。
【０３１２】
また、球受部１７６０によって受け止められた遊技球は、球受部１７６０が受止禁止位置に復帰してから回転役物１７６１の永久磁石１７６１ａに吸引されるため、例えば球受部１７６０によって遊技球が受け止められた直後に、別の遊技球が入賞しても、受け止められている遊技球が弾かれてしまうことを抑制できる。つまり、球受部１７６０に停留されている遊技球を安定した状態で吸着させることができ、吸着の際に落下してしまう虞を防止できる。また、受止可能位置での保持時間を、回転役物１７６１の動作に関係なく任意に設定することができるため、球受部１７６０で受け止められる確率（すなわち右側誘導経路１７０５に送られる割合）を適切な値に設定することができる。
【０３１３】
また、球受部１７６０が上側に変位した状態を受止禁止位置とすることにより、回転役物１７６１を球受部１７６０の上方に配置することが可能になり、ひいては一連の動作（すなわち遊技球が球受部１７６０によって受け止られ、回転役物１７６１に吸着され、回転役物１７６１と一緒に回転するという一連の動作）を、明瞭に視認させることが可能になる。また、球受部１７６０の上方から吸引することから、球受部１７６０を比較的簡単な構成とすることができる。しかも、回転役物１７６１を球受部１７６０に接近させることができるため、永久磁石１７６１ａの磁力が比較的弱い場合でも、遊技球を確実に吸引することが可能になる。
【０３１４】
また、遊技球を永久磁石１７６１ａから離脱させるための支持ベース１７６２ａが、回転役物１７６１の後方下部に配置されているため、回転役物１７６１と一緒に回転する遊技球の移動範囲（回転角度）を比較的大きくすることができ、回転役物１７６１が比較的小径であっても、適切な遅延時間を確保することが可能になる。
【０３１５】
また、球受部１７６０が受止禁止位置（すなわち遊技球を吸引することが可能になる位置）では、ソレノイド１７６６に設けられたスプリングによって上方に付勢されており、遊技球が載置された状態（すなわち遊技球の重力が加わった状態）と、球受部１７６０が空の状態とでは、球受部１７６０の高さが互いに異なるようになっている。このため、遊技球が永久磁石１７６１ａによって上方に吸引されると、球受部１７６０もある程度上昇するようになり、あたかも球受部１７６０によって遊技球が突き上げられたような印象を与えることが可能になる。
【０３１６】
また、回転役物１７６１は、入賞口１７０２が開放されてから一定時間後に、基準位置を始点として一回転するようになっている。このため、回転役物１７６１の回転開始位置及び回転停止位置を常に基準位置に合わせることが可能になり、回転役物１７６１が回転し始めてから遊技球を吸着保持するまでの時間を常に一定とすることができる。したがって、左側誘導経路１７０４を通って特定遊技領域１７０３に到達するまでの時間と、右側誘導経路１７０５を通って特定遊技領域１７０３に到達するまでの時間と、の差が、短すぎたりあるいは必要以上に長すぎたりすることを防止できる。
【０３１７】
ところで、図１０１及び図１０２に示すように、上部遊技領域１７２９の前方には、無色透明の入賞口カバー１７３０が設けられており、入賞口カバー１７３０の内側の面（後面）には、入賞口１７０２に入賞した遊技球を、受止可能位置に位置する球受部１７６０（図１０２では点線で示す）の皿状部１７６０ａに案内するガイド部１７７７が後方に突出して形成されている。つまり、入賞口１７０２は上部遊技領域１７２９の両側に設けられているのに対し、球受部１７６０は上部遊技領域１７２９の幅方向中央に配置されているため、遊技球が何れの入賞口１７０２から入賞した場合でも、その遊技球を上部遊技領域１７２９の側方から中央に向って転動させるようにガイド部１７７７が設けられている。このため、受止可能位置での球受部１７６０による遊技球の受止めがさらに確実となり、遊技球の勢いによる影響を受けにくくすることができる。ガイド部１７７７は、遊技球を転動させる転動面１７７７ａと、前後方向に湾曲した湾曲部１７７８を有しており、側方の前側から中央の奥方向に遊技球を円滑に誘導させることが可能となっている。また、入賞口カバー１７３０は無色透明であるため、ガイド部１７７７を通して球受部１７６０を視認させることが可能になる。特に、ガイド部１７７７に形成された湾曲部１７７８は前後方向に湾曲しているため、レンズとして機能し、拡大された球受部１７６０の像を視認させることが可能である。したがって、球受部１７６０の存在を強調し一層注目させることが可能になる。
【０３１８】
（特定遊技領域の構成）
続いて、特定遊技領域１７０３の構成について、図１０３乃至図１０５を参照して説明する。図１０３は、特定遊技領域１７０３を斜め前から見た斜視図であり、図１０４は、特定遊技領域１７０３を上方から見た平面図であり、図１０５は、特定遊技領域１７０３のステージ部材１７８５を斜め前から見た斜視図である。
【０３１９】
特定遊技領域１７０３は、ステージ部材１７８５上で遊技球による所定の遊技処理を行うものであり、左側誘導経路１７０４（図９５参照）によって誘導された遊技球により第一遊技処理を行う第一特定遊技領域１７８６と、右側誘導経路１７０５（図９６参照）によって誘導された遊技球、または第一特定遊技領域１７８６での第一遊技処理によって所定の遊技結果となった遊技球、により第二遊技処理を行う第二特定遊技領域１７８７とから構成されている。第一特定遊技領域１７８６は、ステージ部材１７８５の左側に位置し、遊技球の転動方向を変化させることが可能な可動役物１７８８や、排出部１７１０内に配置され排出部１７１０に排出された遊技球を受取り第二特定遊技領域１７８７側に送ることが可能な遊技媒体復活手段１７１１等が備えられている。第二特定遊技領域１７８７はステージ部材１７８５の右側に配置され遊技球を後述する特定入球口１８２３ｂ（図１１１参照）または普通入球口１８２３ｃに振分ける回転式振分装置１７０９や、遊技媒体復活手段１７１１によって復活した遊技球または右側誘導経路１７０５によって誘導された遊技球を回転式振分装置１７０９の上面に落下させる案内通路形成部材１７８９等が備えられている。なお、ステージ部材１７８５の下側には、可動役物１７８８を動作させる可動役物駆動部１７９１、遊技媒体復活手段１７１１を動作させる復活手段駆動部（図示しない）、その他各種の機構部１７９３、及び特定入球口１８２３ｂまたは普通入球口１８２３ｃに入球した遊技球を所定の通路に排出する排出通路形成部材１７９４等が装着されている。
【０３２０】
図１０５に示すように、ステージ部材１７８５には、左側誘導経路１７０４（図８４参照）の流出部が接続された流入部１８０１が左前隅部付近に形成され、排出部１７１０の一部を構成する平面視長方形状の溝状開口部１７９６が中央よりも左寄りの部位に形成され、さらに回転式振分装置１７０９（図１０３参照）が収容される大円形の開口部１７９９が右側の部分に形成されている。また、ステージ部材１７８５の上面には、流入部１８０１と溝状開口部１７９６とを繋ぐ排出案内路１７９５と、排出案内路１７９５における溝状開口部１７９６の手前側から分岐し回転式振分装置１７０９の流入口１７９８に繋がる+が形成されている。さらに詳しく説明すると、排出案内路１７９５は、流入部１８０１に誘導された遊技球をステージ部材１７８５における前側（遊技者側）の縁部に沿って案内する前側通路部１７９５ａと、ステージ部材１７８５の奥側に形成された溝状開口部１７９６に向って遊技球を真直ぐ転動させるように前後方向に延出された直進通路部１７９５ｂとから構成されており、生き残り通路１７９７は、排出案内路１７９５の直進通路部１７９５ｂから分岐し、ステージ部材１７８５の前側縁部に沿うように左右方向（すなわち直線通路部１７９５ｂに対して垂直方向）に形成されている。また、排出案内路１７９５は全体的に下流側に向って僅かに下り勾配となった緩傾斜面を転動面として備えており、流入部１８０１から送込まれた遊技球を比較的ゆっくりと転動させるようになっている。また、排出案内路１７９５は遊技球の逸脱を防止するため、両側に壁面を有する樋状となっており、特に前側通路部１７９５ａ及び直進通路部１７９５ｂの境界部分では、上面から見て壁面が円弧状に形成され、遊技球を滑らかに案内するようになっている。
【０３２１】
可動役物１７８８は、排出案内路１７９５の直進通路部１７９５ｂに突出する突出位置、及び直進通路部１７９５ｂに突出しない後退位置の間で変位可能に支持され、突出位置に変位した際、直進通路部１７９５ｂを通る遊技球に当接し、該遊技球を生き残り通路１７９７側に送ることが可能となっている。
【０３２２】
生き残り通路１７９７は、平面視が略円弧状で、下流側に向って僅かに下り勾配となるように形成されており、遊技球を大きく且つ比較的ゆっくりと転動させることが可能になっている。また、生き残り通路１７９７の流出側に相当する流入口１７９８は、生き残り通路１７９７の下流端の高さよりも一段低くなっており、流入口１７９８に到達した遊技球が生き残り通路１７９７の上流側に向って逆流しないようになっている。
【０３２３】
このように、ステージ部材１７８５に排出案内路１７９５及び生き残り通路１７９７を形成するとともに、その分岐部位に対して遊技球の転動方向を変化させることが可能な可動役物１７８８を備えることにより、左側誘導経路１７０４によって誘導された遊技球の有利性を比較的低くしながらも、最後まで期待感を維持することができ、遊技球の挙動を楽しませることができる。特に、可動役物１７８８の動作によって遊技球を生き残り通路１７９７側へ転動させるため、可動役物１７８８が突出位置に変位するタイミングと遊技球の転動位置とを関連付けて遊技球の行方を予想させることができ、ハラハラドキドキしながら可動役物１７８８の動きを視認させることができる。また、生き残り通路１７９７を介して遊技球を第二特定遊技領域１７８７側に案内するため、生き残った遊技球の挙動を堪能させることが可能になる。換言すれば、生き残り通路１７９７を設けることにより、可動役物１７８８と回転式振分装置１７０９とを離間して配置することが可能になり、可動役物１７８８によって期待感が高まったことの余情を遊技者に持たせることが可能になる。特に、排出案内路１７９５は前後方向に延出された直進通路部１７９５ｂを有し、生き残り通路１７９７は直進通路部１７９５ｂから略垂直方向に延設されているため、排出案内路１７９５を流下する遊技球が排出部１７１０に送られるか、あるいは生き残り通路１７９７を介して回転式振分装置１７０９側に案内されるかは、可動役物１７８８の動作のみによって決定されることとなり、可動役物１７８８の動作、特に排出案内路１７９５に突出するタイミングに対して一層注目させることが可能になる。また、排出案内路１７９５を流下する遊技球が生き残り通路１７９７に移る場合には、遊技球の進行方向が垂直方向に変化するため、急激な変化によって視覚的な興趣を高めるとともに、遊技球の勢い（運動エネルギー）を大幅に低下させ、比較的ゆっくりした速度で転動させることが可能になる。また、生き残り通路１７９７はステージ部材１７８５における遊技者側の縁部に沿って形成されているため、生き残り通路１７９７によって案内される遊技球を目立たせるとともに、特定遊技領域１７０３の中央部分で行われる他の遊技処理を遮ることなく十分な長さの通路を確保することができる。
【０３２４】
（可動役物の構成）
可動役物１７８８の構成について、図１０６乃至図１０９を参照して詳細に説明する。図１０６は、可動役物１７８８を斜め前から見た斜視図であり、図１０７は、可動役物１７８８の背面図であり、図１０８は、可動役物１７８８の右側面図であり、図１０９は、図１０８のＡ−Ａ断面図である。
【０３２５】
可動役物１７８８は、ステージ部材１７８５（図１０５参照）の上方に配置され遊技者側から視認可能なキャラクタ体１８０５及びホウキ１８０６と、遊技者側から見えないようにステージ部材１７８５の下方またはキャラクタ体１８０５の後方に配置されキャラクタ体１８０５及びホウキ１８０６を動作させる可動役物駆動部１７９１とを具備して構成されている。キャラクタ体１８０５は、漫画の登場人物を立体的に造形したものであり、登場人物の胴体を造形した胴部１８０５ａと、胴部１８０５ａの上方に配置され登場人物の顔や頭を造形した顔部１８０５ｂと、胴部１８０５ａの前側に配置され登場人物の腕を造形した腕部１８０５ｃとを備えている。胴部１８０５ａは、ステージ部材１７８５に対して固定された状態で設けられているが、顔部１８０５ｂ及び腕部１８０５ｃは、胴部１８０５ａに対して揺動可能な状態で支持されている。また、顔部１８０５ｂは中空に形成されるとともに背面側に開口部１８０５ｄが設けられている。
【０３２６】
ホウキ１８０６は、掃除用のホウキを造形したものであり、キャラクタ体１８０５の腕部１８０５ｃに固定状態で取付けられ、胴部１８０５ａに対して腕部１８０５ｃと一緒に左右方向に揺動させることが可能になっている。ホウキ１８０６の下端右側面には、案内路１７９５を流下する遊技球を生き残り通路１７９７に向って滑らかに送ることができるように、前側傾斜の平面からなる当接部１８０６ａが形成されている。つまり、当接部１８０６ａは、排出案内路１７９５を流下する遊技球が当接した際、生き残り通路１７９７側に跳ね返るように、遊技球の流下方向に対して斜めに形成されている。そして、ホウキ１８０６の揺動によって当接部１８０６ａが排出案内路１７９５内に突出する突出位置と、排出案内路１７９５内に突出しない後退位置との間で変位するようになっている。
【０３２７】
可動役物駆動部１７９１は、キャラクタ体１８０５の胴部１８０５ａの後側に配置され胴部１８０５ａを支持する裏支持部１８０８と、ステージ部材１７８５の下方に配置された支持板１８０９と、支持板１８０９の下面に取付けられプランジャ１８１１が後方を向くように配置されたソレノイド１８１０と、軸心方向を鉛直方向とする回動支持軸（図示しない）によって回動可能に支持されプランジャ１８１１の先端とホウキ１８０６とを連結するリング部１８１２と、を備えて構成されている。リング部１８１２は、回動支持軸が貫挿される円筒状の回動中心部１８１２ａと、プランジャ１８１１に連結された連結部１８１２ｂと、連結部１８１２ｂに対して垂直方向に延びるように回動中心部１８１２ａから前方に延出されたアーム部１８１２ｃと、アーム部１８１２ｃの先端に形成されホウキ１８０６の下端部後面に係止された係止部１８１２ｄとを備えている。なお、ソレノイド１８１０にはプランジャ１８１１を突出させる側に付勢するスプリング（図示しない）が設けられている。
【０３２８】
これによれば、ソレノイド１８１０を動作させていない状態では、プランジャ１８１１はスプリングの付勢力によって突出した状態となるため、リング部１８１２は、回動支持軸を中心に平面視時計方向に回動するように作用し、これによりホウキ１８０６を後退位置に保持させる。一方、ソレノイド１８１０を動作させると、プランジャ１８１１はスプリングの付勢力に抗して前方に移動（後退）するため、リング部１８１２は、回動支持軸を中心に平面視反時計方向に回動し、これによりホウキ１８０６を突出位置に変位させる。つまり、ソレノイド１８１０を動作させたときのみ、当接部１８０６ａを遊技球に当接させることが可能になっている。
【０３２９】
また、図１０９に示すように、キャラクタ体１８０５には、胴部１８０５ａと顔部１８０５ｂとを連結する顔リンク１８１３と、胴部１８０５ａと腕部１８０５ｃ（ホウキ１８０６）とを連結するホウキリンク１８１４とが、さらに備えられており、顔リンク１８１３及びホウキリンク１８１４が互いに連結されている。つまり、可動役物駆動部１７９１によってホウキ１８０６が左右方向に揺動すると、その動きがホウキリンク１８１４及び顔リンク１８１３を介して顔部１８０５ｂに伝達され、顔部１８０５ｂを左右方向に揺動させるようになっている。
【０３３０】
また、図１０８に示すように、裏支持部１８０８には、上方に延出されるとともにその上端から前方に折れ曲がった延出部１８０８ａが形成されており、延出部１８０８ａの先端部分が顔部１８０５ｂの背面側から開口部１８０５ｄを通して顔部１８０５ｂの内部に挿入されている。また、顔部１８０５ｂは光透過性の部材であり、延出部１８０８ａの先端部分には、ＬＥＤ等の発光手段１８０８ｂ（図１０９参照）が設けられている。つまり、発光手段１８０８ｂを点灯させることにより顔部１８０５ｂ全体またはその一部を光らせて見せることができるように構成されている。
【０３３１】
（回転式振分装置の構成）
回転式振分装置１７０９の構成について、図１１０及び図１１１を参照して詳細に説明する。図１１０は、回転式振分装置１７０９を斜め前から見た斜視図であり、図１１１は、回転式振分装置１７０９を分解し斜め前から見た分解斜視図である。
【０３３２】
回転式振分装置１７０９は、ステージ部材１７８５（図１０５参照）の円形開口部１７９９内に収容され回転可能に支持された回転体１８２０と、回転体１８２０の回転中心に設けられ回転体１８２０から下方に延出された回転体軸ピン１８２２と、回転体１８２０を回転させるための機構部を収容する回転体ベース１８２３と、遊技球の入球状態を検出するための入球検出手段１８３１等を収容するスイッチケース１８２４と、回転体１８２０に入球した遊技球を排出するための通路を形成する下通路形成部材１８２５と、を備えて構成されている。ここで、円形開口部１７９９の内周面が本発明の外周壁に相当し、入球検出手段１８３１が本発明の入球状態検出手段及び入賞状態検出手段に相当する。
【０３３３】
回転体１８２０には、径方向及び平面方向に開口する一つの特定入球域１８２０ａ及び複数（本例では７個）の普通入球域１８２０ｂが周方向に等間隔（具体的には４５度間隔）で形成されており、ステージ部材１７８５（図１０５参照）に形成された流入口１７９８に到達した遊技球を、特定入球域１８２０ａまたは普通入球域１８２０ｂに入球させることが可能になっている。つまり、ステージ部材１７８５における円形開口部１７９９の内周面が回転体１８２０の外周を囲う外周壁として作用しているが、その内周面に切欠形成された流入口１７９８は、回転体１８２０の回転に伴って特定入球域１８２０ａまたは普通入球域１８２０ｂに対して一時的に連通されるように設けられており、流入口１７９８を介して特定入球域１８２０ａまたは普通入球域１８２０ｂに遊技球を入球させ、回転体１８２０と一緒に軸心回りに回転させることが可能になっている。なお、普通入球域１８２０ｂは上下方向に貫通するとともに外周側が完全に開放された平面視切欠形状に形成されているが、特定入球域１８２０ａは普通入球域１８２０ｂよりも径方向中心寄りの位置で上下方向に貫通しており外周縁部が残された透孔形状に形成されている。
【０３３４】
また、回転体１８２０には、回転体１８２０の上面１８２１に落下した遊技球を誘導するとともに、入球可能な普通入球域１８２０ｂの個数を三個に制限する入球規制壁１８２０ｃが周方向に断続的に形成されている。すなわち、生き残り通路１７９７を通って流入口１７９８に案内され回転体１８２０の周面側から入球する場合と、回転体１８２０の上面側から入球する場合とでは、入球可能な入球域全体の個数に対する特定入球域１８２０ａの割合が互いに異なっている。具体的には周面側から入球する場合では１／８であるが、上面側から入球する場合では１／４となり特定入球域１８２０ａに入球する期待値が高くなっている。
【０３３５】
また、回転体１８２０は、第一始動口１６０２への遊技球の入賞に基づく特別抽選の結果が「第一小当り」であるとき、または、第二始動口１６０４への遊技球の入賞に基づく特別抽選の結果が「第一小当り」又は「第二小当り」であるときには、第一特別図柄または第二特別図柄の変動表示が行われる都度、「第一小当り」または「第二小当り」である旨を示す画像が表示されたのち（表示されたと同時を含む）の同じタイミングで、時計回りへの回転が開始される。回転体１８２０の回転速度は、本実施形態では８〔秒／周〕となっている。また、本実施形態では、回転体１８２０は、変動表示が終了すると同時に（「第一小当り」または「第二小当り」である旨を示す画像が表示されると同時に）、時計回りへの回転が開始される。
【０３３６】
なお、回転体１８２０は、時計回りへの回転を開始するに際して特定入球域１８２０ａが常に同じ位置から回転を開始するように、特定入球域１８２０ａが常に同じ位置にて回転が停止される。詳しくは、回転体１８２０は、特定入球域１８２０ａが流入口１７９８と対向する位置（特定位置）にあるときに停止されるとともに、この特定位置から回転が開始される。
【０３３７】
回転体ベース１８２３には、回転体１８２０を回転させる機構を収容する収容部１８２３ａと、回転体ベース１８２３の周囲の一部（左奥側）に形成され特定入球域１８２０ａと連通し特定入球域１８２０ａに入球した遊技球を落下させることが可能な平面視円弧状の特定入球口１８２３ｂと、回転体ベース１８２３の周囲の一部（流入口１７９８の近傍）に形成され普通入球域１８２０ｂと連通し普通入球域１８２０ｂに入球した遊技球を落下させることが可能な普通入球口１８２３ｃと、が形成されている。特定入球口１８２３ｂ及び普通入球口１８２３ｃは、それぞれ特定入球域１８２０ａ及び普通入球域１８２０ｂに合致するように形成され、特定入球域１８２０ａ及び普通入球域１８２０ｂと同様、特定入球口１８２３ｂが普通入球口１８２３ｃよりも径方向中心寄りに位置している。つまり、特定入球域１８２０ａの一部が普通入球口１８２３ｃに重なっても特定入球域１８２０ａに入球した遊技球が普通入球口１８２３ｃに落下することはなく、また、普通入球域１８２０ｂの一部が特定入球口１８２３ｂに重なっても普通入球域１８２０ｂに入球した遊技球が特定入球口１８２３ｂに落下することがないように構成されている。
【０３３８】
回転体ベース１８２３の収容部１８２３ａ内には、回転体１８２０を一定回転数で回転させるモータ１８２６、モータ１８２６の回転軸に設けられたモータギア１８２７、及び回転体１８２０の回転体軸ピン１８２２に外嵌されるとともにモータギア１８２７と噛合した回転体ギア１８２８等からなる機構部が配設されている。つまり、モータ１８２６を作動させることによりモータギア１８２７及び回転体ギア１８２８を介して回転体軸ピン１８２２に回転力を付与し、回転体１８２０を比較的ゆっくりと回転させることが可能になっている。また、収容部１８２３ａには、ＬＥＤ基板１８２９及びレンズ１８３０等からなる発光手段や、回転体１８２０の回転位置を検出する回転位置検出手段（図示しない）等も収容されている。また、スイッチケース１８２４には、特定入球口１８２３ｂまたは普通入球口１８２３ｃに遊技球が入球したことを夫々検出するための複数の入球検出手段１８３１が収容されており、入球検出手段１８３１を通過した遊技球が下通路形成部材１８２５によって所定の排出位置へ案内されるようになっている。なお、詳しくは後述するが、入球検出手段１８３１によって遊技球が特定入球口１８２３ｂに入球したことが検出されると、遊技者に有利な有利遊技状態（所謂「大当り」）が発生するようになっている。ここで、モータ１８２６が本発明の回転駆動手段に相当する。
【０３３９】
このように、生き残り通路１７９７に送られた遊技球が、その後、回転式振分装置１７０９によって、特定入球域１８２０ａと普通入球域１８２０ｂとに振分けられるため、遊技球の挙動をさらに楽しませることができる。また、回転体１８２０の回転位置と生き残り通路１７９７を通って流入口１７９８に入球する遊技球のタイミングとによって、遊技球が特定入球域１８２０ａに入るか普通入球域１８２０ｂに入るかが決まるため、生き残り通路１７９７を転動する遊技球の挙動を回転体１８２０の回転位置に関連付けることができる。したがって、可動役物１７８８によって遊技球が生き残り通路１７９７に送られた場合には、期待感を次第に高めるとともに遊技球の挙動についても注目させることができる。
【０３４０】
また、生き残り通路１７９７によって流入口１７９８に誘導された場合と、右側誘導経路１７０５によって回転体１８２０の上面に誘導された場合とでは、入球域全体の個数に対する特定入球域１８２０ａの割合が互いに異なり、右側誘導経路１７０５で誘導された遊技球の期待値を相対的に高くすることができる。
【０３４１】
（案内通路形成部材の構成）
回転体１８２０の上面に遊技球を搬送する案内通路形成部材１７８９、及び案内通路形成部材１７８９の流出透孔部１８４０を開閉可能とする開閉部材駆動機構１８４３について、図１１２乃至図１１５を参照して詳細に説明する。図１１２は、案内通路形成部材１７８９の平面図であり、図１１３は、図１１２のＡ−Ａ断面図であり、図１１４は、図１１２のＢ−Ｂの断面図であり、図１１５は、案内通路形成部材１７８９及び開閉部材駆動機構１８４３を分解し斜め前から見た斜視図である。なお、図１１５ではソレノイドを省略している。
【０３４２】
案内通路形成部材１７８９は、無色透明の樹脂部材からなり、後述する遊技媒体復活手段１７１１によって復活した遊技球を回転体１８２０の上面に案内する樋状の復活案内路１８３４と、右側誘導経路１７０５によって誘導された遊技球を復活案内路１８３４に案内する樋状の接続通路部１８３６とを備え一体成形されている。また、案内通路形成部材１７８９には、復活案内路１８３４の流入側（左端）の下方から前方に延出されるとともに回転体１８２０の周囲に沿うように湾曲した内壁を有する左側脚部１８３８と、接続通路部１８３６の流入側（右側）の下方から前方に延出されるとともに回転体１８２０の周囲に沿うように湾曲した内壁を有する右側脚部１８３７とが備えられ、右側脚部１８３７及び左側脚部１８３８によって復活案内路１８３４及び接続通路部１８３６が回転体１８２０の上面よりも高い位置に支持されている。ここで、復活案内路１８３４が本発明の第二誘経路に相当し、接続通路部１８３６が本発明の接続通路に相当する。
【０３４３】
このように、復活案内路１８３４と接続通路部１８３６とが互いに連通しているため、右側誘導経路１７０５によって誘導される遊技球には、復活案内路１８３４によって案内される遊技球と同一の期待値が付与される。したがって、右側誘導経路１７０５によって誘導される遊技球への期待感を大幅に高めることが可能になる。また、通路の一部を共用することにより、複数の経路が煩雑に配置されることを抑制し、特定遊技領域１７０３に対する視認性の低下を防止することができる。
【０３４４】
ところで、復活案内路１８３４によって案内される遊技球は、第一特定遊技領域１７８６における第一遊技処理（具体的には遊技媒体復活手段１７１１による処理）を経由して送られるのに対し、接続通路部１８３６によって案内される遊技球は、右側誘導経路１７０５から直接供給されるため、右側誘導経路１７０５及び接続通路部１８３６によって誘導される遊技球の転動時間が相対的に短くなり、右側誘導経路１７０５に振分けられたことの魅力を遊技者に訴えることが困難となる。つまり、右側誘導経路１７０５に振分けられたことによる喜びを喚起させる前に流出してしまう可能性があり、これによれば右側誘導経路１７０５による興趣を低下させる虞がある。
【０３４５】
これに対し、本例では、接続通路部１８３６によって誘導された遊技球は、復活案内路１８３４に合流した後、復活案内路１８３４の上流側に向って転動するようになっている。このため、流出されるまでの転動距離を伸ばすことができるとともに、大きく転動させることが可能になる。したがって、右側誘導経路１７０５に振分けられたことの魅力を遊技者に訴えることが可能になり、しかも、遊技球は復活案内路１８３４を逆流するため、遊技球の挙動を目立たせることができる。
【０３４６】
特に、復活案内路１８３４及び接続通路部１８３６の合流部付近には、復活案内路１８３４から接続通路部１８３６の上流側に向って遊技球が転動することを阻止する転動方向規制部１８３９が備えられている。これは、復活案内路１８３４における合流部の高さよりも接続通路部１８３６の高さを高くしたことにより形成された段差部からなるものである。このような転動方向規制部１８３９によって転動方向を規制することにより、復活案内路１８３４によって案内される遊技球の動きと、接続通路部１８３６によって案内される遊技球の動きとを異ならせることができ、視覚的な興趣を高めることができる。また、復活案内路１８３４によって誘導される遊技球は、第一特定遊技領域１７８６を経由することで転動時間が比較的長くなっているため、復活案内路１８３４から速やかに流出させることにより、一連の遊技処理にかかる時間が冗長になることを抑制できる。また、段差部によって転動方向規制部１８３９を構成することにより、極めて簡単な構成で、復活案内路１８３４から接続通路部１８３６への転動を規制することができるとともに、接続通路部１８３６から復活案内路１８３４へは、遊技球の勢いを低下させることなく円滑に送ることができる。
【０３４７】
また、復活案内路１８３４は、遊技球が流入する流入口から合流部位までの直線状の上流側通路部１８３５ａと、合流部位から流出透孔部１８４０までの直線状の下流側通路部１８３５ｂとからなるとともに、上流側通路部１８３５ａ及び下流側通路部１８３５ｂが互いに垂直方向となる平面視略Ｌ字形の形状を呈しており、一方、接続通路部１８３６は、上流側通路部１８３５ａの延長線上で直線状に形成されている。このため、接続通路部１８３６から復活案内路１８３４の上流側へ遊技球を滑らかに大きく転動させることができる。また、下流側通路部１８３５ｂは、上流側通路部１８３５ａ及び接続通路部１８３６に対して垂直方向に延出され、その先端に流出透孔部１８４０が設けられているため、接続通路部１８３６から復活案内路１８３４への転動中に遊技球が流出してしまうことを防止できる。ここで、上流側通路部１８３５ａが本発明の上流側通路に相当し、下流側通路部１８３５ｂが本発明の下流側通路に相当する。
【０３４８】
さらに、図１１３に示すように、上流側通路部１８３５ａ及び接続通路部１８３６は、一体成形されており、復活案内路１８３４の合流点を最下点として上下方向に略円弧状に湾曲している。このように、互いに連続する上流側通路部１８３５ａ及び接続通路部１８３６が、略円弧状に湾曲して形成されているため、遊技球の転動中におけるエネルギーの損失を極力抑制し、一層滑らか転動させることが可能になる。しかも、上流側通路部１８３５ａ及び接続通路部１８３６における合流点側への下り勾配は、極めて緩やかであるため、遊技球を比較的ゆっくりと転動させることも可能である。
【０３４９】
また、上流側通路部１８３５ａ及び接続通路部１８３６は樋状に形成され、案内通路形成部材１７８９の奥側上方に配置されているため、上面側の開放部分を通して遊技球を明瞭に視認させることができるとともに、案内通路形成部材１７８９によって第二遊技処理の視認性が低下する虞を防止できる。
【０３５０】
一方、下流側通路部１８３５ｂは前方（遊技者側）に向って直線状に形成されるとともに、図１１４に示すように流出透孔部１８４０に向って僅かに下り勾配となっており、上流側通路部１８３５ａから送られた遊技球を、比較的ゆっくりと真直ぐ転動させることが可能となっている。また、下流側通路部１８３５ｂにおける転動面の左右縁部には、転動面よりも高くなった規制壁１８３５ｃが転動方向に沿って連続的に形成されている。つまり、下流側通路部１８３５ｂは、上流側通路部１８３５ａよりも、転動可能な通路幅が狭くなっており、遊技球のぶれを抑制することで流出透孔部１８４０の中心に向って遊技球を案内するようになっている。
【０３５１】
ところで、復活案内路１８３４の流出透孔部１８４０から遊技球が勢いよく飛び出した場合には、回転式振分装置１７０９による第二遊技処理を楽しませることが困難になる虞がある。そこで、本例では、図１１５に示すように、流出透孔部１８４０を開閉する開閉部材１８４２を備え、開閉部材１８４２を所定のタイミングで開閉動作させるようになっている。具体的には、開閉部材１８４２は、下流側通路部１８３５ｂの下側に配置された板状の部材であり、下ガイド１８４８によって前後方向に摺動可能に支持されるとともに、開閉部材駆動機構１８４３によって、流出透孔部１８４０を閉鎖した状態と開放した状態とに切替わるようになっている。開閉部材駆動機構１８４３は、プランジャ１８４４が後方を向くように配置されたソレノイド（図示しない）と、プランジャ１８４４の先端に連結され前後方向に変位するプランジャヘッド１８４５と、左右方向に延びる棒状のスライドリンク１８４７と、鉛直方向の回転軸（図示しない）によって回動可能に支持されるとともにプランジャヘッド１８４５及びスライドリンク１８４７の左端を連結しプランジャヘッド１８４５の前後方向の動きをスライドリンク１８４７の左右方向の動きに変換する駆動アーム１８４６と、鉛直方向の回転軸（図示しない）によって回動可能に支持されるとともにスライドリンク１８４７の右端に連結され、開閉部材１８４２の側面に形成された噛合部１８４２ａと噛合する歯部１８４９ａを有するギア１８４９と、を備えて構成されている。なお、ソレノイドには、プランジャ１８４４を突出させるように付勢するスプリング（図示しない）が備えられている。これによれば、ソレノイドを動作させていない時は、スプリングの付勢力によってプランジャヘッド１８４５が後方に変位（突出）し、スライドリンク１８４７が右側に移動し、開閉部材１８４２を後方にスライドさせた状態、すなわち流出透孔部１８４０が開放された状態に保持する。一方、ソレノイドを動作させると、スプリングの付勢力に抗してプランジャヘッド１８４５が前方に変位（後退）することで、スライドリンク１８４７が左側に移動し、開閉部材１８４２を前方にスライドさせる。すなわち流出透孔部１８４０を閉塞された状態とする。
【０３５２】
このように、復活案内路１８３４の流出透孔部１８４０に開閉部材１８４２が配設されているため、復活案内路１８３４または接続通路部１８３６によって案内された遊技球を、制動してから、回転体１８２０の上面に落下させることが可能になる。したがって、回転体１８２０に対し遊技球を静かに放つことができ、回転式振分装置１７０９による第二遊技処理を安定した状態でゆっくりと行わせることが可能になる。また、復活案内路１８３４または接続通路部１８３６によって案内された遊技球が回転体１８２０に落下するタイミングは、開閉部材１８４２が開放するタイミングによって決まるため、復活案内路１８３４および接続通路部１８３６での遊技球の挙動を、開閉部材１８４２の動作すなわち流出透孔部１８４０の開閉状態と関連付けながら視認させることができ、ひいては遊技球への注目をさらに高めることができる。
【０３５３】
ところで、詳しくは後述するが、復活案内路１８３４に遊技球を送る遊技媒体復活手段１７１１は、排出部１７１０内で前後方向に変位可能に配置されているため、遊技媒体復活手段１７１１が復活案内路１８３４の流入側から離れ、復活案内路１８３４の流入側が開放された状態となる場合がある。このため、接続通路部１８３６から復活案内路１８３４に送られた遊技球が復活案内路１８３４を逆流する際、その遊技球の勢いが比較的強いと復活案内路１８３４の流入側から経路の外に飛び出してしまう虞がある。そこで、本例では、復活案内路１８３４の流入側に突起部１８３４ａを形成し、接続通路部１８３６から送られた遊技球が流入側から逸脱することを防止している。このため、上流側通路部１８３５ａ全体を用いて遊技球を大きく転動させることが可能である。
【０３５４】
（遊技媒体復活手段の構成）
遊技媒体復活手段１７１１について、図１０３、及び図１１６乃至図１１９を参照して詳細に説明する。図１１６は、特定遊技領域１７０３から案内通路形成部材１７８９等を取り除いた状態を斜め前から見た斜視図であり、図１１７は、遊技媒体復活手段１７１１を斜め前から見た斜視図であり、図１１８は、遊技媒体復活手段１７１１の縦断面図であり、図１１９は、遊技媒体復活手段１７１１の球搬送部１８６２と案内通路形成部材１７８９との関係を示す斜視図である。
【０３５５】
図１０３に示すように、遊技媒体復活手段１７１１は、第一特定遊技領域１７８６の排出部１７１０内に配置され、排出部１７１０に排出された遊技球を拾い上げ、当該遊技球を第二特定遊技領域１７８７の案内通路形成部材１７８９に送るように構成されている。一般に、排出部１７１０は特定遊技領域１７０３から遊技球が排出される箇所、すなわち特定遊技領域１７０３での遊技処理の終了を意味する箇所であるため、遊技球が排出部１７１０に排出されると、遊技者は期待感が失われ悲観した気分になってしまうが、本例のように遊技媒体復活手段１７１１を備えるものでは、遊技球が排出部１７１０に排出されても遊技媒体復活手段１７１１によって拾い上げられた場合には、特定遊技領域１７０３に戻されるようになり、ひいては遊技球を特定入球口１８２３ｂに入球させる可能性が再び発生するようになっている。したがって、遊技者を一喜一憂させることができ、高い趣向性を生じさせることが可能になる。
【０３５６】
排出部１７１０は平面視形状が略長方形で前後方向に長くなっており、両側に内壁を有する溝状開口部１７９６から構成されている。なお、図１１６では、球搬送部１８６２を明確に示すため、前述の案内通路形成部材１７８９及びブロック状の装飾壁体１８７２を取り除いた状態を示しているが、実際は、図１０３に示すように、案内通路形成部材１７８９の左側脚部１８３８によって溝状開口部１７９６の右側の壁面の一部（上部側の壁）が形成され、装飾壁体１８７２によって溝状開口部１７９６の左側の壁面の一部（上部側の壁）が形成されている。このように排出部１７１０は前後方向に長いため、排出部１７１０の横幅が狭くても遊技者側から排出部１７１０の内部の状態を容易に視認させることができ、排出部１７１０内における球搬送部１８６２の動きを楽しませることができる。ここで、装飾壁体１８７２及び左側脚部１８３８の対向する面が本発明の内壁に相当する。
【０３５７】
また、遊技媒体復活手段１７１１は、排出部１７１０内で変位可能に支持され、排出部１７１０の先端である流入位置において遊技球を受け取るとともに、排出部１７１０の後端上方部位である放出位置において遊技球を放出する球搬送部１８６２を備えている。ここで、流入位置は排出部１７１０における内壁の上面よりも低く、放出位置は内壁の上面よりも高い位置となっている。つまり、球搬送部１８６２によって搬送された遊技球は、内壁の上面（左側脚部１８３８の上面）を越えて放出されるようになっている。また、図１１７に示すように、球搬送部１８６２は、遊技球を載置するとともに、少なくとも放出位置において案内通路形成部材１７８９側に向って下り勾配となる底面部１８６２ａと、底面部１８６２ａの先端側（遊技者側）及び後端側から夫々立設され、球搬送部１８６２が流入位置から放出位置に変位するまでの間、底面部１８６２ａから遊技球が落下することを防止する一対の落下防止壁１８６２ｂと、を備えて構成され、案内通路形成部材１７８９側の側面が開放された側面視凹字形の形状を呈している。
【０３５８】
このように球搬送部１８６２を変位可能に設けることにより、排出部１７１０に排出された遊技球が球搬送部１８６２に入球すると、遊技球は静止したまま、放出位置まで搬送される。したがって、遊技球が復活する様子をゆっくりと見せることができ、視覚的な興趣を一層高めることができる。また、球搬送部１８６２は、溝状の排出部１７１０内を長手方向に移動するため、遊技球を持ち上げるという上下方向の運動だけでなく、水平方向の運動も加わり、視覚的な興趣を高めることができる。また、球搬送部１８６２によって搬送された遊技球は、内壁の上面を越えて放出されるようになっているため、遊技球が復活する様子を明瞭に視認させることができるとともに、あたかも崖下に落ちた遊技球が崖をよじ登るような動作を遊技者に見せることで、遊技球の力強さを感じさせ、その遊技球に対する期待感を高めることが可能になる。また、球搬送部１８６２の底面部１８６２ａは案内通路形成部材１７８９側に向って下り勾配となっているため、底面部１８６２ａに載置された遊技球を案内通路形成部材１７８９に向って自然に流出させることが可能になる。つまり、特別な排出機構を備えることなく遊技球を放出させることができるため、遊技媒体復活手段１７１１の構成を比較的簡単な構成とすることが可能になる。
【０３５９】
また、図１１７に示すように、球搬送部１８６２には、底面から下方にアーム部１８６３が延出され、アーム部１８６３の下端部分から水平方向に延出された回動軸部１８６４が回転可能に支持されている。つまり、アーム部１８６３を排出部１７１０内で回動させ、球搬送部１８６２を円弧に沿って変位させることが可能となっている。すなわち、球搬送部１８６２を上昇させながら排出部１７１０の長手方向に沿って移動させることが可能になっている。
【０３６０】
また、排出部１７１０における流入位置の下方には、球搬送部１８６２に流入しなかった遊技球を、排出部１７１０の底面から排出する排出口１７１０ａ（図８７参照）が形成されており、アーム部１８６３を回転可能に支持する回動軸部１８６４は、放出位置の下方に配設されている。これによれば、球搬送部１８６２に流入することなく落下した遊技球を、アーム部１８６３や回動軸部１８６４に接触させることなく排出口から円滑に排出することが可能になる。また、アーム部１８６３の回動軸部１８６４が放出位置の下方にあるため、アーム部１８６３が略鉛直状態となったときに球搬送部１８６２が放出位置に達するようになる。したがって、放出位置を最も高い位置とすることができるとともに、アーム部１８６３の長さを極力短くすることができ、遊技媒体復活手段１７１１の小型化が可能になる。
【０３６１】
図１１７及び図１１８に示すように、遊技媒体復活手段１７１１は、球搬送部１８６２を流入位置と放出位置との間で変位させる機構として、アーム部１８６３の回動軸部１８６４を回転可能に支持する筒状の筒部材１８６８と、正転及び逆転可能なモータ１８６５と、モータ１８６５の回転をアーム部１８６３に伝達するモータリンク１８６６と、を備えている。これによれば、モータ１８６５を所定方向に回転させると、モータリンク１８６６を介してアーム部１８６３が後方に回動し、球搬送部１８６２を流入位置から放出位置に向って変位させることができ、一方、モータ１８６５を反対方向に回転させると、モータリンク１８６６を介してアーム部１８６３が前方に回動し、球搬送部１８６２を放出位置から流入位置に向って変位させることができる。特に、球搬送部１８６２の位置は復活処理制御手段２５８６（図１２８参照）によって制御されるようになっている。具体的には、球搬送部１８６２に対し、待機ステップ、球受ステップ、及び放出ステップが順に行われるようになっている。待機ステップは所定の遊技状態が発生するまでの工程であり、流入位置と放出位置との間の中間位置において球搬送部１８６２を待機させる。なお、この工程ではモータ１８６５への通電は行われておらず、アーム部１８６３のバネ引掛部１８６３ａに掛止されたバネ１８６９によって中間位置に保持されるようになっている。また、遊技媒体復活手段１７１１には、モータリンク１８６６が所定位置になっていることを検出するフォトセンサ１８７１が設けられており、これにより球搬送部１８６２が中間位置か否かを判定することが可能となっている。
【０３６２】
一方、球受ステップは所定の遊技状態が発生した後の工程であり、球搬送部１８６２を中間位置から流入位置に変位させるとともに、流入位置で所定時間停止させる。これにより排出部１７１０に排出された遊技球を球搬送部１８６２で受け止めることが可能になる。放出ステップは、球受ステップの終了後に実行される工程であり、球搬送部１８６２を、流入位置から放出位置に変位させるとともに、放出位置で所定時間停止させる。これにより遊技球を自然に放出させることが可能になる。このように、所定の遊技状態になった場合にのみ、球搬送部１８６２を流入位置に移動させ、遊技球を受け止めることを可能にするため、球搬送部１８６２の動きを遊技状態と関連付けて注目させることが可能になる。また、球搬送部１８６２は中間位置で待機するため、遊技球が衝突することを抑制するとともに、流入位置まで比較的速やかに移動させることができ、一連の処理時間が必要以上に冗長となることを抑制できる。
【０３６３】
また、本例では、図１１９に示すように、球搬送部１８６２によって放出位置まで搬送された遊技球は、特定遊技領域１７０３に戻るだけでなく、案内通路形成部材１７８９によって回転式振分装置１７０９（図１０３参照）の上方に案内されるようになっている。このため、復活した遊技球への期待感が高められ、ひいては遊技媒体復活手段１７１１の動作に対して一層注目させることが可能になる。特に、前述したように、案内通路形成部材１７８９は、生き残り通路１７９７よりも、特定入球口１８２３ｂに入球する期待値が高く設定されているため、生き残り通路１７９７に送られなかった場合でも最後まで期待感を持ちつづけさせることができる。
【０３６４】
ところで、可動役物１７８８及び生き残り通路１７９７は、排出部１７１０の上流側に配設されているため、遊技媒体復活手段１７１１が動作し遊技球を期待値の高い状態で復活させることが可能になっても、可動役物１７８８が突出位置に変位し遊技球を生き残り通路１７９７側に送った場合には、遊技媒体復活手段１７１１の利益を受けることができなくなる。そして、この場合には、有利な状態を阻害した可動役物１７８８の動作に対し腹立たしさを感じさせることが懸念される。
【０３６５】
これに対し本例では、遊技媒体復活手段１７１１が動作する場合、すなわち案内通路形成部材１７８９によって回転式振分装置１７０９の上面に遊技球を誘導することが可能な場合には、可動役物１７８８が突出位置に変位すること、すなわち生き残り通路１７９７を介して回転式振分装置１７０９の流入口１７９８に遊技球を案内することを禁止するようになっている。したがって、期待値の高い側である案内通路形成部材１７８９への誘導が優先して行われ、可動役物１７８８への不満を回避することが可能になる。
【０３６６】
（進入防止機構の構成）
進入防止機構１８５１の構成について、図１０４、図１２０及び図１２１を参照して説明する。図１２０は、進入防止機構１８５１の正面図であり、図１２１は、進入防止機構１８５１を分解し斜め前から見た斜視図である。
【０３６７】
ところで、図１０４に示すように、排出案内路１７９５から生き残り通路１７９７を分岐させたものでは、譬え、排出案内路１７９５に対して生き残り通路１７９７を垂直方向に形成した場合でも、パチンコ機１に対して外部から衝撃や振動が加えられた際には、可動役物１７８８が動作していないにもかかわらず、遊技球の転動方向が変化し、生き残り通路１７９７に入ってしまう虞がある。つまり、生き残り通路１７９７に強制的に誘導させることを狙って、パチンコ機１を叩くなど不正な行為が行われることが懸念される。
【０３６８】
これに対し、本例では、生き残り通路１７９７の入球側に、上方に向って突出する平面視三角形状の凸部１８５２ａが設けられている。このため、譬えパチンコ機１を叩く等不正な行為が行われても、外部からの衝撃や振動によって遊技球が生き残り通路１７９７側に送られることを確実に防止できる。また、この凸部１８５２ａは出没可能に支持されるとともに、可動役物１７８８が突出位置に変位したことに合わせて没入するようになっている。このため、可動役物１７８８に当接した遊技球を円滑に生き残り通路１７９７に送ることが可能である。
【０３６９】
さらに詳しく説明すると、図１２０及び図１２１に示すように、凸部１８５２ａは、側面視が略倒立Ｌ字形である凸リンク１８５２の上面に形成され、生き残り通路１７９７（図１０４参照）の入球側底面に穿設された貫通孔（図示しない）を通して生き残り通路１７９７の上方に突出するように配置されている。なお、凸リンク１８５２は、リンクカバー１８６０によって上下方向に摺動可能に支持されるとともに、ソレノイド１８５４の動作によって昇降するようになっている。具体的には、プランジャ１８５５が前側（遊技者側）を向くようにソレノイドベース１８５３に配置されたソレノイド１８５４と、プランジャ１８５５の先端に設けられたプランジャヘッド１８５６と、プランジャヘッド１８５６及び軸ピン１８５８の左端側を連結しプランジャヘッド１８５６の前後方向直線運動を回転運動に変換して軸ピン１８５８に伝達する第一アーム１８５７と、軸ピン１８５８の右端側及び凸リンク１８５２の下端の連結部１８５２ｂとを連結し軸ピン１８５８の回転運動を凸リンク１８５２の上下方向直線運動に変換する第二アーム１８５９と、を備えて構成されている。なお、プランジャヘッド１８５６の右側面にはソレノイドベース１８５３に形成された平板状のガイド片１８５３ａを挟み前後方向に摺動可能な摺動部１８５６ａが設けられており、プランジャヘッド１８５６の摺動方向が案内されるようになっている。また、ソレノイド１８５４にはプランジャ１８５５を突出する方向に付勢するスプリング１８５４ａが設けられている。
【０３７０】
これによれば、ソレノイド１８５４を動作させていないときには、スプリング１８５４ａの付勢力によってプランジャヘッド１８５６が前方に突出し、凸リンク１８５２を上方に変位した状態で保持させる。一方、ソレノイド１８５４を動作させると、スプリング１８５４ａの付勢力に抗してプランジャヘッド１８５６が後退し、凸リンク１８５２を下降させることが可能になる。
【０３７１】
（装飾役物の構成）
装飾役物１７４６の構成について、図１２２及び図１２３を参照して説明する。図１２２は、装飾役物１７４６を斜め前から見た斜視図であり、図１２３は、装飾役物１７４６の背面図である。装飾役物１７４６は、上部遊技領域１７２９（図９３参照）の後方に配置され、所定の遊技状態が発生した場合にキャラクタ体１８７３を出現させるようになっている。具体的に、キャラクタ体１８７３は垂直方向に設けられた棒状の支持アーム１８８０によって支持されており、支持アーム１８８０の下端に設けられ軸心方向を前後方向とする回転軸１８８０ａを中心に、正面から見て反時計方向に回動可能となっている。キャラクタ体１８７３を回動させる機構として、ソレノイドベース１８７４に取付けられプランジャ１８７６を下方に向けた状態で配置したソレノイド１８７５と、プランジャ１８７６を突出させる方向に付勢するスプリング１８７７と、プランジャ１８７６の先端に連結されたスライダ１８７８と、スライダ１８７８の下端部分、及び支持アーム１８８０における回転軸１８８０ａの上方部位を連結し、スライダ１８７８の直線運動を支持アーム１８８０の回動運動に変換するアームピン１８７９と、を備えている。これによれば、ソレノイド１８７５の非動作時には、スプリング１８７７の付勢力によってスライダ１８７８を下降位置に保持させ、支持アーム１８８０を鉛直方向に支持させ、ひいてはキャラクタ体１８７３をソレノイドベース１８７４の後方である視認不能な位置に保持させることが可能になる。一方、ソレノイド１８７５を動作させると、スプリング１８７７の付勢力に抗してスライダ１８７８が上昇し、支持アーム１８８０を反時計方向に回動させ、ひいてはキャラクタ体１８７３を視認可能とする。
【０３７２】
＜可動装飾体の構成＞
可動装飾体１７３７の構成について、図１２４及び図１２５を参照して説明する。図１２４は、センタ役物ユニット１７００の内部に向って可動装飾体１７３７が突出し遊技者側から視認可能となった状態を示す正面図であり、図１２５は、可動装飾体１７３７及びその駆動機構を斜め前から見た斜視図である。
【０３７３】
可動装飾体１７３７は、通常は液晶枠１７３３の右側に配置されており、遊技者側から視認できないようになっているが、例えば遊技者に有利な特定の遊技状態が発生した場合や、第一始動口１６０２（図７４参照）または第二始動口１６０４への入球を契機として行われる大当り抽選において大当りへの期待値が高い場合には、液晶枠１７３３の右側周面に形成された右側切欠部１７３５（図９２）を通して、液晶枠１７３３の内部に挿入され、液晶表示装置６４０の手前側に出現するようになっている。
【０３７４】
図１２５に示すように、可動装飾体１７３７は、風車を立体的に造形した風車装飾部１８９０と、風車装飾部１８９０の右側に配置されネコのキャラクタを立体的に造形したキャラクタ装飾部１８９１とから構成されている。特に、風車装飾部１８９０は、光透過性の部材で形成され互いに異なる色の二種類のレンズ部１８９０ａと、夫々のレンズ部１８９０ａの輪郭を形成する非透過性の枠部１８９０ｂと、レンズ部１８９０ａの後方に配置されレンズ部１８９０ａに向って光を放射可能な発光装置（図示しない）と、を備えている。つまり、発光装置を動作させることにより、レンズ部１８９０ａを通して遊技者側に光を放射することが可能になっている。
【０３７５】
可動装飾体１７３７を可動させる機構として、可動装飾体１７３７全体を左右水平方向に可動させる水平摺動機構１８９２と、風車装飾部１８９０を回転させる風車回転機構１８９３とが設けられている。水平摺動機構１８９２は、可動装飾体１７３７の上方で長手方向を左右方向として配置されたレール状の支持レール１８９５と、可動装飾体１７３７の下方に配置され支持レール１８９５と並行に配置されたガイドレール１８９６と、上端が支持レール１８９５に支持されるとともに下端がガイドレール１８９６に支持され、複数のギア（図示しない）を有するギアベース１８９７と、ギアベース１８９７をガイドレール１８９６に沿って左右方向に可動させる可動ユニット１８９８と、を備えて構成されている。さらに詳しく説明すると、可動ユニット１８９８は、モータボックス１８９９内に配置された摺動用モータ（図示しない）と、その回転軸に取付けられたモータギア１９００と、ギアベース１８９７の上面に形成されたラック１９０３と噛合しモータギア１９００の回転をラック１９０３の直線運動に変換するピニオン１９０１とを備えている。つまり、摺動用モータを回転させることにより、ラック１９０３を有するギアベース１８９７を左右方向に摺動させることが可能になっている。なお、ギアベース１８９７の上部側には、左側方向に延出された延出部１９０６が形成されており、その先端部分に可動装飾体１７３７が配置されている。このため、可動装飾体１７３７は、ギアベース１８９７と一緒に左右方向に可動し、センタ役物ユニット１７００に対して出没させることが可能である。
【０３７６】
一方、風車回転機構１８９３は、ギアベース１８９７の下部に配置されたモータ１９０５と、モータ１９０５の回転を減速して風車装飾部１８９０に伝達する複数のギア（図示しない）とを備えており、モータ１９０５を動作させることにより、風車装飾部１８９０を回転させることが可能になっている。なお、ギアベース１８９７の前面側には複数のギアを覆うベースカバー１９０４が取付けられている。
【０３７７】
このように、遊技状態や抽選結果に基づいて、可動装飾体１７３７を液晶表示装置６４０の前方に出現させ、さらに風車装飾部１８９０を回転させるとともに点灯させるため、視覚的な演出効果を大幅に高めることができる。特に、液晶表示装置６４０のよる画像演出と可動装飾体１７３７による演出とを重ねて視認させることで、立体的な演出の興趣を一層高めることができる。
【０３７８】
＜主基板及び周辺制御基板による制御構成＞
本実施形態のパチンコ機１における主基板２５００及び周辺制御基板２６００による詳細な制御構成について、主に図１２６及び図１２７を参照して説明する。図１２６は、パチンコ機１における主基板周辺の制御構成を概略的に示すブロック図である。図１２７は、パチンコ機１における周辺制御基板周辺の制御構成を概略的に示すブロック図である。なお、これらの図面において太線の矢印は電源の接続および方向を示し、細線の矢印は信号の接続および方向を示している。
【０３７９】
本実施形態のパチンコ機１の制御は、大きく分けて主制御基板１３５０及び払出制御基板１１８６を含む主基板２５００のグループと、第一装飾制御基板２０５０及び第二装飾制御基板２０５４等を含む周辺制御基板２６００のグループとで分担されている。主基板２５００のグループは遊技動作（入賞検出や当り判定、特別図柄表示、賞球払出、可動役物１７８８の可動制御、等）を制御しており、周辺制御基板２６００のグループは演出動作（発光装飾、音響出力、液晶表示等）を制御している。
【０３８０】
図１２６に示すように、主基板２５００の主制御基板１３５０には、中央演算装置としてのＣＰＵ２５０２、読み出し専用メモリとしてのＲＯＭ２５０４および読み書き可能メモリとしてのＲＡＭ２５０６を備えている。このＣＰＵ２５０２は、ＲＯＭ２５０４に格納されている制御プログラムを実行することによりパチンコ機１で行われる各種遊技を制御したり、周辺制御基板２６００や払出制御基板１１８６に出力するコマンド信号を作成したりする。また、ＲＡＭ２５０６には、主制御基板１３５０で実行される種々の処理において生成される各種データや入力信号等の情報が一時的に記憶される。なお、主制御基板１３５０は、中継端子板６２５、及び払出制御基板１１８６を介して電源基板２５３０に接続されており、電源基板２５３０から作動用電力が供給されるようになっている。
【０３８１】
主制御基板１３５０の入力インタフェースには、パネル中継端子板２０６６を介して、チャッカー１５１０を通過した遊技球を検出する通過センサ１５１２、一般入賞口１５２０に入賞した遊技球を検出する一般入賞口センサ２５３２、第一始動口１６０２に始動入賞した遊技球を検出する第一始動口センサ２５３４、第二始動口１６０４に始動入賞した遊技球を検出する第二始動口センサ１６１６、センタ役物ユニット１７００の入賞口１７０２に入賞した遊技球を検出する入賞口センサ１７４１、左側誘導経路１７０４に振分けられた遊技球を検出する左側経路センサ１７０４ａ、右側誘導経路１７０５に振分けられた遊技球を検出する右側経路センサ１７０５ａ、上部遊技領域１７２９に配置された球受部１７６０の位置を検出するフォトセンサ１７６９、回転役物１７６１の基準位置を検出するフォトセンサ１７７５、回転式振分装置１７０９における特定入球口１８２３ｂ及び普通入球口１８２３ｃに入球する遊技球を夫々検出する二つの入球検出手段１８３１、遊技媒体復活手段１７１１における球搬送部１８６２の位置を検出するフォトセンサ１８７１、所定条件における不正な振動を検出する振動センサ２５３８、及び不正な磁気を検出する磁気センサ２３０２、等が接続されている。
【０３８２】
更に、主制御基板１３５０の入力インタフェースには、中継端子板６２５を介して、遊技球を遊技領域６０５へ打ち込むための遊技者によって操作される操作ハンドル部４６１の操作状態を検出する操作センサ２５１０、本体枠３の開放状態を検出する本体枠開放スイッチ２５１２、及び扉枠５の開放状態を検出する扉枠開放スイッチ２５１４も接続されている。
【０３８３】
一方、主制御基板１３５０の出力インタフェースには、パネル中継端子板２０６６を介して、第二始動口１６０４への入賞確率を変化させる一対の可動片１６０６を駆動する始動口ソレノイド１６１２、センタ役物ユニット１７００の入賞口１７０２を開閉する一対の可動片１７４０ａを開閉駆動するソレノイド１７５０ｅ、球受部１７６０を受止可能位置と受止禁止位置との間で変位させるソレノイド１７６６、回転役物１７６１を基準位置を始点として一回転させるモータ１７７１、可動役物１７８８のホウキ１８０６等を揺動させ遊技球を生き残り通路１７９７に送るソレノイド１８１０、回転式振分装置１７０９において回転体１８２０を回転させるモータ１８２６、遊技媒体復活手段１７１１において球搬送部１８６２を流入位置と放出位置との間で変位させるモータ１８６５、生き残り通路１７９７の流入側に設けられた凸部１８５２ａを出没させるソレノイド１８５４、及び、周辺制御基板２６００が接続されており、主制御基板１３５０から駆動信号を出力することができるようになっている。
【０３８４】
また、主制御基板１３５０の出力インタフェースには、パネル中継端子板２０６６を介して、本体部内前基板１５５０に取付けられた特別図柄表示器１５３０が接続されており、特別図柄表示器１５３０の第一特別図柄表示器１５３２、普通図柄表示器１５３６、普通図柄保留表示器１５３８、第二特別図柄表示器１５４０、ラウンド表示器１５４３等へ表示信号を出力することができるようになっている。更に、主制御基板１３５０の出力インタフェースには、パネル中継端子板２０６６を介して、不正行為警告表示器２００５が接続されており、振動センサ２５３８や磁気センサ２３０２からの検出信号に基づいて駆動信号が出力されるようになっている。
【０３８５】
一方、払出制御基板１１８６は、中央演算装置としてのＣＰＵ２５１８、読み出し専用メモリとしてのＲＯＭ２５２０および読み書き可能メモリとしてのＲＡＭ２５２２を備えている。そして、払出制御基板１１８６は、主制御基板１３５０から入力したコマンド信号を処理し、払出モータ８１５や、発射制御基板２５２４に接続された発射モータ６９５に対して駆動信号を出力する。これにより、払出モータ８１５は、駆動信号に従って遊技球を払い出し、発射モータ６９５は駆動信号に従って遊技球を発射させることが可能になる。
【０３８６】
なお、払出制御基板１１８６には、賞球タンク７２０内に貯留された遊技球が無くなったことを検出する球切れスイッチ７７８が接続されており、この球切れスイッチ７７８の検出に基づいて、遊技者及びホール側（ホールコンピュータ）へ球切れの報知がなされる。また、払出制御基板１１８６には、皿ユニット３００の貯留部３８１に貯留された遊技球が満タンになったことを検出する満タンスイッチ９１６が接続されており、この満タンスイッチ９１６の検出に基づいて、「遊技球を貯留部３８１から取り出して下さい」旨の報知がなされるようになっている。
【０３８７】
また、主制御基板１３５０と払出制御基板１１８６との間では、それぞれの入出力インタフェースを介して双方向通信が実施されており、たとえば主制御基板１３５０が賞球コマンドを送信すると、これに応えて払出制御基板１１８６から主制御基板１３５０にＡＣＫ信号が返されるようになっている。
【０３８８】
更に、払出制御基板１１８６には、外部端子板２５２６が接続されており、始動口１６０２，１６０６等への入球状態、普通図柄・特別図柄の変動状態及び特別抽選結果や普通抽選結果等の各抽選結果に基づく遊技状態、不正行為の検出等の各種情報が、遊技施設に設けられたホールコンピュータ等へ出力されるようになっている。
【０３８９】
一方、周辺制御基板２６００は、図１２７に示すように、ＣＰＵ２６０２をはじめＲＯＭ２６０４やＲＡＭ２６０６等の電子部品を有しており、これら電子部品によって所定の演出制御プログラムを実行することが可能となっている。また、周辺制御基板２６００には、音声や音楽の基となる音源を記憶したＲＯＭ２６０８と、ＲＯＭ２６０８に記憶された音源を基に、演出内容等に応じた音声や音楽を出力する音源ＩＣ２６１０とが設けられている。なお、上記の主制御基板１３５０と周辺制御基板２６００との間では、それぞれの入出力インタフェースと入力インタフェースとの間で一方向だけの通信が行われており、主制御基板１３５０から周辺制御基板２６００へのコマンド送信はあっても、その逆は行われないようになっている。また、周辺制御基板２６００に対しても主制御基板１３５０を介して電源基板２５３０から作動用電力が供給されるようになっている。
【０３９０】
なお、周辺制御基板２６００を構成する第一装飾制御基板２０５０及び第二装飾制御基板２０５４の何れにもＣＰＵ２６０２や音源ＩＣ２６１０を備えるようにしても良いし、何れか一方のみにＣＰＵ２６０２や音源ＩＣ２６１０を備えるようにしても良い。
【０３９１】
この周辺制御基板２６００には、液晶表示装置６４０での演出画像の表示を制御する液晶表示制御基板２６１２が接続されている。この液晶表示制御基板２６１２には、液晶表示装置６４０が接続されており、液晶表示制御基板２６１２で周辺制御基板２６００から送信されたコマンド信号を処理し、液晶表示装置６４０に対して駆動信号を出力する。詳しく説明すると、液晶表示制御基板２６１２には、ＣＰＵ２６１４、ＲＡＭ２６１６、ＲＯＭ２６１８、ＶＤＰ２６２０及び画像ＲＯＭ２６２２が備えられている。
【０３９２】
液晶表示制御基板２６１２のＣＰＵ２６１４は、周辺制御基板２６００から送られてきたコマンド信号を、入出力インタフェースを介して受信すると共に、そのコマンドを基に演算処理を行って、ＶＤＰ２６２０の制御を行う。ＲＡＭ２６１６は、ＣＰＵ２６１４の作業領域を提供すると共に、表示コマンドに含まれる情報を一時的に記憶する。また、ＲＯＭ２６１８は、ＣＰＵ２６１４用（表示制御用）のプログラムを保持する。
【０３９３】
また、ＶＤＰ（ビデオディスプレイプロセッサ）２６２０は、液晶表示装置６４０に組み込まれたＬＣＤドライバ（液晶駆動回路）を直接操作する描画回路である。ＶＤＰ２６２０の内部には、レジスタが設けられており、ＶＤＰ２６２０の動作モードや各種表示機能の設定情報等を保持しておくことが可能となっている。そして、このレジスタに保持される各種情報をＣＰＵ２６１４が書き換えることにより、液晶表示装置６４０における表示態様を種々に変化させることが可能となる。画像ＲＯＭ２６２２は、各種の画像データを記憶する不揮発性メモリであり、各種の表示図柄のビットマップ形式画像データおよび背景画像用のＪＰＥＧ形式画像データ等が記憶されている。
【０３９４】
なお、周辺制御基板２６００と液晶表示制御基板２６１２との間では、それぞれの入出力インタフェースとの間で双方向に通信が行われる。また、液晶表示制御基板２６１２に対しても、周辺制御基板２６００及び主制御基板１３５０を介して電源基板２５３０から作動用電力が供給されるようになっている。
【０３９５】
また、周辺制御基板２６００には、枠装飾中継端子板２９０を介して、扉枠５に備えられた扉枠装飾ランプ２６２４、及びスピーカ１６３等が接続されており、周辺制御基板２６００から、これらランプやスピーカ１６３等に対して駆動信号が出力されるようになっている。
【０３９６】
また、周辺制御基板２６００には、枠装飾中継端子板２９０を介して、扉枠５の前面に配置された三つの押ボタン３３０ａ，３３０ｂ，３３０ｃ（符号は左から順）からなる操作ボタン３３０が夫々接続されており、各押ボタン３３０ａ，３３０ｂ，３３０ｃの操作信号が入力されるようになっている。
【０３９７】
更に、周辺制御基板２６００には、表サイド部材１５００内に配置され後面にＬＥＤが実装され表サイド部材１５００の上側を発光装飾させる上延出部内基板１５５４、表サイド部材１５００の下側を発光装飾させる下延出部内基板１５５６が接続されており、駆動信号を出力することで各基板に備えられたＬＥＤを所定の発光色で点灯・点滅・消灯させることができるようになっている。
【０３９８】
また、周辺制御基板２６００には、始動口ユニット１６００を発光装飾させる始動口ユニット装飾基板２６３０、センタ役物ユニット１７００の右肩装飾部１７２６、左肩装飾部１７２７、及び下側装飾部１７２８等を夫々発光装飾させる複数の発光装飾基板２６３２が接続されており、駆動信号を出力することで各基板に備えられたＬＥＤを所定の発光色で点灯・点滅・消灯させることができるようになっている。
【０３９９】
また、周辺制御基板２６００には、可動装飾体中継端子板１７３７ａを介して可動装飾体１７３７の摺動用モータやモータ１９０５が接続されており、駆動信号を出力することで、可動装飾体１７３７の水平移動及び可動装飾体１７３７の一部である風車装飾部１８９０の回転を行わせることが可能となっている。
【０４００】
＜遊技内容＞
本実施形態のパチンコ機１における遊技内容について、主に図１２６乃至図１３０を参考にして説明する。図１２８は、主制御基板での機能的な構成を示すブロック図であり、図１２９は、周辺制御基板での機能的な構成を示すブロック図である。また、図１３０は、主制御基板における不正行為警告表示器の表示に係る機能的な構成を示すブロック図である。
【０４０１】
まず、主制御基板１３５０での遊技演出制御に係る機能的な構成について、図１２８等を参考に説明する。なお、遊技球の払出しに係る機能的な構成については省略する。本例の主制御基板１３５０では、ＲＯＭ２５０４に予め格納された所定のプログラムをＣＰＵ２５０２によって実行することで各種の遊技制御や演出制御等が具現化されるようになっている。この主制御基板１３５０には、通過センサ１５１２から遊技球の検出信号が入力されると、所定の普通乱数を発生させる普通乱数発生手段２５５０と、普通乱数発生手段２５５０により発生した普通乱数と対応する普通図柄変動パターンを、ＲＯＭ２５０４に格納された所定の普通図柄変動パターンテーブルから選択する普通図柄変動パターン選択手段２５５２と、選択された普通図柄変動パターンを一時的に記憶して保留する普通図柄保留手段２５５４とを備えている。
【０４０２】
上述の普通図柄変動パターン選択手段２５５２は、時短機能が作動しているか否かを判断し、この判断結果に基づいて、所定時間（例えば、通常遊技状態では５０ｓｅｃ，時短遊技状態では５ｓｅｃ）にわたって普通図柄の変動表示を行い、その後、取得した普通乱数（普通抽選結果）に基づいた普通図柄を停止表示する。このように、普通図柄変動パターン選択手段２５５２は、通常遊技状態制御手段、時短遊技状態制御手段または微時短遊技状態制御手段としても機能する。
【０４０３】
上述の普通図柄保留手段２５５４は、普通図柄表示器１５３６において普通図柄が変動表示中に、通過センサ１５１２からの遊技球の検出信号を契機として選択された普通図柄変動パターンを所定数（例えば、四つ）まで記憶して保留してその保留数を普通図柄保留表示器１５３８に表示させると共に、普通図柄の変動表示が可能となるまで記憶した普通図柄変動パターンの実行を保留するものである。そして普通図柄保留手段２５５４で保留された普通図柄変動パターン（普通乱数）が実行されると、その普通図柄変動パターン（普通乱数）に基づいて普通図柄表示器１５３６の普通図柄が変動表示された後に停止表示され、停止表示された普通図柄が「普通当り」であると始動口ソレノイド１６１２を駆動して一対の可動片１６０６を拡開させて第二始動口１６０４への入賞確率を高くするようになっている。
【０４０４】
また、主制御基板１３５０には、第一始動口１６０２への始動入賞により第一始動口センサ２５３４で検出された検出信号に基づいて所定の第一特別乱数を発生（取得）させる第一特別乱数発生手段２５５６と、第一特別乱数発生手段２５５６において取得した第一特別乱数に基づいて抽選を行う第一特別図柄抽選手段２５５８と、を備えている。さらに、この第一特別図柄抽選手段２５５８は、第一特別乱数発生手段２５５６において発生した第一特別乱数と対応する第一特別図柄変動パターンを、ＲＯＭ２５０４に予め記憶された所定の特別図柄変動表示パターンテーブルから選択する第一特別図柄変動パターン選択手段２５５９と、第一特別乱数発生手段２５５６において取得した第一特別乱数に基づいて当落を判定する第一特別図柄当落判定手段２５６０と、を有している。そして、第一特別図柄変動パターン（第一特別乱数）が変動表示されると、その第一特別図柄変動パターンに基づいて第一特別図柄表示器１５３２の第一特別図柄が変動表示された後に停止表示されて、「第一小当り」と「第二小当り」と「大当り」とのうちいずれかを示唆することができるようになっている。
【０４０５】
更に、主制御基板１３５０には、第二始動口１６０４への始動入賞により第二始動口センサ１６１６で検出された検出信号に基づいて所定の第二特別乱数を発生（取得）させる第二特別乱数発生手段２５６２と、第二特別乱数発生手段２５６２において取得した第二特別乱数に基づいて抽選を行う第二特別図柄抽選手段２５６４と、を備えている。さらに、この第二特別図柄抽選手段２５６４は、第二特別乱数発生手段２５６２において発生した第二特別乱数と対応する第二特別図柄変動パターンを、ＲＯＭ２５０４に予め記憶された所定の特別図柄変動表示パターンテーブルから選択する第二特別図柄変動パターン選択手段２５６５と、第二特別乱数発生手段２５６２において取得した第二特別乱数に基づいて当落を判定する第二特別図柄当落判定手段２５６６と、を有している。そして、第二特別図柄変動パターン（第二特別乱数）が実行されると、その第二特別図柄変動パターンに基づいて第二特別図柄表示器１５４０の第二特別図柄が変動表示された後に停止表示されて、「第一小当り」と「第二小当り」と「大当り」とのうちいずれかを示唆することができるようになっている。
【０４０６】
上述した第一特別図柄変動パターン及び第二特別図柄変動パターンには、「第一小当り」、「第二小当り」及び「大当り」の他に、「第一小当り」、「第二小当り」または「大当り」の際の入賞口１７０２（図７４参照）を開閉する可動片１７４０ａの開閉回数、「大当り」遊技の際のラウンド回数、第一特別図柄や第二特別図柄の変動時間、等が含まれており、これら第一特別図柄変動パターンや第二特別図柄変動パターンに含まれた種々の情報が始動入賞による抽選結果として後述する可動片１７０４ａ等の動きや、液晶表示装置６４０、スピーカ１６３、等による演出画像や演出音響等の演出の選択に用いられるようになっている。
【０４０７】
また、主制御基板１３５０には、回転体１８２０の特定入球域１８２０ａに遊技球が入球することで入球検出手段１８３１から検出信号が出力された場合、又は、第一始動口１６０２や第二始動口１６０４への始動入賞による第一特別乱数（第一特別図柄変動パターン）や第二特別乱数（第二特別図柄変動パターン）が「大当り」を示唆する場合に、「大当り」遊技等の有利遊技状態を発生させる有利遊技状態発生手段２５６８と、有利遊技状態発生手段２５６８による有利遊技状態の発生、又は、第一始動口１６０２若しくは第二始動口１６０４への始動入賞による第一特別乱数（第一特別図柄変動パターン）若しくは第二特別乱数（第二特別図柄変動パターン）が「第一小当り」若しくは「第二小当り」を示唆する場合、ソレノイド１７５０ｅの駆動により可動片１７４０ａを開閉動作させて入賞口１７０２への遊技球の受入れを可能とする入賞口開閉制御手段２５７０と、を備えている。
【０４０８】
更に、主制御基板１３５０には、少なくとも入賞口開閉制御手段２５７０により入賞口１７０２が受入可能となると、受止禁止位置に支持された球受部１７６０を、ソレノイド１７６６の駆動により受止可能位置（下限位置）に変位させ所定時間だけ保持させるという動作を複数回（例えば二回）行う球受部駆動制御手段２５８１と、特別図柄の変動が停止してから不変の一定時間経過後、モータ１７７１の駆動により、回転役物１７６１を基準位置から一回転または二回転させることで、球受部１７６０によって受け止められた遊技球を永久磁石１７６１ａに吸着させるとともに、回転役物１７６１とともに回転させる回転役物駆動制御手段２５８２と、が備えられている。これにより、球受部１７６０によって受け止められた遊技球を右側誘導経路１７０５に送り、一方、球受部１７６０によって受け止められなかった遊技球を左側誘導経路１７０４に送ることが可能になる。しかも、右側誘導経路１７０５に送る場合には、回転役物１７６１を介することにより右側誘導経路１７０５に送られるまでの時間を遅延することが可能になる。したがって、入賞口１７０２に複数の遊技球が同時に入賞し、その一つが右側誘導経路１７０５に送られることになっても、左側誘導経路１７０４及び右側誘導経路１７０５を通して同時に特定遊技領域１７０３に到達することを防止でき、特定遊技領域１７０３での遊技球の挙動を順に楽しませることができる。特に、遊技球の停留中も回転役物１７６１の動作及び回転役物１７６１による遊技球の回転を視認させることができるため、単に停留状態で停止しているものに比べ、遊技者に安心感を与えるとともに、視覚的な興趣を高めることができる。
【０４０９】
また、主制御基板１３５０には、入賞口１７０２が受入可能となってから所定時間経過後、ソレノイド１８１０の駆動により、可動役物１７８８（図１０６参照）のホウキ１８０６を動作させ、ホウキ１８０６の当接部１８０６ａを一定短時間だけ排出案内路１７９５に突出させるという動作を複数回（例えば４回）連続的に行う可動役物駆動制御手段２５８３が備えられている。これにより、左側誘導経路１７０４によって誘導された遊技球の有利性を比較的低くしながらも、最後まで期待感を維持することができ、遊技球の挙動を楽しませることができる。特に、可動役物１７８８の動作によって遊技球を生き残り通路１７９７側へ転動させるため、可動役物１７８８が突出位置に変位するタイミングと遊技球の転動位置とを関連付けて遊技球の行方を予想させることができ、ハラハラドキドキしながら可動役物１７８８の動きを視認させることができる。
【０４１０】
また、可動役物駆動制御手段２５８３は、遊技媒体復活手段１７１１が動作する場合、すなわち復活案内路１８３４によって回転体１８２０の上面に遊技球を誘導することが可能な場合には、可動役物１７８８が突出位置に変位すること、すなわち生き残り通路１７９７を介して回転体１８２０の流入口１７９８に遊技球を案内することを禁止する。したがって、期待値の高い側である復活案内路１８３４への誘導が優先して行われ、可動役物１７８８への不満を回避することが可能になる。
【０４１１】
なお、主制御基板１３５０には、機能的構成として進入許可制御手段２５８４も備えられており、可動役物１７８８におけるホウキ１８０６の初回始動と同期して、ソレノイド１８５４を駆動させることにより、凸リンク１８５２を下降させ、ホウキ１８０６の当接部１８０６ａに当接した遊技球を生き残り通路１７９７に送ることを可能にしている。
【０４１２】
また、主制御基板１３５０には、第一特別図柄変動パターン選択手段２５５９によって選択された第一特別図柄変動パターン、または第二特別図柄変動パターン選択手段２５６５によって選択された第二特別図柄変動パターンが、「第二小当り」である場合、入賞口１７０２の２回目の開放動作により入賞口１７０２が受入可能となってから遊技媒体復活手段１７１１を動作させる復活処理制御手段２５８６が備えられている。この復活処理制御手段２５８６は、モータ１８６５を駆動することにより、排出部１７１０に排出された遊技球を拾い上げ、特定遊技領域１７０３に戻すようになっている。具体的には、球搬送部１８６２に対し、待機ステップ、球受ステップ、及び放出ステップが順に行われ、流入位置と放出位置との間の中間位置において待機中の球搬送部１８６２を流入位置に変位させるとともに、流入位置で所定時間停止させ、排出部１７１０に排出された遊技球を球搬送部１８６２で受け止めることを可能にする。その後、球搬送部１８６２を、流入位置から放出位置に変位させるとともに、放出位置で所定時間停止させることにより、案内通路形成部材１７８９に向って遊技球を自然に放出させる。このように、特別図柄変動パターンが「第二小当り」となり、且つ入賞口１７０２の２回目の開放動作時のみ、球搬送部１８６２を流入位置に移動させ、遊技球を受け止めることを可能にするため、球搬送部１８６２の動きを抽選結果と関連付けて注目させるとともに、「第二小当り」における期待感を大幅に高めることができる。
【０４１３】
また、主制御基板１３５０には、入賞口１７０２が受入可能となってから所定時間経過後、ソレノイド１８４４ａの駆動により、開閉部材１８４２（図１１５参照）を動作させ、案内通路形成部材１７８９の流出透孔部１８４０を閉鎖し、さらに所定時間後に開放する、という動作を所定回数（例えば三回）繰り返す貯留制御手段２５８５が備えられている。これにより、復活案内路１８３４または接続通路部１８３６によって案内された遊技球を、制動してから、回転体１８２０の上面に落下させることが可能になり、回転体１８２０に対し遊技球を静かに放つことができ、回転式振分装置１７０９による第二遊技処理を安定した状態でゆっくりと行わせることが可能になる。なお、本例では３回目における流出透孔部１８４０の閉鎖時間は、１回目及び２回目の閉鎖時間よりもかなり長くなるように設定されているため、入賞口１７０２の３回目の開放によって入球した遊技球が遊技媒体復活手段１７１１によって復活する場合であっても、流出透孔部１８４０から流出する遊技球を開閉部材１８４２によって確実に停留させることが可能である。ここで、貯留制御手段２５８５が本発明の開閉制御手段に相当する。
【０４１４】
また、主制御基板１３５０には、普通乱数、第一特別乱数、第二特別乱数に応じた、普通図柄変動パターン、第一図柄変動パターン、第二図柄変動パターン、及び各センサからの検出信号、入賞口開閉制御手段２５７０、有利遊技状態発生手段２５６８、及びセンタ役物ユニット１７００における各駆動制御手段２５８１〜２５８６、等からの制御信号等に基づいて所定の制御用のコマンドを生成して周辺制御基板２６００へ送信するコマンド送信手段２５７６を更に備えている。
【０４１５】
また、主制御基板１３５０には、図１３０に示すように、振動センサ２５３８及び磁気センサ２３０２からの検出信号に基づいて、不正行為等の異常が発生したか否かを判定する異常判定手段２５７８と、異常判定手段２５７８によって異常が発生したと判定されると遊技を緊急停止させる遊技停止手段２５８０とを更に備えている。この異常判定手段２５７８では、磁気センサ２３０２からの検出信号を常時受付けるようになっていると共に、振動センサ２５３８からの検出信号は入賞口センサ１７４１での遊技球の検出信号を契機として受付けるようになっている。
【０４１６】
また、異常判定手段２５７８によって異常が発生したと判定されるとＬＥＤからなる不正行為警告表示器２００５が所定態様で発光するようになっていると共に、その発光態様によって振動センサ２５３８及び磁気センサ２３０２の何れのセンサにより異常が検出されたのかが判るようになっている。
【０４１７】
なお、異常判定手段２５７８では、振動センサ２５３８や磁気センサ２３０２からの検出信号に対して所定のしきい値が設定されており、検出信号が所定のしきい値を越えたか否かによって異常の発生を判定するようにしている。
【０４１８】
また、異常判定手段２５７８により異常が発生したと判定されると、コマンド送信手段２５７６によって所定のコマンドが周辺制御基板２６００へと送信され、異常判定手段２５７８によって異常が発生したと判定されてから所定時間経過、或いは、所定時間の間に複数回異常が発生したと判定されると、液晶表示装置６４０に所定の警告画像が表示されると同時に、後述する扉枠装飾ランプ２６２４が赤色系に点滅発光して視覚的に異常（不正行為）が発生したのを遊技者や遊技ホールの係員等に認識させるようになっていると共に、スピーカ１６３から所定の警告音（サイレン、警告音声、等）が発せられて聴覚的にも認識できるようになっている。
【０４１９】
一方、図１２９に示すように、周辺制御基板２６００には、主制御基板１３５０から送信される制御用のコマンドを受信するコマンド受信手段２６５０と、コマンド受信手段２６５０で受信されたコマンドに基づいて、ＲＯＭ２６０４に格納された演出パターンを選択する演出パターン選択手段２６５２と、演出パターン選択手段２６５２で選択された演出パターン等に基づいて、上延出部内基板１５５４、下延出部内基板１５５６、始動口ユニット装飾基板２６３０、及び発光装飾基板２６３２等に備えられたＬＥＤの発光駆動を制御することで発光装飾体を発光演出させる発光演出制御手段２６５４と、液晶表示装置６４０に演出パターン選択手段２６５２で選択された演出パターン等に基づいて所定の演出画像を表示させる演出表示制御手段２６５６と、演出パターン選択手段２６５２で選択された演出パターン等に基づいて、スピーカ１６３を駆動して所定の音楽や効果音等による音響演出を制御する音響演出制御手段２６５８と、を備えている。
【０４２０】
また、周辺制御基板２６００には、主制御基板１３５０から送信される制御用のコマンドから、可動片１７４０ａの開閉動作による入賞口１７０２の開情報を取得する入賞口開情報取得手段２６６２と、遊技球が左側誘導経路１７０４及び右側誘導経路１７０５のいずれによって誘導されるのかを示す経路情報を取得する経路情報取得手段２６６４と、遊技媒体復活手段１７１１の球搬送部１８６２によって遊技球が受け止められたか否かを示す復活情報を取得する復活情報取得手段２６６６と、をさらに備えている。
【０４２１】
また、周辺制御基板２６００には、演出パターン選択手段２６５２で選択された演出パターンに基づいて、演出画像及び演出音響からなる入賞口開演出を制御する入賞口開演出制御手段２６６８と、入賞口開情報取得手段２６６２で取得された開情報に基づいて、入賞口開演出制御手段２６６８による役物入賞口開演出を継続（延長）させる役物入賞口開演出継続手段２６７０と、を更に備えている。
【０４２２】
更に、周辺制御基板２６００には、演出パターン選択手段２６５２で選択された演出パターン、及び経路情報取得手段２６６４で取得された経路情報（すなわち右側誘導経路１７０５によって誘導させること）に基づいて、所定の演出画像及び演出音響からなる期待大演出を行う期待大演出制御手段２６７２と、演出パターン選択手段２６５２で選択された演出パターン、及び復活情報取得手段２６６６で取得された復活情報（すなわち遊技球が球搬送部１８６２によって受け止められたこと）に基づいて、演出画像及び演出音響からなる復活演出を制御する復活演出制御手段２６７４と、を更に備えている。
【０４２３】
続いて、上述の機能的構成を有した本実施形態のパチンコ機１における遊技内容について、具体的に説明する。本実施形態のパチンコ機１は、扉枠５の右下に配置された操作ハンドル部４６１を遊技者が回転操作することで、皿ユニット３００の貯留部３８１に貯留された遊技球が、透明な遊技パネル５９９の前面に配置された遊技領域６０５内の上部へと打ち込まれて、遊技球による遊技が開始されるようになっている。遊技領域６０５内の上部へ打ち込まれた遊技球は、図７４に示すように、その打込強さによってセンタ役物ユニット１７００の左側或いは右側の遊技領域６０５内を流下することとなる。なお、遊技球の打込強さは、操作ハンドル部４６１の回転量によって調整することができるようになっており、時計回りの方向へ回転させるほど強く打ち込むことができるようになっている。また、遊技領域６０５内には、適宜位置に所定のゲージ配列で複数の障害釘が遊技パネル５９９の前面に植設されており、遊技球がその障害釘に当接することで、遊技球の流下速度が抑制されると共に、遊技球に様々な動きが付与されて、その動きを楽しませられるようになっている。
【０４２４】
センター枠１７００の側面側を流下する遊技球が、遊技領域６０５内に配置されたチャッカー１５１０を通過して通過センサ１５１２により検出されると、その検出信号に基づいて主制御基板１３５０では、普通抽選に用いられる普通乱数が取得される。そして、上述したように、その普通乱数に基づいて、特別図柄表示器１５３０における普通図柄表示器１５３６の普通図柄が変動表示され、変動表示されてから所定時間（例えば、通常遊技状態５０秒間、後述する微時短遊技状態では４８秒間、時短遊技状態では５秒間）経過後に、取得した普通乱数（普通抽選結果）に基いた普通図柄が停止表示される。この普通図柄の変動表示は、普通乱数に応じた普通図柄変動パターンに基づいて行われるようになっている。
【０４２５】
そして、当りを示唆する普通図柄が停止表示されると、第二始動口１６０４の左右に直立した一対の可動片１６０６が、所定時間（例えば、０．３秒〜３秒の間）逆ハ字状となるように拡開して、第二始動口１６０４への遊技球の入賞確率を高くすることができるようになっている。
【０４２６】
また、本例では、普通図柄表示器１５３６において普通図柄が変動表示中に、通過センサ１５１２で遊技球の通過が検出されると、変動中の普通図柄が停止して先に取得された普通乱数の結果が確定するまでの間、通過センサ１５１２からの検出信号に基づいて取得した普通乱数（普通図柄変動パターンを含む）を一時的に記憶してその表示を保留するようになっており、その記憶された普通乱数の数（保留数とも言う）を、普通図柄保留表示器１５３８で表示するようになっている。この普通図柄保留表示器１５３８は、二つのＬＥＤからなっており、消灯・点灯・点滅する各ＬＥＤの発光状態の組合わせによって記憶数を示唆するようになっており、本例では、四つまで記憶して表示するようになっている。なお、記憶数が四つを越えた場合は、通過センサ１５１２の検出信号に基づいて取得された普通乱数が破棄されるようになっている。
【０４２７】
ところで、この実施の形態では、大当り遊技（有利遊技状態）が終了したのちの所定期間、時短機能が作動する時短遊技状態に制御される。この時短遊技状態では、上述したように、普通図柄の変動時間が通常遊技状態に制御されているときよりも短縮される（５０秒→５秒）とともに、始動口ユニット１６００の可動片１６０６が開状態とされる時間が長期化（０．３秒〜１秒→３秒〜４秒）されるので、通常遊技状態と比べて第二始動口１６０４に遊技球が格別に入賞しやすい状態となり、大当り遊技が繰り返し実行される期待感が高められうる。
【０４２８】
なお、例えば、時短遊技状態の実行回数（時短遊技状態において特別図柄の変動（特別図柄の抽選）が行われる回数）が４回の場合、すなわち特別図柄の変動（特別図柄の抽選）が４回行われると時短遊技状態が終了する場合において、大当り遊技が実行される理論上の確率は以下のとおりである。
【０４２９】
時短遊技状態における１回目の「第一小当り」または「第二小当り」において、入賞口１７０２に入賞した遊技球が生き残り通路１７９７に送られる確率は２分の１、生き残り通路１７９７に送られた遊技球が特定入球域１８２０ａに入球する確率は８分の１であるから、１回目の「第一小当り」または「第二小当り（１回目の入賞口１７０２開放時）」において大当り遊技が発生する確率は概ね１６分の１である。
【０４３０】
また、２回目の「第一小当り」または「第二小当り」において、大当り遊技が発生する確率（１回目の「第一小当り」または「第二小当り」の当選時にて大当り遊技が発生せず、且つ２回目の「第一小当り」または「第二小当り」の当選時に大当り遊技が発生する確率）は２５６分の１５であるから、１回目または２回目の「第一小当り」または「第二小当り（１回目の入賞口１７０２開放時）」において大当り遊技が発生する確率は概ね２５６分の３１である。
【０４３１】
また、３回目の「第一小当り」または「第二小当り」において、大当り遊技が発生する確率（１回目および２回目の「第一小当り」または「第二小当り」の当選時にて大当り遊技が発生せず、且つ３回目の「第一小当り」または「第二小当り」の当選時に大当り遊技が発生する確率）は４０９６分の２２５であるから、１回目〜３回目の「第一小当り」または「第二小当り（１回目の入賞口１７０２開放時）」において大当り遊技が発生する確率は概ね４０９６分の４８１である。
【０４３２】
さらに、４回目の「第一小当り」または「第二小当り」において、大当り遊技が発生する確率（１回目〜３回目の「第一小当り」または「第二小当り」の当選時にて大当り遊技が発生せず、且つ４回目の「第一小当り」または「第二小当り」の当選時に大当り遊技が発生する確率）は６５５３６分の３６１５であるから、１回目〜４回目の「第一小当り」または「第二小当り（１回目の入賞口１７０２開放時）」において大当り遊技が発生する確率は概ね６５５３６分の７７１１である。
【０４３３】
ただし、「第二小当り」に１回当選すると、この「第二小当り」の当選に基づく２回目の入賞口１７０２の開放時にこの入賞口１７０２に遊技球が入賞し、且つ入賞口１７０２に入賞した遊技球が生き残り通路１７９７に送られなかった場合には、遊技媒体復活手段１７１１により大当り遊技が発生する可能性が残る。したがって、上記１回目〜４回目において大当り遊技が発生する理論上の確率は、上述した理論上の確率に、遊技媒体復活手段１７１１により大当り遊技が発生する確率を加味した確率となる。
【０４３４】
なお、通常遊技状態における特別抽選の結果が「第一小当り」または「第二小当り」であるとき、入賞口１７０２に入賞した遊技球が生き残り通路１７９７に送られる確率は２分の１、生き残り通路１７９７に送られた遊技球が特定入球域１８２０ａに入球する確率は８分の１であるから、「第一小当り」または「第二小当り（１回目の入賞口１７０２開放時）」において大当り遊技が発生する理論上の確率は１６分の１となる。ただし、この場合も、特別抽選の結果が「第二小当り」であるときには、遊技媒体復活手段１７１１により大当り遊技が発生する確率が加味された確率となる。
【０４３５】
また、遊技領域６０５内に打ち込まれた遊技球が、始動口ユニット１６００における一般入賞口１５２０に入賞して、一般入賞口センサ２５３２に検出されると、その検出信号に基づいて主制御基板１３５０では払出制御基板１１８６に対して所定の払出コマンドを送信し、その払出コマンドに応じて払出制御基板１１８６が賞球ユニット８００の払出モータ８１５を制御して所定数（例えば、１０個）の遊技球が、貯留部３８１へ払出されるようになっている。
【０４３６】
また、始動口ユニット１６００における左右両端に配置された第一始動口１６０２に入賞したことが第一始動口センサ２５３４によって検出されると、その検出信号に基づいて主制御基板１３５０では払出制御基板１１８６に対して所定の払出コマンドを送信し、その払出コマンドに応じて払出制御基板１１８６が賞球ユニット８００の払出モータ８１５を制御して所定数（例えば、３個）の遊技球が貯留部３８１へ払出されるようになっている。また、遊技球が始動口ユニット１６００の左右方向中央に配置された第二始動口１６０４に入賞したことが第二始動口センサ１６１６によって検出されると、その検出信号に基づいて主制御基板１３５０では払出制御基板１１８６に対して所定の払出コマンドを送信し、その払出コマンドに応じて払出制御基板１１８６が賞球ユニット８００の払出モータ８１５を制御して所定数（例えば、４個）の遊技球が貯留部３８１へ払出されるようになっている。
【０４３７】
また、遊技球が第一始動口１６０２や第二始動口１６０４に始動入賞して第一始動口センサ２５３４や第二始動口センサ１６１６に検出されると、その検出信号に基づいて主制御基板１３５０では、第一特別抽選に用いられる第一特別乱数や、第二特別抽選結果に用いられる第二特別乱数が取得される。そして、取得した第一特別乱数や第二特別乱数に基づいて、第一特別図柄変動パターン選択手段２５５９や第二特別図柄変動パターン選択手段２５６５で所定の第一特別図柄変動パターンや第二特別図柄変動パターンが選択され、選択された変動パターンに応じて、特別図柄表示器１５３０における第一特別図柄表示器１５３２や第二特別図柄表示器１５４０に表示される第一特別図柄や第二特別図柄の変動表示が開始された後に、取得した第一特別乱数や第二特別乱数と対応する第一特別図柄や第二特別図柄が、第一特別抽選結果や第二特別抽選結果として停止表示されるようになっている。
【０４３８】
この第一始動口１６０２での始動入賞による第一特別抽選結果としては、所定の確率で「第一小当り」と「大当り」とのうちいずれかが抽選されるようになっている。そして、第一特別抽選結果が「第一小当り」の場合には、所定のインターバルを経て、センタ役物ユニット１７００における入賞口１７０２を閉鎖する一対の可動片１７４０ａが所定時間（例えば本実施形態では２秒間）可動して入賞口１７０２への遊技球の入賞が一回可能となる。また、第一特別抽選結果が「大当り」の場合には、「小当り」としての遊技が行われることなく（つまり、小当りとして一対の可動片１７４０ａが可動することなく）、入賞口１７０２を閉鎖する一対の可動片１７４０ａが所定のパターンで可動する有利遊技状態（所謂、「大当り」遊技）が発生するようになっている。つまり、入賞口１７０２を複数回開放させることで、遊技者に特定の利益を付与することが可能になっている。因みに、本例では、ラウンド数として、３ラウンド（３Ｒ）、８ラウンド（８Ｒ）、１５ラウンド（１５Ｒ）の三種類のラウンド数が用意されており、そのラウンド数の間、遊技者に有利な有利遊技状態を発生させるようになっている。
【０４３９】
一方、第二始動口１６０４での始動入賞による第二特別抽選結果としては、所定の確率で「第一小当り」と「第二小当り」と「大当り」とのうちいずれかが抽選されるようになっている。第二特別抽選結果が「第二小当り」の場合には、所定のインターバルを経て、センタ役物ユニット１７００における入賞口１７０２を閉鎖する一対の可動片１７４０ａが所定時間（例えば本実施形態では２秒間）の間、可動して入賞口１７０２への遊技球の入賞が可能となり、その後再び可動片１７４０ａが所定時間（たとえば本実施形態では２秒間）の間、可動して入賞口１７０２への遊技球の入賞が可能になる。すなわち、入賞口１７０２への遊技球の入賞が二回可能となる。なお、第二特別抽選結果における「第一小当り」及び「大当り」については、第一特別抽選結果における「第一小当り」及び「大当り」と同じ処理が行われるようになっている。
【０４４０】
そして、入賞口１７０２が開状態の時に遊技球が入賞して、入賞口センサ１７４１により検出されると、主制御基板１３５０からの払出コマンドに基づいて賞球ユニット８００から役物入賞した一つの遊技球につき所定数（例えば、１３個）の遊技球が貯留部３８１へ払い出されるようになっている。
【０４４１】
図８４等に示すように、センタ役物ユニット１７００の入賞口１７０２に入賞した遊技球は、振分装置１７０７である球受部１７６０によって左側誘導経路１７０４と右側誘導経路１７０５とに振分けられる。そして、左側誘導経路１７０４に振分けられた遊技球は、装飾フレーム１７０１の左側内周面に沿って転動し、特定遊技領域１７０３に向って誘導される。一方、右側誘導経路１７０５に振分けられた遊技球は、装飾フレーム１７０１の右側内周面に沿って転動し、特定遊技領域１７０３に向って誘導される。
【０４４２】
なお、右側誘導経路１７０５側の遊技球は遅延装置１７０８である球受部１７６０及び回転役物１７６１の組合せによって所定時間停留させられる。具体的には、球受部１７６０と右側誘導経路１７０５との間には、一部に永久磁石１７６１ａを有する回転役物１７６１が配設されており、回転役物１７６１の回転位置が所定角度になると、球受部１７６０によって受け止められた遊技球は、永久磁石１７６１ａの磁力によって吸引され回転役物１７６１に吸着保持される。そして、吸着保持された遊技球は回転役物１７６１と一緒に回転することになるが、所定の位置まで回転すると回転役物１７６１から離脱する。そして、回転役物１７６１から離脱した遊技球は右側誘導経路１７０５に送られ、右側誘導経路１７０５を通して特定遊技領域１７０３に誘導される。
【０４４３】
左側誘導経路１７０４によって誘導された遊技球は、第一特定遊技領域１７８６に設けられた排出案内路１７９５に到達し、排出案内路１７９５によって排出部１７１０に案内される。ただし、排出案内路１７９５における排出部１７１０の上流側には生き残り通路１７９７が分岐して設けられ、さらに、その分岐部分には排出案内路１７９５を通る遊技球に当接可能な可動役物１７８８が設けられているため、排出案内路１７９５によって案内される遊技球は、可動役物１７８８に当接することにより生き残り通路１７９７に移る場合がある。そしてこの場合には、生き残り通路１７９７を通って流入口１７９８に案内される。
【０４４４】
生き残り通路１７９７を通って流入口１７９８に到達した遊技球は、回転体１８２０の特定入球域１８２０ａまたは普通入球域１８２０ｂに向かって流入可能な状態となる。そして、特定入球域１８２０ａに入球した遊技球は特定入球口１８２３ｂに流出し、遊技者に有利な有利遊技状態を発生させる。一方、普通入球域１８２０ｂに入球した遊技球は特定入球口１８２３ｂに到達することなく、特定遊技領域１７０３から排出される。
【０４４５】
一方、右側誘導経路１７０５によって誘導された遊技球は、回転体１８２０の上面に落下する。回転体１８２０の上面に落下した遊技球は、特定入球域１８２０ａまたは普通入球域１８２０ｂに入球することになるが、回転体１８２０の上面には入球規制壁１８２０ｃが形成されているため、入球可能な普通入球域１８２０ｂの個数が制限される。
【０４４６】
また、遊技球が排出部１７１０に排出されても、その遊技球が遊技媒体復活手段１７１１によって拾い上げられた場合には、特定遊技領域１７０３に戻される。遊技媒体復活手段１７１１によって復活した遊技球は、特定遊技領域１７０３に戻るだけでなく、復活案内路１８３４によって回転体１８２０の上面に案内されるため、復活した遊技球への期待が高められる。また、右側誘導経路１７０５と復活案内路１８３４とが連通しているため、遊技媒体復活手段１７１１によって復活した遊技球には、右側誘導経路１７０５によって誘導された遊技球と同一の期待値が付与される。
【０４４７】
ところで、本実施形態における主制御基板１３５０のＣＰＵ２５０２は、第一特別抽選結果が「第一小当り」であること、または、第二特別抽選結果が「第一小当り」あるいは「第二小当り」であることに基づいて、インターバルに要する時間を決定するインターバルパターン決定手段２５７２を備えている。インターバルとは、特別図柄の変動が停止して「第一小当り」または「第二小当り」である旨を示す画像が液晶表示装置６４０に表示されたときを起点として、センタ役物ユニット１７００の一対の可動片１７４０ａが拡開して入賞口１７０２への遊技球の受入れが可能となるまでの時間である。また、インターバルパターン決定手段２５７２は、通常決定手段２５７３とチャンス決定手段２５７４とを有している。
【０４４８】
ここで、図１３１は、インターバルパターン決定手段２５７２によってインターバルパターンが決定される際に参照されるインターバルパターンテーブルである。このインターバルパターンテーブルは、主制御基板１３５０のＲＯＭ２５０４に記憶されている。
【０４４９】
通常遊技状態では、図１３１のインターバルパターンテーブルが参照されて、通常決定手段２５７３によって、インターバル時間が異なる８パターンのインターバルパターンのうちいずれか１パターンが選択される。このとき、８パターンのインターバルパターンのうちいずれのパターンが選択されるかについては、各インターバルパターンのいずれも、２５６分の３２の確率で選択される。
【０４５０】
また、時短遊技状態では、通常遊技状態時と同様に、通常決定手段２５７３によって、インターバル時間が異なる上記８パターンのインターバルパターン（図１３１参照）のうちいずれか１パターンが選択される。このとき、８パターンのインターバルパターンのうちいずれのパターンが選択されるかについても通常遊技状態時と同様に、各インターバルパターンのいずれも、２５６分の３２の確率で選択される。
【０４５１】
ここで、８パターンのインターバルパターンは、第１パターン（１秒）、第２パターン（２秒）、第３パターン（３秒）、第４パターン（４秒）、第５パターン（５秒）、第６パターン（６秒）、第７パターン（７秒）、第８パターン（８秒）の８パターンである。なお、括弧内はインターバルの時間である。
【０４５２】
また、インターバルパターンのパターン数（８パターン）は、回転式振分装置１７０９に形成されている特定入球域１８２０ａと７個の普通入球域１８２０ｂとを合算した数の逆数と一致している。回転体１８２０の回転速度は８〔秒／周〕であるから、８パターンのインターバルパターンのうち、一のインターバル時間と他のインターバル時間との間で最も小さい時間差分（１秒間）の間に、特定入球域１８２０ａまたは普通入球域１８２０ｂの１個分のキョリだけ、回転体１８２０が回転することになる。
【０４５３】
このようにして、８パターンのインターバルパターンのうち特定の一のインターバルパターンが選択されたときに限り、入賞口１７０２に入賞し且つ生き残り通路１７９７に送られた遊技球が、特定入球域１８２０ａに入球されるようになっている。そして、上記特定の一のインターバルパターンを除く他の七のインターバルパターンのうちいずれかのインターバルパターンが選択されたときには、入賞口１７０２に入賞し且つ生き残り通路１７９７に送られた遊技球は、普通入球域１８２０ｂに入球されることとなる。すなわち、入賞口１７０２に入賞し且つ生き残り通路１７９７に送られた遊技球が特定入球域１８２０ａへの入球確率は、第一始動口１６０２（図７４参照）または第二始動口１６０４への入賞タイミングに拘わらず、常に８分の１となる。つまり、入賞口１７０２に入賞し且つ生き残り通路１７９７に送られた遊技球が特定入球域１８２０ａに入球するか否かは、８パターンのインターバルパターンのうちいずれのインターバルパターンが選択されたかのみによって決定される。
【０４５４】
なお、入賞口１７０２に入賞し且つ生き残り通路１７９７に送られた遊技球が特定入球域１８２０ａへの入球確率が常に８分の１となるためには、特定入球域１８２０ａへの入球確率の逆数とインターバルパターンのパターン数とが必ずしも同じ数である必要はなく、選択決定されるインターバルパターンのパターン数が特定入球域１８２０ａへの入球確率の逆数の整数倍であれば良い。
【０４５５】
このように、本実施形態では、通常遊技状態または時短遊技状態における特別抽選の結果が「第一小当り」または「第二小当り」であるとき、複数のインターバルパターン（インターバルの時間が互いに異なる８パターン）のうちのいずれのインターバルパターンに選択決定されたかによって、特別図柄の変動が終了してから入賞口１７０２を閉鎖する一対の可動片１６０６が駆動されるまでのインターバルの時間が異なる。ここで、８パターンのインターバルパターンのうち当選インターバルパターンは１パターンだけである。また、複数のインターバルパターンのうちいずれのインターバルパターンが選択決定されるかについては、いずれのインターバルパターンについても同じ確率で選択決定される（すなわち、いずれのインターバルパターンについても選択決定される確率が８分の１である）。
【０４５６】
しかも、回転体１８２０の作動は、特別図柄の変動が終了したときに開始される。したがって、入賞口１７０１に入賞した遊技球が特定入球域１８２０ａに入球するか否かは、複数のインターバルパターン（本実施形態では８パターン）のうちいずれのインターバルパターンに選択決定されたかに大きく依存することとなる。
【０４５７】
ところで、本実施形態では、回転体１８０２の回転が開始されたときを起点として、８秒経過する毎に、特定入球域１８２０ａと流入口１７９８とが１秒間対向する。すなわち、入賞口１７０２に入賞し且つ生き残り通路１７９７に送られた遊技球が特定入球域１８２０ａに入球するタイミングは、回転体１８０２が回転している限り、８秒経過する都度、１秒間ずつ到来することとなる。ここで、入賞口１７０２に入賞した遊技球が、生き残り通路１７９７に送られて流入口１７９８に至るまでの時間は概ね２．５であるから、特定入球域１８２０ａと流入口１７９８とが対向し始める２．５秒〜３．５秒前に、入賞口１７０２に遊技球を入賞させることができれば、大当り遊技が発生するチャンス大となる。
【０４５８】
ところで、本実施形態のように、特定のタイミング（本実施形態では、特定入球域１８２０ａと流入口１７９８とが対向する約２．５前）で、入賞口１７０２に遊技球を入賞させることができれば、大当り遊技が発生するチャンス大となるような遊技機では、入賞口１７０２への入賞タイミングを狙うことによって、特定入球域１８２０ａへの遊技球の入球確率を高めることができる可能性がある。
【０４５９】
ところが、本実施形態では、インターバル時間が異なる８パターンのインターバルパターンが記憶されている。即ち、特別図柄の変動が終了してから入賞口１７０２が開放されるまでの時間が、選択決定されるインターバルパターンによって異なることとなる。また、回転体１８２０の回転速度が一定である場合の特定入球域１８２０ａへの入球確率の逆数と、インターバルパターンのパターン数とが同じある。また、８パターンのインターバルパターンのうちいずれか一つのインターバルパターンの時間は、回転体１８２０の回転が開始されてから、特定入球域１８２０ａと流入口１７９８とが対向するまでの時間に合致するように設定されているので、第一始動口１６０２（図７４参照）または第二始動口１６０４への入賞タイミングに拘わらず、特定入球域１８２０ａへの入球確率は常に一定の８分の１となる。これにより、通常遊技状態および時短遊技状態では、特定入球域１８２０ａに遊技球が受け入れられることを狙って遊技を行なうことが不可能となるので、遊技者の技量に拠らず、誰が遊技を行っても、特定入球域１８２０ａへの入球確率が変わることはない。
【０４６０】
ところで、従来では、本実施形態の入賞口１７０２のような開口部に遊技球が入賞すると、例えば回転式役物の内部に形成された複数の入球域の周りを遊技球が転動する等によって、遊技球が特定の入球域に受け入れられて当選となるか否かの機械的な抽選処理を行なうことが一般的であった。このような従来の遊技機では、実際にいずれかの入球域に遊技球が受け入れられるまで抽選結果を予測することが非常に困難であり、逆にいえば、遊技者が機械式抽選に当選するか否かを予測するという楽しみを完全に損ねていた。
【０４６１】
この点、本実施形態では、入賞口１７０２に遊技球が入賞したタイミングによって、この遊技球が特定入球域１８２０ａに入球するか否かを、特定入球域１８２０ａに遊技球が入球するよりも先にある程度予測可能である。つまり、遊技者は機械的抽選の当落を予想するという楽しみを有することが可能となる。
【０４６２】
［チャンスゾーンにおける遊技内容について］
ところで、本実施形態では、時短遊技状態の終了を起点として、チャンスゾーンに突入する。このチャンスゾーンは、時短遊技状態が終了してから所定期間（例えば、特別図柄の変動が所定回数（例えば５回）行なわれるまでの間）、再び大当り遊技が発生する期待感が高められるゾーン（期間）である。なお、時短遊技状態が終了するのは、上述したとおり、時短遊技状態中に大当り遊技が発生しなかったとき、または、所定数の遊技球が獲得されたことによって強制的に時短機能の作動が停止したとき等である。
【０４６３】
このチャンスゾーンでは、時短機能の作動は停止するものの、時短機能に代えて微時短機能が作動する微時短遊技状態となる（この微時短遊技状態がチャンスゾーンである）。微時短機能が作動すると、普通図柄の変動時間が通常遊技状態における普通図柄の変動時間よりも極僅かに短くなる（普通図柄の変動時間は、通常遊技状態では５０秒であるのに対し微時短遊技状態では４８条である）。ただし、チャンスゾーンでは、普通図柄の変動時間が通常遊技状態と比べて短くなるとはいえ、その差は遊技者が意図的に計時しなければ把握できない程度に微差（本実施形態では２秒）であるため、微時短機能が作動したとしても、遊技者から見た外観上は、微時短機能が作動しているのか通常遊技状態であるのかを把握できない。また、通常遊技状態および微時短遊技状態において、普通抽選結果が「当り」のとき、始動口ユニット１６００の可動片１６０６の開放時間は０．３〜１秒と同じである。このようにして、微時短機能が作動していたとしても、外観上は、通常遊技状態中であると認識しうるようにされている。
【０４６４】
上述したように、通常遊技状態における特別抽選または時短遊技状態における特別抽選において「第一小当り」または「第二小当り」に当選した場合には、８パターンのインターバルパターンのうちいずれか１パターンが、８分の１の確率で選択決定されることによって、入賞口１７０２に入賞し且つ生き残り通路１７９７に送られた遊技球が特定入球域１８２０ａに入球する確率が８分の１となるように構成されている。
【０４６５】
これに対して、チャンスゾーンでは、特別抽選において「第一小当り」または「第二小当り」に当選した場合には、図１３１のインターバルパターンテーブルが参照されて、チャンス決定手段２７４によって、常に特定のインターバルパターン（本実施形態では第５パターン）に選択決定される。すなわち、特別抽選の結果が「第一小当り」または「第二小当り」であるときには、特別図柄の変動が終了してから（すなわち、回転体１８２０の回転が開始されてから）入賞口１７０２が開放されるまでのインターバル時間は、常に、５秒となる。
【０４６６】
また、上述したように、回転体１８２０は、特定入球域１８２０ａが流入口１７９８と対向した状態（より詳しくは、回転体１８２０の回転開始から１秒間は流入口１７９８にある遊技球が特定入球域１８２０ａに入球しうる状態）で停止している。さらに、特定入賞口１７０２の開放時間は２秒であり、入賞口１７０２に入賞した遊技球のうち生き残り通路１７９７に送られた遊技球が、入賞口１７０２に入賞してから流入口１７９８に至るまでの時間は概ね２．５秒である。
【０４６７】
したがって、特別抽選の結果が「第一小当り」または「第二小当り」であるときには、特別図柄の変動が終了してから（すなわち、回転体１８２０の回転が開始されてから）、「第一小当り」または「第二小当り」に基づいて開放（「第二小当り」については１回目の開放に限る）された入賞口１７０２に入賞した遊技球が（生き残り通路１７９７に送られた遊技球に限る）流入口１７９８に至るまでの時間は、概ね７．５秒〜９．５秒となる。ここで、回転体１８２０の回転が開始されてから８秒〜９秒の間が、流入口１７９８にいたった遊技球が特定入球域１８２０ａに入球しうる期間であるので、チャンスゾーンにおける特別抽選において「第一小当り」または「第二小当り」に当選した場合には、入賞口１７０２に入賞した遊技球が生き残り通路１７９７にさえ送られれば、この遊技球が特定入球域１８２０ａに入球する可能性が非常に高くなる（すなわち、大当り遊技が発生する可能性が非常に高くなる）。
【０４６８】
このように、本実施形態では、微時短遊技状態としてのチャンスゾーンにおいて「第一小当り」または「第二小当り」に当選したとき、インターバルパターン決定手段２５７２は、常に、第５パターン（５秒）に選択決定する。すなわち、微時短遊技状態において「第一小当り」または「第二小当り」に１回当選すると、この「第一小当り」または「第二小当り」の当選に基づいて入賞口１７０２が開放（「第二小当り」については１回目の開放に限る）されたときにこの入賞口１７０２に遊技球が入賞し、且つ入賞口１７０２に入賞した遊技球が生き残り通路１７９７に送られる限り、「第一小当り」または「第二小当り」の当選１回につき、概ね２分の１の確率で大当り遊技が発生することとなる（上記の７．５秒〜９．５秒のうち８秒〜９秒がチャンス期間であるから概ね２分の１の確率となる）。
【０４６９】
ここで、回転式振分装置１７０９は、可動役物駆動制御手段２５８３によって、通常遊技状態または時短遊技状態であるか微時短遊技状態であるかにかかわらず同じ作動態様で作動されており、また、微時短遊技状態では、チャンス決定手段２５７４によって決定されたインターバルパターンに基づいて、入賞口開閉制御手段２５７０により入賞口１７０２が開放されて、このタイミングで開放された入賞口１７０２に遊技球が進入すると、通常遊技状態や時短遊技状態よりも大当り遊技が発生しやすい態様（遊技者に有利な態様）で、回転式振分装置２９４による役物抽選が行われることとなる（上述したように、通常遊技状態および時短遊技状態では、「第一小当り」または「第二小当り」の当選１回につき、入賞口１７０２に入賞し且つ生き残り通路１７９７に送られた遊技球が特定入球域１８２０ａに入球する確率は８分の１となる）。つまり、このような遊技者に有利な態様で役物抽選が行われるチャンスゾーン（高期待状態）は、チャンス決定手段２５７４、入賞口開閉制御手段２５７０及び可動役物駆動制御手段２５８３によって作り出される。
【０４７０】
しかも、回転体１８２０の作動態様は、通常遊技状態や時短遊技状態にあるときと微時短遊技状態にあるときとで同じであるから、回転式振分装置１７０９による役物抽選が遊技者に有利であるか否かを、回転体１８２０の作動態様を視認しただけでは、把握することが困難となっている。また、入賞口１７０２が開放されたタイミングで入賞し且つ生き残り通路１７９７に送られた遊技球が特定入球域１８２０ａに入球されるか否かは、入賞口１７０２が開放されたときの特定入球域１８２０ａの位置（すなわち、インターバルの時間）によってほぼ決まる。これにより、微時短遊技状態では、回転体１８２０の作動態様を外観上視認しただけでは遊技者に把握されないかたちで、通常遊技状態や時短遊技状態にあるときと比べて大当り遊技を発生させる確率を高めることが可能となる。
【０４７１】
なお、回転式振分装置１７０９の作動態様はチャンスゾーンであるときと非チャンスゾーンであるときとで何ら変わらないので、非チャンスゾーンにおいても、通常決定手段２５７３によって第５パターン（５秒）に選択決定されたときには、「第一小当り」または「第二小当り」の当選に基づいて入賞口１７０２が開放（「第二小当り」については１回目の開放に限る）されたときにこの入賞口１７０２に遊技球が入賞し、且つ入賞口１７０２に入賞した遊技球が生き残り通路１７９７に送られると、「第一小当り」または「第二小当り」の当選１回につき、概ね２分の１の確率で大当り遊技が発生する。
【０４７２】
なお、本実施形態では、時短遊技状態が終了したのちのチャンス状態は、特別図柄の変動（特別図柄の抽選）が４回行われるまで継続する。
【０４７３】
ここで、チャンス状態における１回目の「第一小当り」または「第二小当り」において、入賞口１７０２に入賞した遊技球が生き残り通路１７９７に送られる確率は２分の１、生き残り通路１７９７に送られた遊技球が特定入球域１８２０ａに入球する確率は２分の１であるから、１回目の「第一小当り」または「第二小当り（１回目の入賞口１７０２開放時）」において大当り遊技が発生する確率は概ね４分の１である。
【０４７４】
また、２回目の「第一小当り」または「第二小当り」において、大当り遊技が発生する確率（１回目の「第一小当り」または「第二小当り」の当選時にて大当り遊技が発生せず、且つ２回目の「第一小当り」または「第二小当り」の当選時に大当り遊技が発生する確率）は１６分の３であるから、１回目または２回目の「第一小当り」または「第二小当り（１回目の入賞口１７０２開放時）」において大当り遊技が発生する確率は概ね１６分の７である。
【０４７５】
また、３回目の「第一小当り」または「第二小当り」において、大当り遊技が発生する確率（１回目および２回目の「第一小当り」または「第二小当り」の当選時にて大当り遊技が発生せず、且つ３回目の「第一小当り」または「第二小当り」の当選時に大当り遊技が発生する確率）は６４分の９であるから、１回目〜３回目の「第一小当り」または「第二小当り（１回目の入賞口１７０２開放時）」において大当り遊技が発生する確率は概ね６４分の３７である。
【０４７６】
さらに、４回目の「第一小当り」または「第二小当り」において、大当り遊技が発生する確率（１回目〜３回目の「第一小当り」または「第二小当り」の当選時にて大当り遊技が発生せず、且つ４回目の「第一小当り」または「第二小当り」の当選時に大当り遊技が発生する確率）は２５６分の２７であるから、１回目〜４回目の「第一小当り」または「第二小当り（１回目の入賞口１７０２開放時）」において大当り遊技が発生する確率は概ね２５６分の１７５である。
【０４７７】
ただし、上述したように、「第二小当り」に１回当選すると、この「第二小当り」の当選に基づく２回目の入賞口１７０２の開放時にこの入賞口１７０２に遊技球が入賞し、且つ入賞口１７０２に入賞した遊技球が生き残り通路１７９７に送られなかった場合には、遊技媒体復活手段１７１１により大当り遊技が発生する可能性が残るので、上記１回目〜４回目において大当り遊技が発生する理論上の確率は、上述した理論上の確率に、遊技媒体復活手段１７１１により大当り遊技が発生する確率を加味した確率となる。
【０４７８】
このように、通常遊技状態または時短遊技状態にあるときと微時短遊技状態にあるときとでは回転体１８２０の作動態様が同じであるにも拘わらず、微時短遊技状態において「第一小当り」または「第二小当り」に当選したときは、入賞口１７０２に入賞し且つ生き残り通路１７９７に送られた遊技球が特定入球域１８２０ａに入球する確率を、通常遊技状態および時短遊技状態よりも高めることが可能となる。しかも、入賞口１７０１に入賞し且つ生き残り通路１７９７に送られた遊技球が特定入球域１８２０ａに入球しなかったとしても、この特定入球域１８２０ａの両側に隣接する２つの普通入球域１８２０ｂのうちいずれかの領域に受け入れられるといった、遊技者にとって惜しい状態となる。
【０４７９】
本実施形態の回転式振分装置１７０９のような機械式の抽選（役物抽選）が行われる場合には、内部抽選とは異なり遊技者自身が抽選の過程を視認しうることから、役物抽選において遊技者に有利な態様で抽選が行われると、該抽選が遊技者に有利であることを一見して遊技者に把握されてしまう。しかしながら、本実施形態では、通常遊技状態または時短遊技状態にあるときと微時短遊技状態にあるときとで回転体１８２０による抽選構造が同じであるにもかかわらず（回転体１８２０の作動態様が同じであるにもかかわらず）、微時短遊技状態では、回転式振分装置１７０９による役物抽選が通常遊技状態や時短遊技状態よりも遊技者に有利な態様で抽選が行われる。
【０４８０】
これにより、回転体１８２０の作動態様を視認しただけでは回転体１８２０による抽選が遊技者に有利であるか否かを遊技者が把握し難いものの、微時短遊技状態では、入賞口１７０２に入賞した遊技球が生き残り通路１７９７にさえ送られれば、常に、特定入球域１８２０ａまたはこれに隣接する普通入球域１８２０ｂに入球するので、「何故だか分からないが、時短遊技状態が終了したのちのしばらくの間は、大当りが発生しやすい？」と遊技者が感じられるような状態を作り出すことが可能となる。すなわち、抽選の過程を視認できる回転式振分装置１７０９による役物抽選が採用されながらも、遊技者に気付かれることなく、所定の当選確率で抽選が行われる低確状態（通常遊技状態、時短遊技状態）と、この低確遊技状態よりも遊技者に有利な態様で抽選が行われる高確遊技状態（チャンスゾーン）とを作り出すことが可能となる。
【０４８１】
なお、「回転体１８２０の作動態様が同じ」について、本実施形態では、通常遊技状態にあるときと、時短遊技状態にあるときと、微時短遊技状態にあるときとで作動態様が同じであるが、遊技者から見て外観上同一に見える程度であれば良い。「作動態様が同じ」とは、等速回転であれば回転速度が同じことが相当し、一定周期で非等速回転であれば周期が同じことが相当する。
【０４８２】
また、再び大当り遊技が行われる期待度合いの高いチャンスゾーンを設けたとしても、遊技者のみがメリットを享受できるのではなく、ホールにとってもメリットがある。なぜならば、時短遊技状態が終了すると時短機能が作動しないので、第二始動口１６０４への遊技球の入賞頻度が時短遊技状態と比べて極めて少なくなり（通常遊技状態とほぼ同じが僅かに多い程度）、しかも大当り遊技が終了したとしても遊技者が遊技を継続する可能性が高まり、ホールの稼働率がアップするからである。
【０４８３】
また、時短遊技状態が終了したのちに、常に、チャンスゾーン（高期待状態）とする必要はない。例えば、チャンスゾーンとする条件が成立したときに限り、時短遊技状態が終了したのちの微時短遊技状態においてチャンスゾーンにするようにしてもよい。この場合、チャンスゾーンでは、遊技球が特定入球域１８２０ａと普通入球域１８２０ｂとのうちいずれに入るかといった抽選過程を視認できるかたちで役物抽選が行われるにもかかわらず、特定入球域１８２０ａが変位される作動態様（すなわち回転式振分装置１７０９の作動態様）からは、チャンスゾーンであるか否かを把握することが困難となるようにされている。これにより、遊技者の遊技意欲がそがれることがない。
【０４８４】
また、たとえ通常遊技状態であったとしても、チャンスゾーンとする条件が成立したときには、時短遊技状態が終了した微時短遊技状態であるか否かにかかわらず、通常遊技状態の途中から、チャンスゾーンとするようにしてもよい。こうすることで、遊技者は、常にチャンスゾーンではないかといった期待感を抱きながら遊技を行うことが可能となり、興趣の低下を抑制することができる。
【０４８５】
また、時短遊技状態が終了したのちの微時短遊技状態に限らず、チャンスゾーンとする条件が成立したときにチャンスゾーンとする遊技機にあっては、回転式振分装置１７０９の作動態様をみただけでは、入賞口１７０２から進入した遊技球が特定入球域１８２０ａに入りやすい状態であるのか否かを、遊技者が把握することは困難である。したがって、これと同様に、回転式振分装置１７０９の作動態様をみただけでは、遊技者は、入賞口１７０２から進入した遊技球が特定入球域１８２０ａに入りやすいチャンスゾーンと、入賞口１７０２から進入した遊技球がチャンスゾーンと比べて特定入球域１８２０ａに入り難い追い非チャンスゾーンとの間での状態変更についても把握することは困難である。これにより、役物抽選それ自体に対して遊技者に不信感を与えることなく、抽選内容にメリハリをもうけることが可能となる。しかも、上記の状態変更を遊技者から知得され難いので、たとえ非チャンスゾーンであったとしても、チャンスゾーンであることの期待感を遊技者に与えることが可能となる。
【０４８６】
以上、本実施形態のパチンコ機１について説明したが、本実施形態のパチンコ機１によれば、以下の効果を奏する。
【０４８７】
すなわち、本実施形態のパチンコ機１は、ソフトウェア制御により内部的に行われる抽選処理とは違って、遊技球が特定入球域１８２０ａと普通入球域１８２０ｂとのうちいずれに入るかといった抽選過程を視認できるので、抽選処理に対して遊技者に与える不信感を軽減できるだけでなく、有利遊技状態が発生するまでの過程に面白みを持たせることができる。しかし、役物抽選（機械式抽選）が行われたときには、毎回同じように行われる役物抽選に当選しなければ有利遊技状態が発生しないとなると、遊技が単調となりかねず、興趣が低下するおそれがある。
【０４８８】
そこで、本遊技機では、回転式振分装置１７０９の作動態様に変化をもたせることなく、通常遊技状態において遊技球が特定入球域１８２０ａに入る期待値よりも高い期待値をもって、入賞口１７０２から進入した遊技球が特定入球域１８２０ａに入るように役物抽選が行われるチャンスゾーンを作り出すことを可能にした。
【０４８９】
しかしながら、役物抽選の抽選処理に対して遊技者に不信感を与えないようにする観点からいえば、ただ単に、入賞口１７０２から進入した遊技球が特定入球域１８２０ａに入りやすくするだけではなく、回転式振分装置１７０９の作動態様をみただけでは、入賞口１７０２から進入した遊技球が特定入球域１８２０ａに入りやすい状態であるのか否かを、遊技者に把握されないかたちでチャンスゾーンに制御する必要がある。また、遊技者は、遊技球が特定入球域１８２０ａと普通入球域１８２０ｂとのうちいずれに入るかといった抽選過程を視認できるので、上記チャンスゾーンに入ると、チャンスゾーンであることが一見して遊技者に把握されてしまい、チャンスゾーンでない非チャンスゾーンでの興趣が低下してしまうおそれがある。
【０４９０】
そこで、本実施形態のパチンコ機１では、回転式振分装置１７０９をチャンスゾーンと非チャンスゾーンとで同じような態様で作動させることで、遊技球が特定入球域１８２０ａと普通入球域１８２０ｂとのうちいずれに入るかといった抽選過程を視認できるかたちで役物抽選が行われるにもかかわらず、回転式振分装置１７０９の作動態様からは、チャンスゾーンであるか否かを把握し難くすることで、チャンスゾーンにあることが秘密裡にされるようにしている。そして、このようにチャンスゾーンであるか否かにかかわらず、役物抽選を行うに際し、特別図柄抽選手段２５５９，２５６４による抽選結果が第一小当りまたは第二小当りである旨を示す画像が表示される都度、毎回、変動表示の終了タイミングで、同じ位置から特定入球域１８２０ａの変位が開始されるように、回転式振分装置１７０９の回転を開始する。そしてさらには、チャンスゾーンであっても通常遊技状態と同じような周期的な動きをもって特定入球域１８２０ａが変位するので、回転式振分装置１７０９の作動態様からは、チャンスゾーンであるか否かを把握することが難しくされている。
【０４９１】
また、振分装置１７０７によって右側誘導経路１７０５に振分けられた場合には、第一特定遊技領域１７８６を通らずに第二特定遊技領域１７８７に直接誘導されるため、期待感を高め、その後の展開に対してワクワクさせることができる。また、左側誘導経路１７０４に振分けられた場合でも、遊技媒体復活手段１７１１によって復活した場合には、復活案内路１８３４を介して第二特定遊技領域１７８７に誘導されるため、最後まで期待感を維持させることができる。
【０４９２】
また、本実施形態のパチンコ機１によれば、復活案内路１８３４と接続通路部１８３６とが互いに連通しているため、右側誘導経路１７０５によって誘導される遊技球に、復活案内路１８３４によって案内される遊技球と同一の期待値を付与することができる。したがって、右側誘導経路１７０５によって誘導される遊技球への期待感を大幅に高めることができる。また、通路の一部を共用することにより、複数の経路が煩雑に配置されることを抑制し、第一特定遊技領域１７８６及び第二特定遊技領域１７８７への視認性の低下を防止することができる。
【０４９３】
また、本実施形態のパチンコ機１によれば、接続通路部１８３６によって誘導された遊技球は、復活案内路１８３４に合流した後、復活案内路１８３４の上流側に向って転動するため、流出されるまでの転動距離を伸ばすことができるとともに、大きく転動させることができる。したがって、右側誘導経路１７０５に振分けられたことの魅力を遊技者に訴えることが可能になり、しかも、遊技球は復活案内路１８３４を逆流するため、遊技球の挙動を目立たせることができる。
【０４９４】
また、本実施形態のパチンコ機１によれば、復活案内路１８３４によって誘導される遊技球の動きと、接続通路部１８３６によって誘導される遊技球の動きとを異ならせることができ、視覚的な興趣を高めることができる。特に、復活案内路１８３４によって誘導される遊技球は、第一特定遊技領域１７８６を経由することで転動時間が長くなっているため、復活案内路１８３４から速やかに流出させることにより、一連の遊技処理にかかる時間が冗長になることを抑制できる。また、極めて簡単な構成で、復活案内路１８３４から接続通路部１８３６への転動を規制することができるとともに、接続通路部１８３６から復活案内路１８３４へは、遊技球の勢いを低下させることなく円滑に送ることができる。
【０４９５】
また、本実施形態のパチンコ機１によれば、復活案内路１８３４の上流側通路部１８３５ａと接続通路部１８３６とが平面視直線状となるように形成されているため、接続通路部１８３６から上流側通路部１８３５ａへ遊技球を滑らかに大きく転動させることができる。また、下流側通路部１８３５ｂは、上流側通路部１８３５ａ及び接続通路部１８３６に対して垂直方向に延出され、その先端に流出透孔部１８４０が設けられているため、接続通路部１８３６から復活案内路１８３４への転動中に遊技球が流出してしまうことを防止できる。また、上流側通路部１８３５ａ及び接続通路部１８３６は樋状に形成されているため、上面側の開放部分を通して、遊技球を明瞭に視認させることができる。また、上流側通路部１８３５ａ及び接続通路部１８３６が第二特定遊技領域１７８７の奥側上方に配置されることで、第二特定遊技領域１７８７における第二遊技処理の視認性が低下する虞を防止できる。
【０４９６】
また、本実施形態のパチンコ機１によれば、復活案内路１８３４の流出透孔部１８４０に開閉部材１８４２が配設されているため、復活案内路１８３４または接続通路部１８３６によって誘導された遊技球を、制動してから、第二特定遊技領域１７８７に流出させることができる。したがって、第二特定遊技領域１７８７に対し遊技球を静かに放つことができ、第二遊技処理を安定した状態で行わせることができる。また、復活案内路１８３４または接続通路部１８３６によって誘導された遊技球が第二特定遊技領域１７８７に流出するタイミングは、開閉部材１８４２が開放するタイミングによって決まるため、復活案内路１８３４および接続通路部１８３６での遊技球の挙動を、開閉部材１８４２の動作すなわち流出透孔部１８４０の開閉状態と関連付けながら視認させることができ、ひいては遊技球への注目をさらに高めることができる。
【０４９７】
また、本実施形態のパチンコ機１によれば、排出部１７１０に排出された遊技球が球搬送部１８６２によって放出位置まで搬送されるため、遊技球が復活する様子をゆっくりと見せることができ、視覚的な興趣を一層高めることができる。また、球搬送部１８６２は、溝状の排出部１７１０内を長手方向に移動するため、遊技球を持ち上げるという上下方向の運動だけでなく、水平方向の運動も加わり、視覚的な面白みを高めることができる。
【０４９８】
また、本実施形態のパチンコ機１によれば、復活案内路１８３４の流入側に突起部１８３４ａが設けられているため、接続通路部１８３６側から送られた遊技球が流入側から逸脱することを防止できる。したがって、復活案内路１８３４の上流側通路部１８３５ａ全体を用いて遊技球を大きく転動させることができる。
【０４９９】
また、本実施形態のパチンコ機１によれば、生き残り通路１７９７及び可動役物１７８８の組合せによって第一特定遊技領域１７８６における興趣がさらに高められ、遊技球の挙動を楽しませることができる。特に、可動役物１７８８の動作によって遊技球を生き残り通路１７９７側へ転動させるため、可動役物１７８８が突出位置に変位するタイミングと遊技球の転動位置とを関連付けて遊技球の行方を予想させることができ、ハラハラドキドキしながら可動役物１７８８の動きを視認させることができる。また、生き残り通路１７９７を介して第二特定遊技領域１７８７に案内するため、生き残った遊技球の挙動を堪能させることができる。
【０５００】
また、本実施形態のパチンコ機１によれば、復活案内路１８３４に送られる遊技球（すなわち遊技媒体復活手段１７１１によって復活した遊技球）の方が、生き残り通路１７９７に送られる遊技球よりも、特定入球口１８２３ｂに入球する期待値が高くなるように設定されているため、生き残り通路１７９７に送られなかった場合でも最後まで期待感を維持させることができる。
【０５０１】
また、本実施形態のパチンコ機１によれば、回転式振分装置１７０９によって、特定入球域１８２０ａと普通入球域１８２０ｂとに振分けられるため、遊技球の挙動をさらに楽しませることができる。また、回転体１８２０の回転位置と流入口１７９８に送られる遊技球のタイミングとによって、遊技球が特定入球域１８２０ａに入るか普通入球域１８２０ｂに入るかが決まるため、第二特定遊技領域１７８７を転動する遊技球の挙動を回転体１８２０の回転位置に関連付けることができ、遊技球の挙動について一層注目させることができる。また、生き残り通路１７９７を介して流入口１７９８に案内された場合と、復活案内路１８３４によって回転体１８２０の上面に案内された場合とでは、入球域全体の個数に対する特定入球域１８２０ａの割合が互いに異なり、復活案内路１８３４で誘導された遊技球の期待値を相対的に高くすることができる。
【０５０２】
また、本実施形態のパチンコ機１によれば、左側誘導経路１７０４、右側誘導経路１７０５、復活案内路１８３４、及び接続通路部１８３６は何れも光透過性の部材で形成されているため、各誘導経路によって誘導される遊技球の挙動を明瞭に視認させることができる。したがって、遊技球の挙動を目立たせ、遊技球の行方を注目させることができる。
【０５０３】
さらに、本実施形態のパチンコ機１によれば、左側誘導経路１７０４及び右側誘導経路１７０５に振分けられた遊技球を装飾フレーム１７０１の内周面に沿って転動させることから、装飾フレーム１７０１で囲まれた開口部内の可動役物１７８８、または液晶表示装置６４０等を遮ることなく、遊技球を特定遊技領域１７０３まで誘導させることができる。特に、装飾フレーム１７０１の上部に入賞した遊技球を左右方向に振分けて誘導するため、十分な長さの経路を確保することができるとともに、いずれの経路においても遊技球を自然に流下させることができる。また、振分けられた遊技球を夫々装飾フレーム１７０１の内周面に沿って相反方向に転動させるため、どちらの通路に振分けられたのかを明瞭に視認させることができ、ひいては振分装置１７０７の動作を注目させることができる。
【０５０４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０５０５】
すなわち、上記実施形態では、左側誘導経路１７０４によって遊技球を第一特定遊技領域１７８６に誘導し、右側誘導経路１７０５によって遊技球を第二特定遊技領域１７８７に誘導するものを示したが、これとは逆に、左側誘導経路１７０４によって第二特定遊技領域１７８７に誘導し、右側誘導経路１７０５によって第一特定遊技領域１７８６に誘導するように構成してもよい。これによれば、右側誘導経路１７０５が本発明の第一誘導経路に相当し、右側誘導経路１７０５が本発明の特別誘導経路に相当することとなる。
【０５０６】
また、上記実施形態では、特定遊技領域１７０３に回転式振分装置１７０９を備え、回転式振分装置１７０９によって特定入球口１８２３ｂと普通入球口１８２３ｃとに振分けるものを示したが、他の構成の振分装置によって振分けるようにしてもよい。
【０５０７】
さらに、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
【０５０８】
上記の発明を実施するための形態で説明したパチンコ機１は、以下の技術思想としてあらわすことができる。なお、以下では、上記の発明を実施するための形態で記載した用語を上位概念化して記載するとともに、この「上位概念化した用語」と上記の「発明を実施するための形態に記載された用語」との対応付けを行うべく、「上位概念化した用語」に相当する上記の「発明を実施するための形態に記載された用語」を括弧内に記載している。ただし、「上位概念化した用語」に相当する上記の「発明を実施するための形態に記載された用語」を一旦括弧内に記載したのちは、重複記載を回避すべく、その後の記載において省略している。
【０５０９】
技術思想１に記載の遊技機は、遊技領域を流下する遊技球を受け入れ可能な受入口と、前記受入口への遊技球の受け入れに基づいて所定の進入抽選を行う進入抽選手段と、前記進入抽選手段にて特定の結果がえられたことに基づいて、常には閉鎖されている所定の進入口を開放することによって、当該所定の進入口への遊技球の進入を許容する進入許容制御手段と、前記所定の進入口から進入した遊技球を用いて、所定の態様で作動して行われる役物抽選を、その抽選過程を視認できるかたちで行う役物抽選手段と、前記役物抽選に当選したことに基づいて、大当り遊技を実行する大当り遊技実行手段と、を備え、通常状態では、当選確率が所定の確率でしかないように前記役物抽選が行われる遊技機であって、さらに、前記通常状態よりも高い頻度で前記役物抽選手段による前記役物抽選が行われうる高頻度抽選状態、及び、該高頻度抽選状態よりも低い頻度でしか前記役物抽選手段による前記役物抽選が行われえない低頻度抽選状態、を含む遊技状態のうちいずれかに制御する抽選状態制御手段と、前記役物抽選がその抽選過程を視認できるかたちで行われるにもかかわらず、前記低頻度抽選状態においては、当該役物抽選の当選確率を把握することが困難なかたちで、前記通常状態における前記所定の確率よりも高い確率で当選されるように前記役物抽選手段を作動させる秘密裡低頻度高期待制御手段とを備えるものである。
【０５１０】
本遊技機は、遊技領域に受入口（第一始動口１６０２、第二始動口１６０４）が備えられており、遊技領域６０５を流下する遊技球が受入口に受け入れられると、当該受入口への遊技球の受け入れに基づいて所定の進入抽選が進入抽選手段（第一特別図柄変動パターン選択手段２５５８、第二特別図柄変動パターン選択手段２５６４）によって行われる。そして、この進入抽選にて特定の結果（第一小当り、第二小当り）がえられると、常には閉鎖されている所定の進入口（入賞口１７０２）が進入許容制御手段（入賞口開閉制御手段２５７０）により開放されて、当該進入口からの遊技球の進入が許容される。
【０５１１】
また、本遊技機は、所定の画像が表示される表示手段（液晶表示装置６４０）を備えており、少なくとも進入抽選の結果を示す画像が表示されるように、表示制御手段（液晶表示制御基板２６１２）により表示制御される。進入抽選の結果が特定の結果であるときには、遊技者を鼓舞する演出を行うようにするとよい。そして、進入抽選の結果が特定の結果である旨を示す画像が表示手段に表示されてから、所定の待機時間（インターバルパターン決定手段２５７４により決定されたインターバル時間）を経て、所定の進入口が開放される。
【０５１２】
さらに、本遊技機は、所定の進入口から進入した遊技球を用いた役物抽選を行う役物抽選手段（回転式振分装置１７０９）を備えている。この役物抽選手段は、当り口（特定入球域１８２０ａ）とハズレ口（普通入球域１８２０ｂ）とを有しており、所定の進入口から進入して所定の受入位置（流入口１７９８）にいたった遊技球を、当り口またはハズレ口に受け入れる役物抽選を行うものである。所定の進入口から進入して所定の受入位置にいたった遊技球が当り口に受け入れられると、当選と判定されて、大当り遊技実行手段（有利遊技状態発生手段２５６８）により大当り遊技が行われる。一方、ハズレ口に受け入れられると、遊技機外に排出される（このとき、大当り遊技は行われない）。このような抽選過程は、外部から（例えば遊技者が）視認できるようになっている。
【０５１３】
役物抽選は、受入口（第一始動口１６０２、第二始動口１６０４）への遊技球の受け入れに基づいて行われる進入抽選（第一特別図柄変動パターン選択手段２５５８、第二特別図柄変動パターン選択手段２５６４）にて特定の結果（第一小当り、第二小当り）がえられて、所定の進入口（入賞口１７０２）から遊技球が進入したときに限り行われるので、通常状態（有利遊技状態としての大当り遊技中でなく且つ時短状態でも微時短遊技状態でもない通常遊技状態）では、所定の頻度でしか役物抽選が行われない。
【０５１４】
なお、役物抽選手段は、少なくとも当り口が所定の周期的な動きをもって変位するように作動しており、通常状態では、所定の進入口から進入して所定の受入位置にいたった遊技球が、所定の確率でしか当り口に受け入れられないようになっている。
【０５１５】
ここで、本遊技機の役物抽選手段について詳述すると、当り口が常には同じ位置（特定位置）で停止しており、進入抽選にて特定の結果がえられたことを示す画像が表示される都度、当り口が所定の周期的な動きをもって変位するように、同じタイミング（つまり、特定の結果がえられたことを示す画像が表示されたとき、または当該画像が表示されたときを起点として一定時間が経過したとき）で役物抽選手段の作動が開始される。そして、役物抽選が終了すると、当り口が上記特定位置にあるときに役物抽選手段の作動が停止する。そして、役物抽選の結果が、進入抽選にて特定の結果がえられたことを示す画像が表示手段に表示されてから所定の進入口から遊技球が進入するまでの時間に依存しうるように役物抽選が行われる。つまり、当り口が常には特定位置に位置するかたちで作動が停止している役物抽選手段は、進入抽選にて特定の結果がえられたことを示す画像が表示されると、常に同じタイミングで作動を開始するから、所定の役物から進入した遊技球が当り口に受け入れられるか否かは、当該所定の進入口から遊技球が進入したタイミングに依存することとなる。なお、進入口から進入した遊技球が受入位置にいたるまでの時間についても、当該遊技球が当り口に受け入れられるか否かの重要なファクターとなるが、本遊技機では、所定の進入口から進入した遊技球が受入口にいたるまでの時間は、ほぼ一定となっている。
【０５１６】
また、本遊技機では、上記の役物抽選を行うにあたり、通常状態では、進入抽選にて特定の結果がえられたことを示す画像が表示手段に表示されてから、都度異なる所定の待機時間を経たのちに所定の進入口が開放されることで、進入口から進入した遊技球が所定の確率でしか当り口に受け入れられないようにされている。
【０５１７】
詳しくは、上述したように、進入抽選にて特定の結果がえられたことを示す画像が表示手段に表示される都度、当り口が所定の周期的な動きをもって変位するように、同じタイミングで役物抽選手段の作動が開始される。そして、とくに通常状態では、複数の待機時間のなかからいずれか一の待機時間が選択されて、進入抽選にて特定の結果がえられたことを示す画像が表示手段に表示されたときを起点として、当該起点から選択された一の待機時間が経過したときに、所定の進入口が開放される。なお、複数の待機時間のなかからいずれか一の待機時間が選択される確率には偏りがなく、いずれの待機時間についても同じ確率で選択されうる。
【０５１８】
例えば、役物抽選手段が有する当り口の数が１つ、同じく役物抽選手段が有するハズレ口の数がＮ個（Ｎは自然数）であるとき、選択されうる待機時間の数が（Ｎ＋１）の整数倍（この数をＭとする）であることが好ましい。通常状態では、このＭ個の待機時間が、それぞれ、（Ｎ＋１）個の抽選口（当り口及びハズレ口）のうちいずれか一つに均等に割り当てられる。詳しくは、進入抽選にて特定の結果がえられたことを示す画像が表示手段に表示されると、選択された待機時間が経過したのちに所定の進入口が開放されるので、通常状態では、所定の進入口が開放されると、当該進入口から進入した遊技球は、（Ｎ＋１）分の１の確率で、（Ｎ＋１）個の当り口及びハズレ口のうちいずれかの口に受け入れられることとなる。こうすることで、通常状態では、（Ｎ＋１）分の１の確率でしか当り口に受け入れられないこととなる。このように、所定の進入口から進入した遊技球が（Ｎ＋１）個の抽選口のいずれか一つに受け入れられる確率が均等であるときには、当り口とハズレ口との比率は１対３以上であることが好ましく、さらには１対４以上であることが好ましい（理由は後述する）。
【０５１９】
なお、遊技領域を流下する遊技球が上記受入口に受け入れられたことに基づいて大当り抽選を行い、この大当り抽選に当選したときには、上記役物抽選を行うことなく（または役物抽選を行って当該役物抽選の結果がハズレであったとしても）、大当り遊技が実行されるようにしてもよい。このとき、上記受入口への遊技球の受け入れに基づいて大当り抽選が行われ、当該大当り抽選の結果がハズレであるときに、上記進入抽選が行われるようにするとよい。また、進入抽選が行われたときには、常に、特定の結果がえられるようにしてもよい。
【０５２０】
このように、本遊技機は、ソフトウェア制御により内部的に行われる抽選処理とは違って、役物抽選の抽選過程を視認できるので、抽選処理に対して遊技者に与える不信感を軽減できるだけでなく、大当り遊技が行われるまでの過程に面白みを持たせることができる。
【０５２１】
さらに、本遊技機は、通常状態の他に、高頻度抽選状態（時短遊技状態）と低頻度抽選状態（微時短遊技状態）とを含む遊技状態のうちいずれかに制御する抽選状態制御手段（通常遊技状態制御手段、時短遊技状態制御手段または微時短遊技状態制御手段として機能する普通図柄変動パターン選択手段２５５２）を備えている。高頻度抽選状態は、通常状態よりも高い頻度で役物抽選手段による役物抽選が行われうる状態であり、低頻度抽選状態は、高頻度抽選状態よりも低い頻度でしか役物抽選手段による役物抽選が行われえない状態である。なお、「通常状態よりも高い頻度で役物抽選手段による役物抽選が行われうる」手法としては、例えば、受入口への遊技球の受け入れが通常状態よりも容易化されること等が考えられる。
【０５２２】
また、本遊技機は、役物抽選がその抽選過程を視認できるかたちで行われるにもかかわらず、低頻度抽選状態では、役物抽選手段の作動態様に変化をもたせることなく、役物抽選の当選確率を把握することが困難なかたちで、通常状態における所定の確率よりも高い確率で当選されるように役物抽選手段が作動される高期待状態（高期待状態を実現する時短時決定手段２５７４、入賞口開閉制御手段２５７０及び可動役物駆動制御手段２５８３によって制御される遊技者に有利な状態）に制御する秘密裡低頻度高期待制御手段（状態に応じてインターバル時間の決定方法を変えるインターバルパターン決定手段２５７２、および、状態が異なっても回転式振分装置１７０９を同じような態様で作動させる可動役物駆動制御手段２５８３の両方を含む概念）を備えている。
【０５２３】
上記の低頻度抽選状態は、高頻度抽選状態が終了したのちに、所定の期間に限って制御するようにするとよい。高頻度抽選状態は、例えば大当り遊技が終了したのちの所定期間に限って制御される状態であり、大当り遊技が終了したとしても、この高頻度抽選状態の間に再び大当り遊技が行われることを期待して遊技を行う遊技者が多い。言い換えると、高頻度抽選状態の間に大当り遊技が発生することなく当該高頻度抽選状態が終了すると、遊技者は、遊技意欲を喪失してしまいかねない。この点、高頻度抽選状態が終了したのちに、高頻度抽選状態と比べて役物抽選が行われうる頻度が少なくなるものの通常状態よりも高い確率で役物抽選が行われるようにすると、遊技者は、たとえ高頻度抽選状態が終了したとしても、遊技意欲の喪失を抑制することが可能となる。しかも、上述したように、低頻度抽選状態では、役物抽選の当選確率を把握することが困難なかたちで高期待状態に制御されるので、低頻度抽選状態の終期を把握することが困難となる。つまり、役物抽選における当選確率が高められた高期待状態となる低頻度抽選状態が終了して通常状態にいたったとしても、遊技者は、高期待状態が未だ継続しているのではないかといった期待感を持って遊技を行うことができる。なお、低頻度抽選状態では、高頻度抽選状態よりも高い確率で当選されるように役物抽選手段が作動されるようにすると、高頻度抽選状態が終了したとしても遊技者に与えうるガッカリ感を軽減できる点においてより好ましい。
【０５２４】
このように、本遊技機の低頻度抽選状態において、役物抽選手段を通常状態と高期待状態とで同じような態様で作動させることで、抽選過程を視認できるかたちで役物抽選が行われるにもかかわらず、役物抽選手段の作動態様からは、高期待状態にあるか否かを把握し難くして、高期待状態にあることを秘密裡にしうる秘密裡低頻度高期待制御手段（状態に応じてインターバル時間の決定方法を変えるインターバルパターン決定手段２５７２、および、状態が異なっても回転式振分装置１７０９を同じような態様で作動させる可動役物駆動制御手段２５８３の両方を含む概念）を有している。この秘密裡低頻度高期待制御手段は、高期待状態にあるか否かにかかわらず、役物抽選を行うに際し、進入抽選にて特定の結果がえられたことを示す画像が表示される都度、同じタイミングで同じ位置から当り口の変位を開始する。そしてさらには、高期待状態であっても通常状態と同じような周期的な動きをもって当り口を変位させる。このようにして、役物抽選手段の作動態様からは、高期待状態にあるか否かを把握することが難しくされている。
【０５２５】
また、秘密裡低頻度高期待制御手段は、所定の進入口から進入した遊技球が当り口に受け入れられる確率が高められるように、進入抽選にて特定の結果がえられたことを示す画像が表示手段に表示されてから特定の待機時間が経過したのちに、進入許容制御手段により所定の進入口が開放されるようにしている。上記の特定の待機時間は、上記の複数の待機時間のうち、所定の進入口から進入した遊技球が当り口に受け入れられる確率が他の待機時間よりも高められる時間である。すなわち、役物抽選が行われるに際し、進入抽選にて特定の結果がえられたことを示す画像が表示される都度、同じタイミング（進入抽選にて特定の結果がえられたことを示す画像が表示されたタイミング）で同じ位置（特定位置）から当り口の変位が開始されるにもかかわらず、進入口から進入した遊技球が通常状態における所定の確率（（Ｎ＋１）分の１）よりも高い確率で当り口に受け入れられるようになる。このように、役物抽選が行われるに際し、進入抽選にて特定の結果がえられたことを示す画像が表示される都度、同じタイミングで同じ位置から当り口の変位が開始されるにもかかわらず、進入口から進入した遊技球が通常状態における所定の確率よりも高い確率で当り口に受け入れられる理由は、以下のとおりである。
【０５２６】
すなわち、上述したように、通常状態では、進入抽選にて特定の結果がえられたことを示す画像が表示されたときを起点として、複数の待機時間のうち選択されたいずれかの待機時間が経過したときに、上記の所定の進入口が開放される。これにより、通常状態では、所定の進入口が、都度異なるように変化をもたせて開放されることとなる。これに対し、高期待状態では、上記複数の待機時間のうち特定の待機時間のみが選択されることとなる。この高期待状態において選択されうる特定の待機時間は、上記の所定の進入口が開放されたときに進入した遊技球が、当り口に受け入れられる確率が高められる時間である。例えば、１つの当り口とＮ個（３以上の自然数が好ましい）のハズレ口とのうち、１つの当り口及び当該当り口に隣接する２つの当り口のうちいずれかの口に、上記所定の進入口から進入した遊技球が受け入れられるように待機時間が選択されると、上記所定の進入口から進入した遊技球が当り口に受け入れられる確率は、通常状態では（１＋Ｎ）分の１であったものが、高期待状態では３分の１に高められることとなる。これが、上述した当り口とハズレ口との比率が１対４以上であることが好ましい理由である。つまり、通常状態では、所定の進入口から遊技球が進入した時点で、当り口に受け入れられないことを、所定の進入口に遊技球が進入したタイミングに基づいて容易に察知できることがありえる。ただし、本実施形態のパチンコ機１によると、高期待状態では、役物抽選手段の作動態様からは通常状態にあるか高期待状態にあるかを把握し難いにもかかわらず、所定の進入口から進入した遊技球は、当り口または当該当り口に隣接するハズレ口に受け入れられる（すなわち、たとえハズレであったとしても当り口に隣接するハズレ口に受け入れられる）可能性が高くなり、興趣の低下を抑制できる。
【０５２７】
このように、本遊技機では、抽選過程を視認できるかたちで役物抽選が行われるにもかかわらず、当り口が変位される作動態様（すなわち役物抽選手段の作動態様）からは、高期待状態にあるか否かを把握することが困難となるようにされている。これにより、遊技者の遊技意欲がそがれることなく、遊技者は、常に高期待状態にあることに期待感を抱きながら遊技を行うことが可能となり、興趣の低下を抑制することができる。とくに、大当り遊技が終了したのちの有期の高頻度抽選状態が終了したのちの低頻度抽選状態において高期待状態とされる遊技機では、高頻度抽選状態において大当り遊技が発生することなる当該高頻度抽選状態が終了したとしても、遊技意欲ひいては大当り遊技が実行される期待感の喪失が軽減されるので、遊技機全体における興趣の低下を抑制することができる。
【０５２８】
また、上記の技術思想１は、本遊技機の技術思想と核となる部分をあらわしたが、上記に説明した本遊技機は、さらに詳しくは、例えば以下の技術思想２のようにあらわすことができる。
【０５２９】
技術思想２に記載の遊技機は、所定の画像が表示される表示手段と、遊技領域を流下する遊技球を受け入れ可能な受入口と、前記受入口への遊技球の受け入れに基づいて所定の抽選を行う抽選手段と、前記抽選手段にて特定の結果がえられたことに基づいて、常には閉鎖されている所定の進入口を開放することによって、当該所定の進入口への遊技球の進入を許容する進入許容制御手段と、前記表示手段にて少なくとも前記進入抽選の結果を示す画像が表示されるように制御する表示制御手段と、所定の態様で作動し、前記所定の進入口から進入した遊技球を受け入れ可能な受入位置にて、当該所定の進入口から進入した遊技球を、通常状態では所定の確率をもって受け入れうる当り口に受け入れたときに当選とされる役物抽選を、その抽選過程を視認できるかたちで所定の頻度で行いうる役物抽選手段と、前記所定の進入口から進入した遊技球が前記当り口に受け入れられたことに基づいて、大当り遊技を実行する大当り遊技実行手段とを備える遊技機であって、前記役物抽選手段は、前記進入抽選にて特定の結果がえられたことを示す画像が表示される都度、当該画像が表示されたのちの同じタイミングで作動を開始するとともに、前記進入抽選にて特定の結果がえられたことを示す画像が前記表示手段に表示されてから前記所定の進入口から遊技球が進入するまでの時間に、前記役物抽選の結果が依存しうるように当該役物抽選を行い、当該役物抽選を行うにあたり、前記通常状態では、前記進入抽選にて特定の結果がえられたことを示す画像が前記表示手段に表示されてから、都度異なる所定の待機時間を経たのちに前記所定の進入口が開放されることで、前記進入口から進入した遊技球が所定の確率でしか前記当り口に受け入れられないようにするものであり、さらに、前記通常状態よりも高い頻度で前記役物抽選手段による前記役物抽選が行われうる高頻度抽選状態、及び、該高頻度抽選状態よりも低い頻度でしか前記役物抽選手段による前記役物抽選が行われえない低頻度抽選状態、を含む遊技状態のうちいずれかに制御する抽選状態制御手段と、前記役物抽選がその抽選過程を視認できるかたちで行われるにもかかわらず、前記低頻度抽選状態においては、当該役物抽選の当選確率を把握することが困難なかたちで、前記通常状態における前記所定の確率よりも高い確率で当選されるように前記役物抽選手段が作動される高期待状態に制御する秘密裡低頻度高期待制御手段とを備え、前記秘密裡低頻度高期待制御手段は、前記所定の進入口から進入した遊技球が前記当り口に受け入れられる確率が高められるように、前記進入抽選にて特定の結果がえられたことを示す画像が前記表示手段に表示されてから特定の待機時間が経過したのちに、前記進入許容制御手段により前記所定の進入口が開放されるようにし、前記抽選過程を視認できるかたちで前記役物抽選が行われるにもかかわらず、前記低頻度抽選状態においては、前記高期待状態にあるか前記通常状態にあるかを把握することが困難なかたちで前記高期待状態に制御されるようにしたものである。
【符号の説明】
【０５３０】
１  パチンコ機
２  外枠
３  本体枠
４  遊技盤
１０  上枠板
１１  下枠板
１２  側枠板
１３  側枠板
１４  下部前面板
１５  装飾カバー板
１６  止着突起
１７  止着穴
１８  案内板
１９  連結部材
２０  係合切欠部
２１  挿通穴
２２  連結穴
２３  連結ビス
２４  取付穴
２５  連結穴
２６  連結ビス
２７  連結ビス
２８  空間部
２９  溝部
３０  凹部
３１  取付穴
３２  止着ビス
３３  取付穴
３４  止着ビス
３５  取付穴
３６  止着ビス
３７  取付穴
３８  閉鎖用突起
３９  取付ネジ
４０  取付穴
４１  閉鎖用突起
４２  取付ネジ
４３  取付穴
４４  止着ビス
４５  上支持金具
４６  支持突出片
４７  支持鉤穴
４８  取付穴
４９  取付段部
５０  取付穴
５１  取付ビス
５２  挟持板
５３  垂下片部
６６  下支持金具
６８  支持突起
６９  取付穴
７０  取付穴
７１  取付ネジ
７２  垂直当接片
１００  扉枠本体
１０１  遊技窓
１０２  スピーカ用開口
１０３  賞球通過口
１０４  開口
１０５  蓋用開口
１０６  錠穴
１０７  ジョイントユニット装着凹部
１０８  レバー
１１０  装着開口部
１１１  係合突起
１１２  扉枠突片
１１３  扉枠突片
１２０  扉レンズユニット
１２１  レンズベース体
１５０  レンズカバー
１５１  上レンズカバー部
１５４  先頭モール部材
１５６  側方レンズカバー部
１５７  側方レンズカバー部
１６３  スピーカ
１６５  スピーカカバー
１８４  装飾部材取付領域
１８５  装飾部材
２００  裏ユニット
２０７  アース接続具
２１０  補強板金
２１１  上側補強板金
２１２  軸支側補強板金
２１２  補強板金
２１３  開放側補強板金
２１４  下側補強板金
２１５  折曲突片
２１６  折曲突片
２１７  字状折曲突片
２１８  上軸支部
２１９  軸ピン
２２０  下軸支部
２２１  軸ピン
２２３  開放側外折曲突片
２２５  開放側内折曲突片
２２７  フックカバー
２２８  賞球通過口被覆部
２２９  下折曲突片
２３０  上折曲突片
２３１  垂直折曲突片
２５０  ガラスユニット
２５１  ユニット枠
２５５  掛止突片
２６１  係合溝
２６２  ガラス板
２７０  防犯カバー
２７１  当接凹部
２７２  防犯前突片
２７３  装着弾性片
２７４  防犯後突片
２７５  防犯後端部突片
２８０  装着台
２８１  賞球通過口用開口
２８２  ユニット取付凹部
２８３  蓋用開口
２８４  立壁
２８５  防犯突片
２８６  球飛送誘導面
２８７  ユニット
２８８  打球供給口
２８９  供給揺動片
２９０  枠装飾中継基板
２９１  中継基板カバー
３００  皿ユニット
３０１  ユニット枠
３１６  第一球抜ボタン
３２７  貸球ユニット
３２９  操作ボタンユニット
３３０  操作ボタン
３４０  下部スピーカユニット
３８０  皿体
３８１  貯留部
３８２  誘導通路部
４０６  側面開口蓋
４２１  第二球抜ボタン
４５０  皿蓋板
４５１  ベースユニット体
４５６  案内穴
４６０  ハンドル装置
４６１  操作ハンドル部
４６４  回動操作部材
４６５  回転軸
４６６  カム
４８０  ジョイントユニット
４８１  収納体
４８３  スライド体
４９２  スライド突片
４９３  傾斜辺
５００  本体枠主体
５０１  軸支金具取付段部
５０２  軸支金具取付段部
５０３  上軸支金具
５０４  軸支ピン
５０５  扉軸支穴
５０６  枠支持板
５０７  扉支持板
５０８  軸支穴
５０９  下軸支金具
５１０  遊技盤設置凹部
５１１  板部
５１２  遊技盤載置部
５１３  通路支持突起
５１４  レール取付ボス
５１５  発射レール
５１６  レール接続部材
５１７  固定具取付ボス
５１８  ストッパー
５１９  遊技盤固定具
５２０  発射装置取付部
５２１  槌貫通開口
５２２  ハンドル連結窓
５２３  軸用穴
５２４  球抜排出通路
５２５  案内突起
５２６  シリンダー錠貫通穴
５２７  取付穴部
５２８  案内突片
５２９  発射装置取付ボス
５３０  球抜接続開口
５３１  満タンユニット載置部
５３２  ユニット係合溝
５３３  締結穴
５３４  締結連杆
５４０  第一側面壁
５４１  第二側面壁
５４２  第三側面壁
５４３  第四側面壁
５４４  開放側後面壁
５４５  上後面壁
５４６  軸支側後面壁
５４７  錠取付穴
５４８  錠係止穴
５４９  扉用フック穴
５５０  タンク取付溝
５５１  凹部
５５２  案内円弧突起
５５３  レール係止溝
５５４  レール係止溝
５５５  レール掛止弾性片
５５６  穴
５５７  アース線接続具
５６０  立壁
５６１  賞球案内突起
５６２  通路ユニット取付ボス
５６３  スイッチ対応突起
５６４  ロック用弾性爪
５６５  係合突片
５６７  カバー体当接溝
５６９  施錠壁
５７０  施錠用突出鉤片
５７２  開口部
５７３  係止溝
５７４  ピン
５７５  カバー体支持筒部
５７６  突起
５７７  制突起
５７８  具挿入穴
５７９  出口開閉装置
５８０  後面開口
５８１  上部防犯二重溝
５８２  側部防犯溝
５８３  防犯凹部
５８４  係合溝
５８５  係合溝
５８６  防犯空間
５８７  軸支辺部
５９９  遊技パネル
６００  パネルホルダ
６０１  前構成部材
６０２  外レール
６０３  内レール
６０４  逆流防止部材
６０５  遊技領域
６０６  アウト口
６０７  レール防犯溝
６０８  防犯突起
６０９  接続通路部
６１０  ファール口
６１１  凹部
６１２  スピーカ用切欠部
６１３  通路用切欠部
６１５  証紙貼付部
６１６  取付用切欠部
６１７  締結バー
６１８  締結部
６１９  締結バンド
６２０  衝止部
６２１  裏箱
６２２  液晶表示制御基板ボックス
６２３  盤用基板ホルダ
６２４  主制御基板ボックス
６２５  中継端子板
６２６，６２７  ドロワコネクタ
６２８  接合案内突起
６２９  落下口
６４０  液晶表示装置
６５０  打球発射装置
６５１  発射ベース枠
６５３  ゴムストッパー部材
６５５  スライド案内孔
６５６  スライド部材収納空間
６５６  前記スライド部材収納空間
６５７  作動片用開口
６５８  作動片
６５９  ピン
６６０  取付部
６６１  モータ取付ボス
６６３  揺動片用ボス
６６４  連結開口
６６５  金属プレート
６６６  貫通孔
６６８  貫通孔
６７０  貫通孔
６７１  貫通孔
６７２  揺動片
６７３  軸穴
６７３  前記軸穴
６７４  連結穴
６７５  当接部
６７７  スライド杆
６７８  案内係止片
６７９  被当接部
６８０  案内長孔
６８１  案内ブッシュ
６８２  ネジ
６８３  バネ係止部
６８４  付勢バネ
６８５  係止輪
６８６  係止輪
６８７  打球槌
６８８  槌先
６８９  軸受
６９０  ベース板
６９１  モータ当接突片
６９２  バネ係止部
６９３  作動片当接部
６９４  モータカバー
６９５  発射モータ
６９６  モータ軸
６９７  モータカム
６９８  逆回転防止カム
６９９  取付固定穴
７００  ストッパー片
７０１  ストッパー片取付ボス
７０２  発射位置ストッパー
７１０  スライド部材
７１１  楕円凸部
７１２  連結凸部
７１３  スライド用当接突部
７１４  挿入空間
７１５  第一傾斜面
７１６  挟持片
７１７  第二傾斜面
７１８  空間部
７２０  賞球タンク
７２１  前面壁
７２２  後面壁
７２３  下流側壁
７２４  上流側壁
７２５  排出口突出壁
７２６  第一傾斜底面
７２７  第二傾斜底面
７２８  貯留部
７２９  切欠部
７３０  排出口
７３３  取付鍔部
７３４  防止部材
７３５  取付軸
７４０  タンクレール部材
７４１  仕切壁
７４３  傾斜面
７４６  歯車カバー
７４７  整列歯車
７４８  軸ピン
７４９  係止突片
７５０  係止突片
７７０  球通路ユニット
７７１  屈曲通路壁
７７２  球落下通路
７７３  上端入口
７７５  切欠部
７７６  検出片
７７７  支軸
７７８  スイッチ
７７９  アクチュエータ
７８０  ストッパー突起
７８１  用挿入溝
７８３  ボス
７８４  ビス
７８５  カバー体係合溝
７８６  連結蓋部材
７８７  支持突片
７８８  支持片
７８９  突起軸
７９０  路壁
７９１  案内突起
８００  賞球ユニット
８０１  ユニットベース体
８０２  屈曲通路壁
８０３  屈曲通路
８０５  振分空間
８０６  軸受筒
８０７  スプロケット
８０８  回転軸
８０９  通路区画壁
８１０  賞球通路
８１１  球抜通路
８１２  払出球検出センサ
８１３  係止爪
８１４  モータ収納空間
８１５  払出モータ
８１６  取付片
８１８  モータ軸
８１９  誘導突片
８２０  係止弾性爪
８２１  ボタン挿通係合穴
８２２  着脱ボタン
８２３  取付ボス
８２４  鉤状係合部
８２５  ユニットサブ板
８２６  中継基板領域
８２７  載置リブ
８２８  係合溝部
８２９  係止爪部
８３０  中継基板
８３１  取付穴
８３２  取付ボス部
８３３  ボタン挿通穴
８３４  ボタン挿通穴
８３５  基板カバー
８３６  係合突起
８３７  係止突部
８３８  ボタン開口
８３９  接続開口部
８４０  ギヤ領域
８４１  アルミ放熱板
８４２  軸挿通穴
８４３  第一ギヤ
８４４  第二ギヤ
８４５  回転軸
８４７  第三ギヤ
８５０  検出円盤
８５１  検出切欠
８５２  ギヤ部
８５４  センサ基板
８５７  基板取付部
８５８  貫通穴
８５９  通路蓋板部
８６０  係止部
８６４  軸貫通穴
８６５  スイッチ嵌合凹部
８６６  ギヤカバー
８６７  取付穴
８６９  配線処理片
８８０  球抜接続通路
９００  満タンユニット
９０１  ボックス主体
９０２  側方誘導通路
９０３  側方誘導受部
９０４  緩衝部材
９０５  逆側方誘導通路
９０６  底面開口
９０７  底面揺動板
９０８  軸受部
９０９  検出突片
９１０  バネ係止突起
９１１  軸支突起
９１２  バネ載置凹部
９１４  スイッチ収納空間
９１５  スイッチホルダ
９１６  満タンスイッチ
９１７  取付片
９１８  スイッチ取付部
９２０  前方誘導通路
９２１  出口
９２２  ファール球通路
９２３  ファール球入口
９２４  係合片
９２５  掛止突起
９２６  蓋体
９２７  賞球入口
９２８  掛止片
９２９  連通孔
１０００  錠装置
１００１  コ字状基体
１００２  フック貫通開口
１００４  係止突起
１００５  挿通穴
１００６  リベット
１００７  不正防止切欠部
１００８  錠取付片
１００９  錠挿通穴
１０１０  シリンダー錠
１０１１  錠取付基板
１０１２  ビス
１０１３  取付穴
１０１４  取付穴
１０１５  錠軸
１０１６  係合カム
１０１７  第一係合突片
１０１８  第二係合突片
１０１９  ビス
１０２０  挿入縦開口
１０２１  バネ係止片
１０２２  横穴
１０２３  第一不正防止部材
１０２４  傾斜部
１０２５  揺動軸穴
１０２６  突片挿入穴
１０２７  ストッパー片部
１０２８  ガイドピン
１０２９  ピン穴
１０３０  連結穴
１０３１  規制突片
１０３２  第二不正防止部材
１０３３  連結穴
１０３４  連結ピン
１０３５  バネ
１０３６  バネ係止穴
１０４０  扉枠用摺動杆
１０４１  扉用フック部
１０４２  リベット長穴
１０４３  ガイド突起
１０４５  上昇係合穴
１０４６  スプリングフック部
１０４７  当接弾性片
１０４８  スプリング
１０４９  切欠部
１０５０  本体枠用摺動杆
１０５１  上フック部材
１０５２  下フック部材
１０５３  連結線杆
１０５４  フック部
１０５５  リベット用長穴
１０５６  突片移動穴
１０５７  スプリングフック部
１０５８  連結穴
１０５９  当接部
１０６０  連結穴
１０６１  リベット用長穴
１０６２  下降係合穴
１０６４  突片移動穴
１０６５  フック部
１０６６  係合切欠部
１０６７  当接部
１１００  基板ユニット
１１０１  枠用基板ホルダ
１１０２  扉中継基板
１１０３  電源基板ボックス
１１０４  端子基板ボックス
１１０５  払出制御基板ボックス
１１０９  基板カバー
１１１９  アウト球通路
１１２２  取付片
１１２３  配線掛止片
１１２４  配線用開口
１１８３  分離切断部
１１８６  賞球払出制御基板
１１８６  払出制御基板
１２００  主ドロワ中継コネクタ
１２０１  払出制御基板用コネクタ
１２０２  副ドロワ中継コネクタ
１２０３  扉枠用コネクタ
１２１２  案内孔
１２１３  接合案内孔
１２５０  カバー体
１２５１  軸支ピン
１２５２  係合片
１２５４  貫通穴
１２５５  接続操作用開口
１２７０  カバー体
１２８３  接続操作用開口
１２８４  立壁
１２８５  当接突起
１２８６  補強リブ
１３５０  主制御基板
１５００  表サイド部材
１５１０  チャッカー
１５１２  通過センサ
１５２０  一般入賞口
１５３０  特別図柄表示器
１５３２  第一特別図柄表示器
１５３６  普通図柄表示器
１５３８  普通図柄保留表示器
１５４０  第二特別図柄表示器
１５４３  ラウンド表示器
１５５０  本体部内前基板
１５５４  上延出部内基板
１５５６  下延出部内基板
１６００  始動口ユニット
１６０２  第一始動口
１６０４  第二始動口
１６０６  可動片
１６０８  開口被覆部
１６０９  誘導部
１６１０  案内部
１６１２  始動口ソレノイド
１６１４  誘導部
１６１６  第二始動口センサ
１６１８  リブ
１７００  センター枠
１７００  センタ役物ユニット
１７０１  装飾フレーム
１７０１  入賞口
１７０２  特定入賞口
１７０３  特定遊技領域
１７０４  左側誘導経路
１７０５  右側誘導経路
１７０７  振分装置
１７０８  遅延装置
１７０９  回転式振分装置
１７１０  排出部
１７１１  遊技媒体復活手段
１７２０  本体ユニット
１７２１  開閉入賞ユニット
１７２２  遊技領域ユニット
１７２３  中継基板ユニット
１７２４  上側装飾部
１７２９  上部遊技領域
１７３０  入賞口カバー
１７３１  内周レンズ
１７３３  液晶枠
１７３４  開口部
１７３５  右側切欠部
１７３７  可動装飾体
１７４３  後レンズカバー
１７４４  側面レンズカバー
１７４５  反射シール
１７４６  装飾役物
１７６６  ソレノイド
１７６７  リフトレバー
１７６８  回動支持ピン
１７６９  フォトセンサ
１７７４  回転支持軸
１７８５  ステージ部材
１７８６  第一特定遊技領域
１７８７  第二特定遊技領域
１７８８  可動役物
１７８９  案内通路形成部材
１７９１  可動役物駆動部
１７９４  排出通路形成部材
１７９５  案内路
１７９６  溝状開口部
１７９８  流入口
１７９９  円形開口部
１８０１  流入部
１８０２  回転体
１８０５  キャラクタ体
１８０８  裏支持部
１８０９  支持板
１８１０  ソレノイド
１８１１  プランジャ
１８２０  回転体
１８２２  回転体軸ピン
１８２３  回転体ベース
１８２４  スイッチケース
１８２５  下通路形成部材
１８２６  モータ
１８２７  モータギア
１８２８  回転体ギア
１８３０  レンズ
１８３１  入球検出手段
１８３４  復活案内路
１８３６  接続通路部
１８３７  右側脚部
１８３８  左側脚部
１８３９  転動方向規制部
１８４０  流出透孔部
１８４２  開閉部材
１８４３  開閉部材駆動機構
１８４４  プランジャ
１８４５  プランジャヘッド
１８４６  駆動アーム
１８４７  スライドリンク
１８４８  下ガイド
１８４９  ギア
１８５１  進入防止機構
１８５２  凸リンク
１８５３  ソレノイドベース
１８５４  ソレノイド
１８５５  プランジャ
１８５６  プランジャヘッド
１８５７  第一アーム
１８５８  軸ピン
１８５９  第二アーム
１８６０  リンクカバー
１８６２  球搬送部
１８６４  回動軸部
１８６５  モータ
１８６６  モータリンク
１８６８  筒部材
１８６９  バネ
１８７１  フォトセンサ
１８７２  装飾壁体
１８７３  キャラクタ体
１８７４  ソレノイドベース
１８７５  ソレノイド
１８７６  プランジャ
１８７７  スプリング
１８７８  スライダ
１８７９  アームピン
１８８０  支持アーム
１８９０  風車装飾部
１８９１  キャラクタ装飾部
１８９２  水平摺動機構
１８９３  風車回転機構
１８９５  支持レール
１８９６  ガイドレール
１８９７  ギアベース
１８９８  可動ユニット
１８９９  モータボックス
１９００  モータギア
１９０１  ピニオン
１９０３  ラック
１９０４  ベースカバー
１９０５  モータ
１９０６  延出部
２０００  裏ユニット
２００５  不正行為警告表示器
２０３０  液晶支持部材
２０５０  ランプ駆動基板
２０５０  第一装飾制御基板
２０５２  基板カバー
２０５４  第二装飾制御基板
２０６６  パネル中継端子板
２３０２  磁気センサ
２５００  主基板
２５１０  操作センサ
２５１２  本体枠開放スイッチ
２５１４  扉枠開放スイッチ
２５２４  発射制御基板
２５２６  外部端子板
２５３０  電源基板
２５３２  一般入賞口センサ
２５３４  第一始動口センサ
２５３８  振動センサ
２５５０  普通乱数発生手段
２５５２  普通図柄変動パターン選択手段
２５５４  普通図柄保留手段
２５５６  第一特別乱数発生手段
２５５８  第一特別図柄抽選手段
２５５９  第一特別図柄変動パターン選択手段
２５６０  第一特別図柄当落判定手段
２５６２  第二特別乱数発生手段
２５６４  第二特別図柄抽選手段
２５６５  第二特別図柄変動パターン選択手段
２５６６  第二特別図柄当落判定手段
２５６８  有利遊技状態発生手段
２５７０  入賞口開閉制御手段
２５７２  インターバルパターン決定手段
２５７３  通常時決定手段
２５７４  時短時決定手段
２５７６  コマンド送信手段
２５７８  異常判定手段
２５８０  遊技停止手段
２５８１  各駆動制御手段
２５８１  球受部駆動制御手段
２５８２  回転役物駆動制御手段
２５８３  可動役物駆動制御手段
２５８４  進入許可制御手段
２５８５  貯留制御手段
２５８６  復活処理制御手段
２６００  周辺制御基板
２６１２  液晶表示制御基板
２６１３  基板カバー
２６２４  扉枠装飾ランプ
２６３０  始動口ユニット装飾基板
２６３２  発光装飾基板
２６５０  コマンド受信手段
２６５２  演出パターン選択手段
２６５４  発光演出制御手段
２６５６  演出表示制御手段
２６５８  音響演出制御手段
２６６２  入賞口開情報取得手段
２６６４  経路情報取得手段
２６６６  復活情報取得手段
２６６８  入賞口開演出制御手段
２６７０  役物入賞口開演出継続手段
２６７２  期待大演出制御手段
２６７４  復活演出制御手段
【図１】
0005485797.tif 000002
【図２】
0005485797.tif 000003
【図３】
0005485797.tif 000004
【図４】
0005485797.tif 000005
【図５】
0005485797.tif 000006
【図６】
0005485797.tif 000007
【図７】
0005485797.tif 000008
【図８】
0005485797.tif 000009
【図９】
0005485797.tif 000010
【図１０】
0005485797.tif 000011
【図１１】
0005485797.tif 000012
【図１２】
0005485797.tif 000013
【図１３】
0005485797.tif 000014
【図１４】
0005485797.tif 000015
【図１５】
0005485797.tif 000016
【図１６】
0005485797.tif 000017
【図１７】
0005485797.tif 000018
【図１８】
0005485797.tif 000019
【図１９】
0005485797.tif 000020
【図２０】
0005485797.tif 000021
【図２１】
0005485797.tif 000022
【図２２】
0005485797.tif 000023
【図２３】
0005485797.tif 000024
【図２４】
0005485797.tif 000025
【図２５】
0005485797.tif 000026
【図２６】
0005485797.tif 000027
【図２７】
0005485797.tif 000028
【図２８】
0005485797.tif 000029
【図２９】
0005485797.tif 000030
【図３０】
0005485797.tif 000031
【図３１】
0005485797.tif 000032
【図３２】
0005485797.tif 000033
【図３３】
0005485797.tif 000034
【図３４】
0005485797.tif 000035
【図３５】
0005485797.tif 000036
【図３６】
0005485797.tif 000037
【図３７】
0005485797.tif 000038
【図３８】
0005485797.tif 000039
【図３９】
0005485797.tif 000040
【図４０】
0005485797.tif 000041
【図４１】
0005485797.tif 000042
【図４２】
0005485797.tif 000043
【図４３】
0005485797.tif 000044
【図４４】
0005485797.tif 000045
【図４５】
0005485797.tif 000046
【図４６】
0005485797.tif 000047
【図４７】
0005485797.tif 000048
【図４８】
0005485797.tif 000049
【図４９】
0005485797.tif 000050
【図５０】
0005485797.tif 000051
【図５１】
0005485797.tif 000052
【図５２】
0005485797.tif 000053
【図５３】
0005485797.tif 000054
【図５４】
0005485797.tif 000055
【図５５】
0005485797.tif 000056
【図５６】
0005485797.tif 000057
【図５７】
0005485797.tif 000058
【図５８】
0005485797.tif 000059
【図５９】
0005485797.tif 000060
【図６０】
0005485797.tif 000061
【図６１】
0005485797.tif 000062
【図６２】
0005485797.tif 000063
【図６３】
0005485797.tif 000064
【図６４】
0005485797.tif 000065
【図６５】
0005485797.tif 000066
【図６６】
0005485797.tif 000067
【図６７】
0005485797.tif 000068
【図６８】
0005485797.tif 000069
【図６９】
0005485797.tif 000070
【図７０】
0005485797.tif 000071
【図７１】
0005485797.tif 000072
【図７２】
0005485797.tif 000073
【図７３】
0005485797.tif 000074
【図７４】
0005485797.tif 000075
【図７５】
0005485797.tif 000076
【図７６】
0005485797.tif 000077
【図７７】
0005485797.tif 000078
【図７８】
0005485797.tif 000079
【図７９】
0005485797.tif 000080
【図８０】
0005485797.tif 000081
【図８１】
0005485797.tif 000082
【図８２】
0005485797.tif 000083
【図８３】
0005485797.tif 000084
【図８４】
0005485797.tif 000085
【図８５】
0005485797.tif 000086
【図８６】
0005485797.tif 000087
【図８７】
0005485797.tif 000088
【図８８】
0005485797.tif 000089
【図８９】
0005485797.tif 000090
【図９０】
0005485797.tif 000091
【図９１】
0005485797.tif 000092
【図９２】
0005485797.tif 000093
【図９３】
0005485797.tif 000094
【図９４】
0005485797.tif 000095
【図９５】
0005485797.tif 000096
【図９６】
0005485797.tif 000097
【図９７】
0005485797.tif 000098
【図９８】
0005485797.tif 000099
【図９９】
0005485797.tif 000100
【図１００】
0005485797.tif 000101
【図１０１】
0005485797.tif 000102
【図１０２】
0005485797.tif 000103
【図１０３】
0005485797.tif 000104
【図１０４】
0005485797.tif 000105
【図１０５】
0005485797.tif 000106
【図１０６】
0005485797.tif 000107
【図１０７】
0005485797.tif 000108
【図１０８】
0005485797.tif 000109
【図１０９】
0005485797.tif 000110
【図１１０】
0005485797.tif 000111
【図１１１】
0005485797.tif 000112
【図１１２】
0005485797.tif 000113
【図１１３】
0005485797.tif 000114
【図１１４】
0005485797.tif 000115
【図１１５】
0005485797.tif 000116
【図１１６】
0005485797.tif 000117
【図１１７】
0005485797.tif 000118
【図１１８】
0005485797.tif 000119
【図１１９】
0005485797.tif 000120
【図１２０】
0005485797.tif 000121
【図１２１】
0005485797.tif 000122
【図１２２】
0005485797.tif 000123
【図１２３】
0005485797.tif 000124
【図１２４】
0005485797.tif 000125
【図１２５】
0005485797.tif 000126
【図１２６】
0005485797.tif 000127
【図１２７】
0005485797.tif 000128
【図１２８】
0005485797.tif 000129
【図１２９】
0005485797.tif 000130
【図１３０】
0005485797.tif 000131
【図１３１】
0005485797.tif 000132